(57)【特許請求の範囲】
【請求項１】
遊技の進行に係る遊技動作処理を統括的に制御する遊技制御手段と、
前記遊技制御手段により制御され、特別図柄の変動表示動作を伴う特別図柄遊技を実行する特別図柄表示手段と、
前記遊技制御手段から送信される制御コマンドに基づいて、演出手段に対する演出動作処理を統括的に制御する演出制御手段と、を備え、
所定の始動条件が成立した後、前記特別図柄遊技の実行を許容する開始条件が成立したことに基づいて当該特別図柄遊技を開始し、前記特別図柄遊技の表示結果があらかじめ定められた特定の表示結果となった後、通常遊技状態よりも遊技者に有利な特別遊技状態に制御可能に構成された遊技機であって、
前記遊技制御手段が実行する前記遊技動作処理には、前記始動条件が成立したことに基づいて実行される入賞時処理と、前記開始条件が成立したことに基づいて実行される変動開始時処理と、前記特別図柄の変動表示動作が終了したことに基づいて実行される特別図柄停止処理とが含まれ、
前記入賞時処理は、
前記始動条件が成立した場合、第１の乱数値と第２の乱数値を含む複数種類の乱数値を保留情報として、所定の上限値である最大保留記憶数まで乱数記憶領域に格納する保留情報記憶処理と、
前記第１の乱数値に基づいて、前記特別遊技状態に制御する当りとするか否かを判定する入賞時当落判定処理と、
前記入賞時当落判定処理における判定結果に関連する情報を含む第１の制御コマンドを前記演出制御手段に対して送信する入賞時コマンド送信処理と、を含み、
前記変動開始時処理は、
前記開始条件が成立した場合、前記乱数記憶領域における前記第１の乱数値に基づいて、前記当りとするか否かを判定する変動開始時当落判定処理と、
今回の前記特別図柄遊技の実行に係る前記保留情報が消化されることに対応して実行される前記特別図柄の変動表示動作に関する変動パターンを、前記変動開始時当落判定処理の判定結果に関する情報に応じて、前記乱数記憶領域における前記第２の乱数値に基づいて判定する変動開始時変動パターン判定処理と、
前記変動開始時変動パターン判定処理において判定された変動パターンを特定可能な情報を含む第２の制御コマンドを前記演出制御手段に対して送信する変動開始時コマンド送信処理と、
今回の前記特別図柄遊技の実行に係る前記保留情報に基づく前記特別図柄遊技を開始させる特別図柄遊技開始処理と、を含み、
前記入賞時当落判定処理において前記第１の乱数値に基づいて前記特別遊技状態に制御するか否かを判定する際に実行される処理モジュールと、前記変動開始時当落判定処理において前記第１の乱数値に基づいて前記特別遊技状態に制御するか否かを判定する際に実行される処理モジュールとが共通の処理モジュールとして構成され、当該処理モジュールは、当該判定結果に関する情報を所定のＲＡＭ領域に格納せずに所定のレジスタに保持した状態で処理を終えるように構成されており、
前記入賞時処理は、
前記処理モジュールの処理を実行した後、当該処理モジュールにおいて前記レジスタに保持される判定結果に関する情報を前記ＲＡＭ領域に格納することなく、当該処理モジュールに後続する処理が実行されるように構成されており、
前記変動開始時処理は、
前記処理モジュールの処理を実行した後、当該処理モジュールにおいて前記レジスタに保持される判定結果に関する情報を前記ＲＡＭ領域に格納した上で、当該処理モジュールに後続する処理が実行されるように構成されており、
前記特別図柄停止処理は、
前記変動開始時処理において前記ＲＡＭ領域に格納された判定結果に関する情報に基づき、前記特別遊技状態への制御開始前に、その制御に係る必要な処理を実行する特別遊技開始前処理を含み、
また前記遊技制御手段が実行する前記遊技動作処理には、
所定の条件に基づいて、前記当りとなる抽選確率が前記通常遊技状態における所定の低確率である低確率状態または前記当りとなる抽選確率が当該低確率よりも高確率である高確率状態を、少なくとも特定可能な抽選状態情報を更新する抽選状態情報更新処理と、
所定の条件に基づいて、現在の変動パターン選択モードを複数種類の変動パターン選択モードのうちの他の変動パターン選択モードに更新する変動パターン選択モード更新処理と、を含み、
前記複数種類の変動パターン選択モードのうち特定の前記変動パターン選択モードは、前記変動パターン選択モード更新処理により当該特定の変動パターン選択モードが更新される条件として、前記抽選状態情報が更新される条件とは異なる条件であって、かつ前記特別図柄の変動表示動作回数に応じて更新されうるように定められており、
前記変動開始時変動パターン判定処理は、現在の前記変動パターン選択モード、前記変動開始時当落判定処理の判定結果に関する情報、および前記保留情報記憶処理により保留記憶された保留記憶数に応じて、複数種類の変動パターンのうちからいずれかの変動パターンを選択するように構成され、一の前記変動パターン選択モードと他の前記変動パターン選択モードとで異なる種類の変動パターンが選択可能に構成されており、
また前記変動開始時変動パターン判定処理は、前記変動パターン選択モード更新処理により前記特定の変動パターン選択モードから更新された変動パターン選択モード下において前記変動開始時当落判定処理の判定結果が前記当りとしない情報である場合、前記保留記憶数によらずに前記変動パターンを判定するように構成されており、
前記演出制御手段は、
前記第１の制御コマンドを受信したことに基づいて、前記開始条件が成立せずに未だ前記特別図柄遊技に供されていない前記保留情報に基づく特別図柄遊技の表示結果に関する情報を予告する予告演出を現出可能に制御する予告演出制御手段と、
前記第２の制御コマンドを受信したことに基づいて、前記演出手段に対して前記特別図柄遊技に関する演出を現出可能に制御する図柄遊技演出制御手段と、を含む、
ことを特徴とする遊技機。
【発明の詳細な説明】
【技術分野】
【０００１】
本発明は遊技機に係り、詳細には、遊技動作に係る制御負担を軽減させる遊技機に関する。
【背景技術】
【０００２】
従来から遊技機、たとえば弾球遊技機は、始動口への入賞を契機に遊技者に有利な大当りを発生させるか否かについて抽選を行い、その抽選結果を演出表示装置（たとえば、液晶表示装置）において、装飾図柄を変動表示状態および変動停止状態で順に表示する図柄変動表示ゲームを実行させるとともに、その図柄変動表示ゲームの実行中においては上記抽選結果を反映させた多彩な予告演出を発生させることとし、これにより遊技を楽しむ構成となっている。この図柄変動表示ゲームで導出され、最終的に停止表示される図柄の組合せにより、遊技者は、大当りであるかまたはハズレであるかを認識する。
【０００３】
特に最近のパチンコ遊技機では、大当りになる可能性が高いことを表現する技術として、上記予告演出の一態様として、いわゆる先読み予告が行われる（下記特許文献１参照）。この先読み予告には、これを表現する予告演出の種類として、次の「入賞時変化系」と「変動開始時変化系」の２種類がある。
【０００４】
前者の「入賞時変化系」の先読み予告は、始動口に遊技球が入球して始動条件が成立したことを契機としてなされる予告で、たとえば保留表示部による表示態様をあらかじめ定めた特定の表示態様に変化させる、という「保留変化系」の予告演出を連続させるものである。すなわち、一の図柄遊技の変動表示動作中に始動口に遊技球が入球して始動条件が成立したことに基づき、その始動条件成立に係る図柄変動表示ゲームの変動表示動作を実行する権利を一旦保留記憶すると同時に、先読み予告演出（連続予告演出）を行うか否かについての先読み予告抽選を行い、この先読み予告抽選に当選した場合には、当該保留記憶に係る保留表示部の表示態様を、通常と異なった表示態様（たとえば白色から赤色）に変化させる。
【先行技術文献】
【特許文献】
【０００５】
【特許文献１】特開２００４−２４８８４５号公報
【発明の概要】
【発明が解決しようとする課題】
【０００６】
上記のような先読み予告機能を備える遊技機は、予告演出のバリエーションが多彩になり、遊技者の遊技意欲をそそる魅力的な遊技機とすることができる。しかしその代償として、先読み予告を発生させるために要する制御プログラムやデータが増大化し、メモリ容量を消費するなど、遊技動作に係る制御負担が増えてしまうといった問題がある。
【０００７】
そこで本発明の目的は、遊技の進行に係る遊技動作処理手順を簡略化し、遊技動作に係る制御負担を軽減させ得る先読み予告機能付き遊技機を提供することにある。
【課題を解決するための手段】
【０００８】
本発明の上記目的は、下記の手段によって達成される。
【０００９】
（１）遊技の進行に係る遊技動作処理を統括的に制御する遊技制御手段と、
前記遊技制御手段により制御され、特別図柄の変動表示動作を伴う特別図柄遊技を実行する特別図柄表示装置と、を備え、
所定の始動条件が成立した後、前記特別図柄遊技の実行を許容する開始条件が成立したことに基づいて当該特別図柄遊技を開始し、前記特別図柄遊技の表示結果があらかじめ定められた特定の表示結果となった後、通常遊技状態よりも遊技者に有利な特別遊技状態に制御可能に構成された遊技機であって、
装飾図柄の変動表示動作を含む演出的な装飾図柄遊技により前記特別図柄遊技の結果を反映表示する演出表示装置と、
前記遊技制御手段から送信される制御コマンドに基づいて、前記演出表示装置を含む演出手段に対する演出動作処理を統括的に制御する演出制御手段と、を備え、
前記遊技制御手段が実行する前記遊技動作処理には、前記始動条件が成立したことに基づいて実行される入賞時処理と、前記開始条件が成立したことに基づいて実行される変動開始時処理とが含まれ、
前記入賞時処理は、
前記始動条件が成立した場合、第１の乱数値、第２の乱数値、および第３の乱数値を含む複数種類の乱数値を取得し、その各々の乱数値を保留情報として、所定の上限値である最大保留記憶数まで乱数記憶領域に格納する保留情報記憶処理と、
前記第１の乱数値に基づいて、前記特別遊技状態に制御するか否かを判定する入賞時当落判定処理と、
前記特別図柄遊技の表示結果をどのような表示結果とするかついて、前記入賞時当落判定処理における判定結果に応じて、前記第２の乱数値に基づいて判定する入賞時特別停止図柄判定処理と、
前記保留情報に対応して実行される前記装飾図柄の変動表示動作に関し、その装飾図柄の変動表示動作がどのような変動パターンで変動表示動作を行うかについてのベースとなる変動パターン種別について、前記入賞時特別停止図柄判定処理における判定結果に応じて、前記第３の乱数値に基づいて判定する入賞時変動パターン判定処理と、
前記入賞時変動パターン判定処理において判定された変動パターン種別を特定可能な情報を含む第１の制御コマンドを前記演出制御手段に対して送信する入賞時コマンド送信処理と、を含み、
前記変動開始時処理は、
前記開始条件が成立した場合、前記乱数記憶領域における前記第１の乱数値に基づいて、前記特別遊技状態に制御するか否かを判定する変動開始時当落判定処理と、
前記特別図柄遊技の表示結果をどのような表示結果とするかついて、前記変動開始時当落判定処理における判定結果応じて、前記乱数記憶領域の第２の乱数値に基づいて判定する変動開始時特別停止図柄判定処理と、
今回の前記特別図柄遊技の実行に係る前記保留情報が消化されることに対応して実行される前記装飾図柄の変動表示動作に関し、その装飾図柄の変動表示動作がどのような変動パターンで変動表示動作を行うかについて、前記変動開始時特別停止図柄判定処理における判定結果に応じて、前記乱数記憶領域の第３の乱数値に基づいて判定する変動開始時変動パターン判定処理と、
前記変動開始時変動パターン判定処理において判定された変動パターンを特定可能な情報を含む第２の制御コマンドを前記演出制御手段に対して送信する変動開始時コマンド送信処理と、
今回の前記特別図柄遊技の実行に係る前記保留情報を消化させて、前記特別図柄表示装置における前記特別図柄遊技を開始させる特別図柄遊技開始処理と、を含み、
前記入賞時当落判定処理において前記第１の乱数値に基づいて前記特別遊技状態に制御するか否かを判定する処理モジュールと、前記変動開始時当落判定処理において前記第１の乱数値に基づいて前記特別遊技状態に制御するか否かを判定する処理モジュールとが共通の処理モジュールとして構成されており、
前記演出制御手段は、
前記第１の制御コマンドを受信したことを条件に、前記変動開始条件が成立せずに未だ保留情報が消化されていない前記特別図柄遊技について、その保留情報に基づく特別図柄遊技の表示結果がどのような表示結果となるかに関連する情報を予告する予告演出を現出制御する予告演出制御手段と、
前記第２の制御コマンドを受信したことを条件に、前記演出表示装置における前記装飾図柄遊技の実行を開始させる装飾図柄遊技実行制御手段と、を含む、
ことを特徴とする遊技機。
【発明の効果】
【００１０】
本発明によれば、遊技の進行に係る遊技動作処理手順を簡略化することができるので、先読み予告機能を設けた場合であっても遊技動作に係る制御負担を軽減させることができる。
【図面の簡単な説明】
【００１１】
【図１】本発明の一実施形態に係る弾球遊技機の外観を示す正面側の斜視図である。
【図２】本発明の一実施形態に係る弾球遊技機の遊技盤の正面側を示す図である。
【図３】本発明の一実施形態に係る弾球遊技機の制御装置を示すブロック図である。
【図４】本発明の一実施形態に係る当り中演出テーブルを示す図である。
【図５】本発明の一実施形態に係る当り中演出テーブル選択テーブルを示す図である。
【図６】本発明の一実施形態に係る液晶表示装置の画面表示の説明に供する説明図である。
【図７】本発明の一実施形態に係る先読み予告演出の説明に供する説明図である。
【図８】本発明の一実施形態に係る主制御側メイン処理を示すフローチャートである。
【図９】本発明の一実施形態に係る主制御側タイマ割込処理を示すフローチャートである。
【図１０】図９中の入力管理処理を示すフローチャートである。
【図１１】入賞検出スイッチに係る入力ポートの読み込みの説明に供する説明図である。
【図１２】図１０中の普通電動役物入賞無効処理を示すフローチャートである。
【図１３】図１０中の特別電動役物入賞無効処理を示すフローチャートである。
【図１４】図９中特別図柄管理処理を示すフローチャートである。
【図１５】図１４中の特図１始動口チェック処理を示すフローチャートである。
【図１６】図１５中の乱数判定処理を示すフローチャートである。
【図１７】本発明の一実施形態に係る特図１用乱数判定テーブルを示すフローチャートである。
【図１８】図１５中の特別停止図柄データ作成処理を示すフローチャートである。
【図１９】本発明の一実施形態に係る特図１用図柄テーブル選択テーブルを示す図である。
【図２０】本発明の一実施形態に係る特図１用大当り図柄テーブルを示す図である。
【図２１】本発明の一実施形態に係る小当り図柄テーブルを示す図である。
【図２２】本発明の一実施形態に係るハズレ図柄テーブルを示す図である。
【図２３】図１５中の始動口入賞時乱数判定処理を示すフローチャートである。
【図２４】本発明の一実施形態に係る入賞コマンド振分テーブル選択テーブルを示す図である。
【図２５】本発明の一実施形態に係る当り入賞コマンド振分テーブルを示す図である。
【図２６】本発明の一実施形態に係るハズレ入賞コマンド振分テーブルを示す図である。
【図２７】本発明の一実施形態に係る保留加算コマンドの一覧を示す図である。
【図２８】図１４中の特図２始動口チェック処理を示すフローチャートである。
【図２９】本発明の一実施形態に係る特図２用大当り図柄テーブルを示す図である。
【図３０】本発明の一実施形態に係る特図２用図柄テーブル選択テーブルを示す図である。
【図３１】本発明の一実施形態に係る特図２用大当り図柄テーブルを示す図である。
【図３２】図１４中の特別図柄変動開始処理を示すフローチャートである。
【図３３】図３２中の特別電役物作動判定用乱数判定処理を示すフローチャートである。
【図３４】図３２中の特別図柄停止図柄作成処理を示すフローチャートである。
【図３５】図３２中の遊技状態移行準備処理を示すフローチャートである。
【図３６】本発明の一実施形態に係る遊技状態移行テーブル選択テーブルを示す図である。
【図３７】本発明の一実施形態に係る遊技状態移行テーブルを示す図である。
【図３８】図３２中の特別図柄変動パターン作成処理を示すフローチャートである。
【図３９】本発明の一実施形態に係る変動パターン振分テーブル選択テーブルを示す図である。
【図４０】本発明の一実施形態に係る当り変動パターン振分テーブル第１階層を示す図である。
【図４１】本発明の一実施形態に係るハズレ変動パターン振分テーブル第１階層を示す図である。
【図４２】本発明の一実施形態に係る当り変動パターン振分テーブル第２階層を示す図である。
【図４３】本発明の一実施形態に係るハズレ変動パターン振分テーブル第２階層を示す図である。
【図４４】本発明の一実施形態に係る時間（変動時間）テーブルを示す図である。
【図４５】本発明の一実施形態に係る当り変動パターンコマンドの一覧を示す図である。
【図４６】本発明の一実施形態に係るハズレ変動パターンコマンドの一覧を示す図である。
【図４７】図１４中の特別図柄変動中処理を示すフローチャートである。
【図４８Ａ】図１４中の特別図柄確認時間中処理の前半部を示すフローチャートである。
【図４８Ｂ】図１４中の特別図柄確認時間中処理の後半部を示すフローチャートである。
【図４９】図９中の特別電動役物管理処理を示すフローチャートである。
【図５０】図４９中の大当り開始処理を示すフローチャートである。
【図５１】本発明の一実施形態に係る役物連続作動装置作動開始時設定テーブルである。
【図５２】図４９中の特別電動役物作動開始処理を示すフローチャートである。
【図５３】本発明の一実施形態に係る大入賞口開放動作時間設定テーブルを示す図である。
【図５４】図５２中の大入賞口開閉動作設定処理を示すフローチャートである。
【図５５】本発明の一実施形態に係る大入賞口開閉動作設定テーブル選択テーブルを示す図である。
【図５６】図５４中のソレノイド設定処理を示すフローチャートである。
【図５７】本発明の一実施形態に係る大入賞口開閉動作設定テーブルを示す図である。
【図５８】図４９中の特別電動役物作動中処理を示すフローチャートである。
【図５９】図５８中の大入賞口最大入賞数確認処理を示すフローチャートである。
【図６０】図４９中の特別電動役物作動継続判定処理を示すフローチャートである。
【図６１】本発明の一実施形態に係る特別電動役物終了インターバル設定テーブルを示す図である。
【図６２】本発明の一実施形態に係る役物連続作動装置作動終了インターバル設定テーブルを示す図である。
【図６３】図４９中の大当り終了処理を示すフローチャートである。
【図６４】１５Ｒ系の大当り遊技開始時の遊技動作制御の説明に供する説明図である。
【図６５】１５Ｒ系の大当り遊技終了時の遊技動作制御の説明に供する説明図である。
【図６６】２Ｒ低ベース確変大当り遊技動作制御の説明に供する説明図である。
【図６７】図４９中の小当り処理を示すフローチャートである。
【図６８】本発明の一実施形態に係る小当り開閉動作設定テーブルを示す図である。
【図６９】図６７中の小当り特別電動役物動作ステータス別処理を示すフローチャート
【図７０】小当り遊技動作制御の説明に供する説明図である。
【図７１】本発明の一実施形態に係る変動パターン振分指定番号表を示す図である。
【図７２】本発明の一実施形態に係る演出制御側メイン処理を示すフローチャートである。
【図７３】本発明の一実施形態に係るコマンド受信割り込み処理を示すフローチャートである。
【図７４】本発明の一実施形態に係る演出制御側タイマ割込処理を示すフローチャートである。
【図７５】図７４中のコマンド解析処理における保留加算コマンド受信処理を示すフローチャートである。
【図７６】図７４中のコマンド解析処理における変動パターン指定コマンド受信処理を示すフローチャートである。
【図７７】図７４中のコマンド解析処理における装飾図柄指定コマンド受信処理を示すフローチャートである。
【図７８】図７４中のコマンド解析処理における大当り開始コマンド受信処理の詳細を示すフローチャートである。
【発明を実施するための最良の形態】
【００１２】
以下、図面を参照しながら、本発明に係る遊技機の好ましい実施形態について詳細に説明する。なお、以下に述べる実施形態では、本発明に係る遊技機として、パチンコ遊技機を例にとって説明する。
【００１３】
＜１．構成の概要：図１および図２＞
図１および図２を参照して、本発明の一実施形態に係るパチンコ遊技機の構成の概要を説明する。図１は本発明の一実施形態に係るパチンコ遊技機の外観を示す正面側の斜視図を、図２は遊技盤の正面側を示した図である。
【００１４】
まず図１を参照して、パチンコ遊技機１の正面側の構成を説明する。図１に示すパチンコ遊技機１は、木製の外枠４の前面に額縁状の前面枠２を開閉可能に取り付け、前面枠２の裏面に取り付けた遊技盤収納フレーム（図示せず）内に遊技盤３を装着し、この遊技盤３の表面に形成した遊技領域３ａ（図２参照）を前面枠２の開口部に臨ませた構成を有している。
【００１５】
前面枠２の前側上部には、透明ガラスを支持したガラス扉枠（開閉扉）６が配置され、また前面枠２の前側下部には、このガラス扉枠６の下側に隣接して前面操作パネル７が配置されている。遊技盤３は前面枠２の前側から嵌め込まれ、固定具（図示せず）により着脱自在に固定される。ガラス扉枠６および前面操作パネル７はヒンジ（図示せず）により前面枠２に開閉自在に枢支されている。
【００１６】
前面操作パネル７には上受け皿ユニット８が設けられ、上受け皿ユニット８には、遊技球を貯留する上受け皿９が形成されている。
【００１７】
また上受け皿ユニット８には、上受け皿９に貯留された遊技球をパチンコ遊技機１の下方に抜くための球抜きボタン１４と、球貸し操作部とが設けられている。この球貸し操作部には、遊技球貸出装置（図示せず）に対して遊技球の払い出しを要求するための球貸しボタン１１と、遊技球貸出装置に挿入したプリペイドカードやプリペイドコインなどの返却を要求するためのカード返却ボタン１２とが設けられている。また、上受け皿ユニット８には、遊技者が操作可能な押しボタンからなり、所定の入力受付期間中に押下することにより、演出に変化をもたらす枠演出ボタン１３が設けられている。
【００１８】
また前面操作パネル７の右端部側には、発射装置３２（遊技球発射手段：図３参照）を作動させる発射操作ハンドル１５が設けられている。また前面枠２の上部の両側と発射操作ハンドル１５の上側とには、音響による音演出効果（効果音）を奏するスピーカ４６が設けられている。また、ガラス扉枠６の各所には、光の装飾による光演出効果を奏する複数の装飾ランプ４５が設けられている。
【００１９】
次に図２を参照して、遊技盤３について説明する。遊技盤３は、略正方形状の木製合板または樹脂板を主体として構成されている。この遊技盤３には、図２に示すように、発射された遊技球を案内する球誘導レール５が盤面区画部材として環状に装着されており、この球誘導レール５取り囲まれた略円形状の領域が遊技領域３ａとなっている。
【００２０】
遊技領域３ａ内には、上記液晶表示装置３６の表示面の周りを遠巻きに囲繞する形でセンター飾り４８が設けられている。センター飾り４８は、周囲の遊技球から液晶表示装置３６の表示面を保護すると共に、遊技球の打ち出しの強さまたはストローク長により、遊技球の流路を左右に分けることを可能とする部材であり、センター飾り４８の存在によって遊技領域３ａ内の上部両側（左側と右側）に遊技球の流路が形成されるように、遊技領域３ａのほぼ中央部に配置されている。ただし、この実施形態の場合、センター飾り４８は少し右側に膨出した形となっている。
【００２１】
センター飾り４８は、遊技盤３の前面側に沿って設けられかつ固定ねじなどにより遊技盤３に固定される前面装着板４８ａと、センター飾り４８の外周囲を形成し液晶表示装置３６の表示画面を取り囲む鎧枠部４８ｂとを一体に備えている。鎧枠部４８ｂは、その略全体が前面装着板４８ａから前側に突出しており、その内側、すなわち液晶表示装置３６側への遊技球の侵入を阻止するようになっている。センター飾り４８の上面と球誘導レール５との間には遊技球が通過可能な遊動領域が形成され、右側へも遊技球が案内されるようになっている。発射ユニットにより遊技領域３ａの上部側に打ち込まれた遊技球は、この鎧枠部４８ｂの上部側で左右に振り分けられ、センター飾り４８の左側の左流下経路３ｂと右側の右流下経路３ｃとのいずれかを流下する。
【００２２】
なお図示していないが、センター飾り４８には、液晶表示装置３６の前側下部に、鎧枠部４８ｂの左側部に設けられた入球口（図示せず）から入球した遊技球を左右方向に自由に転動させて、左右方向中央の落下口またはその左右両側から落下させるステージが設けられている。
【００２３】
遊技領域３ａの略中央部には、たとえば３つ（左、中、右）の表示エリア（図柄変動表示領域）において、独立して数字やキャラクタや記号などによる複数の装飾図柄（たとえば、左図柄（左表示エリア対応）、中図柄（中表示エリア対応）、右図柄（右表示エリア対応））の変動表示および停止表示が可能である画像表示装置としての液晶表示装置３６（ＬＣＤ：Ｌｉｑｕｉｄ  Ｃｒｙｓｔａｌ  Ｄｉｓｐｌａｙ）が設けられている。この液晶表示装置３６は、後述する演出制御部２４の制御の下で種々の演出を画像により表示する。
【００２４】
液晶表示装置３６の下方には、上始動口３４（第１の特別図柄始動口）と、下始動口３５（第２の特別図柄始動口）を備える普通変動入賞装置４１とが上下に設けられ、それぞれの内部には、遊技球を検出する検出センサ３４ａ、３５ａ（上始動口センサ３４ａ、下始動口センサ３５ａ：図３参照）が形成されている。
【００２５】
また、遊技領域３ａの右上縁付近には、７セグメント表示器（ドット付）を上始動口３４と下始動口３５に対応させて横に並べて構成される特別図柄表示装置３８ａ（第１の特別図柄表示装置）および特別図柄表示装置３８ｂ（第２の特別図柄表示装置）が設けられ、また複数個のＬＥＤを配置してなる普通図柄表示装置３９が設けられている。
【００２６】
第１の特別図柄始動口である上始動口３４は、特別図柄表示装置３８ａ（第１の特別図柄表示装置）における図柄変動に係る入賞口で、始動口開閉手段（始動口を開放または拡大可能にする手段）を有しない入賞率固定型の入賞装置により構成されている。なお、遊技領域３ａ内の遊技くぎの配列構成（図示せず）などにより、この上始動口３４へは、左流下経路３ｂを流下してきた遊技球（センター飾り４８のステージを経た遊技球を含む）の入賞が可能であるのに対し、右流下経路３ｃを流下してきた遊技球については、入賞が困難または不可能となっている。
【００２７】
第２の特別図柄始動口である下始動口３５は、特別図柄表示装置３８ｂ（第２の特別図柄表示装置）における図柄変動に係る入賞口であり、始動口開閉手段を有し、遊技球の入賞率を変動可能な入賞率変動型の入賞装置（普通変動入賞装置４１）により構成されている。具体的には、普通変動入賞装置４１には、始動口開閉手段としての左右一対の可動翼片（可動部材）４７が下始動口３５を開放または拡大可能に設けられており、いわゆる「チューリップ型」の電動役物を構成している。具体的には、可動翼片（可動部材）４７の作動／非作動により、下始動口３５について、遊技球の入賞を容易とする開状態（入賞容易状態）と、その開状態よりも相対的に遊技球の入賞を困難またはその入賞を不可能とする閉状態（入賞困難状態）とに変換可能となっている。本実施形態では、可動翼片４７の非作動時の場合は、下始動口３５への入賞が不可能となるような閉状態が保持されているが、可動翼片４７の作動時には、下始動口３５が開放または拡大されて下始動口３５への入賞が容易（可能）となる開状態に変化する。
【００２８】
下始動口３５の下方には、開放扉４２ｂにより下大入賞口４０（第１の大入賞口）を開放または拡大可能に構成した特別変動入賞装置４２（第１の特別変動入賞装置）が設けられており、その内部には遊技球を検出する下大入賞口センサ４２ａ（図３参照）が形成されている。
【００２９】
また遊技領域３ａには、特別変動入賞装置４２の左側に３つ、右側に１つ、計４つの一般入賞口４３が配設されており、それぞれの内部には、遊技球の通過を検出する一般入賞口センサ４３ａ（図３参照）が形成されている。
【００３０】
また、特別変動入賞装置４２の右斜め上方、つまり右流下経路３ｃの中間部より上部側には、普通図柄表示装置３９における図柄変動の開始に係る入賞口として、遊技球が通過可能な通過ゲートからなる普通図柄始動口３７が設けられており、その内部には、通過する遊技球を検出する普通図柄始動口センサ３７ａ（図３参照）が形成されている。
【００３１】
また、右流下経路３ｃ内の普通図柄始動口３７から普通変動入賞装置４１および特別変動入賞装置４２へかけての経路途中には、突没式の開放扉５２ｂにより右大入賞口５０（第２の大入賞口）を開放または拡大可能に構成した特別変動入賞装置５２（第２の特別変動入賞装置）が設けられており、その内部には遊技球を検出する右大入賞口センサ５２ａ（図３参照）が形成されている。
【００３２】
右大入賞口５０の周囲は、遊技盤３の表面から膨出した膨出部（装飾部材）５５となっており、この膨出部５５の上辺５５ａが右流下経路３ｃの下流案内部を形作っている。そして右大入賞口５０の開放扉５２ｂが開放時には、この膨出部５５の上辺５５ａと連続する面を形成することによって、右流下経路３ｃの下流案内部（上辺５５ａ）の一部を形作るようになっている。また右流下経路３ｃの下流域には、膨出部５５の上辺５５ａの上方の領域、正確には右大入賞口５０の上方の遊技領域において、遊技球の流下方向にほぼ平行に流路修正板５３ｂが突設されており、流下する遊技球を右大入賞口５０の方向に寄せる働きをするようになっている。
【００３３】
右大入賞口５０への遊技球の入球過程は次のようになる。センター飾り４８の上面と球誘導レール５との間の上記遊動領域を通過した遊技球は、遊技盤３より突出していて遊技球のガイドとして機能する膨出部５５の頂面（上辺）５５ａ上に沿って流下して来る。そして、その遊技球が遊技盤３面から突出している流路修正板５３ｂの右端に接触し、これにより、当該遊技球の流下方向は右大入賞口５０の方向（下方向）に修正される。このとき、突没式の開放扉５１により右大入賞口５０が蓋をされている状態（右大入賞口閉鎖状態）であれば、この上を遊技球が転動して、さらに図示しない所定配列の遊技くぎにより、チューリップ式の普通変動入賞装置４１（下始動口３５）および特別変動入賞装置４２（下大入賞口４０）の方向に導かれる。この場合、下始動口３５または下大入賞口４０が入賞可能状態であれば、これらの入賞口に遊技球が入賞しうる。他方、開放扉５２ｂが遊技盤面内に後退していて右大入賞口５０が開いている状態（右大入賞口開放状態）であれば、遊技球が右大入賞口５０内に導かれることになる。なお、本実施形態のパチンコ遊技機１では、通常遊技状態において遊技者が特別変動入賞装置５２側に発射位置を狙い定めた場合、上始動口３４側には遊技球が誘導されないような構成となっている。したがって、右大入賞口閉鎖状態であれば、普通変動入賞装置４１の可動翼片４７が作動しない限り、各始動口３４、３５への入賞は困難または不可能とされるようになっている。
【００３４】
上記した入賞手段が左右の流下経路のいずれに属するか、つまり左流下経路３ｂまたは右流下経路３ｃのいずれを流下する遊技球が入賞可能であるかについて分類すると、左流下経路３ｂに属する入賞手段としては、上始動口３４、下始動口３５、下大入賞口４０、および左側の３つの一般入賞口４３がある。また、右流下経路３ｃに属する入賞手段としては、普通図柄始動口３７、下始動口３５、右大入賞口５０、下大入賞口４０、および右側の１つの一般入賞口４３がある。
【００３５】
下始動口（第２特別図柄始動口）３５は、可動翼片４７が開いた状態であれば、左流下経路３ｂおよび右流下経路３ｃの双方に属し、左右のいずれの流下経路からも入賞が可能となっている。しかし、下始動口３５の可動翼片４７は、遊技盤３の右側に位置する普通図柄始動口３７に入賞することを条件として作動することになるので、実質的には右流下経路３ｃにのみ属するといえる。
【００３６】
また上始動口（第１特別図柄始動口）３４については左流下経路３ｂのみに属し、右流下経路３ｃからの遊技球については入賞が不可能または困難となっている。すなわち、遊技領域３ａ内の遊技くぎやその他の遊技部品の配置は、左流下経路３ｂを流下して来た遊技球（センター飾り４８のステージを経た遊技球を含む）については、これを上始動口３４へ誘導しうるが、右流下経路３ｃを流下してきた遊技球については、これを上始動口３４へ誘導しない、という誘導路を形成するように配置されている。また、下大入賞口４０については左流下経路３ｂおよび右流下経路３ｃの双方に属し、左右のいずれの流下経路からも入賞が可能となっている。しかし右大入賞口５０については左流下経路３ｂのみに属し、右流下経路３ｃからの遊技球だけが入賞可能となっている。
【００３７】
上記の上始動口３４、下始動口３５、普通図柄始動口３７、下大入賞口４０、右大入賞口５０、または一般入賞口４３は、遊技領域３ａ内に配置された入賞手段として機能し、また、それぞれに設けられた上始動口センサ３４ａ、下始動口センサ３５ａ、普通図柄始動口センサ３７ａ、下大入賞口センサ４２ａ、右大入賞口センサ５２ａ、または一般入賞口センサ４３ａは、これら入賞手段に入球した遊技球を検出する入賞検出スイッチ（入賞検出手段）である。これら入賞検出スイッチは、フォトスイッチや近接スイッチなどの無接点スイッチや、マイクロスイッチなどの有接点スイッチで構成することができる。
【００３８】
本実施形態のパチンコ遊技機１においては、これら入賞口のうち、普通図柄始動口３７以外の入賞口への入賞があった場合には、各入賞口別に約束づけられた入賞球１個当りの賞球数（たとえば、上始動口３４および下始動口３５は３個、大入賞口４０は１３個、一般入賞口４３は１０個）が遊技球払出装置１９（図３参照）から払い出されるようになっている。上記の各入賞口に入賞しなかった遊技球は、アウト口４９を介して遊技領域３ａから排出される。ここで「入賞」とは、入賞口がその内部に遊技球を取り込んだり、入賞口が遊技球を内部に取り込む構造ではなくゲートからなる入賞口（たとえば、普通図柄始動口３７）である場合はそのゲートを遊技球が通過したりすることをいい、実際には入賞口ごとに形成された各入賞検出スイッチにより遊技球が検出された場合、その入賞口に遊技球が「入賞」が発生したものとして扱われる。この入賞にかかる遊技球を「入賞球」とも称する。
【００３９】
＜２．動作の概説＞
（２−１．図柄変動表示ゲーム）
パチンコ遊技機１では、所定の始動条件、具体的には、遊技球が上始動口３４または下始動口３５に入賞したことを条件に、主制御部２０（図３参照）において乱数抽選による大当り抽選が行なわれる。この抽選結果に基づき、７セグにより表現される特別図柄（大当り抽選結果を報知するための識別図柄）を特別図柄表示装置３８ａまたは特別図柄表示装置３８ｂに変動表示させて特別図柄変動表示ゲームを開始し、一定時間経過後に、その結果を特別図柄表示装置に表示する。
【００４０】
ここで本実施形態では、上始動口３４への入賞に基づく大当り抽選と下始動口３５への入賞に基づく大当り抽選とは、独立して行われる。このため、上始動口３４に関する大当り抽選結果は特別図柄表示装置３８ａ側、他方、下始動口３５に関する大当り抽選結果は特別図柄表示装置３８ｂ側で導出表示されるようになっている。なお本明細書中では、特別図柄表示装置３８ａ側の特別図柄を「特別図柄１（第１特別図柄）」、特別図柄表示装置３８ｂ側の特別図柄を「特別図柄２（第２特別図柄）」と称する。また、特別図柄表示装置３８ａ側の特別図柄変動表示ゲームを「特別図柄変動表示ゲーム１（第１特別図柄変動表示ゲーム）」、特別図柄表示装置３８ｂ側の特別図柄変動表示ゲームを「特別図柄変動表示ゲーム２（第２特別図柄変動表示ゲーム）」と称する。ただし、特に必要のない限り、「特別図柄１（場合により「特図１」と略す）」と「特別図柄２（場合により「特図２」と略す）」とを単に「特別図柄」と総称し、また「特別図柄変動表示ゲーム１」と「特別図柄変動表示ゲーム２」とを単に「特別図柄変動表示ゲーム」と総称する。
【００４１】
上述の特別図柄変動表示ゲームが開始されると、これに伴い、装飾図柄（遊技図柄）を液晶表示装置３６に変動表示させる装飾図柄変動表示ゲームが開始され、これに付随して種々の演出が現出される。そして、特別図柄表示装置３８ａまたは特別図柄表示装置３８ｂに抽選結果が表示されると、液晶表示装置３６にも装飾図柄によりその結果が表示されるようになっている。すなわち、この装飾図柄変動表示ゲームでは、特別図柄変動表示ゲームでの抽選結果を反映させた演出表示、つまり大当り抽選結果を反映させた演出が現出される。
【００４２】
したがって、たとえば特別図柄変動表示ゲームの結果が「大当り」である場合、装飾図柄変動表示ゲームの結果も「大当り」を反映させた演出が現出される。また、特別図柄表示装置３８には、大当りを示す特別図柄が所定の表示態様（たとえば、７セグが「７」の表示状態））で停止表示され、液晶表示装置３６には、「左」「中」「右」の各表示エリアにおいて、当り有効ライン上で装飾図柄が上記大当り抽選結果を反映させた所定の表示態様（たとえば、「左」「中」「右」の各表示エリアにおいて、３個の装飾図柄が「７」「７」「７」の表示状態）で停止表示される。
【００４３】
この「大当り」となった場合、特別変動入賞装置４２が備える下大入賞口ソレノイド４２ｃ（図３参照）が作動して開放扉４２ｂが開閉動作を行い、これにより下大入賞口４０が所定パターンで開閉制御されるか、または特別変動入賞装置５２が備える右大入賞口ソレノイド５２ｃ（図３参照）が作動して開放扉５２ｂが開放動作を行い、これにより右大入賞口５０が所定パターンで開閉制御されて、通常遊技状態よりも遊技者に有利な特別遊技状態（大当り遊技）が発生する。この大当り遊技では、大入賞口の開放時間が所定時間（あらかじめ定められた最大開放時間：たとえば、２９．８秒）経過するまでか、または大入賞口に所定個数（最大入賞数（役物の１回の作動によりその入口が開き、または拡大した入賞口に入賞する遊技球数の最大値：たとえば、９個）の遊技球が入賞するまで開放され、いずれかを満たしたことを条件に大入賞口が所定時間閉鎖される、といったラウンド遊技があらかじめ定められた規定回数（たとえば、最大１５ラウンド）繰り返される。
【００４４】
上記大当り遊技が開始すると、最初に大当りが開始された旨を報知するオープニング演出が行われ、オープニング演出が終了した後、大入賞口が開放されるラウンド遊技があらかじめ定められた規定ラウンド数を上限として複数回行われる。また、ラウンド遊技中は、各ラウンド対応するラウンド演出が行われる。そして、規定ラウンド数終了後には、大当りが終了される旨を報知するエンディング演出が行われ、これにより大当り遊技が終了する。
【００４５】
このように、特別図柄変動表示ゲームと装飾図柄変動表示ゲームとは、その図柄遊技時間（変動表示の開始タイミングから停止表示のタイミング）とがほぼ同じとなり、特別図柄変動表示ゲームの結果を反映したものが装飾図柄変動表示ゲームにおいて表現されることとしているので、この２つの図柄変動表示ゲームを等価的な図柄遊技と捉えることもできる。本明細書中では、説明の便宜上、上記２つの図柄変動表示ゲームを単に「図柄変動表示ゲーム」と称する場合がある。
【００４６】
また、遊技球が普通図柄始動口３７を通過したことに基づき、主制御部２０において乱数抽選による補助当りに関する抽選（補助当り抽選）が行なわれる。この抽選結果に応じてＬＥＤにより表現される普通図柄を普通図柄表示装置３９に変動表示させて普通図柄変動表示ゲームを開始し、一定時間経過後に、その結果をＬＥＤの点灯と非点灯の組合せにて停止表示するようになっている。たとえば、普通図柄変動表示ゲームの結果が「補助当り」であった場合、普通図柄表示装置３９の表示部を特定の点灯状態（たとえば、全てのＬＥＤが点灯状態）にて停止表示させる。
【００４７】
そして上記「補助当り」となった場合には、普通電動役物ソレノイド４１ｃ（図３参照）が作動し、上記可動翼片４７が逆「ハ」の字状に開いて下始動口３５が開放または拡大されて遊技球が流入し易い状態（始動口開状態）となり、通常遊技状態よりも遊技者に有利な補助遊技状態（以下、「普電開放遊技」と称する）が発生する。この普電開放遊技では、普通変動入賞装置４１の可動翼片４７が所定時間（たとえば、０．２秒）開放して下始動口３５が開放されるか、または所定個数（たとえば、４個）の遊技球が入賞するまで開放され、その後、所定時間（たとえば、０．５秒）可動翼片４７が閉まって下始動口３５を閉鎖する、といった動作が所定回数（たとえば、１回）繰り返されるようになっている。なお、普電開放遊技中に遊技球が下始動口３５に入賞した場合にも、同様に上記特別図柄変動表示ゲームが行なわれ、これに伴い装飾図柄変動表示ゲームが行なわれる。
【００４８】
ここで、特別図柄変動表示ゲーム中、普通図柄変動表示ゲーム中、大当り遊技中、または普電開放遊技などの最中に、さらに上始動口センサ３４ａまたは下始動口センサ３５ａもしくは普通図柄始動口センサ３７ａからの検出信号の入力があり、始動条件が成立した場合には、この検出信号に基づいて当り抽選に利用する遊技情報を取得し、これを各変動表示ゲームを行わせるための始動権利に係るデータ（保留データ）として、変動表示中にかかわるものを除き、所定の上限値である最大保留記憶数（たとえば、最大４個）まで保留記憶可能となっている。この始動権利に係るデータ（保留データ）は、いわゆる「作動保留球」とも称される。この作動保留球数、つまり始動権利の数（保留データの数）を遊技者に明らかにするため、パチンコ遊技機１の適所に設けた保留表示器、または液晶表示装置３６による画面中にアイコン画像として設けた保留表示器を点灯表示させる。通常は、この作動保留球の発生順に、各作動保留球に対する変動表示ゲームが実行される。本実施形態では、上記最大保留記憶個数と同数の４個を上限の所定個数として扱い、特別図柄１、特別図柄２、および普通図柄に関する保留データをそれぞれ４個まで記憶し、特別図柄または普通図柄の変動確定回数として保留する。
【００４９】
（２−２．遊技状態）
本実施形態のパチンコ遊技機１では、複数種類の遊技状態を発生可能に構成されている。先ず、本発明の理解を容易なものとするために、種々の遊技状態の発生に関連する機能（手段）について説明する。
【００５０】
本実施形態のパチンコ遊技機１は、主制御部２０（ＣＰＵ２０１）がその機能部を担う「確率変動（以下、「確変」と称する）機能」を備えている。これには特別図柄に係る確変機能（以下、「特別図柄確変機能」と称する）と普通図柄に係る確変機能（以下、「普通図柄確変機能」と称する）の２種類がある。
【００５１】
特別図柄確変機能は、大当りの抽選確率を所定確率（通常確率）の低確率（たとえば、３９９分の１）から高確率（たとえば、３９．９分の１）に変動させて、通常遊技状態よりも有利な「高確率状態」を発生させる機能である。この特別図柄確変機能が作動中の遊技状態（高確率状態）下では、大当り抽選確率が高確率となることから、大当りが生起され易くなる。したがって、遊技者が期待する遊技状態は、この特別図柄確変機能が作動中の遊技状態であるといえる。なお、特別図柄確変機能の作動開始条件およびその作動終了条件の詳細については、後述する。
【００５２】
普通図柄確変機能は、補助当り抽選確率が所定確率（通常確率）である低確率（たとえば、２５６分の１）から高確率（たとえば、２５６分の２５５）に変動させて、通常遊技状態よりも有利な「補助当り確変状態」を発生させる機能である。この普通図柄確変機能が作動中の遊技状態（補助当り確変状態）下では、補助当り抽選確率が高確率状態となることから補助当りが生起され易くなり、普電開放遊技が頻繁に発生して、通常遊技状態よりも単位時間当りの可動翼片４７の作動率が向上する作動率向上状態となる。なお、本実施形態のパチンコ遊技機１では、普通図柄確変機能の作動開始条件は、後述の特別図柄時短機能の作動開始条件と同じ条件となっており、その作動終了条件も当該特別図柄時短機能の作動終了条件と同じ条件となっている。
【００５３】
また、本実施形態のパチンコ遊技機１は、主制御部２０がその機能部を担う「変動時間短縮（以下、「時短」と称する）機能」を備えている。これには特別図柄に係る時短機能（以下、「特別図柄時短機能」と称する）と普通図柄に係る時短機能（以下、「普通図柄時短機能」と称する）の二種類がある。
【００５４】
特別図柄時短機能は、１回の特別図柄変動表示ゲームに要する平均時間（特別図柄が変動を開始してから確定表示される迄の時間。つまり、特別図柄の変動時間）を短縮した「特別図柄時短状態」を発生させる機能である。特別図柄時短機能が作動中の遊技状態（特別図柄時短状態）下では、１回の特別図柄変動表示ゲームにおける特別図柄の平均的な変動時間が短縮され（たとえば、リーチなしハズレ変動に要する平均時間が１０秒から３秒に短縮）、通常遊技状態よりも単位時間当りの大当り抽選回数が向上する抽選回数向上状態となる。なお、本実施形態のパチンコ遊技機１では、特別図柄の変動表示時間が作動保留球数の違いにより短縮される場合があるが、この場合は、特別図柄時短状態が発生しているわけではなく、他の制御処理によるものである。
【００５５】
普通図柄時短機能は、１回の普通図柄変動表示ゲームに要する平均時間（普通図柄が変動を開始してから確定表示されるまでの時間。つまり、普通図柄の変動時間）を短縮した「普通図柄時短状態」を発生させる機能である。普通図柄時短機能が作動中の遊技状態（普通図柄時短状態）下では、１回の普通図柄変動表示ゲームにおける普通図柄の平均的な変動時間が短縮され（たとえば、１０秒から１秒に短縮）、通常遊技状態よりも単位時間当りの補助当り抽選回数が向上する抽選回数向上状態となる。なお、本実施形態のパチンコ遊技機１では、普通図柄時短機能の作動開始条件は、上述の特別図柄時短機能の作動開始条件と同じ条件となっており、その作動終了条件も当該特別図柄時短機能の作動終了条件と同じ条件となっている。
【００５６】
さらにまた、本実施形態のパチンコ遊技機１は、主制御部２０がその機能部を担う「開放延長機能」を備えている。
【００５７】
開放延長機能は、普通変動入賞装置４１の可動翼片４７を開動作させる期間およびその開放回数を延長した「開放延長状態」を発生させる機能である。この開放延長状態は、いわゆる「電チューサポート状態」と称される。上記開放延長機能が作動中の遊技状態（開放延長状態）下では、可動翼片４７の開動作期間（始動口開状態時間）が、たとえば０．２秒から１．７秒に延長され、またその開閉回数が、たとえば１回（開放延長機能が非作動中のとき）から２回（開放延長機能が作動中のとき）に延長され、通常遊技状態よりも単位時間当りの可動翼片４７の作動率が向上する作動率向上状態となる。なお、本実施形態のパチンコ遊技機１では、開放延長機能の作動開始条件は、上述の特別図柄時短機能の作動開始条件と同じ条件となっており、その作動終了条件も当該特別図柄時短機能の作動終了条件と同じ条件となっている。したがって、開放延長状態中は、普通図柄確変機能および普通図柄時短機能も作用するため、可動翼片４７の作動率が著しく向上した遊技状態が発生する。
【００５８】
以上のような各機能を１または複数種類作動させることにより、遊技機の内部的な遊技状態に変化をもたらすことができる。ここで本実施形態では、普通図柄確変機能、普通図柄時短機能、および開放延長機能の作動開始条件は、特別図柄時短機能の作動開始条件と同じ条件としていることから、各機能が同じ契機にて動作することになる。以下では、説明の便宜上、特別図柄確変機能、特別図柄時短機能、普通図柄確変機能、普通図柄時短機能、および開放延長機能が作動する遊技状態を「確変状態」と称し、これらの機能のうちから特別図柄確変機能を除去した遊技状態を「時短状態」と称し、特別図柄確変機能のみが作動する遊技状態を「潜伏確変状態（潜確または潜確状態）」と称し、全機能が作動中でない（非作動）状態を「通常遊技状態」と称する。したがって、これらの遊技状態における大当り抽選確率に着目すれば、遊技状態が「時短状態」または「通常遊技状態」である場合には少なくとも大当り抽選確率が‘低確率状態’となり、遊技状態が「潜確状態」または「確変状態」の場合においては少なくとも大当り抽選確率が‘高確率状態’となる。
【００５９】
（高ベース遊技状態）
本実施形態では上記の普通図柄に関する機能、すなわち普通図柄確変機能、普通図柄時短機能、および開放延長機能は、特別図柄時短機能の作動開始条件と同じ条件となっているため、３つの機能が同じ契機にて動作することになる。しかし、上記の普通図柄確変機能、普通図柄時短機能、および開放延長機能を個々に着目した場合、これらの機能のうち少なくともいずれか１つが作動すると、上記の可動翼片４７の作動率が向上する作動率向上状態となり下始動口３５への入賞頻度が高くなることから、遊技状態としては、大当りの抽選結果を導出する特別図柄変動表示ゲームの始動条件の成立頻度が通常遊技状態より高まる「高ベース遊技状態（始動条件向上状態）」となる。なお、ここでいう「高ベース遊技状態」とは、上記のように普通図柄に関する機能が作動する場合の遊技状態をいい、特別図柄に関する機能、すなわち特別図柄確変機能および特別図柄時短機能の少なくともいずれか１つが作動する場合の遊技状態とは異なる。
【００６０】
他方、特別図柄に関する機能（特別図柄確変機能と特別図柄時短機能）を個々に着目した場合、上記特別図柄確変機能が作動する場合には大当り抽選確率が通常遊技状態より高まる「高確率状態」となり、上記特別図柄時短機能が作動する場合には、特別図柄変動表示ゲームの消化時間が通常遊技状態よりも早い「特別図柄時短状態」となる。この点において、特別図柄変動表示ゲームの始動条件の成立頻度が通常遊技状態より高くなる上記「高ベース遊技状態」とは区別される。
【００６１】
また本実施形態では上記「高ベース遊技状態」の一例として、開放延長機能が付与された電チューサポート状態を「高ベース遊技状態」として扱う。電チューサポート状態下では、普通変動入賞装置４１の可動翼片４７の作動率（開放時間や開放回数）が向上して下始動口３５への入賞頻度が高くなることから、電チューサポート状態でない場合と比較して、遊技者にとって有利な遊技状態になる。上記電チューサポート状態の有無に着目した場合、遊技状態が「通常遊技状態」または「潜確状態」の場合には‘電チューサポート状態無し（以下、「電サポ無し状態」と称する）’となり、遊技状態が「時短状態」または「確変状態」である場合には‘電チューサポート状態有り（以下、「電サポ有り状態」と称する）’となる。
【００６２】
なお本実施形態では、上述の通常遊技状態、潜確状態、時短状態、および確変状態に関連した多様な演出モード（演出状態）を実現するために、一の遊技状態をさらに分類して管理している。具体的には、上記「確変状態」には、特別図柄変動表示ゲームの実行回数に応じて遊技状態が変化しうる「確変状態Ａ（確変Ａ）」、「確変状態Ｂ（確変Ｂ）」、および「確変状態Ｃ（確変Ｃ）」と称する複数種類の確変状態が含まれる（各遊技状態に関する詳細は後述する）。これにより、上記遊技状態に関する各機能（特別図柄確変機能、特別図柄時短機能、普通図柄確変機能、普通図柄時短機能、および開放延長機能）の作動状況に着目した場合には同じ「確変状態」としながらも、演出に関しては、「確変状態Ａ」や「確変状態Ｂ」や「確変状態Ｃ」といった複数種類の遊技状態に対応した演出モード下による演出を現出可能にしている。なお、上記確変状態Ｂ中においては、特別図柄の変動時間が他の確変状態中よりも短縮されるように制御される。このため「確変状態Ｂ」中は、他の遊技状態と比べて図柄変動表示ゲームの消化時間が最も早まる「高速変動遊技状態」とされる（詳細は後述する）。
【００６３】
＜３．当りについて＞
次に、本実施形態に係るパチンコ遊技機における当りの種類について説明する。
【００６４】
（３−１．当りの種類）
本実施形態のパチンコ遊技機１では、上記の特別図柄変動表示ゲームにて抽選される当りの種類、つまり大当り抽選対象となる当り種別として、「１５Ｒ低ベース非確変大当り」、「１５Ｒ低ベース確変α大当り」、「１５Ｒ低ベース確変β大当り」、「１５Ｒ高ベース確変大当り」、「２Ｒ低ベース確変大当り」、および「小当り」などの複数種類の当りが設けられている。
【００６５】
これら当りのうち、「１５Ｒ低ベース非確変大当り」、「１５Ｒ低ベース確変α大当り」、「１５Ｒ低ベース確変β大当り」、「１５Ｒ高ベース確変大当り」、「２Ｒ低ベース確変大当り」は条件装置の作動契機となる「大当り」種別に属する当りであり、「小当り」は条件装置の作動契機とならない「非大当り」種別に属する当りである。ここで「条件装置」とは、その作動がラウンド遊技を行うための役物連続作動装置の作動に必要な条件とされている装置で、特定の特別図柄の組合せが表示され、または遊技球が大入賞口内の特定の領域を通過した場合に作動するものをいう。
【００６６】
また上記‘大当り’種別に属する当りのうち、「１５Ｒ低ベース確変α大当り」、「１５Ｒ低ベース確変β大当り」、「１５Ｒ高ベース確変大当り」、「２Ｒ低ベース確変大当り」は、大当りの遊技終了後の遊技状態を、高確率状態を伴う遊技状態（本実施形態では、確変状態または潜確状態）に移行させる「確変大当り」に属する大当りであり、「１５Ｒ低ベース非確変大当り」は、大当りの遊技終了後の遊技状態を、低確率状態を伴う遊技状態（本実施形態では、時短状態）に移行させる「非確変大当り」に属する大当りとなっている（当り遊技終了後に移行しうる遊技状態についての詳細は後述する）。なお上記小当りは‘非大当り’種別に属する当りではあるが、特に必要がない限り上記の大当りと区別することなく、大当り種別の一つとして同列に扱うことにする。
【００６７】
（３−２．当り遊技）
次に、各当りによる当り遊技について説明する。
【００６８】
（１５Ｒ低ベース非確変大当り）
１５Ｒ低ベース非確変大当りによる当り遊技（以下、「１５Ｒ低ベース非確変大当り遊技」と称する）では、ラウンド遊技が１５ラウンド分行われ、各ラウンド数に応じて異なる大入賞口が開放制御される。具体的には、規定ラウンド数である１５Ｒ（ラウンド）のうち、前半部の６Ｒ目までは下大入賞口４０が開放制御され、その最大開放時間は長開放時間の‘２９．８秒’に設定される。一方、後半部の７Ｒ目以降は右大入賞口５０が開放制御され、その最大開放時間は短開放時間の‘０．１秒’に設定される。ここで「長開放時間」は、その時間内に上記最大入賞数に達しうる時間幅として定めたものであり、「短開放時間」は、大入賞口への入賞を困難とする時間幅として定めたものである。したがって、この大当り遊技においては、基本的には下大入賞口４０の入賞しか発生せず（正確には、右大入賞口５０の入賞も発生する可能性があるが、後半部のラウンドでは大入賞口の最大開放時間が短開放時間に設定される関係上、その可能性は極めて低くなり、実質的に、賞球が殆ど得られない）、これによる賞球（利益）を獲得できるにとどまる。
【００６９】
上記最大開放時間が経過すると、大入賞口が閉鎖される。そして所定時間が経過した後、次のラウンド遊技に移行される。また大入賞口に入賞した遊技球数が最大入賞数（たとえば、９個）に達した場合にも当該大入賞口が閉鎖される。この場合も大入賞口が閉鎖して、所定時間が経過後に、次のラウンド遊技に移行される。
【００７０】
（１５Ｒ低ベース確変α大当りによる当り遊技）
１５Ｒ低ベース確変α大当りによる当り遊技（以下、「１５Ｒ低ベース確変α大当り遊技」と称する）では、上述した１５Ｒ低ベース非確変大当り遊技と同じ動作態様にて大入賞口の開放パターンが制御される。
【００７１】
（１５Ｒ低ベース確変β大当りによる当り遊技）
１５Ｒ低ベース確変β大当りによる当り遊技（以下、「１５Ｒ低ベース確変β大当り遊技」と称する）も、上述した１５Ｒ低ベース非確変大当り遊技と同じ動作態様にて大入賞口の開放パターンが制御される。
【００７２】
（１５Ｒ高ベース確変大当りの場合）
１５Ｒ高ベース確変大当りによる当り遊技（以下、「１５Ｒ高ベース確変大当り遊技」と称する）では、前半部の６Ｒ目までは、上述した１５Ｒ低ベース非確変大当り遊技と同じ動作態様にて大入賞口の開放パターンが制御される。しかし、後半部の７Ｒ目以降は以下の点が異なる。
【００７３】
１５Ｒ高ベース確変大当り遊技では、合計１５ラウンドのうち、前半部の６Ｒ目までは下大入賞口４０が開放される一方、後半部の７Ｒ目以降は右大入賞口５０が開放され、双方の大入賞口の最大開放時間は、全ラウンド遊技を通じて長開放時間の‘２９．８秒’に設定される。したがって、１５Ｒ高ベース確変大当り遊技では、下大入賞口４０と右大入賞口５０に多数の遊技球が入賞しうるため、上記した１５Ｒ低ベース非確変大当り遊技や１５Ｒ低ベース確変α大当り遊技や１５Ｒ低ベース確変β大当り遊技などよりも、相対的に高い利益（概ね２倍程度の賞球数）を獲得することができるようになっている。
【００７４】
（２Ｒ低ベース確変大当りの場合）
２Ｒ低ベース確変大当りによる当り遊技（以下、「２Ｒ突確大当り遊技」と称する）では、ラウンド遊技が２ラウンド分行われ、各ラウンド遊技において下大入賞口４０が開放制御され、その最大開放時間は短開放時間の０．１秒に設定される。本実施形態の２Ｒ突確大当り遊技では、下大入賞口４０が短開放時間しか開放されずに、そのラウンド遊技数も２Ｒ分と少ないことから、通常遊技状態よりも有利な当り遊技状態としながらも実質的には賞球が殆ど得られない。結果、２Ｒ突確大当り遊技中に獲得しうる利益は、全大当り遊技中で最も低くなる。
【００７５】
（小当りの場合）
小当りによる当り遊技（以下、「小当り遊技」と称する）では、下大入賞口４０の開放が２回行われ、１回あたりの開放時間は０．１秒となっている。この小当り遊技では、外見から捉えた下大入賞口４０の開閉動作が、上記の２Ｒ突確大当り遊技と同一または酷似する動作態様で制御されるようになっている。この「小当り」は条件装置の作動契機とはならない当り種別であるため、「大当り」のようなラウンド遊技は実行されない。しかし、２Ｒ突確大当り遊技と実質的に同一の動作態様で下大入賞口４０を開閉制御することにより疑似的なラウンド遊技を実現させて、あたかも２Ｒ低ベース確変大当りに当選したかの如く装うことを可能にしている。また詳細は後述するが、小当り遊技中の当り中演出と２Ｒ突確大当り遊技中の当り中演出とは、同一または酷似する演出が現出される。つまり、この小当りによる当り中演出を含む当り遊技中の挙動は、２Ｒ低ベース確変大当りによるものと同一となり、これらの違いを遊技者が識別困難または識別不可能となる。これにより、小当り遊技が発生した場合、２Ｒ低ベース確変大当りへの当選期待感を遊技者に与えることができるようになっている。
【００７６】
（３−３．当り遊技終了後の遊技状態）
次に、上記の各当り遊技後に移行しうる遊技状態について説明する。
【００７７】
（１５Ｒ低ベース非確変大当り遊技終了後の遊技状態）
１５Ｒ低ベース非確変大当り遊技後は、その大当り当選時の遊技状態にかかわらず「時短状態」に移行される。
【００７８】
上記「時短状態」となった場合、特別図柄変動表示ゲームが所定回数（たとえば、７０回：特別図柄変動表示ゲーム１および２の合計実行回数）終了するまでの間か、またはその所定回数内で大当りに当選するまで当該時短状態が継続し、その所定回数内で大当りが確定することなく特別図柄変動表示ゲームが終了したときには当該時短状態が終了して、次ゲームから「通常遊技状態」に移行されるようになっている。
【００７９】
（１５Ｒ低ベース確変α大当り遊技終了後の遊技状態）
１５Ｒ低ベース確変α大当り遊技後は、その大当り当選時の遊技状態にかかわらず「確変状態Ｃ」に移行される。
【００８０】
上記「確変状態Ｃ」となった場合、特別図柄変動表示ゲームが所定回数（たとえば、７０回：特別図柄変動表示ゲーム１および２の合計実行回数）終了するまでの間か、またはその所定回数内で大当りに当選するまで当該確変状態Ｃが継続し、その所定回数内で大当りが確定することなく特別図柄変動表示ゲームが終了したときには当該確変状態Ｃが終了して、次ゲームから「確変状態Ｂ」に移行されるようになっている。この確変状態Ｂとなった場合、上記確変状態Ｃ中を含めた特別図柄変動表示ゲームの実行回数が所定回数（たとえば、１００００回：確変回数）終了するまでの間か、またはその所定回数内で大当りに当選するまで当該確変状態Ｂが継続し、その所定回数内で大当りが確定することなく特別図柄変動表示ゲームが終了したときには当該確変状態Ｂが終了して、次ゲームから「通常遊技状態」に移行されるようになっている。
【００８１】
（１５Ｒ低ベース確変β大当り遊技終了後の遊技状態）
１５Ｒ低ベース確変β大当り遊技後は、その大当り当選時の遊技状態にかかわらず「確変状態Ａ」に移行される。
【００８２】
上記「確変状態Ａ」となった場合、特別図柄変動表示ゲーム（特別図柄の変動回数）が所定回数（たとえば、７０回：特別図柄変動表示ゲーム１および２（特別図柄１および２の変動回数）の合計実行回数）終了するまでの間か、またはその所定回数内で大当りに当選するまで当該確変状態Ａが継続し、その所定回数内で大当りが確定することなく特別図柄変動表示ゲームが終了したときには当該確変状態Ａが終了して、次ゲームから「確変状態Ｂ」に移行されるようになっている。この確変状態Ｂとなった場合は上述の確変状態Ａから移行した場合と同じように、上記確変状態Ａ中を含めた特別図柄変動表示ゲームの実行回数が所定回数（たとえば、１００００回）終了するまでの間か、またはその所定回数内で大当りに当選するまで当該確変状態Ｂが継続し、その所定回数内で大当りが確定することなく特別図柄変動表示ゲームが終了したときには当該確変状態Ｂが終了して、次ゲームから「通常遊技状態」に移行されるようになっている。
【００８３】
（１５Ｒ高ベース確変大当り遊技終了後の遊技状態）
１５Ｒ高ベース確変大当り遊技後は、その大当り当選時の遊技状態にかかわらず「確変状態Ａ」に移行される。「確変状態Ａ」となってからの遊技状態遷移は、上述した１５Ｒ低ベース確変β大当りと同じである。
【００８４】
（２Ｒ突確大当り遊技終了後の遊技状態）
２Ｒ突確大当り遊技後は、その大当り当選時の遊技状態に応じて、移行先の遊技状態が異なる。具体的には、大当り当選時の遊技状態が「通常遊技状態」であった場合には「潜確状態」に、「潜確状態」であった場合には「潜確状態」に、「時短状態」であった場合には「確変状態Ｃ」に、「確変状態（確変状態Ａ、確変状態Ｂ、または確変状態Ｃ）」であった場合には「確変状態Ｂ」に移行されるようになっている。
【００８５】
上記「潜確状態」となった場合、特別図柄変動表示ゲーム（特別図柄の変動回数）が所定回数（たとえば、１００００回：特別図柄変動表示ゲーム１および２（特別図柄１および２の変動回数）の合計実行回数）終了するまでの間か、またはその所定回数内で大当りに当選するまで当該潜確状態が継続し、その所定回数内で大当りが確定することなく特別図柄変動表示ゲームが終了したときには当該潜確状態が終了して、次ゲームから「通常遊技状態」に移行されるようになっている。上記「時短状態」や「確変状態Ｂ」となった場合は、既に説明した通りである。
【００８６】
なお本実施形態では、「確変状態Ａ」、「確変状態Ｂ」、「確変状態Ｃ」、または「潜確状態」に移行された場合、特別図柄変動表示ゲームが所定回数終了するまでの間か、またはその所定回数内で大当りに当選するまで高確率状態である「確変状態」が継続するものとして説明したがこれに限らず、たとえば、特別図柄変動表示ゲームの実行回数に関係なく、次回の大当りに当選するまで「確変状態」を継続させても良い。また、上記「確変状態Ａ」または「確変状態Ｃ」は、次回の大当りに当選することなく特別図柄変動表示ゲームの実行回数が所定回数（たとえば、７０回）終了した場合、他の遊技状態（確変状態Ｂ）に移行されると説明したがこれに限らず、特別図柄変動表示ゲームの実行回数に関係なく、上記「確変状態Ａ」または「確変状態Ｃ」を継続させても良い。
【００８７】
また本実施形態では、バトル演出が展開される複数種類の大当り遊技（１５Ｒ低ベース確変α大当り遊技、１５Ｒ低ベース確変β大当り遊技、および１５Ｒ高ベース確変大当り遊技（後半部は除く））に関して、それぞれの大当り遊技中の遊技動作態様（大入賞口開放パターン）が同一となるように制御されるものであると説明したが、ここでの「同一」とは必ずしも完全一致を意味するものではない。たとえば、一の大当り遊技と他の大当り遊技とが略同一あるいは酷似する動作態様、つまり遊技者がその動作を観察しても、双方の違いを識別することが困難な動作態様、好ましくは、肉眼ではその違いを捉えることができない程度の似たような動作態様を呈するように構成することもできる。この場合、たとえば、一の大当り遊技と他の大当り遊技とで、ラウンド遊技中の大入賞口の最大開放時間およびその大入賞口閉鎖後の所定時間の少なくともいずれか一方を異ならせる。たとえば、一の大当り遊技中のラウンド遊技中の大入賞口の最大開放時間と、他の大当り遊技中のラウンド遊技中の大入賞口の最大開放時間とが微妙に異なる時間（たとえば、数ｍｓ程度の差異）にして、一の大当り遊技と他の大当り遊技との動作態様に微妙な差異を付けても良い。また、特定のラウンド数目のラウンド遊技中の大入賞口の最大開放時間およびその大入賞口閉鎖後の所定時間の少なくともいずれか一方を異ならせても良い。たとえば、一の大当り遊技中の６Ｒ目（たとえば、前半部終了のラウンド数目）のラウンド遊技中の大入賞口の最大開放時間と、他の大当り遊技中の全ラウンド遊技中または特定のラウンド数目の大入賞口の最大開放時間の方とが微妙に異なる時間（たとえば、数ｍｓ程度の差異）にして、一の大当り遊技と他の大当り遊技との動作態様に微妙な差異を付けても良い。
【００８８】
（小当り遊技終了後の遊技状態）
小当り遊技後は、その小当り当選時の遊技状態がそのまま継続されるようになっている。つまり、小当り当選に起因する遊技状態の移行制御は行われず、このため、小当り当選時の遊技状態とその小当り遊技後の遊技状態とは、いずれも同じ遊技状態となる。この点、遊技状態の移行制御が行われる「大当り」とは性質を異にする。
【００８９】
なお、いずれかの当りに当選した場合、特別図柄表示装置３８ａ、３８ｂにおける特別図柄に関しては、抽選結果をそのまま反映させた特別図柄が表示される。つまり特別図柄表示装置には、当り種別を明らかにする表示態様で特別図柄が表示される。他方、液晶表示装置３６には、装飾図柄を用いて特別図柄変動表示ゲームの結果が反映表示される。つまり装飾図柄変動表示ゲームについては、必ずしも最初から当り種別が明らかとなる表示態様で装飾図柄を停止表示しない。たとえば、今回の特別図柄変動表示ゲームが１５Ｒ高ベース確変大当り当選となった場合であっても、このときの装飾図柄変動表示ゲームにおいては、１５Ｒ低ベース非確変大当りの当選を示唆する表示態様で装飾図柄を停止表示し、その後の大当り遊技の演出中で、１５Ｒ高ベース確変大当りに当選したことを確定的に報知する、といった演出制御を行うことができる。通常、遊技者は液晶表示装置３６の画像表示演出を見ながら遊技に興じているので、装飾図柄変動表示ゲームの結果が相対的に低い利益しか得られない当り（たとえば、１５Ｒ低ベース非確変大当りなど）を示唆するものであっても、相対的に高い利益を得られる当り種別への当選期待感を残すためである。
【００９０】
＜４．演出について＞
（４−１．演出モード）
次に、各遊技状態下における演出モード（演出状態）について説明する。本実施形態のパチンコ遊技機１には、現在の遊技状態に関連した演出をなす演出モードとして、通常遊技状態であることを報知する演出をなす「通常演出モード」と、確変状態Ａであることを報知する演出をなす「確変演出モード」と、確変状態Ｂであることを報知する演出をなす「高速変動演出モード」とが設けられている。さらに本実施形態のパチンコ遊技機１には、大当り当選確率状態を秘匿状態とする「特別演出モード」、具体的には、現在の遊技状態を秘匿して現在の遊技状態の推測要素を与える演出モード（たとえば、現在の遊技状態を秘匿して、遊技者に高確率状態である期待感を与える演出をなす演出モード）として、「チャンス演出モード」と「秘匿演出モード」とが設けられている。
【００９１】
上記「チャンス演出モード」は、確変状態Ｃを秘匿状態とし、時短状態との識別を困難または不可能にする演出をなす演出モードとして用いられる。本実施形態では、時短状態と確変状態Ｃとで内部的な機能、つまり特別図柄確変機能の作動状況に違いはあるものの、外観上に現れる機械的な遊技動作状態が同じ状態となることに着目し（双方ともに‘電サポ有り状態’）、遊技者側に演出上からもどのような遊技状態であるかを察知されないようにすることで、高確率状態の期待感を遊技者に与えることができるようになっている。
【００９２】
上記「秘匿演出モード」には、高確率状態下における「本物の秘匿演出モード（第１秘匿演出モード）」と低確率状態下におけるガセの秘匿演出モード（第２秘匿演出モード）」とが含まれる。たとえば、通常遊技状態中に小当りに当選して当該通常遊技状態が維持される場合、秘匿演出モードのうち、「ガセの秘匿演出モード」に移行制御される。一方、通常遊技状態中または潜確状態中に２Ｒ低ベース確変大当りに当選して潜確状態に移行される場合、「本物の秘匿演出モード」に移行制御される。つまり「秘匿演出モード」は、潜確状態を秘匿状態として、通常遊技状態との識別を困難または不可能にする演出をなす演出モードとして用いられる。つまり、これら「ガセの秘匿演出モード」と「本物の秘匿演出モード」下では、同一または略同一の演出が現出される。本実施形態では、通常遊技状態と潜確状態とで特別図柄確変機能の作動状況に違いはあるものの、外観上に現れる機械的な遊技動作状態が同じ状態となることに着目し（双方ともに‘電サポ無し状態’）、遊技者側に演出上からもどのような遊技状態であるかを察知されないようにすることで、高確率状態の期待感を遊技者に与えることができるようになっている。
【００９３】
特に、上記ガセの秘匿演出モードは、遊技状態が通常遊技状態であるときの演出モードであるので、たとえば、図柄変動表示ゲームが所定回数終了したことを、または所定の抽選（演出モード移行抽選）により当選したことを条件に、ガセの秘匿演出モードを終了させ、通常演出モードに移行させるように構成することができる。なお、本物の秘匿演出モードであっても、ガセの秘匿演出モード下と同様の上記条件を満たした場合に、通常演出モードに移行させても良い。なお、演出モード移行抽選により通常演出モードに移行させる場合、ガセの秘匿演出モードと本物の秘匿演出モードとで同一の確率で通常演出モードに移行させるように構成しても良いし、ガセの秘匿演出モードである場合よりも本物の秘匿演出モードの方が相対的に低い確率で通常演出モードに移行させるように構成しても良い。また、ガセの秘匿演出モードに移行した場合と本物の秘匿演出モードに移行した場合とで、通常演出モードに移行させるタイミングが異なるように構成しても良い。たとえば、ガセの秘匿演出モードである場合には特別図柄変動表示ゲームの実行回数が所定回数（たとえば、２０回）終了すると強制的に通常演出モードに戻るが、本物の秘匿演出モードである場合には当該所定回数を超えた場合であっても秘匿演出モードを継続させる。この場合、上記所定回数（２０回）を超えて秘匿演出モードが継続すれば、潜確状態が確定することになり、特別図柄変動表示ゲームの実行回数が当該所定回数に近づいて行くにしたがい、潜確状態が確定するか否かという緊張感を遊技者に与えることができる。また秘匿演出モードが終了するまでゲームを続行する遊技者が増え、遊技機の稼働率向上にも貢献することができる。
【００９４】
本実施形態では、上記のような複数種類の演出モードを設け、その演出モード間を行き来可能に構成している。具体的には、演出制御部２４（ＣＰＵ２４１：図３参照）により、遊技状態が通常遊技状態であれば「通常演出モード」に、確変状態Ａであれば「確変演出モード」に、確変状態Ｂであれば「高速変動演出モード」に、時短状態または確変状態Ｃであれば「チャンス演出モード」に、潜確状態であれば「秘匿演出モード」に移行制御される。
【００９５】
次に、演出について説明する。上述した演出モード下においては装飾図柄変動表示ゲーム中、様々な予告演出が発生する。斯様な演出態様には、遊技者の大当り当選期待感を煽る演出（煽り演出）として、「リーチ演出」や「疑似連」に代表される予告演出の他、「背景予告演出（背景表示が変化する演出態様）」や「ボタン予告演出（枠演出ボタン１３を操作することにより演出に変化をもたらす遊技者参加型の演出態様）」なども含まれる。
【００９６】
リーチ演出とは、リーチ状態を伴う演出態様をいう。リーチ状態とは、装飾図柄変動表示ゲームの結果が導出される前段階において、当該装飾図柄変動表示ゲーム中で導出表示された装飾図柄が大当り発生を示す表示態様の一部を構成している状態で、いまだ導出表示されていない装飾図柄については変動表示が行われている表示態様、換言すれば、大当り発生を示す表示態様が導出されやすいことを遊技者に連想させうる表示態様をいい、たとえば、装飾図柄の一部（たとえば、左図柄と右図柄）が所定の当り有効ライン上で聴牌状態を導出表示しており、いまだ導出表示されていない装飾図柄（たとえば、中図柄）が、所定時間継続して停止、揺動、または拡大縮小あるいは変形しながら最終結果が表示される前段階で大当り発生の可能性が継続している状態やその様子をいう。したがって、たとえ、リーチ状態が形成されたからといって、装飾図柄変動表示ゲームの結果が必ずしも当りとなるとは限らず、最終的に導出された結果が大当り発生を示す停止表示態様でない場合は、今回のゲーム結果は「ハズレ」となる。このリーチ演出には、大当り当選期待度に関連付けられた複数種類のリーチ演出が含まれ、たとえば特定のリーチ状態が出現すると、通常のリーチ状態（ノーマルリーチ（Ｎリーチ））に比べて、大当り発生の信頼度（大当り当選期待度）が高まるものがある。このような特定のリーチ状態をスーパーリーチ（ＳＰリーチ）という。なお、大当り当選期待度が同じあるいは類似するリーチ状態を伴うリーチ演出であっても、一の演出モード下でなされるリーチ演出と他の演出モード下でなされるリーチ演出とで、その呼称が異なる場合がある。また、リーチ演出には、上述のＮリーチやＳＰリーチを含む複数種類のリーチ演出が含まれる。以下では、説明の便宜上、リーチ状態に着目して、リーチ演出を単にＮリーチやＳＰリーチなどと称する場合がある。
【００９７】
上記疑似連とは、装飾図柄の疑似連続変動表示状態（以下、「疑似変動」と略す）を伴う演出態様をいう。疑似変動とは、装飾図柄変動表示ゲーム中において、装飾図柄の一部または全部を特定の表示態様で仮停止状態（見た目上、停止表示したかの如く装う変動停止動作）させ、その仮停止状態中の装飾図柄を再び再変動表示させる、といった表示動作を１または複数回繰り返す変動表示態様をいう。この疑似変動を行う場合、通常の装飾図柄に替えて特殊な装飾図柄を１または複数種類含ませて上記特定の表示態様で仮停止させる場合もある。この疑似連は、主に、リーチ演出を期待させる予告演出として利用され、本実施形態では、疑似変動が最大４回（疑似４連）まで繰り返されるようになっている。
この疑似変動の回数が相対的に多いほど大当り当選期待度が高まり、たとえば、ＳＰリーチへの発展に期待が持てるようになっている。
【００９８】
（４−２．当り遊技中の演出について）
次に図４を参照して、各当り遊技中の演出（以下、「当り中演出」と称する）について説明する。
【００９９】
（Ｔ−１．当り中演出テーブル：図４）
図４に、当り中演出テーブルを示す。この当り中演出テーブルには、演出内容が異なる複数種類の当り中演出テーブルが含まれ、それぞれ、オープニング演出、各ラウンドに対応したラウンド演出、およびエンディング演出など、当り遊技の進行に伴い現出すべき演出内容（当り中演出シナリオ）が定められている。この当り中演出テーブルは、次に述べる「当り中演出テーブル選択テーブル」に基づき、決定されるようになっている。
【０１００】
（Ｔ−２．当り中演出テーブル選択テーブル：図５）
図５に、当り中演出テーブル選択テーブルを示す。本実施形態の当り中演出テーブル選択テーブルには、図示のように、当選種別（ハズレを除く）に応じて、複数種類の当り中演出テーブルからいずれか一つの当り中演出テーブルが抽選により決定されるようになっている。なお、たとえば、当り中演出１テーブル（ＷＩＮＴＢＬ−Ｐ１）〜当り中演出テーブル６（ＷＩＮＴＢＬ−Ｐ６）は、ラウンド遊技数‘１５ラウンド（１５Ｒ）’を伴う大当りの場合に選択され、当り中演出７テーブル（ＷＩＮＴＢＬ−Ｐ７）は、２Ｒ低ベース確変大当りか、または小当りの場合に選択される。図中のアラビア数字は振分値を示し、たとえば、１５Ｒ低ベース非確変大当りの場合、当り中３演出テーブル（ＷＩＮＴＢＬ−Ｐ３）は４０／１００（振分値／抽選領域の大きさ）、当り中演出５テーブル（ＷＩＮＴＢＬ−Ｐ５）は６０／１００で選択されるようになっている。他の当り中演出テーブルも同様である。
【０１０１】
上記当り中演出は、主に、大当り開始時のオープニング演出（以下、「ＯＰ演出」と略す）、ラウンド遊技中はラウンド演出、最終ラウンド遊技終了後のエンディング演出（以下、「ＥＤ演出」と略す）から構成される。本実施形態の当り中演出は、ＯＰ演出〜ＥＤ演出を通じて物語性を有した、いわゆる「ストーリー形式」の演出が展開されるようになっている。ここでは、主人公と敵キャラクタとが戦いを繰り広げていき、その戦闘結果に応じて、今回の大当りの種類を推測する楽しみを遊技者に与える「バトル（戦闘）演出」を採用している。
【０１０２】
次に、各当り演出中テーブルにおいて展開される演出内容について説明しておく。先ず、ラウンド遊技数‘１５Ｒ’を伴う大当りの場合に選択可能性がある「当り中演出１テーブル（ＷＩＮＴＢＬ−Ｐ１）〜当り中演出６テーブル（ＷＩＮＴＢＬ−Ｐ６）」について説明する。本実施形態の当り中演出１テーブル〜当り中演出６テーブルが選択された場合、バトル演出として、自艦（主人公キャラクタ）と敵艦（敵キャラクタ）とが海戦を繰り広げる艦隊戦を模したバトル演出が現出されるようになっている。
【０１０３】
本実施形態の大当り遊技のうち、１５Ｒ高ベース確変大当り遊技の前半部（６Ｒ目まで）のラウンド遊技と、低ベース系の大当りによる大当り遊技（１５Ｒ低ベース非確変大当り遊技、１５Ｒ低ベース確変α大当り遊技、１５Ｒ低ベース確変β大当り遊技）が実質的に同一の遊技動作態様となっている。このため、前半部のラウンド遊技中においては、外観上に現れる機械的な遊技動作（下大入賞口４０の開閉動作パターン）を見ても、どの大当りに起因した大当り遊技であるかを見分けることが困難または不可能になっている。本実施形態では上述の各大当り遊技の前半部がそれぞれ同一となるといった大当り遊技動作態様に着目し、前半部のラウンド遊技におけるバトル演出の展開を大当りの種類に応じて変化させるとともに、そのバトル演出の展開やその結果により、今回当選した大当り種別が如何なる大当りであったのかを推測する楽しみを遊技者に与えることができるようになっている。
【０１０４】
（当り中演出１テーブル：ＷＩＮＴＢＬ−Ｐ１）
図４を参照して、まず当り中演出１テーブル（ＷＩＮＴＢＬ−Ｐ１）において展開されるバトル演出について説明する。当り中演出１テーブルは、１５Ｒ高ベース確変大当り当選を条件に選択可能性がある当り中演出テーブルである。この当り中演出１テーブルが選択された場合、まず「ＯＰ演出」では、大当り遊技開始時の演出として、バトル演出が開始された旨を報知する「戦闘開始演出」が現出される。
【０１０５】
（当り中演出１テーブルの１Ｒ目〜２Ｒ目のラウンド演出）
１Ｒ目のラウンド演出では、自艦（主人公キャラクタ）と敵艦（敵キャラクタ）とが攻撃態勢に入りながら対峙する様子を表現した「対峙演出」が現出される。なお、この「対峙演出」および先に述べた「ＯＰ演出」の少なくともいずれか一方においては、下大入賞口４０への入賞を促すための指示情報（たとえば、発射位置として右流下経路３ｃを狙う旨を指示する「右打ちせよ」の文字表示や下大入賞口４０が開放される旨の表示：第１の当り中発射位置誘導演出）も併せて報知される。これにより遊技者は、下大入賞口４０側が開放される旨を知ることができる。
【０１０６】
続いて、２Ｒ目のラウンド演出では、遊技者に対して、自艦が装備する複数種類の艦載砲（攻撃アイテム）のうちから一つの艦載砲を選択させる「攻撃法選択演出」が現出される。この「攻撃法選択演出」は、主人公キャラクタが敵キャラクタを攻撃する際に使用するアイテム（攻撃アイテム）を遊技者に選択させることを促したり、そのアイテムを選択させたりする、といった遊技者参加型のゲーム演出（遊技者参加型演出)となっている。
【０１０７】
ここでは、攻撃アイテムとして、小口径砲（弱攻撃アイテム）、中口径砲（中攻撃アイテム）、大口径砲（強攻撃アイテム）、といった攻撃性能が異なることを遊技者に連想させる複数種類の艦載砲（攻撃アイテム）が設定されている。本実施形態では、たとえば、これら艦載砲（攻撃アイテム）をルーレット方式などで表示し、所定時間内に遊技者が枠演出ボタン１３を操作するか、操作しなかった場合は自動的に、いずれか一つの艦載砲が決定されるようになっている。なお、上記「攻撃法選択演出」において、いずれの艦載砲が選択されるかを所定の抽選により決定するように構成しても良い。この場合、選択された艦載砲の種類に応じて、高い利益を伴う大当りへの当選期待度が高まるようにする演出態様を採用しても良い。たとえば、どのような大当りが当選したかの当選期待度を艦載砲の攻撃性能に関連付け、「小口径砲（期待度低）＜中口径砲（期待度中）＜大口径砲（期待度高）」という関係で、確変状態を伴う大当りや、最高利益が得られる１５Ｒ高ベース確変大当りへの当選期待度が高まるように構成することができる。この場合、大当りの種類に応じて、いずれの艦載砲が選択されるかの選択率を異なるようにし、たとえば、今回の大当り種別が１５Ｒ低ベース非確変大当りや１５Ｒ高ベース確変α大当りであった場合よりも１５Ｒ高ベース確変大当りであった場合の方が、攻撃力の高い艦載砲（たとえば、大口径砲）の選択率を相対的に高めるようにする。また、遊技者が所定の表示時間内に枠演出ボタン１３を操作しない場合、強制的に上記小口径砲が選択されるようにし、攻撃法選択演による大当り当選期待度が示唆されないように構成しても良い。
【０１０８】
（当り中演出１テーブルの３Ｒ目〜６Ｒ目のラウンド演出）
３Ｒ目のラウンド演出では、自艦が敵艦に対し先制攻撃する様子を表現した「自艦先制攻撃演出（主人公先制攻撃演出）」が現出され、４Ｒ目のラウンド演出では、自艦の攻撃が敵艦に命中する様子を表現した「敵艦被弾演出（主人公攻撃命中演出）」が現出され、５Ｒ目のラウンド演出では、敵艦が大破し爆沈していく様子を表現した「敵艦撃沈演出（主人公攻撃成功演出）」が現出される。そして６Ｒ目のラウンド演出では、今回のバトル演出の結果として、今回の戦闘結果が「勝利」である旨を報知する「勝利演出」が現出される。この勝利演出は「バトル結果報知演出」としての役割を担い、本実施形態では、「勝利」の文字画像が液晶表示装置３６の画面上に表示される。なお、上記「勝利演出」は、今回の当り種別を報知する役割も担い、ここでは実質的に、大当りが１５Ｒ高ベース確変大当りであった旨が報知されることになる。
【０１０９】
（当り中演出１テーブルの７Ｒ目のラウンド演出〜ＥＤ演出）
７Ｒ目〜１５Ｒ目のラウンド演出では、上述した「勝利演出」の流れ（ストーリー展開）を受けて、各ラウンド演出を通じて、戦闘に勝利した自艦が旭日旗を掲げながら母港に帰港して国民に祝福を受ける様子を表現した「凱旋演出（祝福演出）」が現出される。この「凱旋演出」は、大当り種別のうちで最高利益が付与される１５Ｒ高ベース確変大当りに当選したことを祝福する内容となっており、祝福演出の一態様として用いられる。
【０１１０】
上記「勝利演出」が現出される大当り、つまり１５Ｒ高ベース確変大当りの場合、７Ｒ目以降のラウンド遊技においては、右大入賞口５０が長開放時間で開放されることになる。そこで、上記「凱旋演出」および「勝利演出」の少なくともいずれか一方において、右大入賞口５０への入賞を促すための指示情報（たとえば、発射位置として右流下経路３ｃを狙う旨を指示する「そのまま右打ちせよ」の文字表示や右大入賞口４０が開放される旨の表示：第２の当り中発射位置誘導演出）も併せて報知される。これにより遊技者は、７Ｒ目以降は、右大入賞口５０側が開放される旨を知ることができる。
【０１１１】
１５Ｒ目が終了すると、大当り遊技終了時（規定ラウンド数のラウンド遊技終了後）の演出として、「ＥＤ演出」が現出される。この「ＥＤ演出」は、大当り遊技後の移行先となる演出モードを示唆する「モード移行演出」としての役割を担う。ここでの「ＥＤ演出」は、確変状態が継続する旨を報知する「戦闘継続演出（確変継続報知演出）」となっており、その内容は、遊技状態に着目すれば、大当り遊技後の遊技状態が確変状態に移行される旨を、演出モードに着目すれば、確変状態に関連する演出モード（確変演出モード）に移行される旨を報知する、といったものである。なお、上記７Ｒ目〜１５Ｒ目の演出（凱旋演出）とＥＤ演出（戦闘継続演出）とを含めた一連の演出を、上記モード移行演出として捉えても良い。
【０１１２】
なお、上記当り中演出１テーブルの場合、‘先制攻撃演出’を経て‘敵艦被弾演出’が発生された時点で「勝利演出」が現出されることが確定する、つまり、バトル演出結果が報知されるラウンドより前のラウンドにおいてバトル演出の結果が遊技者側に悟られる、といった演出遷移態様になっている。しかしこれに限らず、より緊張感の溢れるバトル演出を展開させるべく、特定のラウンド目（たとえば、大入賞口の開閉動作パターンが切り替わる直前のラウンド（本実施形態では、前半部終了となる６Ｒ目））のラウンド演出中に初めて、バトル演出結果が判明する演出遷移態様としても良い（後述の各当り中演出テーブルについても同様の構成としても良い）。
【０１１３】
（当り中演出２テーブル：ＷＩＮＴＢＬ−Ｐ２）
次に、当り中演出２テーブル（ＷＩＮＴＢＬ−Ｐ２）において展開されるバトル演出について説明する。当り中演出２テーブルは、１５Ｒ低ベース確変β大当り当選を条件に選択可能性がある当り中演出テーブルである。なお、この当り中演出２テーブルが選択された場合のＯＰ演出〜２Ｒ目までの演出態様は、当り中演出１テーブルで説明したものと同じであるので、重複記載を避けるために詳細な説明は省略し、ここでは３Ｒ目〜ＥＤ演出について説明する。
【０１１４】
（当り中演出２テーブルの３Ｒ目〜６Ｒ目のラウンド演出）
３Ｒ目のラウンド演出では上記「自艦先制攻撃演出」が現出され、４Ｒ目のラウンド演出では、敵艦が攻撃を回避するための回避運動を行っている様子を表現した「敵艦回避運動演出（敵回避演出）」が現出される。この回避運動演出が現出された場合、上記「勝利演出」が現出されないことが確定し、遊技者は以降のバトル演出の展開（後述する「敗北演出」ではなく「引き分け演出」が出現されること）に期待を寄せることになる。続く５Ｒ目のラウンド演出では、敵艦が戦域から退却していく様子を表現した「敵艦退却演出（敵逃亡演出）」が現出される。そして６Ｒ目のラウンド演出では、今回のバトル演出の結果として、今回の戦闘結果が「引き分け」である旨を報知する「引き分け演出」が現出される。この引き分け演出も上記「バトル結果報知演出」としての役割を担い、本実施形態では、「引き分け」の文字画像が液晶表示装置３６の画面上に表示される。なお、上記「引き分け演出」は、今回の当り種別を報知する役割も担い、ここでは実質的に、１５Ｒ低ベース確変β大当りであった旨が報知されることになる。
【０１１５】
（当り中演出２テーブルの７Ｒ目のラウンド演出〜ＥＤ演出）
７Ｒ目〜１５Ｒ目のラウンド演出では、上述した「引き分け演出」となったストーリ展開の流れを受けて、各ラウンド演出を通じて、撤退しながら回避運動を行う敵艦を自艦が追撃する様子を表現した「敵艦追撃演出（敵追撃演出）」が現出される。この「敵艦追撃演出」は、上記「凱旋演出」と同じような働きをする祝福演出の一態様であるが、祝福演出よりも格下（祝福度合いが低い）となる準祝福演出としての位置付けとなっている。ここでの準祝福演出は、最高利益が付与される１５Ｒ高ベース確変大当りではないが、相対的に高い利益が付与される大当りに当選したことを祝福する内容となっている。
【０１１６】
上記「引き分け演出」が現出される大当りの場合、つまり１５Ｒ低ベース確変β大当りの場合、７Ｒ目以降のラウンド遊技では、右大入賞口５０が長開放時間で開放されずに短開放時間にて開放されることになる。このため、７Ｒ目以降は、右大入賞口５０に入賞させることが困難であり、無駄球の発生による遊技者の利益を損なう恐れがある。この場合、上記「引き分け演出」中と「敵艦追撃演出」中とにおいては、上記指示情報（第１の当り中発射位置誘導演出）の報知を停止しても良い。
【０１１７】
１５Ｒ目が終了すると「ＥＤ演出」が現出される。ここでの「ＥＤ演出」では、大当り遊技終了時の演出として、当り中演出１テーブルの場合と同じ「戦闘継続演出（確変継続報知演出）」が現出される。なお、上記７Ｒ目〜１５Ｒ目の演出（敵艦追撃演出）とＥＤ演出（戦闘継続演出）とを含めた一連の演出を、上記モード移行演出として捉えても良い。
【０１１８】
（当り中演出３テーブル：ＷＩＮＴＢＬ−Ｐ３）
次に、当り中演出３テーブル（ＷＩＮＴＢＬ−Ｐ３）において展開されるバトル演出について説明する。当り中演出３テーブルは、１５Ｒ低ベース非確変大当りか、または１５Ｒ低ベース確変α大当り当選を条件に選択可能性のある当り中演出テーブルである。なお、この当り中演出テーブル３が選択された場合のＯＰ演出〜２Ｒ目までの演出態様は、上記当り中演出１テーブルの場合と同じであるので、重複記載を避けるために詳細な説明は省略し、ここでは３Ｒ目〜ＥＤ演出について説明する。
【０１１９】
（当り中演出３テーブルの３Ｒ目〜６Ｒ目のラウンド演出）
３Ｒ目のラウンド演出では上記「自艦先制攻撃演出」が現出され、４Ｒ目のラウンド演出では、上記「敵艦回避運動演出」が現出される。続く５Ｒ目のラウンド演出では、敵艦に攻撃を回避されてしまい、敵艦の反撃により自艦が被弾してしまった様子を表現した「敵艦反撃演出（主人公攻撃失敗演出）」が現出される。そして６Ｒ目のラウンド演出では、今回のバトル演出の結果として、今回の戦闘結果が「敗北」である旨を報知する「敗北演出」が現出される。この敗北演出も「バトル結果報知演出」としての役割を担い、本実施形態では、「敗北」の文字画像が液晶表示装置３６の画面上に表示される。
【０１２０】
この上記「敗北演出」は、今回の当り種別を報知する役割も担い、ここでは、今回の大当りが１５Ｒ低ベース非確変大当りまたは１５Ｒ低ベース確変α大当りであった旨が報知されることになる。つまり「敗北演出」は、今回の大当りが確変大当りの可能性だけでなく、非確変大当りの可能性もある点で、実質的に当りの種類そのものが判明する「勝利演出」や「引き分け演出」とは異なる。本実施形態のバトル演出では、上述の「敗北演出」を現出させることにより、今回の大当りが確変大当りであったのか、あるいは非確変大当りであったのかを秘匿状態にすることを可能にし、バトル演出の展開に緊張感を持たせることにより、当り中演出の面白みを向上させることができるようになっている。
【０１２１】
（当り中演出３テーブルの７Ｒ目のラウンド演出〜ＥＤ演出）
７Ｒ目〜１５Ｒ目のラウンド演出では、上述した「敗北演出」となったストーリ展開の流れを受けて、各ラウンド遊技を通じて、被弾した自艦が母港の船ドックにて修理を行う様子を表現した「入渠演出（惜敗演出）」が現出される。この「入渠演出」は、大当り種別のうちで相対的に低い利益が付与される大当りに当選したことを報知する内容となっており、惜敗演出（主として、バトル演出の結果が残念な結果に終わったことを報知するための演出）の一態様として用いられる。
【０１２２】
上記「敗北演出」が現出される大当り、つまり１５Ｒ低ベース非確変大当りまたは１５Ｒ低ベース確変α大当りの場合、７Ｒ目以降のラウンド遊技中、右大入賞口５０が長開放時間で開放されずに短開放時間にて開放されることになる。このため、上記「敗北演出」と「入渠演出」とにおいては、上記指示情報（第１の当り中発射位置誘導演出）の報知を停止しても良い。
【０１２３】
１５Ｒ目が終了すると「ＥＤ演出」が現出される。ここでの「ＥＤ演出」は、確変状態が継続するか否かを明らかにせずに秘匿する「再出撃演出（確変継続秘匿演出）」が現出される。この「再出撃演出」は、上記モード移行演出としての役割を担い、その内容は、遊技状態に着目すれば、大当り遊技後の遊技状態が時短状態あるいは確変状態Ｃに移行する旨を、演出モードに着目すれば、時短状態に関連する演出モード（チャンス演出モード）に移行する旨を報知する、といったものである。なお、上記７Ｒ目〜１５Ｒ目の演出（入渠演出）とＥＤ演出（再出撃演出）とを含めた一連の演出を、上記モード移行演出として捉えても良い。
【０１２４】
（当り中演出４テーブル：ＷＩＮＴＢＬ−Ｐ４）
次に、当り中演出４テーブル（ＷＩＮＴＢＬ−Ｐ４）において展開されるバトル演出について説明する。当り中演出４テーブルは、上記した当り中演出３テーブルと同じく、１５Ｒ低ベース確変β大当り当選を条件に選択可能性がある当り中演出テーブルである。なお、この当り中演出４テーブルが選択された場合のＯＰ演出〜２Ｒ目までの演出態様は、当り中演出１テーブルと同じであるので、重複記載を避けるために詳細な説明は省略し、ここでは３Ｒ目〜ＥＤ演出について説明する。
【０１２５】
（当り中演出４テーブルの３Ｒ目〜６Ｒ目のラウンド演出）
３Ｒ目のラウンド演出では、敵艦が自艦に対し先制攻撃する様子を表現した「敵艦先制攻撃演出（敵先制攻撃演出）」が現出される。４Ｒ目のラウンド演出では、敵艦の攻撃が自艦に命中する様子を表現した「自艦被弾演出（敵攻撃命中演出））」が現出される。この自艦被弾演出が現出された場合、上記「勝利演出」が現出されないことが確定し、遊技者は以降のバトル演出の展開（「敗北演出」ではなく「引き分け演出」が出現すること）に期待を寄せることになる。続く、５Ｒ目のラウンド演出では、自艦が被弾しつつも、敵艦の攻撃を回避するための回避運動を行っている様子を表現した「自艦回避運動演出（主人公防御演出）」が現出される。そして６Ｒ目のラウンド演出では、今回のバトル演出の結果として、上記「引き分け演出」が現出される。
【０１２６】
（当り中演出４テーブルの７Ｒ目のラウンド演出〜ＥＤ演出）
７Ｒ目〜１５Ｒ目のラウンド演出では、上述した「引き分け演出」の流れを受けて、各ラウンド演出を通じて、自艦が回避運動を行いながら敵艦に対して反撃準備を行う様子を表現した「反撃準備演出」が現出される。この「反撃準備演出」は、上記「敵艦追撃演出」と同じような働きをする演出である。なお、上記「引き分け演出」と「反撃準備演出」とにおいては、当り中演出３テーブルが選択された場合と同様に、上記指示情報（第１の当り中発射位置誘導演出）の報知を停止しても良い。
【０１２７】
１５Ｒ目が終了すると「ＥＤ演出」が現出される。ここでの「ＥＤ演出」では、大当り遊技終了時の演出として、当り中演出１テーブルの場合と同じく「戦闘継続演出（確変継続報知演出）」が現出される。なお、上記７Ｒ目〜１５Ｒ目の演出（反撃準備演出）とＥＤ演出（戦闘継続演出）とを含めた一連の演出を、上記モード移行演出として捉えても良い。
【０１２８】
（当り中演出５テーブル：ＷＩＮＴＢＬ−Ｐ５）
次に、当り中演出５テーブル（ＷＩＮＴＢＬ−Ｐ５）において展開されるバトル演出について説明する。当り中演出５テーブルは、当り中演出３テーブルと同じく、１５Ｒ低ベース非確変大当りか、または１５Ｒ低ベース確変α大当り当選を条件に選択可能性がある当り中演出テーブルである。なお、この当り中演出テーブル５が選択された場合、ＯＰ演出〜２Ｒ目までの演出態様は上記当り中演出１テーブルの場合と同じであり、また７Ｒ目のラウンド演出〜ＥＤ演出の演出態様については上記当り中演出３テーブルの場合と同じであるため、これらラウンド演出については重複記載を避けるために詳細な説明は省略し、ここでは、３Ｒ目〜６Ｒ目のラウンド演出について説明する。
【０１２９】
（当り中演出５テーブルの３Ｒ目〜６Ｒ目のラウンド演出）
３Ｒ目のラウンド演出では上記「敵艦先制攻撃演出」が現出され、４Ｒ目のラウンド演出では、上記「自艦被弾演出」が現出される。続く５Ｒ目のラウンド演出では、自艦が敵艦の攻撃の回避に失敗し、その結果、大破炎上する様子を表現した「自艦大破演出（主人公防御失敗演出）」が現出される。そして６Ｒ目のラウンド演出では、今回のバトル演出の結果として、今回の戦闘結果が「敗北」である旨を報知する「敗北演出」が現出される。
【０１３０】
（当り中演出６テーブル：ＷＩＮＴＢＬ−Ｐ６）
次に、当り中演出６テーブル（ＷＩＮＴＢＬ−Ｐ６）において展開されるバトル演出について説明する。当り中演出６テーブルは、１５Ｒ高ベース確変大当り当選を条件に選択可能性がある当り中演出テーブルである。なお、この当り中演出テーブル６が選択された場合のＯＰ演出〜２Ｒ目までの演出態様と、７Ｒ目〜ＥＤ演出までの演出態様とが上記当り中演出１テーブルの場合と同じであるので、重複記載を避けるために詳細な説明は省略し、ここでは、３Ｒ目〜６Ｒ目のラウンド演出について説明する。
【０１３１】
（当り中演出６テーブルの３Ｒ目〜６Ｒ目のラウンド演出）
３Ｒ目のラウンド演出では上記「敵艦先制攻撃演出」が現出され、４Ｒ目のラウンド演出では、自艦が敵艦の攻撃を回避するための回避運動を行っている様子を表現した「自艦回避運動演出（主人公回避演出）」が現出される。続く、５Ｒ目のラウンド演出では、自艦が反撃に転じ、攻撃が敵艦に命中する様子を表現した「自艦反撃演出（主人公反撃演出）」が現出される。そして６Ｒ目のラウンド演出では、今回のバトル演出の結果として、上記「勝利演出」が現出される。
【０１３２】
次に、２Ｒ低ベース確変大当り遊技中または小当り遊技中の当り中演出（当り中演出７テーブル（ＷＩＮＴＢＬ−Ｐ７）における演出態様）について説明する。
【０１３３】
（当り中演出７テーブル：ＷＩＮＴＢＬ−Ｐ７）
２Ｒ低ベース確変大当りまたは小当りに当選した場合には、当り中演出７テーブル（ＷＩＮＴＢＬ−Ｐ７）が選択される。当り中演出７テーブルにより展開される当り中演出は、当り中演出１テーブル〜当り中演出６テーブルのような海戦を繰り広げるといった「バトル演出」とは異なる専用の演出態様となっている。ここでは、ＯＰ演出〜ＥＤ演出を通じて、乗組員が索敵電探により敵の艦影を発見した様子を表現した「敵影発見演出」が現出される。この敵影発見演出は、上記「モード移行演出」としての役割を担い、その内容は、遊技状態に着目すれば、大当り遊技後の遊技状態が潜確状態となる可能性がある旨を報知する、演出モードに着目すれば、秘匿演出モードに移行する旨を報知、といったものである。換言すれば、２Ｒ低ベース確変大当り当選可能性がある旨を報知する（当選期待感を与える）「潜確移行期待演出」となっている。したがって、２Ｒ低ベース確変大当りまたは小当りに当選した場合、これらの当り遊技中の動作態様が双方ともに同一または酷似する動作態様で制御されるとともに、当り中演出も同一の演出態様を現出させ、さらに当り遊技終了後の演出モードを秘匿演出モードに移行させることで、当り終了後の遊技状態を秘匿状態とし、遊技者に対して潜確状態の期待感を与えることができるようになっている。
【０１３４】
なお、パチンコ遊技機１による各種の演出は、遊技機に配設された演出手段により現出される。上記演出手段は、視覚、聴覚、触覚など、人間の知覚に訴えることができる刺激伝達手段であれば、いずれも本発明における演出手段として採用することができる。装飾ランプ４５やＬＥＤ装置、スピーカ１６、液晶表示装置３６などの光発生手段、音響発生装置、演出表示装置、ないし操作者の体に振動を伝える加振装置、あるいは視覚的演出効果がある可動体役物などは、その代表例である。ここで演出表示装置は、画像表示装置と同じく視覚に訴える表示装置であるが、画像によらないもの（たとえば、７セグメント表示器）も含む点で画像表示装置と異なる。画像表示装置と称する場合は主として画像表示により演出を現出するタイプを指し、７セグメント表示器のように画像以外により演出を現出するものは、上記演出表示装置の概念の中に含まれる。また、遊技者が操作可能な演出手段（手操作手段）に対して振動を与える加振手段を設けたり、通常時は操作可能状態に置き、特定期間中になるとその操作不能状態に置く操作固定化手段を設けたりしても良い。
【０１３５】
＜５．制御装置：図３＞
図３は、本実施形態に係るパチンコ遊技機１の遊技動作制御を行う制御装置の概要を示す制御ブロック図である。
【０１３６】
本実施形態に係るパチンコ遊技機１の制御装置は、遊技に係る制御（遊技動作制御）を統括的に司る主制御部（主制御手段（遊技制御手段））２０と、主制御部２０から演出制御コマンドを受けて、画像と光と音についての演出制御（演出現出制御）を統括的に司る演出制御部（演出制御手段）２４と、賞球の払い出し制御を行う払出制御基板（払出制御手段）２９と、外部電源（図示せず）から遊技機に必要な電源を生成し供給する電源基板（電源制御手段）３１と、を中心に構成される。また演出制御部２４には、画像表示装置としての液晶表示装置３６が接続されている。なお、図３において電源供給ルートは省略してある。
【０１３７】
（５−１．主制御部２０）
主制御部２０は、ＣＰＵ２０１（主制御ＣＰＵ）を内蔵したマイクロプロセッサを搭載すると共に、ＲＯＭ２０２（主制御ＲＯＭ）と、ＲＡＭ２０３（主制御ＲＡＭ）とを搭載したマイクロコンピュータ（本実施形態ではＺ８０システム相当品を採用している）を構成している。ＲＯＭ２０２には、遊技動作制御手順を記述した制御プログラムの他、遊技動作制御に必要となる所定のデータが格納されている。またＲＡＭ２０３は、ワークエリアやバッファメモリとして機能し、遊技進行の際に必要なデータが処理状態に応じて格納されて利用される。また図示はしていないが、主制御部２０には、上記各種の抽選に利用される乱数値を生成する乱数生成回路（乱数生成手段）、周期的割り込みや一定周期のパルス出力作成機能（ビットレートジェネレータ）や時間計測の機能を付与するＣＴＣ（Ｃｏｕｎｔｅｒ  Ｔｉｍｅｒ  Ｃｉｒｃｕｉｔ：）、およびＣＰＵに割り込み信号を付与する割り込みコントローラ回路などを含んで構成されている。
【０１３８】
ここでＣＰＵ２０１は、Ｚ８０（ザイログ社製またはこれの相当品）のＣＰＵである。Ｚ８０は、データバスが８ビット、アドレスバスが１６ビットのＣＰＵであるが、広いメモリ空間を必要とせず、その上、高速処理や複雑な数値演算処理も必要としないパチンコ機の制御には最適である。Ｚ８０ＣＰＵは、主レジスタ（Ａ、Ｆ、Ｂ、Ｃ、Ｄ、Ｅ、Ｈ、Ｌ）、補助レジスタ（Ａ’、Ｆ’、Ｂ’、Ｃ’、Ｄ’、Ｅ’、Ｈ’、Ｌ’）、専用レジスタ（Ｉ、Ｒ、ＩＸ、ＩＹ、ＳＰ、ＰＣ）に分類されるレジスタを有している。
【０１３９】
主制御部２０には、上始動口３４への入賞を検出する上始動口３４ａと、下始動口３５への入賞を検出する下始動口センサ３５ａと、普通図柄始動口３７の通過を検出する普通図柄始動口センサ３７ａと、下大入賞口４０への入賞を検出する下大入賞口センサ４２ａと、右大入賞口４０への入賞を検出する右大入賞口センサ５２ａと、一般入賞口４３への入賞を検出する一般入賞口センサ４３ａとが接続され、主制御部２０はこれらからの検出信号を受信可能となっている。
【０１４０】
また主制御部２０には、可動翼片４７を開閉制御するための普通電動役物ソレノイド４１ｃと、下大入賞口４０の開放扉４２ｂを開閉制御するための大入賞口ソレノイド４２ｃと、右大入賞口５０の開放扉５２ｂを開閉制御するための大入賞口ソレノイド５２ｃと、が接続され、主制御部２０はこれらを制御するための励磁信号を送信可能となっている。
【０１４１】
また主制御部２０には、特別図柄表示装置３８ａと特別図柄表示装置３８ｂとが接続され、主制御部２０は、特別図柄を表示制御するための制御信号を送信可能となっている。また、主制御部２０には、普通図柄表示装置３９が接続され、普通図柄を表示制御するための制御信号を送信可能となっている。
【０１４２】
また主制御部２０には、枠用外部集中端子基板２１が接続され、遊技進行に関する情報（大当り当選情報や賞球数情報や図柄変動表示ゲームが実行された旨の情報など）を、枠用外部集中端子基板２１を介してホールコンピュータＨＣに送信可能となっている。ホールコンピュータＨＣは、パチンコホールの遊技機を統括的に管理する管理コンピュータであり、遊技機外部に配設されている。
【０１４３】
また主制御部２０には、払出制御基板（払出制御部）２９が接続されている。払出制御基板２９には、発射装置３２を制御する発射制御基板（発射制御部）２８と、遊技球の払い出しを行う遊技球払出装置（遊技球払出手段）１９とが接続されている。主制御部２０は、払出制御基板２９に対し、払い出しに関する制御コマンド（賞球数を指定する払出制御コマンド）を送信可能となっている。他方、払出制御基板２９は、主制御部２０に対し、払い出し動作状態に関する情報（払出状態信号）を送信可能となっている。主制御部２０側では、この払出状態信号に基づき、遊技球払出装置１９が正常に機能しているか、あるいは賞球の払い出しに不具合が発生していないか（たとえば、玉詰まりや賞球の払い出し不足）などが管理される。
【０１４４】
また主制御部２０は、特別図柄１、特別図柄２、および普通図柄に関する変動表示ゲームの始動権利（作動保留球）を、それぞれ最大４個まで搭載ＲＡＭ２０３に記憶し、特別図柄または普通図柄の変動確定回数として保留記憶可能な構成となっている。
【０１４５】
（５−２．演出制御部２４）
演出制御部２４には、ＣＰＵ２４１（演出制御ＣＰＵ）を内蔵したマイクロプロセッサを搭載すると共に、ＲＯＭ２４２（演出制御ＲＯＭ）と、ＲＡＭ２４３（演出制御ＲＡＭ）とを搭載したマイクロコンピュータを中心に構成され、その他、音源ＩＣ、ＣＴＣ、および割り込みコントローラ回路などが設けられている。演出制御ＲＯＭ２４２には、演出制御手順が記述された演出制御プログラムの他、演出動作制御に必要となる所定のデータが格納されている。またＲＡＭ２４３は、ワークエリアやバッファメモリとして機能し、演出制御コマンドや演出抽選に利用される演出抽選用乱数値や演出状態情報など、遊技に関する演出を現出させるために必要なデータが格納され利用される。この演出制御部２４の主な役割は、主制御部２０からの演出制御コマンドの受信、演出態様（演出パターン）の抽選、液晶表示装置３６の画像表示制御、スピーカ４６の音制御、装飾ランプ４５やＬＥＤの発光制御などである。
【０１４６】
また演出制御部２４は、光と音についての演出処理を行うため、装飾ランプ４５やＬＥＤを含む光表示装置４５ａに対する光表示制御部と、スピーカ４６を含む音響発生装置４６ａに対する音響制御部とを備えている。
【０１４７】
また演出制御部２４は、液晶表示装置３６の表示制御を司る表示制御部（図示せず）を備えている。この表示制御部には、液晶表示装置３６の表示制御を行うために必要な制御データを生成してＶＤＰ（Ｖｉｄｅｏ  Ｄｉｓｐｌａｙ  Ｐｒｏｃｅｓｓｏｒ）に出力する液晶制御ＣＰＵと、液晶制御ＣＰＵの動作手順を記述したプログラムや画像表示制御に必要な所定のデータを格納した液晶制御ＲＯＭと、ワークエリアやバッファメモリとして機能する液晶制御ＲＡＭとを搭載している。また表示制御部には、液晶制御ＣＰＵに接続されて画像展開処理を行うＶＤＰと、ＶＤＰが画像展開する必要な画像データを格納した画像データＲＯＭと、ＶＤＰが展開した画像データを一時的に記憶するＶＲＡＭなども設けられている。
【０１４８】
装飾図柄変動表示ゲームに関する情報に関しては、まず主制御部２０側が、始動口に遊技球が入賞したことを契機に、具体的には、上始動口３４ａまたは下始動口センサ３５ａにより遊技球が検出されて始動条件が成立したことを条件に、「大当り（小当りを含む）」または「ハズレ」のいずれであるかを抽選する当落抽選と、「大当り」であったならばその当り種別を、また「ハズレ」であったならばそのハズレ種別を抽選する図柄抽選とを含む大当り抽選を行い、その抽選結果情報に基づき、特別図柄の変動パターン（たとえば、抽選結果、変動時間、疑似連の有無やその回数、リーチ演出の有無やリーチ演出有りとする場合はその種類に関する情報など）や、最終的に停止表示させる特別図柄（特別停止図柄）を決定する。このとき、処理状態を指定する演出制御コマンドとして、少なくとも、特別図柄の変動パターン情報を含む「変動パターン指定コマンド」と特別停止図柄情報を含む「装飾図柄指定コマンド」とを演出制御部２４側に送信する構成となっている。これにより、装飾図柄変動表示ゲームに必要とされる基本情報が演出制御部２４に送られる。
【０１４９】
演出制御部２４は、主制御部側２０から送られてくる上記変動パターン指定コマンドや装飾図柄指定コマンドに含まれる情報に基づき、装飾図柄変動表示ゲームにおいて最終的に停止表示する停止装飾図柄や、そのゲーム中に現出する演出（演出シナリオ）を決定するとともに、特別図柄の変動パターンのタイムスケジュールに従い装飾図柄の変動表示を開始させる。そして、決定した演出内容に基づいて、液晶表示装置３６、光表示装置４５ａ、音響発生装置４６ａなどの演出手段をそれぞれ制御する。これにより、液晶表示装置３６での画像の再生（画像表示演出）と、効果音の再生（音演出）と、装飾ランプ４５およびＬＥＤ等の点灯点滅駆動（光演出）とが実現される。
【０１５０】
なお演出制御コマンドは、１バイト長のモード（ＭＯＤＥ）と、同じく１バイト長のイベント（ＥＶＥＮＴ）からなる２バイト構成により機能を定義し、ＭＯＤＥとＥＶＥＮＴの区別を行うために、ＭＯＤＥのＢｉｔ７はＯＮ、ＥＶＥＮＴのＢｉｔ７をＯＦＦとしている。これらの情報を有効なものとして送信する場合、モード（ＭＯＤＥ）およびイベント（ＥＶＥＮＴ）各々に対応してストローブ信号が出力される。すなわち、ＣＰＵ２０１は、送信すべきコマンドがある場合、演出制御部２４にコマンドを送信するためのモード（ＭＯＤＥ）情報の設定および出力を行い、この設定から所定時間経過後に１回目のストローブ信号の送信を行う。さらに、このストローブ信号の送信から所定時間経過後にイベント（ＥＶＥＮＴ）情報の設定および出力を行い、この設定から所定時間経過後に２回目のストローブ信号の送信を行う。ストローブ信号が送信されて来ると、演出制御部２４のＣＰＵ２４１は、これに対応して割り込みを発生させ、この割り込み処理によってコマンドを受信する。ストローブ信号はＣＰＵ２０１により、ＣＰＵ２４１が確実にコマンドを受信することが可能な所定期間アクティブ状態に制御される。
【０１５１】
＜６．先読み予告＞
また主制御部２０は、特別図柄１、特別図柄２、および普通図柄に関する変動表示ゲームの始動記憶である作動保留球を、それぞれ最大４個まで保留記憶可能な構成となっている。特に、特別図柄変動表示ゲームについては、作動保留球が発生した場合、当該作動保留球が変動表示動作の実行に供されるときに行われる大当り抽選よりも先立って、その大当り抽選の結果がどのような結果になるかを事前に判定する先読み判定が行われる。
【０１５２】
さらに上述の先読み判定結果に基づき、その作動保留球が変動表示動作の実行に供される際の特別図柄の変動パターン（変動開始時の変動パターン（変動開始時に指定される特別図柄の変動パターン））も事前判定される。この事前判定される特別図柄の変動パターンを「先読み変動パターン」と称する。ただし、この先読み変動パターンは、変動開始時の変動パターンそのものではない。たとえばリーチ演出として、ＳＰリーチ１とＳＰリーチ２といった２種類のＳＰリーチを設けた場合を例にとって説明すると、一の作動保留球に係る先読み変動パターンにより指定される変動パターンの内容は、ＳＰリーチ１であるかＳＰリーチ２であるかといったＳＰリーチの種類そのものではなく、その作動保留球が変動表示動作の実行に供される際の特別図柄の変動パターンの骨子である「ＳＰリーチ」である旨が指定されるようになっている。つまり、先読み変動パターンでは、ＳＰリーチという同じ系統の変動パターンを纏めて分類したＳＰリーチ種別である旨が指定され、変動表示動作の実行に供される際の特別図柄の変動パターンでは、ＳＰリーチ種別のうちいずれのＳＰリーチであるか、たとえば、ＳＰリーチ１を伴う変動パターンである旨が指定される。上記先読み変動パターンにおいても、上記変動開始時の変動パターンと同じく、先読み判定で得られた結果から、装飾図柄変動表示ゲームに必要とされる基本情報を含ませることができる。
【０１５３】
主制御部２０は、演出制御コマンドの一つとして、少なくとも上記先読み変動パターン情報を含む「保留加算コマンド」を演出制御部２４に送信し、これを受けた演出制御部２４は、その作動保留球を対象とした先読み判定の内容を知得し、その内容に基づき、液晶表示装置３６または専用の保留表示装置（図示せず）を用いて、所定の条件下で、先読み判定結果に関連する情報を報知させる。この報知態様は「先読み予告演出」と称され、煽り演出の一つとして利用される。演出制御部２４は、保留加算コマンドの受信を条件に、所定の抽選（先読み予告演出を発生させるか否かに関する抽選。以下「先読み予告抽選」と称する）により上記先読み予告演出の実行可否を決定し、先読み予告を実行可と決定した場合には、図柄変動表示ゲームの開始と同時に、またはそのゲーム中の所定のタイミングで、今回の作動保留球を対象とした先読み予告演出を現出制御する。
【０１５４】
（６−１．先読み予告演出態様：図６、図７）
次に図６および図７を参照しながら、本実施形態の先読み予告演出態様について説明する。
【０１５５】
図６を参照して、本実施形態のパチンコ遊技機１では、液晶表示装置３６の画面内の一部に（たとえば、装飾図柄の表示エリアの下方）に、特別図柄１側の保留表示領域７６と特別図柄２側の保留表示領域７７とが設けられ、作動保留球の有無に関しては、その旨を点灯状態（作動保留球あり：図示の「○（白丸印）」）あるいは消灯状態（作動保留球なし：図示の破線の丸印）にて、現在の作動保留球数に関する情報が報知される（図６（イ）参照）。この作動保留球の有無に関する表示（以下、「保留表示」と称する）は、その発生順（入賞順）に順次表示（各保留表示領域７６、７７において、一番左側の作動保留球が全作動保留球のうち時間軸上で一番先に生じた（つまり最も古い）作動保留球として示される）され、各保留表示領域７６、７７には最大４個の保留表示が可能となっている（図６（ロ）参照）。図６に示す実施形態の場合、液晶表示装置３６の画面内の一部に、最大保留個数と同数（４個）だけ設けた保留アイコン（アイコン画像）からなる保留表示部ａ１〜ｄ１（特図図柄１側に対応）、ａ２〜ｄ２（特図図柄２側に対応）により構成され、この保留表示部が作動保留数を表示する保留表示手段として機能する構成となっている。なお本実施形態では、保留表示部ａ１〜ｄ１と保留表示部ａ２〜ｄ２に作動保留球が重複して存在する場合（特別図柄１および特別図柄２の双方に保留記憶がある場合）、保留表示部ａ２〜ｄ２側の作動保留球の方を優先して消化するようになっている。つまり特別図柄変動表示ゲーム１よりも特別図柄変動表示ゲーム２の方が優先的に実行されるようになっている。
【０１５６】
これらの保留表示部ａ１〜ｄ１、ａ２〜ｄ２は、通常は、先読み判定する際に存在する作動保留球数と同数、たとえば３個だけ、その表示態様が作動状態（点灯状態）に切り替えられるように制御され、したがって作動保留球数を表示する手段として働く。しかし、先読み予告演出を実行する場合は、保留表示部ａ１〜ｄ１、ａ２〜ｄ２のうちの該当する一の保留表示部の保留表示態様を所定の先読み予告表示態様（専用保留表示態様）に変更し、これにより先読み予告演出を発生させる手段として働く。
【０１５７】
演出制御部２４側では、主制御部２０から送られてくる上記保留加算コマンドを受けた場合、上記保留表示態様に関する表示制御の一環として、先読み予告抽選および先読み予告抽選結果に基づく演出制御処理が行われるようになっている。この先読み予告抽選に当選した作動保留球が先読み予告演出の対象となった作動保留球である（たとえば、図６（イ）のハッチングを施した保留表示部ｂ２が該当する）。上記先読み予告抽選による当選確率は、「ハズレ」の場合よりも「大当り」の場合の方が、また大当り当選期待度が相対的に高いリーチ種別の方が高い確率で当選するように定めてあり、先読み予告が発生するか否かにより、大当りへの当選期待度が示される。たとえば保留表示部ａ１〜ｄ１、ａ２〜ｄ２の保留アイコンのうちで、その先読み予告対象となった保留アイコンが、たとえば、白色、青色、黄色、緑色、赤色、虹色などの特殊な表示態様に変化するといった「保留表示変化系」の先読み予告演出がなされる。ここで保留アイコンの白色、青色、黄色、緑色、赤色、虹色の表示は、この色の順に、大当りとなる期待度が高いことを意味しており、特に虹色の保留アイコンの場合は、大当りとなることが確定（当確）することを遊技者に報知する。しかし、保留表示変化系の演出手段の表示態様としては、このような保留表示色を変化させることに限らず、特殊なキャラクタを模したアイコンなどに変化するようにしても良い。この「入賞時変化系」の先読み予告演出では、その作動保留球を対象とした特別図柄の変動表示動作の実行に供される際に大当り当選期待度が高い演出（たとえば、疑似連やＳＰリーチ）が現出される可能性が高まるといった、作動保留球を対象とした特別図柄変動表示ゲームの結果に関する情報を前もって遊技者に報知することが可能になる。
【０１５８】
現存する作動保留球は一の図柄変動表示ゲームが完了することで順次消化され、これに伴い、保留表示部の作動保留球数の表示位置が繰り上げ移行（シフト）され、その表示個数が減じられるといった表示が行われるが、上記した通常と異なる保留表示態様は、この間も保留表示の表示位置を変えながら連続的に表示され続ける。この点、上記の入賞時変化系（保留表示変化系）の先読み予告演出は、複数回の特別図柄変動表示ゲームに跨って予告演出を現出させるといった「連続予告演出」の一態様であるといえる。
【０１５９】
また先読み予告演出には、上述の「入賞時変化系（保留表示変化系）」の先読み予告演出の他、「変動開始時変化系」の先読み予告演出がある。この「変動開始時変化系」の先読み予告は、図柄変動表示ゲームの開始を契機としてなされる先読み予告で、たとえば液晶表示装置３６の画面に先読み専用の予告画像を表示させ、これを１または複数回の図柄変動表示ゲームに跨って実行し連続表示させるものである。すなわち、一の図柄変動表示ゲーム中に作動保留球が発生して始動条件が成立した場合、その始動条件成立に係る図柄変動表示ゲームを実行する権利を一旦保留記憶すると同時に、先読み予告演出を行うか否かに関し先読み予告抽選を行い、この先読み予告抽選に当選した場合には、その時点で現存する全ての保留記憶について、それらの図柄変動表示ゲームの関連を密接に関連した表現にする。つまり、記憶順にみて最も古い作動保留球から当該作動保留球までの現存する全ての作動保留球を対象とした図柄変動表示ゲームにおいて、液晶表示装置３６の画面に専用の画像表示による予告演出を現出させる。この点、「変動開始時変化系」の先読み予告も、現存する作動保留球に跨って予告演出を現出させるといった「連続予告演出」の一態様であるといえる。
【０１６０】
なお先読み予告演出開始条件として、入賞時変化系の先読み予告演出と変動開始時変化系の先読み予告演出を実施するか否かの先読み予告抽選は、入賞時変化系の先読み予告演出については、保留表示を変化させるか否かに関する抽選が行われ、変動開始時変化系の先読み予告演出については、専用の画像表示による予告演出を画面内に出現させるか否かに関する抽選が行われる。したがって入賞時変化系の先読み予告演出が出現した場合であっても、必ずしも変動開始時変化系の先読み予告演出が出現するとは限らない。またその逆に変動開始時変化系の先読み予告演出が出現した場合であっても、必ずしも入賞時変化系の先読み予告演出が出現するとは限らない。
【０１６１】
次に、図７を参照して、本実施形態のパチンコ遊技機１が織り成す先読み予告演出態様について説明する。
【０１６２】
図中（１）は、図柄変動表示ゲーム中（図示の「↓」は装飾図柄が変動表示中であることを示している）に上始動口３４に入賞して特別図柄１側の作動保留球数が３個になったとし、その３個目のうち、第２番目に変動開始動作が実行される作動保留球が先読み予告演出の対象（ここでは、入賞時変化系の先読み予告抽選と変動開始時変化系の先読み予告抽選とに重複当選）となったケースを示している。またここでは、先に保留されていた第１番目と後に保留された第３番目の作動保留球については、先読み予告抽選非当選の作動保留球であったとする。
【０１６３】
演出制御部２４は、同図（１）示すように、先読み予告の対象となった第２番目の作動保留球の保留表示を通常とは異なる先読み専用の保留表示（以下、「専用保留表示」と称する）に変化させる。このとき、先読み予告の対象ではない第１番目および第３番目の作動保留球に対応する保留表示は、通常の保留表示（以下、「通常保留表示」と称する）のまま維持される。図示では、先読み予告の対象となった第２番目の作動保留球の保留表示を、通常保留表示（白丸（○）印）から専用保留表示（ハッチング付き丸印）に表示態様が変化した場合を示している。これにより、遊技者に対して先読み予告演出が開始された旨が報知される。今回、現在実行中であった図柄変動表示ゲームが終了して、装飾図柄が「２４６」で停止表示されたとする（結果は「ハズレ」とする）。
【０１６４】
遊技進行は同図（２）に移り、主制御部２０は、上記第１番目であった特別図柄１側の作動保留球に基づく特別図柄変動表示ゲームを開始してその作動保留球を消化（１つ消化）し、演出制御部２４は、その特別図柄変動表示ゲームの開始とともに、各作動保留球に対応する保留表示態様をそれぞれ左へシフトさせ、作動保留球が１つ消化された状態を示す保留表示態様とし、当該第１番目であった作動保留球に基づく装飾図柄変動表示ゲームを開始させる。このとき、変動開始時変化系の先読み予告として、液晶表示装置３６の画面内に先読み予告演出用の背景画像（ここでは、稲妻を模した稲妻画像表示による稲妻演出）を表示させる。これにより、液晶表示装置３６の画面は、同図（２）に示すような表示態様になる。
【０１６５】
そして遊技進行は同図（３）に移り、現在実行中であった図柄変動表示ゲームが終了して装飾図柄が「３５１」で停止表示されたとする（結果は「ハズレ」とする）。
【０１６６】
続いて遊技進行は同図（４）に移り、主制御部２０は、上記第２番目であった作動保留球、つまり先読み予告演出の対象となった作動保留球に基づく特別図柄変動表示ゲームを開始してその作動保留球を消化し、演出制御部２４は、その特別図柄変動表示ゲームの開始とともに、各作動保留球に対応する保留表示態様をそれぞれ左へシフトさせ、当該第２番目であった作動保留球に基づく装飾図柄変動表示ゲームを開始させる。このとき、入賞時変化系の「専用保留表示」は上記シフト時に画面から消え、今回の図柄変動表示ゲームの開始を契機に終了される。また変動開始時変化系の先読み予告（ここでは稲妻演出）も今回の図柄変動表示ゲームにおける発生を最後に終了される。なお同図（４）は、図柄変動表示ゲーム開始直後の液晶表示装置３６の画面表示を示したものである。このようにして、一連の先読み予告演出が終了したことになる。その後、今回の図柄変動表示ゲーム中に、大当り期待度が高まる煽り演出（疑似連やリーチ演出（ＳＰリーチ））などが発生すれば、遊技者の大当りへの期待感はより一層高まることになる。
【０１６７】
このように本実施形態のパチンコ遊技機１では、連続予告演出の一態様として、上記のような先読み予告演出を発生させて、演出の多様化を図っている。
【０１６８】
＜主制御部側の処理：図８〜図７１＞
次に、図８〜図７１を参照して、本実施形態の主制御部２０側における遊技動作に関する処理手順について説明する。主制御部２０側の処理は、主に、所定のメイン処理（主制御側メイン処理：図８）と、ＣＴＣからの定時割込みで起動されるタイマ割込処理（主制御側タイマ割込処理：図９）とを含んで構成される。
【０１６９】
＜７．主制御側メイン処理：図８＞
図８は、主制御部２０側のメイン処理を示すフローチャートである。
【０１７０】
メイン処理が開始されるのは、停電状態からの復旧時のように初期化スイッチ（図示せず）が操作されることなく電源がＯＮ状態になる場合と、初期化スイッチがＯＮ操作されて電源がＯＮ状態になる場合とがある。いずれの場合でも、パチンコ遊技機１に電源が投入されると、電源基板３１によって各制御基板に電圧が供給され、主制御部２０（ＣＰＵ２０１）が図８に示す主制御側メイン処理を開始する。
【０１７１】
この主制御側メイン処理において、ＣＰＵ２０１は、まず遊技動作開始前における必要な初期設定処理を実行する（ステップＳ１１）。たとえば、最初に自らを割込み禁止状態に設定すると共に、所定の割込みモード（割込みモード２）に設定し、またマイクロコンピュータの各部を含めてＣＰＵ内部のレジスタ値を初期設定する。
【０１７２】
次に、図示してない入力ポートを介して入力されるＲＡＭクリアスイッチの出力信号であるＲＡＭクリア信号の状態（ＯＮ、ＯＦＦ）を判定する（ステップＳ１２）。ここでＲＡＭクリア信号とは、ＲＡＭの全領域を初期設定するか否かを決定する信号であって、通常、パチンコ店の店員が操作する初期化スイッチのＯＮ／ＯＦＦ状態に対応した値を有している。
【０１７３】
ここでは、ＲＡＭクリア信号がＯＮ状態であったと仮定すると、ステップＳ１２の判定結果が‘ＹＥＳ’となり、ＲＡＭの全領域がゼロクリアされる（ステップＳ１６）。したがって、電源遮断時にセットされたバックアップフラグの値は、他のチェックサム値などと共にゼロとなる。
【０１７４】
次に、ＲＡＭ領域がゼロクリアされたことを報知するための「ＲＡＭクリア表示コマンド」が初期化コマンドとして各制御基板に送信する（ステップＳ１７）。そして、ＲＡＭクリア報知タイマに、ＲＡＭクリアされた旨を報知するための時間として、たとえば、３０秒を格納する（ステップＳ１８）。
【０１７５】
次に、タイマ割込み動作を起動する割込み信号を出力するＣＴＣを初期設定して（ステップＳ１９）、ＣＰＵを割込み許可状態に設定する。
【０１７６】
その後は、割込みが発生するまで割込禁止状態と割込許可状態とを繰り返すとともに、その間に、各種乱数更新処理を実行する（ステップＳ２０〜Ｓ２２）。この各種乱数更新処理（ステップＳ２１）では、特別図柄変動表示ゲームや普通図柄変動表示ゲームに使用される各種乱数（インクリメント処理によって所定数値範囲を循環している大当り抽選に係る乱数（図柄抽選に利用される特別図柄判定用乱数）や、補助当り抽選に係る乱数（補助当りの当落抽選に利用される補助当り判定用乱数））の初期値（スタート値）変更のために使用する乱数（特別図柄判定用初期値乱数、補助当り判定用初期値乱数）や、変動パターンの選択に利用される変動パターン用乱数を更新する。
【０１７７】
本実施形態のＲＡＭ２０３には、特別図柄判定用乱数カウンタ初期値の生成用カウンタ、特別図柄判定用乱数カウンタ、補助当り判定用乱数カウンタ初期値の生成用カウンタ、補助当り判定用乱数カウンタ、変動パターン用乱数１カウンタ、変動パターン用乱数２カウンタなど、大当り抽選や補助当り抽選に利用される各種の乱数カウンタが設けられおり、これらはソフトウェア的に乱数を生成するソフト乱数生成手段としての役割を果たす。上記各種乱数更新処理（ステップＳ２１）では、特別図柄判定用乱数カウンタと補助当り判定用乱数カウンタのそれぞれの初期値を生成するための２つの初期値生成用カウンタと、変動パターン用乱数カウンタを更新する。たとえば、変動パターン用乱数１カウンタとして取り得る数値範囲が０〜２３８とすると、ＲＡＭ２０３の変動パターン用乱数１の値を生成するためのカウント値記憶領域から値を取得し、取得した値に１を加算してから元のカウント値記憶領域に格納する。このとき、取得した値に１を加算した結果が２３９であれば０を元の乱数カウンタ記憶領域に格納する。他の初期値生成用乱数カウンタも同様に更新する。ＣＰＵ２０１は、間欠的に実行されるタイマ割込処理を行っている間を除いて、各種乱数更新処理を繰り返し実行するようになっている。
【０１７８】
ステップＳ１２の判定処理に戻って説明を続けると、停電状態からの復旧時には、初期化スイッチ（ＲＡＭクリア信号）はＯＦＦ状態である（ステップＳ１２：ＹＥＳ）。そこで、このような場合、ステップＳ１２の判定処理に続き、バックアップフラグ値を判定する（ステップＳ１３）。なお、バックアップフラグは、電源遮断時にＯＮ状態（バックアップフラグ＝５ＡＨ）に設定され、電源復帰後の最初のタイマ割込み処理の処理でＯＦＦ状態（バックアップフラグ＝００Ｈ）にリセットされるよう構成されている。
【０１７９】
したがって、電源投入時や停電状態からの復旧時である場合には、通常では、バックアップフラグがＯＮ状態のはずである。ただし、何らかの理由で電源遮断までに所定の処理が完了しなかったような場合には、バックアップフラグはリセット（ＯＦＦ）状態になる。したがって、バックアップフラグがＯＦＦ状態となる場合には（ステップＳ１３：ＮＯ）、ステップＳ１６の処理に移行させて遊技機の動作を初期状態に戻す。
【０１８０】
一方、バックアップフラグがＯＮ状態であれば（ステップＳ１３：ＹＥＳ）、チェックサム値を算出するためのチェックサム演算を実行する。ここで、チェックサム演算とは、ＲＡＭ２０３のワーク領域を対象とする８ビット加算演算である。そして、チェックサム値が算出されたら、この演算結果を、ＲＡＭ２０３のＳＵＭ番地の記憶値と比較をする（ステップＳ１４）。上記ＳＵＭ番地には、電源遮断時に、同じチェックサム演算によるチェックサム値が記憶されている。そして、記憶された演算結果は、ＲＡＭ２０３の他のデータと共に、バックアップ電源によって維持されている。したがって、本来は、ステップＳ１４の判定によって両者が一致するはずである。
【０１８１】
しかし、電源遮断時にチェックサム演算が実行できなかった場合や、実行できても、その後、メイン処理のチェックサム演算の実行時までの間に、ワーク領域のデータが破損している場合もあり、このような場合にはステップＳ１４の判定結果は不一致となる。判定結果の不一致によりデータ破損が検出された場合には（ステップＳ１４：ＮＯ）、ステップＳ１６の処理に進みＲＡＭクリア処理を実行し、遊技機の動作状態を初期状態に戻す。一方、チェックサム演算によるチェックサム値と、ＳＵＭ番地の記憶値とが一致する場合には（ステップＳ１４：ＹＥＳ）、バックアップデータに基づき、電源遮断前におけるスタックポインタを復帰し、電源遮断時の処理状態から遊技を開始するために必要な遊技復旧処理を実行する。
【０１８２】
ステップＳ１５の遊技復旧処理を終えると、ステップＳ１９の処理に進み、ＣＴＣを初期設定してＣＰＵを割込み許可状態に設定し、その後は、割込みが発生するまで割込禁止状態と割込許可状態とを繰り返すとともに、その間に、上述した各種乱数更新処理を実行する（ステップＳ２０〜Ｓ２２）。
【０１８３】
＜８．主制御側タイマ割込処理：図９＞
次に図９を参照して、上記主制御側メイン処理実行中に割り込んで４ｍｓ程度ごとに実行される主制御側のタイマ割込処理について説明する。図９は、ＣＴＣからの一定時間ごとの割り込みで起動される主制御側のタイマ割込処理を示すフローチャートである。
【０１８４】
図９において、ＣＰＵ２０１は、タイマ割込みが生じると、割り込み禁止状態に設定して、レジスタの内容を所定のスタック領域に退避させて（レジスタ退避処理）、以下のステップＳ５１〜Ｓ６５の処理を実行していく。
【０１８５】
上述のレジスタ退避処理を終えると、まず、パチンコ遊技機１に電源が正常に供給されているか否かを確認する電源異常チェック処理を行う（ステップＳ５１）。
【０１８６】
次に、遊技動作制御に用いられるタイマを管理するタイマ管理処理を行う（ステップＳ５２）。パチンコ遊技機１の遊技動作制御に用いる各種タイマ（たとえば、後述の特別図柄役物動作タイマなど）のタイマ値はここで更新される。
【０１８７】
次に、入力管理処理を行う（ステップＳ５３）。この入力管理処理では、パチンコ遊技機１に設けられた各種センサによる検出情報をＲＡＭ２０３に格納する。各種センサによる検出情報とは、たとえば、上始動口センサ３４ａ、下始動口センサ３５ａ、普通図柄始動口センサ３７ａ、下大入賞口センサ４２ａ、右大入賞口センサ５２ａ、一般入賞口センサ４３ａなどの入賞検出スイッチから出力されるスイッチ信号のＯＮ／ＯＦＦ情報である。これにより、各入賞口において入賞を検出したか否かが割り込みごとに監視される。またここでは、下始動口３５や大入賞口４０、５０に不正入賞があったか否かも監視される。なお、入力管理処理の詳細については、図１０〜図１３にて後述する。
【０１８８】
次に、各変動表示ゲームに係る乱数を定期的に更新するタイマ割込内乱数管理処理を行う（ステップＳ５４）。この定期乱数更新処理では、特別図柄判定用乱数や補助当り判定用乱数の更新（割込み毎に＋１加算）と、乱数カウンタが一周するごとに、乱数カウンタのスタート値を変更する処理を行う。たとえば、特別図柄判定用乱数カウンタの値を所定範囲で更新（＋１加算）し、特別図柄判定用乱数カウンタが１周するごとに、特別図柄判定用乱数カウンタ初期値の生成用カウンタの値を読み出し、その生成用カウンタの値を特別図柄判定用乱数カウンタに格納する。これにより、特別図柄判定用乱数カウンタのスタート値が上記の生成用カウンタの値に応じて変更されるので、更新周期は一定でありながらも特別図柄判定用乱数カウンタのカウント値はランダムになる。
【０１８９】
次に、遊技動作状態の異常の有無を監視するエラー管理処理を行う（ステップＳ５５）。このエラー管理処理では、遊技動作状態の異常として、たとえば、各種基板間の断線による断線エラーを監視したり、ゴト行為による不正入賞を監視したりし、これらのエラーが発生した場合には、そのエラーに対応したエラー処理を行う。不正入賞に係るエラー処理では、上記入力管理処理（ステップＳ５３）中の普通電動役物入賞無効処理（後述の図１２のステップＳ２０４）、または特別電動役物入賞無効処理（後述の図１３のステップＳ２０５）において設定される不正情報報知タイマの状態を把握して、不正入賞の有無を監視する。具体的には、不正情報報知タイマを確認し、このタイマ値がゼロでなければ、不正入賞に関する報知処理、たとえば演出制御部２４へのエラー報知用コマンドの送信が行われる。このエラー報知用コマンドを受けて、演出制御部２４では、たとえばスピーカ４６によるエラー音（警報音）の発生や装飾ランプ４５によるランプの点滅などのエラー報知がなされる。またエラーの種類に応じて、所定の遊技動作（たとえば、遊技球の払い出し動作や遊技球の発射動作など）の進行を停止させる遊技停止手段を設けても良い。また、エラーが発生した際は、枠用外部端子基板２１を介して、ホールコンピュータＨＣにエラー情報を報知するように構成しても良い。
【０１９０】
次に、賞球管理処理を行う（ステップＳ５６）。この賞球管理処理では、上記入力管理処理で格納したデータを把握して、入賞した遊技球数（入賞球数）をカウントする入賞カウンタの確認を行い、入賞がある場合には、賞球数を指定する払出制御コマンドを払出制御基板２９に送信する。この払出制御コマンドを受信した払出制御基板２９は、遊技球払出装置１９に払い出し動作を実行させる。これにより、入賞口に対応した賞球数（入賞口別に約束づけられた入賞球１個当りの所定の賞球数×入賞カウンタの値分）が払い出される。なお、上記入賞カウンタは、入賞口ごとに対応する入賞カウンタ（本実施形態では、ＲＡＭ２０３の所定領域に、上始動口３４用の上始動口入賞カウンタ、下始動口３５用の下始動口入賞カウンタ、普通図柄始動口３７用の普通図柄始動口入賞カウンタ、下大入賞口４０用の下大入賞口入賞カウンタ、右大入賞口５０用の右大入賞口入賞カウンタ、一般入賞口４３用の一般入賞口用の入賞カウンタなど）が設けられている。
【０１９１】
次に、普通図柄管理処理を行う（ステップＳ５７）。この普通図柄管理処理では、普通図柄変動表示ゲームにおける補助当り抽選を行い、その抽選結果に基づいて、普通図柄の変動パターンや普通図柄の停止表示態様を決定する。
【０１９２】
次に、普通電動役物管理処理を行う（ステップＳ５８）。この普通電動役物管理処理では、普通図柄管理処理（ステップＳ５７）の補助当り抽選の抽選結果に基づき、普電開放遊技発生に必要な普通電動役物ソレノイド４１ａに対するソレノイド制御用の励磁信号の生成およびそのデータ（ソレノイド制御データ）の設定を行う。ここで設定されたデータに基づき、後述のソレノイド管理処理にて、励磁信号が普通電動役物ソレノイド４１ａに対して出力される。
【０１９３】
次に、特別図柄管理処理を行う（ステップＳ５９）。この特別図柄管理処理では、主に、特別図柄変動表示ゲームにおける大当り抽選を行い、その抽選結果に基づいて特別図柄の変動パターンや特別停止図柄を決定する。なお、特別図柄管理処理の詳細は図１４にて後述する。
【０１９４】
次に、特別電動役物管理処理を行う（ステップＳ６０）。この特別電動役物管理処理では、主に、大当り抽選結果が「大当り」または「小当り」であった場合、その当りに対応する当り遊技を実行制御するために必要な設定処理を行う。この特別電動役物管理処理の詳細は図４９にて後述する。
【０１９５】
次に、右打ち報知情報管理処理を行う（ステップＳ６１）。この右打ち報知情報管理処理では、現在の遊技状態が時短状態、確変状態Ｃ、確変状態Ａ、または確変状態Ｂである場合つまり、「電サポ有り状態」の高ベース遊技状態が生起する遊技状態である場合、右打ち指示情報を報せる「特典遊技中発射位置誘導演出」を現出させるために必要な設定処理を行う。ここでの右打ち指示情報は、当り中発射位置誘導演出による右打ち指示情報と基本的には同じ内容となっており、たとえば遊技盤正面右側に遊技球を狙い打つ旨を指示する情報（発射位置として右流下経路３ｃを狙う旨を指示する情報）、換言すれば、普通図柄始動口３７に入賞を促す指示情報である。この右打ち情報が報知されるケースとしては、電サポ有り状態下において遊技者が誤って遊技盤正面左側に遊技球を発射していると推定されるケース、具体的には、通常遊技状態下において有効となる発射動作、つまり風車４４が存在する遊技領域側から上始動口３４へと遊技球を流下させるような発射動作を行っていると推定されるケースで、電サポ有り状態下で上始動口３４に入賞が発生した場合や、所定時間経過しても普通図柄始動口３７へ入賞が発生しない場合などが考えられる。また本実施形態に係るパチンコ遊技機１とは異なるが、遊技領域の左右側に普通図柄始動口が配設されている（たとえば、普通図柄始動口３７と同様の機能を有する普通図柄始動口が風車４４の上方にも配設されている）遊技機においては、電サポ有り状態下で当該右側の普通図柄始動口に遊技球が入賞した場合も考えられる。
【０１９６】
このような場合には、この右打ち報知情報管理処理において、演出制御コマンドの「右打ち指示コマンド」が演出制御部２４に送信される構成となっている。この右打ち指示コマンドを受けて、演出制御部２４では、上記発射位置誘導演出として、たとえば液晶表示装置３６に「右打ち」を遊技者に促す画像を表示したり（たとえば、「右打ちせよ」の文字表示）、スピーカ１６から右打ちを促す効果音（たとえば、「右打ちしてね」の音声）を発生させたりする。なお右打ち報知情報管理処理を設けない場合、演出制御部２４側において、電サポ有り状態を伴う遊技状態に対応した演出モード下と判定された場合に、上記特典遊技中発射位置誘導演出を現出可能に構成しても良い。
【０１９７】
次に、ＬＥＤ管理処理を行う（ステップＳ６２）。このＬＥＤ管理処理では、普通図柄表示装置３９や特別図柄表示装置３８に対して表示データを出力する。これにより、普通図柄や特別図柄の変動表示および停止表示が行われる。なお、特別図柄管理処理中の特別図柄表示データ更新処理（後述の図１４のステップＳ３０９）で作成される特別図柄の表示データは、このＬＥＤ管理処理で出力される。
【０１９８】
次に、外部端子管理処理を行う（ステップＳ６３）。この外部端子管理処理では、枠用外部集中端子基板２１を通して、パチンコ遊技機１の動作状態情報をホールコンピュータＨＣや島ランプなどの外部装置に対して出力する。上記動作状態情報には、大当り遊技が発生した旨（条件装置が作動した旨）、小当り遊技が発生した旨、特別図柄変動表示ゲームが実行または終了した旨、始動口（上始動口３４および下始動口３５）に遊技球が入賞した旨などに関する情報が含まれる。
【０１９９】
次に、ソレノイド管理処理を行う（ステップＳ６４）。このソレノイド管理処理では、ステップＳ５８の普通電動役物管理処理またはステップＳ６０の特別電動役物管理処理で作成されたソレノイド制御データに基づき、普通電動役物ソレノイド４１ｃ、下大入賞口ソレノイド４２ｃ、または右大入賞口ソレノイド５２ｃに対して励磁信号の出力処理を行う。これにより、可動翼片４７の一連の開閉動作が実行され普電開放遊技が発生し、また開放扉４２ｂまたは開放扉５２ｂの一連の開閉動作が実行され当り遊技が発生する。
【０２００】
そして、上記のステップＳ５１〜ステップＳ６４の処理を終えた後、退避していたレジスタの内容を復帰させて（レジスタ復帰処理）、割り込み許可状態に設定する（ステップＳ６５）。これにより、タイマ割込処理を終了して、割り込み前の上記主制御側メイン処理に戻り、次のタイマ割り込みが発生するまで主制御側メイン処理を行う。
【０２０１】
（９．入力管理処理：図１０）
次に、図９中のステップＳ５３の入力管理処理について説明する。図１０は、入力管理処理の詳細を示すフローチャートである。なお本明細書中では、必要に応じて、ＣＰＵ内蔵のレジスタ内に、ＲＡＭやＲＯＭなどのメインメモリを読み書きする際のアドレスデータ（そのアドレスに記述されているテーブルデータなどを含む）やプログラム上の演算処理により得られた結果情報などを、読み込んだり取り込んだりするなどの処理を「取得」と称し、ＣＰＵがＲＡＭのワーク領域にアクセスして、所定のデータを記憶させることを「格納」と称する場合がある。
【０２０２】
この入力管理処理においてＣＰＵ２０１は、各入賞口スイッチについての入力ポートにアクセスし、入賞検出スイッチから出力されるスイッチ信号の入力ポートの状態を取得する（ステップＳ２０１）。ここでは、入賞検出スイッチから出力されるスイッチ信号が、第１レベル（Ｈレベル）のＯＮ信号（論理値１）または第２レベル（Ｌレベル）のＯＦＦ信号（論理値０）のいずれであるかを２回読み取る。２回読み取った値が異なる場合は、信頼度を高めるため再度読み取り動作を繰り返す。そして読み取ったレベル（論理値）のデータを、ＲＡＭ２０３のレベルデータ領域に格納する（ステップＳ２０２）。ここでは、すべての入賞検出スイッチ（上始動口３４ａ、下始動口センサ３５ａ、普通図柄始動口センサ３７ａと、下大入賞口センサ４２ａ、右大入賞口センサ５２ａ、および一般入賞口センサ４３ａ）に対するスイッチレベルデータが作成される。
【０２０３】
次に、スイッチエッジデータを作成し、このスイッチエッジデータをＲＡＭ２０３のスイッチエッジデータ領域に格納する（ステップＳ２０３）。ここでは、すべての入賞検出スイッチに対するスイッチエッジデータが作成される。
【０２０４】
ここで図１１を参照して、スイッチエッジデータについて、その作成の仕方を説明する。図１１は、入賞検出スイッチに係る入力ポートの読み込みを例示したタイミングチャートである。
【０２０５】
図１１において時刻ｔ１〜ｔ１２は、それぞれ４ｍｓ（１割り込み）ごとの主制御側タイマ割込処理が行われる割込周期の各時点を示している。今、図１１に示す例では、入賞検出スイッチから出力されるスイッチ信号が時刻ｔ２とｔ３の間で立ち上がってＯＮ状態となり、時刻ｔ４とｔ５の間で立ち下がってＯＦＦ状態となり、また時刻ｔ５とｔ６の間で立ち上がってＯＮ状態となり、時刻ｔ６とｔ７の間で立ち下がってＯＦＦ状態となる。この例において、時刻ｔ１〜ｔ８の各時点で読み取られてＲＡＭ２０３のスイッチレベルデータ領域に格納されるスイッチレベルデータの論理値は、時刻ｔ１〜ｔ２で論理０、時刻ｔ３〜ｔ４で論理１、時刻ｔ５で論理０、時刻ｔ６で論理１、時刻ｔ７〜ｔ８で論理０となる。
【０２０６】
スイッチエッジデータは、このレベルデータの論理値が「０」から「１」に変化する時点を捉えて、ソフトウェア上でエッジが生起したと判定し、このエッジで論理値「１（スイッチエッジデータＯＮ状態）」を立て、それ以外のレベルデータに論理状態の変化がない場合を論理値「０（スイッチエッジデータＯＦＦ状態）」とすることによって得られるものである。そしてスイッチエッジデータとして得られる論理値が「１」である場合、ソフトウェア上で入賞検出スイッチがＯＮ状態、つまり当該入賞検出スイッチにより遊技球が検出された（入賞を検出した）ものとして認識される。図１１の例の場合、スイッチレベルデータが時刻ｔ２で論理０であったものが時刻ｔ３で論理１に変化するので、時刻ｔ３においてスイッチレベルデータが変化したことを意味する論理値「１」が立てられ、このデータがＲＡＭ２０３のスイッチエッジデータ領域に格納される。同様にして、スイッチレベルデータが時刻ｔ５で論理０であったものが時刻ｔ６で論理１に変化するので、時刻ｔ６においてスイッチレベルデータが変化したことを意味する論理値「１」が立てられ、このデータがＲＡＭ２０３のスイッチエッジデータ領域に格納される。その他の時点では、レベルデータの変化が無いので、の論理値「０」とするスイッチエッジデータがＲＡＭ２０３のスイッチエッジデータ領域に格納される。図１１の例では、時刻ｔ３と時刻ｔ６の時点が入賞検出スイッチ「ＯＮ」、つまりその入賞検出スイッチに対応する入賞口に「入賞あり」とされる。
【０２０７】
ステップＳ２０３の処理を終えると、次に、普通電動役物入賞無効処理（ステップＳ２０４）と特別電動役物入賞無効処理（ステップＳ２０５）を順次行う。これらの入賞無効処理は、現在の遊技機の動作状態とスイッチエッジデータとに基づき、不正入賞の有無を監視する。上記ステップＳ２０４の普通電動役物入賞無効処理についての詳細は図１２にて、ステップＳ２０５の特別電動役物入賞無効処理の詳細は図１３において後述する。
【０２０８】
続いて、ステップＳ２０６の処理では、上記スイッチエッジデータを取得し、スイッチエッジデータがＯＮ状態（論理１）であるか否かを判定する。ここでは各入賞口に対応して格納されたスイッチエッジデータが判定されて、各入賞口への入賞の有無が判定される。ＯＮ状態（論理値１）であれば（ステップＳ２０６：ＹＥＳ）、入賞有りとされた入賞口に対応する入賞カウンタに１加算し（ステップＳ２０７：ＹＥＳ）、この入力管理処理を抜ける。一方、ＯＦＦ状態（論理値０）であれば（ステップＳ２０７：ＮＯ）、入賞はなかったものとして、何もしないでこの入力管理処理を抜ける。
【０２０９】
（９−１．普通電動役物入賞無効処理：図１２）
次に、図１０中のステップＳ２０４の普通電動役物入賞無効処理について説明する。図１２は、普通電動役物入賞無効処理の詳細を示すフローチャートである。この普通電動役物入賞無効処理では、下始動口３５の不正入賞が監視される。
【０２１０】
図１２において、ＣＰＵ２０１はまず、普電開放延長状態フラグの状態を判定する（ステップＳ２２１）。この普電開放延長状態フラグとは、開放延長機能の作動状態を指定するためのフラグで、当該フラグがＯＮ状態（＝５ＡＨ）である場合には開放延長機能作動中の「電サポ有り状態」である旨を示し、当該フラグがＯＦＦ状態（≠５ＡＨ）である場合には開放延長機能非作動の「電サポ無し状態」である旨を示す。
【０２１１】
上記普電開放延長状態フラグがＯＦＦ状態（≠５ＡＨ）の場合（ステップＳ２２１：≠５ＡＨ）、普電作動中フラグの状態を判定する（ステップＳ２２２）。この普電作動中フラグとは、普電開放遊技中であるか否かを判定するためのフラグで、当該フラグがＯＮ状態（＝５ＡＨ）である場合には普電開放遊技中である旨を示し、当該フラグがＯＦＦ状態（≠５ＡＨ）である場合には普電開放遊技中ではない旨を示す。なお図示はしていないが、普電作動中フラグの状態は、普通電動役物管理処理（ステップＳ５８）において管理される。
【０２１２】
上記普電作動中フラグがＯＦＦ状態（≠５ＡＨ）の場合（ステップＳ２２２：≠５ＡＨ）、普電入賞有効タイマが０であるか否かを判定する（ステップＳ２２３）。この「普電入賞有効タイマ」とは、下始動口３５の閉鎖後の下始動口３５内の残存球を排出するための余裕時間であり、図示はしていないが、普通電動役物管理処理（ステップＳ５８）において設定されるタイマである。
【０２１３】
上記普電入賞有効タイマが０である場合（ステップＳ２２３：ＹＥＳ）、下始動口３５のスイッチエッジデータを取得し（ステップＳ２２４）、そのスイッチエッジデータに基づき、下始動口３５において入賞を検出したか否かを判定する（ステップＳ２２５）。下始動口３５において入賞を検出してない場合（ステップＳ２２５：ＮＯ）、何もしないで普通電動役物入賞無効処理を抜ける。
【０２１４】
しかし、始動口３５において入賞を検出した場合（ステップＳ２２５：ＹＥＳ）は、その入賞は「不正入賞」であるとみなし、始動口不正情報タイマに３００００ｍｓ（３０秒）を格納し（ステップＳ２２６）、普通電動役物入賞無効処理を抜ける。この始動口不正情報タイマが設定されると、図９中のエラー管理処理（ステップＳ５５）において不正入賞に係るエラー処理、たとえば、始動口不正情報タイマ≠０の期間中、スピーカ４６から警報音を発生させるなどのエラー報知がなされる。つまり、電サポ無し状態下において（ステップＳ２２１：≠５ＡＨ）、普電開放遊技による可動翼片４７の一連の開閉動作が終了し（ステップＳ２２２：≠５ＡＨ）、かつ普電有効入賞タイマが経過しているにもかかわらず（ステップＳ２２３：ＹＥＳ）、下始動口３５に遊技球が入賞した場合（ステップＳ２２５：ＹＥＳ）には、その入賞は不正入賞であるものとみなし、不正入賞に係るエラー処理の一環として、始動口不正情報タイマが設定されることになる（ステップＳ２２６）。これに対して、電サポ有り状態の場合（ステップＳ２２１：＝５ＡＨ）、普電開放遊技による可動翼片４７の一連の開閉動作が終了していない場合（ステップＳ２２２：＝５ＡＨ）、普電有効入賞タイマが経過していない場合（ステップＳ２２３：ＮＯ）のいずれかに該当する場合において、下始動口３５に遊技球が入賞した場合には、その入賞は不正入賞ではない、つまり正規入賞として扱われることになる。
【０２１５】
なお、電サポ無し状態において不正入賞を監視する理由は、次の通りである。電サポ有り状態であれば、可動翼片４７の作動率が飛躍的に高まり、下始動口３５が頻繁に開放されるため、このような状況下で不正入賞を監視する必要性が乏しいからである。また、本実施形態では、下始動口３５が大入賞口４０、５０とは異なり比較的少ない賞球を伴う入賞口であることから、不正入賞があってもエラー報知を実行させるに止めている。しかしこれに限らず、不正入賞とみなした場合は、下始動口３５のスイッチエッジデータをクリア（論理０）する構成としても良い。このようにすれば、下始動口３５が賞球を伴う入賞口の場合であっても、不正入賞に係る賞球の払い出しを無効化（賞球の払い出し無し）することができる。
【０２１６】
（９−２．特別電動役物入賞無効処理：図１３）
次に、図１０中のステップＳ２０５の特別電動役物入賞無効処理について説明する。
【０２１７】
弾球遊技機においては、大入賞口のような通常は閉鎖されている入賞口をセル板やピアノ線を用いて無理矢理こじ開け、過剰入賞を狙うような、いわゆる「セルゴト」や「針金ゴト」と称される不正行為が横行している。特に狙われるのが賞球の払い出しが多い大入賞口である。斯様なゴト行為を防止するためには、大当り遊技中の大入賞口への入賞はすべて正規入賞として処理し、それ以外の期間での大入賞口への入賞は不正入賞として処理する、といった不正行為防止技術も考えられる。しかし大当り遊技中の期間は、大入賞口が常に開放されているわけではなく、大入賞口を連続的に開閉するラウンド遊技が行われる。このため、上述した不正行為防止技術では、大入賞口が閉鎖されないようにして過剰入賞を狙うといった不正行為がなされても、これを検出することができないといった問題がある。上述の問題に鑑み、本実施形態では、この特別電動役物入賞無効処理により、大当り遊技中の不正行為を監視することができるようになっている。
【０２１８】
図１３は、特別電動役物入賞無効処理の詳細を示すフローチャートである。この特別電動役物入賞無効処理では、複数種類の大入賞口に対する不正入賞が監視される。図１３のステップＳ２３１〜Ｓ２３５までの処理は下大入賞口４０の不正入賞監視処理を、ステップＳ２３６〜Ｓ２４０までの処理は右大入賞口５０の不正入賞監視処理となっている。
【０２１９】
（下大入賞口４０の不正入賞監視処理：ステップＳ２３１〜Ｓ２３５）
図１３において、ＣＰＵ２０１はまず、下大入賞口４０の不正入賞監視処理として、下大入賞口４０のスイッチエッジデータを取得し（ステップＳ２３１）、そのスイッチエッジデータに基づき、下大入賞口４０において入賞を検出したか否かを判定する（ステップＳ２３２）。下大入賞口４０において入賞を検出していない場合（ステップＳ２３２：ＮＯ）、何もしないでステップＳ２３６の判定処理に進む。
【０２２０】
一方、下大入賞口４０において入賞を検出した場合（ステップＳ２３２：ＹＥＳ）、次いで、特別電動役物１作動フラグの状態を判定する（ステップＳ２３３）。ここで、「特別電動役物１作動フラグ」とは、特別変動入賞装置４２が作動中か否かを判定するために利用されるフラグで、当該フラグがＯＮ状態（＝５ＡＨ）である場合には、特別変動入賞装置４２が作動中である旨を示し、当該フラグがＯＦＦ状態（＝００Ｈ）である場合には、特別変動入賞装置４２が未作動中である旨を示す。また後述の「特別電動役物２作動フラグ」とは、特別変動入賞装置５２が作動中か否かを判定するために利用されるフラグで、当該フラグがＯＮ状態（＝５ＡＨ）である場合には、特別変動入賞装置５２が作動中である旨を示し、当該フラグがＯＦＦ状態（＝００Ｈ）である場合には、特別変動入賞装置５２が未作動中である旨を示す。なお、上記の特別電動役物Ｎ作動フラグ（Ｎ＝１または２）の設定状態に関する詳細は後述するが、ラウンド遊技間において当該フラグがＯＮ状態（＝５ＡＨ）となる期間、つまり特別変動入賞装置が作動中とされる期間は、大入賞口が開放してからその大入賞口が閉鎖された後、残存球排出時間（第１の所定時間）が経過するまでの期間となっている。他方、ラウンド遊技間において当該フラグがＯＦＦ状態（＝００Ｈ）となる期間、つまり特別変動入賞装置が未作動中とされる期間は、上述の残存球排出時間が経過してから次のラウンド遊技が開始されるまでのインターバル時間（第２の所定時間）中の期間となっている。
【０２２１】
ここで上記「残存球排出時間」とは、大入賞口の閉鎖後の大入賞口内の残存球を排出するための余裕時間、換言すれば、大入賞口が閉鎖される直前に入賞した遊技球が大入賞口内部に形成された入賞検出スイッチ（下大入賞口センサ４２ａまたは右大入賞口センサ５２ａ）を通過するための余裕時間（たとえば、１９８０ｍｓ）を指す。またラウンド遊技間にある上記インターバル時間（以下、「開放前インターバル時間」と称する）とは、残存球排出時間が経過して大入賞口内の残存球が排出されたものとみなされた後、次のラウンド遊技に係る大入賞口が開放されるまでのインターバル区間を定めた時間幅（たとえば、２０ｍｓ）を指す。
【０２２２】
再び図１３に戻り、上記特別電動役物１作動フラグがＯＦＦ状態（＝００Ｈ）の場合（ステップＳ２３３：≠５ＡＨ）、ステップＳ２３１で取得した下大入賞口４０のスイッチエッジデータをクリアする（ステップＳ２３４）。ここでは、特別変動入賞装置４２が未動中であるにもかかわらず、特別変動入賞装置４２が備える下大入賞口４０についての入賞が確認された場合、その入賞は不正入賞であるとみなし（不正入賞であると判定する）、不正入賞に係るエラー処理の一環として、下大入賞口４０のスイッチエッジデータをクリア（論理０）する。これにより、後処理の図１０のステップＳ２０６の判定が‘ＮＯ’となり、同図のステップＳ２０７において下大入賞口入賞カウンタの加算処理が行われないことになる。その結果、下大入賞口４０についての不正入賞に係る賞球の払い出しを無効化（賞球の払い出し無し）することができるようになっている。
【０２２３】
次いで、大入賞口不正情報タイマに３０秒を格納し（ステップＳ２３５）、ステップＳ２３７の処理に進む。この大入賞口不正情報タイマが設定されると、上記普通電動役物入賞無効処理において不正入賞が確認された場合と同様に、図９中のエラー管理処理（ステップＳ５５）において、不正入賞に係るエラー処理（エラー報知）がなされる。なお、不正入賞であるとみなした場合であっても、直ちに不正入賞に係るエラー処理を行わずに、不正入賞であるとみなした回数が所定回数（たとえば、２回以上）に達した場合、大入賞口不正情報タイマを設定するなどの不正入賞に係るエラー処理を行う構成としても良い。この場合、不正入賞であるとみなされた回数を計数するカウンタを設け、そのカウンタの値が所定回数に達した場合に不正入賞に係るエラー処理を行うようにすれば良い。
【０２２４】
一方、下大入賞口４０において入賞を検出した場合であっても、上記特別電動役物１作動フラグがＯＮ状態（＝５ＡＨ）の場合には（ステップＳ２３３：＝５ＡＨ）、正規入賞であるとみなし、上述のステップＳ２３４〜Ｓ２３５の処理は行わずに、ステップＳ２３７の処理に進む。
【０２２５】
（右大入賞口５０の不正入賞監視処理：ステップＳ２３６〜Ｓ２４０）
ステップＳ２３６の処理に進むと、右大入賞口５０の不正入賞監視処理として、ＣＰＵ２０１は、まず右大入賞口５０のスイッチエッジデータを取得し（ステップＳ２３６）、そのスイッチエッジデータに基づき、右大入賞口５０において入賞を検出したか否かを判定する（ステップＳ２３７）。右大入賞口５０において入賞を検出していない場合（ステップＳ２３７：ＮＯ）、何もしないでこの特別電動役物入賞無効処理を抜けて、図１０のステップＳ２０６の処理に進む。
【０２２６】
一方、右大入賞口５０において入賞を検出した場合（ステップＳ２３７：ＹＥＳ）、次いで、特別電動役物２（Ｎ＝２）作動フラグの状態を判定する（ステップＳ２３８）。
上記特別電動役物２作動フラグがＯＦＦ状態（＝００Ｈ）の場合（ステップＳ２３８：≠５ＡＨ）、ステップＳ２３１で取得した右大入賞口５０のスイッチエッジデータをクリアする（ステップＳ２３９）。ここでは、特別変動入賞装置５２が未動中であるにもかかわらず、特別変動入賞装置５２が備える右大入賞口５０についての入賞が確認された場合、その入賞は不正入賞であるとみなし、不正入賞に係るエラー処理の一環として、右大入賞口５０のスイッチエッジデータをクリア（論理０）する。これにより、後処理の図１０のステップＳ２０６の判定が‘ＮＯ’となり、同図のステップＳ２０７において右大入賞口入賞カウンタの加算処理が行われないことになる。その結果、右大入賞口５０についての不正入賞に係る賞球の払い出しを無効化（賞球の払い出し無し）することができるようになっている。
【０２２７】
次いで、大入賞口不正情報タイマに３０秒を格納し（ステップＳ２４０）、この特別電動役物入賞無効処理を抜けて、図１０のステップＳ２０６の処理に進む。
【０２２８】
一方、右大入賞口５０において入賞を検出した場合であっても、上記特別電動役物２作動フラグがＯＮ状態（＝５ＡＨ）の場合には（ステップＳ２３８：＝５ＡＨ）、正規入賞であるとみなし、上述のステップＳ２３８〜Ｓ２４０の処理は行わずに、この特別電動役物入賞無効処理を抜けて、図１０のステップＳ２０６の処理に進む。
【０２２９】
以上に説明した特別電動役物入賞無効処理では、特別変動入賞装置が未作動中であるにもにもかかわらず、その特別変動入賞装置が備える大入賞口への入賞が確認された場合、その入賞を不正入賞であるとみなし、所定のエラー処理を行うようになっている。詳しくは、下大入賞口４０に遊技球が入賞した場合においては、特別電動役物１作動フラグがＯＮ状態となっている場合にはその入賞を正規入賞として扱う一方、ＯＦＦ状態となっている場合にはその入賞を不正入賞として扱い、また右大入賞口５０に遊技球が入賞した場合においては、特別電動役物２作動フラグがＯＮ状態となっている場合にはその入賞を正規入賞として扱う一方、ＯＦＦ状態となっている場合にはその入賞を不正入賞として扱うようになっている。特に大当り遊技中のラウンド遊技間において、残存球排出時間経過後の開放前インターバル時間中の区間は、特別電動役物１作動フラグと特別電動役物２作動フラグとをＯＦＦ状態に切り替え、大入賞口への入賞を無効扱いとする期間（以下「大入賞口入賞無効期間」と称する）が生起するようになっている。これにより、一の大入賞口が開放される大当り遊技中においては、他方の大入賞口への入賞は不正入賞として扱うことができるとともに、当該一の大入賞口が開放される大当り遊技中であっても、大入賞口入賞無効期間における当該一の大入賞口への入賞を不正入賞として扱うことができるようになっている。特にラウンド遊技間において、残存球排出時間経過後の開放前インターバル時間中に入賞があった場合には、不正行為による入賞の可能性が極めて高いものとして監視している。その結果、本実施形態では、たとえ大当り遊技中であっても不正入賞を厳格に監視することができるようになっている。
【０２３０】
なお本実施形態では、下大入賞口４０の不正入賞監視処理において、下大入賞口４０の入賞を確認したことを条件に（ステップＳ２３１、ステップＳ２３２：ＹＥＳ）、ステップＳ２３３以降の処理を、また右大入賞口５０の不正入賞監視処理において、右大入賞口５０の入賞を確認したことを条件に（ステップＳ２３６、ステップＳ２３７：ＹＥＳ）、ステップＳ２３８以降の処理を実行する形態を説明したが次のように構成しても良い。
【０２３１】
下大入賞口４０の不正入賞監視処理においては、まずステップＳ２３３の処理を行い、特別電動役物１作動フラグの状態を判定する。特別電動役物１作動フラグがＯＦＦ状態（＝００Ｈ）の場合、次いで、ステップＳ２３１〜ステップＳ２３２の処理を行い、下大入賞口４０について入賞を検出したか否かを判定する。下大入賞口４０への入賞を検出した場合、ステップＳ２３４〜Ｓ２３５の処理を行う。また右大入賞口５０の不正入賞監視処理についても同じように、まずステップＳ２３８の処理を行い、特別電動役物２作動フラグの状態を判定する。特別電動役物２作動フラグがＯＦＦ状態（＝００Ｈ）の場合、次いで、ステップＳ２３６〜ステップＳ２３７の処理を行い、右大入賞口５０について入賞を検出したか否かを判定する。右大入賞口５０への入賞を検出した場合、ステップＳ２３９〜Ｓ２４０の処理を行う。このように、まず特別電動役物Ｎ作動フラグの状態を確認し、当該フラグがＯＦＦ状態であるにもかかわらず（特別変動入賞装置が未作動中であるにもかかわらず）、対応する大入賞口について入賞を検出した場合に応じて、不正入賞に係るエラー処理（ステップＳ２３４〜Ｓ２３５、Ｓ２３９〜Ｓ２４０）を行うように構成しても同じ効果を奏することができる。
【０２３２】
（１０．特別図柄管理処理：図１４）
次に、図９中の特別図柄管理処理（ステップＳ５９）について説明する。図１４は、ステップＳ５９の特別図柄管理処理の詳細を示すフローチャートである。
【０２３３】
図１４において、ＣＰＵ２０１は、まず特別図柄１側（上始動口３４側）に関する特図１始動口チェック処理を行い（ステップＳ３０１）、次いで、特別図柄２側（下始動口３５側）に関する特図２始動口チェック処理を行う（ステップＳ３０２）。
【０２３４】
ステップＳ３０１〜Ｓ３０２の始動口チェック処理を終えると、小当り中フラグの状態を判定する（ステップＳ３０３）。この小当り中フラグとは、小当り遊技中であるか否かを指定するためのフラグで、当該フラグがＯＮ状態（＝５ＡＨ）である場合には小当り遊技中である旨を示し、当該フラグがＯＦＦ状態（＝００Ｈ）である場合には小当り遊技中ではない旨を示す。
【０２３５】
上記小当り中フラグがＯＦＦ状態（＝００Ｈ）の場合（ステップＳ３０３：≠５ＡＨ）、次いで、条件装置作動フラグの状態を判定する（ステップＳ３０４）。この条件装置作動フラグとは、大当り遊技中であるか否かを指定するフラグで、当該フラグがＯＮ状態（＝５ＡＨ）である場合には大当り遊技中である旨を示し、当該フラグがＯＦＦ状態（＝００Ｈ）である場合には大当り遊技中ではない旨を示す。
【０２３６】
上記条件装置作動フラグがＯＦＦ状態（＝００Ｈ）の場合（ステップＳ３０４：≠５ＡＨ）、特別図柄の挙動を示す処理状態（特別図柄動作ステータス：０１Ｈ〜０３Ｈ）に応じた処理を行う（ステップＳ３０５：特別図柄動作ステータス分岐）。
【０２３７】
すなわち、小当り遊技中でもなく大当り遊技中でもない場合には（ステップＳ３０３：≠５ＡＨ、かつステップＳ３０４：≠５ＡＨ）、特別図柄が変動可能状態下に置かれ、これにより、特別図柄動作ステータスが「待機中（０１Ｈ）」「変動中（０２Ｈ）」「確認中（０３Ｈ）」のいずれの状態であるかに応じて、それぞれに対応する特別図柄の変動表示動作に関する処理が行われるようになっている（ステップＳ３０５〜Ｓ３０８）。一方、小当り遊技中である場合（ステップＳ３０３：＝５ＡＨ）か、または大当り遊技中である場合（ステップＳ３０４：＝５ＡＨ）には、特別図柄が変動可能状態下には置かれないため、特別図柄の変動表示動作に関する処理を行わずにステップＳ３０９の処理に進む。ここで、上述の「待機中」とは、特別図柄の挙動が次回変動のための待機状態である旨を示し、「変動中」とは特別図柄の挙動が変動（変動表示）中である旨を示し、上記「確認中」とは特別図柄の変動が終了して停止（確定）表示中（特別図柄確認時間中）である旨を示す。
【０２３８】
具体的には、特別図柄動作ステータスが「待機中（０１Ｈ）」である場合には、特別図柄変動開始処理（ステップＳ３０６）を、「変動中（０２Ｈ）」である場合には、特別図柄変動中処理（ステップＳ３０７）を、「確認中（０３Ｈ）」である場合には、特別図柄確認時間中処理（ステップＳ３０８）を行う。これらの処理により、特別図柄変動表示ゲームとして、特別図柄の変動開始および変動停止を一セットする変動表示動作が実現される。
【０２３９】
ステップＳ３０９に進むと、特別図柄表示データ管理処理を行う。この特別図柄表示データ更新処理では、特別図柄が変動中であるか否かを判定し、変動中であれば、所定時間（たとえば０．５秒）毎に点滅を繰り返す特別図柄のデータ（特別図柄変動中の７セグ点滅表示用データ）を作成し、特別図柄が変動中でなければ、停止表示用のデータ（特別図柄停止表示中の７セグ点滅表示用データ）を作成する。ここで作成した特別図柄の表示データは、図９のＬＥＤ管理処理（ステップＳ６２）で出力される。これにより特別図柄管理処理を抜けて、図９のステップＳ６０の特別電動役物管理処理に進む。
【０２４０】
以下に、上記した特図１始動口チェック処理（ステップ３０１）と、特図２始動口チェック処理（ステップＳ３０２）と、特別図柄変動開始処理（ステップＳ３０６）と、特別図柄変動中処理（ステップＳ３０７）と、特別図柄確認時間中処理（ステップＳ３０８）とについて順次説明していく。
【０２４１】
（１０−１．特図１始動口チェック処理：図１５）
図１５は、上記のステップＳ３０１の特図１始動口チェック処理の詳細を示すフローチャートである。特図１始動口チェック処理は、所定の始動条件の成立に基づいて実行される入賞時処理としての役割を果たし、特別図柄変動表示ゲーム１に係る上始動口３４についての入賞チェック処理が行われる。
【０２４２】
図１５において、ＣＰＵ２０１は、まず上始動口３４において入賞（入賞球）を検出したか否かを判定する（ステップＳ３１１）。
【０２４３】
上始動口３４の入賞を検出した場合（ステップＳ３１１：ＹＥＳ）、特別図柄１の作動保留球数が４以上となる場合であるか否か判定する（ステップＳ３１２）。すなわち、特別図柄１の作動保留球数（以下、「特図１作動保留球」と称する）が最大保留記憶数（ここでは、上限４個）未満であるか否かを判定する。なお、ステップＳ３１１の判定で上始動口３４の入賞を検出がなかった場合（ステップＳ３１１：ＮＯ）、何もしないでこの特図１始動口チェック処理を抜ける。
【０２４４】
特図１作動保留球数が４以上である場合（ステップＳ３１２：ＹＥＳ）には、ステップＳ３２５に進む。一方、作動保留球数が４以上とはならない場合、つまり４未満の場合は（ステップＳ３１２：ＮＯ）、作動保留球数を１加算（＋１）する（ステップＳ３１３）。
【０２４５】
ステップＳ３１３の処理に次いで、特図１作動保留球に基づく、特別図柄変動表示ゲーム１に利用される各種乱数（大当り判定用乱数、特別図柄判定用乱数、変動パターン用乱数１、および変動パターン用乱数２）の乱数カウンタの現在値を取得して、それぞれＲＡＭ２０３の保留記憶エリアに格納する（ステップＳ３１４）。このＲＡＭ２０３の保留記憶エリアには、取得された上述の各種乱数値（図柄遊技に係る所定の遊技情報）が保留データとして、特別図柄１の変動表示動作に供されるまで所定の記憶数を上限として始動条件の成立順（入賞順。ただし、本実施形態では、最大保留記憶数である特図１作動保留球数が４未満の場合）に保留記憶される。またＲＡＭ２０３の保留記憶エリアには、特別図柄１と特別図柄２とに対応した保留記憶エリア（特別図柄１に対応する第１の保留記憶エリアと特別図柄２に対応する第２の保留記憶エリア）が設けられており、それぞれ作動保留球数分の保留データを格納可能となっている。
【０２４６】
なお、特別図柄判定用乱数、変動パターン用乱数１、および変動パターン用乱数２は、それぞれに対応した乱数カウンタから抽出される。これら乱数値は、ＲＡＭ２０３に設けられた各々に対応したカウント値記憶領域において、間欠的に生じる割込み処理と割込み処理の間に実行されるメイン処理において乱数的に更新されているので、その値がそのまま取得されるようになっている。他方、大当り判定用乱数値は、ハードウェア的に乱数を生成する乱数生成回路（大当り判定用乱数カウンタ：図示せず）から抽出される。この乱数生成回路は、大当り判定用乱数値をカウントしているカウンタである。乱数生成回路は、上始動口センサ３４ａまたは下始動口センサ３４ａから遊技球の検出信号が入力されると、このタイミングにおけるカウント値をラッチし、ラッチした値を乱数生成回路に内蔵されたレジスタに記憶し、当該カウント値がマイクロコンピュータに入力されるようになっている。ＣＰＵ２０１は、このカウント値を大当り判定用乱数値として、ＲＡＭ２０３の保留記憶エリアと別個に設けられたＲＡＭ２０３の所定の記憶領域（特別電動役物作動判定用乱数ラッチバッファ）に格納し、必要なタイミングで特別電動役物作動判定用乱数ラッチバッファから格納された大当り判定用乱数値を読み出し利用する。本実施形態では、入賞時における大当り判定用乱数値を特別電動役物作動判定用乱数ラッチバッファと該当する保留記憶エリアとに格納するようになっているが、特別電動役物作動判定用乱数ラッチバッファを設けない場合は、保留記憶エリアにそのまま格納し、必要なタイミングで、該当保留記憶エリアの大当り判定用乱数値を読み出すように構成しても良い。
【０２４７】
次いで、保留加算コマンドを作成するための入賞コマンドデータ（詳細は後述する）として、先読み判定を禁止する先読み禁止データ（下位バイト「０１Ｈ」）を取得し（ステップＳ３１５）、特別図柄１側の先読み判定を禁止する「特図１先読み禁止条件」が成立しているか否かを判定する（ステップＳ３１６）。なお、上記特図１先読み禁止条件とは、特別図柄１に関する先読み予告、つまり特図１作動保留球を対象とした先読み予告を禁止する条件である。本実施形態では、遊技状態が時短状態か、または確変状態Ａ〜Ｃのいずれかであることを禁止条件とし、これらいずれかの遊技状態である場合、特別図柄１に関する先読み予告を禁止（先読み予告抽選自体を禁止）する。このようにする理由は、次の通りである。
【０２４８】
本実施形態では、遊技状態が時短状態であるか、または確変状態Ａ〜Ｃのいずれかある場合には‘電サポ有り状態’下に置かれ、下始動口３５への入賞率が著しく向上し、特図２作動保留球が頻繁に発生する。このため、特図１作動保留球を対象とした先読み予告演出を発生させる必要性に乏しいからである。また後述するが、本実施形態では、特図１作動保留球と特図２作動保留球の双方に作動保留球が存在する場合、特図２作動保留球が優先的に消化される「優先変動機能」を備えている。この優先変動機能により、特別図柄変動表示ゲーム１よりも特別図柄変動表示ゲーム２の方が優先的に実行されることになる。このため、遊技状態が上述の電サポ有り状態下において、たとえば、現在、特図１作動保留球を対象とした先読み予告演出だけが発生し、このときの内容が確変大当りの当選を予告するものであった場合、遊技者がこれを認識すれば、遊技球の発射を故意に停止させて下始動口３５に入賞させないようにし、非優先変動側である特別図柄変動表示ゲーム１を実行させることで、上記確変大当りを意図的に狙うことができてしまう。また現在、特図１作動保留球を対象とした先読み予告演出だけが発生中であり、このときの予告内容が小当りや非確変大当りの当選を予告するものであった場合、遊技者がこれを認識すれば、遊技球を発射し続けて特図２作動保留球を途切れないように下始動口３５に入賞させるようにし、優先変動側である特別図柄変動表示ゲーム２を実行させることで、特別図柄２側の大当り抽選の恩恵（本実施形態では、特別図柄変動表示ゲーム１よりも特別図柄変動表示ゲーム２の方が１５Ｒ高ベース確変大当りの選択率が高い）を受けながらゲームを消化させていくことができてしまう。本実施形態では、このような技術介入を防止するため、電サポ有り状態下では特図１の先読み予告を禁止している。
【０２４９】
特図１先読み禁止条件が成立している場合には（ステップＳ３１６：ＹＥＳ）、ステップＳ３２５の処理に進む。しかし特図１先読み禁止条件が成立していない場合には（ステップＳ３１６：ＮＯ）、ステップＳ３１７の処理に進み、特図１用当り乱数判定テーブル（図１７参照）を取得し（ステップＳ３１７）、ＲＡＭ２０３（特別電動役物作動判定用乱数ラッチバッファ）に格納された大当り判定用乱数値を取得して（ステップＳ３１８）、次に述べる乱数判定処理を行う（ステップＳ３１９）。
【０２５０】
（１０−１−１．乱数判定処理（入賞時当落判定処理）：図１６）
図１６は、上記のステップＳ３１９の乱数判定処理の詳細を示すフローチャートである。この乱数判定処理では、大当り判定用乱数値を利用し、特別図柄変動表示ゲーム（ここでは、特別図柄変動表示ゲーム１）に係る「当落抽選」を行う。なお、この乱数判定処理は、‘先読み判定’処理の一環として行われるものである。
【０２５１】
図１６において、ＣＰＵ２０１は、まずステップＳ３１８の処理で取得した当り乱数判定テーブルを参照して、大当り判定用乱数値と判定値とを比較し、大当り判定用乱数値がいずれの判定値に属するかを判定する（ステップＳ３５１）。
【０２５２】
（Ｔ−３：特図１用当り乱数判定テーブル：図１７）
図１７に、上述の特図１用当り乱数判定テーブルを示す。本実施形態の特図１用当り乱数判定テーブルには、図示のように、所定の抽選領域において（抽選領域の大きさは、６５５３６）、当り種別を決定するための複数の判定領域（判定値）が定められており、大当り判定用乱数値がいずれの判定値に属するかと、現在の大当り抽選確率状態（高確率状態、低確率状態）とに応じて、一定確率を有して、大当りか小当りかハズレかの別が定まるようになっている。したがって、同じ判定値に属する場合であっても、現在の大当り抽選確率状態によっては、一方は当り、他方はハズレというように、当否が異なる場合がある（後述の図２９の特図２用当り乱数判定テーブルも同様）。
【０２５３】
（大当り当選について）
大当りに関しては、大当り判定用乱数値が判定値１０００１〜１０１６５の範囲に属する場合、低確率状態、高確率状態ともに大当り判定フラグが「５ＡＨ」となり、大当り抽選確率状態にかかわらず「大当り当選」となる。他方、判定値１０１６６〜１１６５０の範囲に属する場合、高確率状態下では大当り判定フラグが「５ＡＨ」となり「大当り当選」となるが、低確率状態下では大当り判定フラグが「００Ｈ」となり「大当り非当選」となる。このため、本実施形態の大当り当選確率は、低確率状態では約１／３９７で、高確率状態では約１／３９．７で、大当りに当選するようになっている。なお、大当り判定フラグが「００Ｈ」となる場合は、判定値に応じて、今回の当落結果が‘ハズレ’または‘小当り’となる。
【０２５４】
（小当り当選について）
小当りに関しては、大当り判定用乱数値が判定値２０００１〜２０１１２の範囲に属する場合には、低確率状態、高確率状態ともに小当り判定フラグが「５ＡＨ」となり「小当り当選」となる。なお、本実施形態の小当りの当選確率は、大当りの当選確率よりも低い、約１／５８５となっている。
【０２５５】
（ハズレについて）
大当り判定フラグが「００Ｈ」、かつ小当り判定が「００Ｈ」となる場合は、大当りと小当りのいずれにも当選しなかったことになり、今回の当落結果は‘ハズレ’となる。
【０２５６】
上記のステップＳ３５１の処理で大当り判定用乱数値が属する判定値が決定されると、その判定値と現在の大当り抽選確率状態とに基づき、大当り判定フラグと小当り判定フラグとを取得する（ステップＳ３５２）。ここでは、大当り判定フラグの状態（５ＡＨまたは００Ｈ）を、ＣＰＵ内蔵の汎用レジスタ（たとえば、Ａレジスタ）に取り込み、小当り判定フラグの状態（「５ＡＨ」または「００Ｈ」）を、他の汎用レジスタ（たとえば、Ｄレジスタ）に取り込む。この状態で上記の乱数判定処理を抜けて、図１５のステップＳ３２０に進む。すなわち、ＡレジスタとＤレジスタとに取り込んだ当落抽選結果をＲＡＭ２０３には格納せずに各々のレジスタに保持したまま、この乱数判定処理を抜けることになる。今回の当落判定処理で得られた判定結果（当落抽選結果）は、後続の特別停止図柄データ作成処理で直ちに利用され、その後に必要となることがないため、当該判定結果をＲＡＭ２０３に格納せずに所定のレジスタに保持したままで乱数判定処理を抜けても問題はない。これにより、入賞時処理における当落判定処理の判定結果を格納するためのプログラムを必要とせず、またＲＡＭ２０３の記憶領域を別途設ける必要はないことから、ＲＡＭやＲＯＭのメモリ容量を圧迫することを回避することができる。なお詳細は後述するが、入賞時の処理における乱数判定処理（ステップＳ３１９、後述の図２８のステップＳ３３９）については、変動開始時の処理における特別電役物作動判定用乱数判定処理（後述の図３２のステップＳ４０９）において、共通のモジュール構成として利用可能となっている。
【０２５７】
再び図１５の説明に戻り、上述の乱数判定処理（ステップＳ３１９）を終えると、次いで、特図１用図柄テーブル選択テーブル（図１９参照）を取得し（ステップＳ３２０）、ＲＡＭ２０３に格納された特別図柄判定用乱数値を取得して（ステップＳ３２１）、次に述べる特別停止図柄データ作成処理を行う（ステップＳ３２２）。
【０２５８】
（１０−１−２．特別停止図柄データ作成処理（入賞時特別停止図柄データ作成処理）：図１８）
図１８は、上記のステップＳ３２２の特別停止図柄データ作成処理の詳細を示すフローチャートである。この特別停止図柄データ作成処理では、乱数判定処理の当落抽選結果と特別図柄判定用乱数値を利用し、特別図柄変動表示ゲーム（ここでは、特別図柄変動表示ゲーム１）に係る「図柄抽選」を行う。なお、この特別停止図柄データ作成処理も‘先読み判定’処理の一環として行われるものである。
【０２５９】
図１８において、ＣＰＵ２０１は、まず取得した特図１用図柄テーブル選択テーブルを参照して、ステップＳ３１９の乱数判定処理で得られた当落抽選結果に応じた図柄テーブル（図２０〜図２２参照）を取得する（ステップＳ３６１）。
【０２６０】
（Ｔ−４：特図１用図柄テーブル選択テーブル：図１９）
図１９に、上述の特図１用図柄テーブル選択テーブルを示す。図示のように、本実施形態の特図１用図柄テーブル選択テーブルには、当落抽選結果（当否種別：大当り、小当り、ハズレ）と図柄テーブル（特図１用）種別とが対応付けて定められている。この図柄テーブル種別には、大当りの場合に選択される「大当り図柄テーブル１」と、小当りの場合に選択される「小当り図柄テーブル」と、ハズレの場合に選択される「ハズレ図柄テーブル」とが含まれる。
【０２６１】
（Ｔ−５．図柄テーブル（特図１用）：図２０〜図２２）
図２０に大当り図柄テーブル１（特図１用大当り図柄テーブル）を、図２１に小当り図柄テーブルを、図２２にハズレ図柄テーブルを示す。
【０２６２】
図示のように、各図柄テーブルには、特別図柄判定用乱数値がいずれかの判定領域（判定値）に属するかに応じて、特別図柄判定データと特別停止図柄番号と変動パターン選択用オフセットとが定まるようになっている。また、各判定値に応じて当選種別が定まるようになっており、これにより、大当り種別、小当り種別、およびハズレ種別が一定の確率を有して決定されるようになっている。
【０２６３】
上記の「特別図柄判定データ」とは、大当り種別を識別するデータであり、具体的には、特別図柄判定データが「０１Ｈ」の場合は１５Ｒ低ベース非確変大当り、「０２Ｈ」の場合は１５Ｒ低ベース確変α大当り、「０３Ｈ」の場合は１５Ｒ低ベース確変β大当り、「０４Ｈ」の場合は１５Ｒ高ベース確変大当り、「０５Ｈ」の場合は２Ｒ低ベース確変大当りである旨を示す。なお、特別図柄判定データが「００Ｈ」の場合は、小当りまたはハズレを示す。
【０２６４】
ここで図２０の大当り図柄テーブル１の「判定値」の欄を参照すれば、判定値０〜１９の範囲に属する場合には「１５Ｒ低ベース非確変大当り」当選となり（図柄選択率（図柄抽選確率）：６０／２００）、判定値６０〜７９の範囲に属する場合には「１５Ｒ低ベース確変α大当り」当選となり（図柄選択率：２０／２００）、判定値８０〜１１９の範囲に属する場合には「１５Ｒ低ベース確変β大当り」当選となり（図柄選択率：４０／２００）、判定値１２０〜１７９の範囲に属する場合には「１５Ｒ高ベース確変大当り」当選となり（図柄選択率：６０／２００）、判定値１８０〜１９９の範囲に属する場合に「２Ｒ低ベース確変大当り」当選（図柄選択率：２０／２００）となっており、複数種類の大当りのうちからいずれか一つの大当りが、所定の選択率（抽選確率）で決定されるようになっている。なお、小当り図柄テーブルとハズレ図柄テーブルについても同様に、小当り種別（小当りＡ〜Ｃ）やハズレ種別（ハズレＡ、Ｂ）が所定の選択率で決定されるようになっている（図２１、図２２参照）。
【０２６５】
また上記の「特別停止図柄番号」とは、特別図柄表示装置に停止表示する特別停止図柄種別を指定するデータであり、主制御部２０側において特別図柄の停止図柄種を特定するのに利用される。本実施形態では、図２０〜図２２に示すように、各判定値に応じた特別停止図柄番号が選択されるようになっており、一の大当りと他の大当り、一の小当りと他の小当り、または一のハズレと他のハズレとで特別停止図柄番号が異なるようになっている。たとえば、１５Ｒ低ベース非確変大当りの場合であっても、特別図柄表示装置に表示される特別停止図柄の表示態様（本実施形態では‘７セグ’の表示態様）が異なる場合がある。このように当り種別が同じであっても複数種類の特別停止図柄番号が選択されうるようにすることで、遊技者がどの種類の当りに当選したかの見分けがつき難いようになる。特に、本実施形態のように、大当り遊技の動作態様を同一とする大当りを複数種類設け、バトル演出の結果により確変状態を伴う大当りであるか否かを期待させる機種の場合、特別図柄表示装置の特別停止図柄から大当り種別を遊技者に悟られ難くすることは、バトル演出に更なる面白みを持たせる上で特に有効となる。
【０２６６】
また上記の「変動パターン選択用オフセット（図中では、「オフセット」と表記）」とは、後述の保留加算コマンドや変動パターン指定コマンドを選択する際に利用されるデータである。
【０２６７】
再び図１８の説明に戻り、ステップＳ３６１の処理では、具体的には、上述の特図１用図柄テーブル選択テーブルを参照し、レジスタＡ、Ｄに保持された大当り判定フラグの状態と小当り判定フラグの状態が、大当り（大当り判定フラグ＝５ＡＨ、小当り判定フラグ＝００Ｈ）であるならば「大当り図柄テーブル１」を、小当り（大当り判定フラグ＝００Ｈ、小当り判定フラグ＝５ＡＨ）であるならば「小当り図柄テーブル」を、ハズレ（大当り判定フラグ＝００Ｈ、小当り判定フラグ＝００Ｈ）であるならば「ハズレ図柄テーブル」を取得する。
【０２６８】
次いで、上述のステップＳ３６１で取得した図柄テーブルを参照して、ステップＳ３２１で取得した特別図柄判定用乱数値と当該図柄テーブルの判定値とを比較し、特別図柄判定データ、特別停止図柄番号、および変動パターン選択用オフセットを取得する（ステップＳ３６２）。ここでは、特別図柄判定データをＡレジスタ、特別停止図柄番号（ここでは、特別図柄１に係る特別停止図柄番号）をＢレジスタ、変動パターン選択用オフセットをＣレジスタにそれぞれ取り込む。この状態で、特別停止図柄データ作成処理を抜けて、図１５のステップＳ３２３の始動口入賞時乱数判定処理に進む。すなわち、Ａレジスタ、Ｂレジスタ、およびＣレジスタに取り込んだデータをＲＡＭ２０３には格納せずに各々のレジスタに保持したまま、この特別停止図柄データ作成処理を抜けることになる。今回の特別停止図柄データ作成処理で得られた判定結果（特別図柄判定データ、特別停止図柄番号、および変動パターン選択用オフセット）は、続く始動口入賞時乱数判定処理で直ちに利用され、その後に必要となることがないため、当該判定結果をＲＡＭ２０３に格納せずに所定のレジスタに保持したままで特別停止図柄データ作成処理を抜けても問題はない。これにより、入賞時処理における特別停止図柄データ作成処理の判定結果を格納するためのプログラムを必要とせず、またＲＡＭ２０３の記憶領域を別途設ける必要はないことから、ＲＡＭ２０３やＲＯＭ２０２のメモリ容量を圧迫することを回避することができる。なお詳細は後述するが、入賞時の処理における特別図柄データ作成処理（ステップＳ３２２、後述の図２８のステップＳ３４２）については、変動開始時の処理における停止図柄作成処理（後述の図３２のステップＳ４１０）において、共通のモジュール構成として利用可能となっている。
【０２６９】
これにより停止図柄データ作成処理（ステップＳ３２２）を終えると、次に述べる始動口入賞時乱数判定処理を行う（ステップＳ３２３）。
【０２７０】
（１０−１−３．始動口入賞時乱数判定処理：図２３）
図２３は、上記のステップＳ３２３の始動口入賞時乱数判定処理の詳細を示すフローチャートである。この始動口入賞時乱数判定処理では、ステップＳ３２２の停止図柄データ作成処理で得られたデータ（特別図柄判定データと変動パターン選択用オフセット）に基づき、保留加算コマンドの作成に利用される入賞コマンドデータ（２バイト目（ＥＶＥＮＴ）：下位バイト）を取得する。なお、この始動口入賞時乱数判定処理も‘先読み判定’処理の一環として行われるものである。
【０２７１】
この始動口入賞時乱数判定処理は、大別すると、（Ａ）先読み変動パターンを決定するための入賞コマンド振分テーブルを選択する「入賞コマンド振分テーブル決定処理（ステップＳ３７１〜Ｓ３７２）」と、（Ｂ）保留加算コマンドの作成に利用される入賞コマンドデータを決定する「入賞コマンドデータ決定処理（ステップＳ３７３〜Ｓ３７４）」とから構成される。
【０２７２】
（Ａ）入賞コマンド振分テーブル決定処理（ステップＳ３７１〜Ｓ３７２）
図２３において、ＣＰＵ２０１は、まず、入賞コマンド振分テーブル選択テーブル（図２４参照）を取得する（ステップＳ３７１）。
【０２７３】
次いで、取得した入賞コマンド振分テーブル選択テーブルを参照し、特別図柄判定データと変動パターン選択用オフセットと変動パターン振分指定番号（Ｔｃｏｄｅ）とに応じた、入賞コマンド振分テーブル（図２５、図２６参照）を取得する（ステップＳ３７２）。
【０２７４】
（Ｔ−６．入賞コマンド振分テーブル選択テーブル：図２４）
ここで上述の入賞コマンド振分テーブル選択テーブルについて説明する。本実施形態の入賞コマンド振分テーブル選択テーブルでは、特別図柄判定データ（当選種別）と変動パターン選択用オフセットと変動パターン振分指定番号（Ｔｃｏｄｅ）とに基づき、複数種類の入賞コマンド振分テーブル（テーブル種別：Ｈ１、Ｈ５〜Ｈ１０、Ｈ１２、およびＨ１３（ハズレ用のハズレ入賞コマンド振分テーブル）、Ａ１〜Ａ１４（当り用の当り入賞コマンド振分テーブル））のうちからいずれか一つの入賞コマンド振分テーブルが選択されるようになっている。たとえば、特別判定データが００Ｈ、変動パターン選択用オフセットが００Ｈ、および変動パターン振分指定番号（Ｔｃｏｄｅ）が００Ｈの場合、ハズレ入賞コマンド振分テーブル‘Ｈ１’が選択される。なお、入賞コマンド振分テーブルについては後述する。
【０２７５】
上述の「変動パターン振分指定番号（Ｔｃｏｄｅ）」とは、現在の遊技状態を識別するデータであり、特別図柄の変動パターンを選択するときに利用されるデータである。図７１に、変動パターン振分指定番号表を示す。この変動パターン振分指定番号表は、変動パターン振分指定番号（Ｔｃｏｄｅ）を説明に供する説明図である。図７１に示すように、変動パターン振分指定番号（Ｔｃｏｄｅ）が「００Ｈ」の場合は「通常遊技状態（通常）」を示し、「０１Ｈ」の場合は「潜確状態（潜確）」を示し、「０２Ｈ」の場合は「時短状態（時短）」を示し、「０３Ｈ」の場合は「確変状態Ｃ（確変Ｃ）」を示し、「０４Ｈ」の場合は「確変状態Ａ（確変Ａ）」を示し、「０５Ｈ」の場合は「確変状態Ｂ（確変Ｂ）」を示す。上記変動パターン振分指定番号（Ｔｃｏｄｅ）は、遊技状態に変化があった場合に変更される。
【０２７６】
（Ｔ−７．入賞コマンド振分テーブル：図２５、図２６）
次に、上記入賞コマンド振分テーブルについて説明する。図２５に当り時（大当り時または小当り時）に選択される当り入賞コマンド振分テーブルを、図２６にハズレ時に選択されるハズレ入賞コマンド振分テーブルを示す。
【０２７７】
上記各入賞コマンド振分テーブルには、変動パターン用乱数値１を利用した抽選により、１または複数種類の入賞コマンドデータ（保留加算コマンドの下位バイト側）のうちからいずれか一つの入賞コマンドデータが選択されるように、その選択率が定められている（単一の入賞コマンドデータが選択される場合は選択率１００％となっている）。なお、図中の「先読み変動パターン」の欄には、各入賞コマンドデータにより指定される先読み変動パターンの内容を示している。また図中のアラビア数字は振分値を示し（図４０、図４１〜図４３も同様）、たとえば、図２５の入賞コマンド振分テーブルＡ１の欄を参照すれば、弱ＳＰリーチを伴う変動パターン種別を指定する「弱ＳＰリーチ」対応のコマンド「１４Ｈ」は、１／２３９（振分値／抽選領域の大きさ）で選択され、強ＳＰリーチを伴う変動パターン種別を指定「強ＳＰリーチ」対応のコマンド「１７Ｈ」は、３０／２３９で選択されるようになっている。ここでの「変動パターン種別」とは、複数種類の変動パターンをその変動態様の特徴に着目して、同じ系統の変動パターンを纏めて分類（グループ化）した際の個々の区分である。なお、単一の変動パターンにおいても、変動パターン種別と称して分類している。
【０２７８】
ここで、図２４の入賞コマンド振分テーブル選択テーブルを参照すると、当り入賞コマンド振分テーブルＡ１〜Ａ１４においては、通常遊技状態または潜確状態の場合はＡ１〜Ａ６が選択され、時短状態または確変状態Ｃの場合はＡ７〜Ａ１１が選択され、確変状態Ａまたは確変状態Ｂの場合はＡ１２〜Ａ１４が選択されるようになっている。したがって、先読み判定が「当り」の場合、通常遊技状態と潜確状態とで、また時短状態と確変状態Ｃとで、また確変状態Ａと確変状態Ｂとで、共通する複数種類の変動パターン種別のうちからいずれか１つの変動パターン種別が指定されることになる。
【０２７９】
またハズレ入賞コマンド振分テーブルＨ１、Ｈ５〜Ｈ１０、Ｈ１２、およびＨ１３においては、通常遊技状態の場合はＨ１（ハズレＡの場合）、Ｈ５（ハズレＢの場合）が選択され、潜確状態はＨ１（ハズレＡの場合）、Ｈ６（ハズレＢの場合）が選択され、時短状態または確変状態Ｃの場合はＨ７、Ｈ９が選択され、確変状態Ａの場合はＨ１０、Ｈ１２が選択され、確変状態Ｂの場合はＨ１３が選択されるようになっている。したがって、先読み判定が「ハズレ」の場合、通常遊技状態と潜確状態とで、また時短状態と確変状態Ｃとで、共通する複数種類の変動パターン種別のうちからいずれか１つの変動パターン種別が指定されることになる。なお、通常遊技状態中のハズレＢの場合と潜確状態中のハズレＢの場合とについては、異なるハズレ入賞コマンド振分テーブルＨ５、Ｈ６となっているが、これらのテーブルを参照すれば、図示のように、共通する複数種類の変動パターン種別のうちからいずれか１つの変動パターン種別が指定されることに変わりはなく、特定の変動パターン種別の選択率が異なるだけである。具体的には、通常遊技状態中のハズレＢの場合、大当り当選期待度が相対的に低いリーチ種別（Ｎリーチ、疑似２連＋Ｎリーチ、弱ＳＰリーチ、疑似２連＋弱ＳＰリーチ）の選択率が潜確状態中の場合よりも高く、大当り当選期待度が相対的に高いリーチ種別（疑似２連＋通常中弱ＳＰリーチ、疑似３連＋通常中弱ＳＰリーチ、通常中強ＳＰリーチ、疑似２連＋通常中強ＳＰリーチ）の選択率（抽選確率）が潜確状態中の場合よりも低くなっている（ハズレ入賞コマンド振分テーブルＨ５およびＨ６参照）。このことは、通常遊技状態中に「ハズレＢ」に当選した場合と潜確状態中に「ハズレＢ」に当選した場合とでは、特別図柄の変動パターンの選択率に違いが生じることを意味し（後述の図３９、図４１参照）、これに伴い、本物の秘匿演出モード下とガセの秘匿演出モード下とにおける特定の演出の発生率に違いを持たせることができるようになっている。このようなハズレ時における特定の演出の発生率の違いは、遊技者が現在の遊技状態を推測する際の重要な手がかりとなり、秘匿演出モード下の面白みを増すことができる。
【０２８０】
上記当り入賞コマンド振分テーブルには、図２５に示すように、当り時の先読み変動パターンを指定する当り入賞コマンドデータとして、次のようなものが含まれる。
【０２８１】
「通常遊技状態」中または「潜確状態」中において使用され、リーチ演出を伴う変動パターン種別を指定する当り入賞コマンドデータとして、弱ＳＰリーチを伴う変動パターン種別（弱ＳＰリーチ）、疑似連を伴うとともに弱ＳＰリーチを伴う変動パターン種別（疑似２連＋弱ＳＰリーチ、疑似３連＋弱ＳＰリーチ）、強ＳＰリーチを伴う変動パターン種別（強ＳＰリーチ）、および疑似連を伴うとともに強ＳＰリーチを伴う変動パターン種別（疑似２連＋強ＳＰリーチ、疑似３連＋強ＳＰリーチ、疑似４連＋強ＳＰリーチ）を指定するものが含まれ、その他、特定演出（小当り当選可能性または２Ｒ低ベース確変大当り当選可能性を報知する演出態様）を伴う変動パターン種別を指定する当り入賞コマンドデータとして、小当り当選時および２Ｒ低ベース確変大当り当選時専用の変動パターンを伴う変動パターン種別（小当り／２Ｒ低ベース確変大当り当選）を指定するものが含まれる。
【０２８２】
また、「確変状態Ｃ」中または「時短状態」中において使用され、リーチ演出を伴う変動パターン種別を指定する当り入賞コマンドデータとして、弱リーチを伴う変動パターン種別や強リーチを伴う変動パターン種別を指定するものが含まれ、その他、特定演出を伴う変動パターン種別を指定する当り入賞コマンドデータとして、２Ｒ低ベース確変大当り当選時専用の変動パターンを伴う変動パターン種別（チャンス中２Ｒ当選）や、小当り当選時専用の変動パターンを伴う変動パターン種別（チャンス中小当り当選）を指定するものが含まれる。
【０２８３】
さらにまた、「確変状態Ａ」中または「確変状態Ｂ」中に共通して使用され、リーチ演出を伴う変動パターン種別を指定する当り入賞コマンドデータとして、確変中リーチを伴う変動パターン種別（確変中リーチ）を指定するものが含まれ、その他、特定演出を伴う変動パターン種別を指定する当り入賞コマンドデータとして、２Ｒ低ベース確変大当り当選時専用の変動パターンを伴う変動パターン種別（確変中２Ｒ当選）や小当り当選時専用の変動パターンを伴う変動パターン種別（確変中小当り当選）を指定するものが含まれる。
【０２８４】
上記ハズレ入賞コマンド振分テーブルには、図２６に示すように、ハズレ時の先読み変動パターンを指定するハズレ入賞コマンドデータとして、次のようなものが含まれる。
【０２８５】
「通常遊技状態中」または「潜確状態」中において使用され、リーチ演出を伴う変動パターン種別を指定するハズレ入賞コマンドデータとして、ノーマルリーチを伴う変動パターン種別（ノーマルーリーチ）、疑似連を伴うとともにノーマルリーチを伴う変動パターン種別（疑似２連＋ノーマルＳＰリーチ）、弱ＳＰリーチを伴う変動パターン種別（弱ＳＰリーチ）、疑似連を伴うとともに弱ＳＰリーチを伴う変動パターン種別（疑似２連＋弱ＳＰリーチ、疑似３連＋弱ＳＰリーチ）、強ＳＰリーチを伴う変動パターン種別（強ＳＰリーチ）、疑似連を伴うとともに強ＳＰリーチを伴う変動パターン種別（疑似２連＋強ＳＰリーチ、疑似３連＋強ＳＰリーチ、疑似４連＋強ＳＰリーチ）などを指定するハズレ入賞コマンドデータが含まれる。
【０２８６】
また、「確変状態Ｃ」中または「時短状態」中において使用され、リーチ演出を伴う変動パターン種別を指定するハズレ入賞コマンドデータとして、弱リーチを伴う変動パターン種別（チャンス中弱リーチ）を指定するものが含まれる。
【０２８７】
さらにまた、「確変状態Ａ」中または「確変状態Ｂ」中に共通して使用され、リーチ演出を伴う変動パターン種別を指定するものとして、確変中リーチを伴う変動パターン種別（確変中リーチ）を指定するハズレ入賞コマンドデータが含まれる。
【０２８８】
なお「ハズレ」の場合は「当り」の場合とは異なり、大当り当選の可能性がゼロであるため、リーチを伴わない変動パターン種別が含まれる。このリーチを伴わない変動パターン（通常変動を伴う変動パターン（通常変動パターン））種別を「通常変動種別」とも称する。通常変動種別には、通常遊技状態中または潜確状態中において使用される「通常変動１〜３」、確変状態Ｃ中または時短状態中において使用される「チャンス中通常変動１保留０」と「チャンス中通常変動２」、確変状態Ａ中において使用される「確変中通常変動１保留０」と「確変中通常変動２」、および確変状態Ｂ中において使用される「確変Ｂ中通常変動１」などが含まれる。これらはそれぞれ異なる通常変動を伴う変動パターン種別としての位置づけとなっている。これらの通常変動種別のうち、通常変動１を伴う変動パターン種別、チャンス中通常変動１保留０を伴う変動パターン種別、チャンス中通常変動２を伴う変動パターン種別、確変中通常変動１保留０を伴う変動パターン種別、確変中通常変動２を伴う変動パターン種別、および確変Ｂ中通常変動１を伴う変動パターン種別がハズレ入賞コマンドデータにより指定される。なお、不定（通常変動／リーチ）とは、先読み判定時においては、リーチを伴う変動パターン種別であるか通常変動種別（通常変動を伴う変動パターン種別）であるかが指定されずにここでは不明であることを示す。
【０２８９】
（Ｂ）入賞コマンドデータ決定処理（ステップＳ３７３〜Ｓ３７４）
ステップＳ３７２の処理を終えると、ＣＰＵ２０１は、変動パターン用乱数値１を取得し（ステップＳ３７３）、取得した入賞コマンド振分テーブルを参照して、変動パターン用乱数値１を利用した抽選（入賞コマンドデータ抽選）により入賞コマンドデータ（保留加算コマンドの下位バイト側）を取得する（ステップＳ３７４）。ここでは、入賞コマンドデータ（下位バイト）をＣレジスタに取り込む。この状態で、始動口入賞時乱数判定処理を抜けて、図１５の保留コマンド（下位バイト）の作成処理（ステップＳ３２４）に進む。すなわち、Ｃレジスタに取り込んだデータをＲＡＭ２０３には格納せずに各々のレジスタに保持したまま、この始動口入賞時乱数判定処理を抜けることになる。今回の始動口入賞時乱数判定処理で得られた判定結果（入賞コマンドデータ（保留加算コマンドの下位バイト側のデータ）は、続く保留加算コマンドを作成処理（ステップＳ３２４〜Ｓ３２５）で直ちに利用され、その後に必要となることがないため、当該判定結果をＲＡＭ２０３に格納せずに所定のレジスタに保持したままで始動口入賞時乱数判定処理を抜けても問題はない。これにより、始動口入賞時乱数判定処理の判定結果を格納するためのプログラムを必要とせず、またＲＡＭ２０３の記憶領域を別途設ける必要はないことから、ＲＡＭ２０３やＲＯＭ２０２のメモリ容量を圧迫することを回避することができる。
【０２９０】
再び図１５の説明に戻り、上述の始動口入賞時乱数判定処理（ステップＳ３２３）を終えると、次いで、上記入賞コマンドデータ（下位バイト（ＥＶＥＮＴ））と作動保留球数（上位バイト（ＭＯＤＥ））とに基づく保留加算コマンドを作成し（ステップＳ３２４〜Ｓ３２５）、これをＲＡＭ２０３に格納することなく、演出制御部２４に送信する（ステップＳ３２６）。これにより、特図１始動口チェック処理を抜けて、図２８のステップＳ３０２の特図２始動口チェック処理を行う。
【０２９１】
上記保留加算コマンドは、専ら入賞時における「先読み予告演出」に利用されるコマンドであるため、ＲＡＭ２０３に格納せずに、保留加算コマンドを演出制御部２４に送信するだけで処理を終わらせるといった構成としても特に問題はない。また、既に説明したように、上記保留加算コマンドの作成に利用されるデータ（‘先読み判定’処理で得られたデータ）、具体的には「乱数判定処理（ステップＳ３１９、Ｓ３３９）」、「特別図柄データ作成処理（ステップＳ３２２、Ｓ３４２）」、および「始動口入賞時乱数判定処理（ステップＳ３２３、Ｓ３４３）」により得られた各々のデータについても、ＲＡＭ２０３には格納せずに処理を終えるようにしても問題はない。このように、入賞時処理における一連の‘先読み判定’処理で得られた種々のデータをＲＡＭ２０３に格納することなく終えるといった処理内容とすることにより、いたずらにプログラムやワーク領域が増大化してしまうことを抑制し、遊技動作処理に係る制御負担を軽減することができる。
【０２９２】
（Ｃ−１：保留加算コマンド：図２７）
図２７に保留加算コマンドの一覧を示す。保留加算コマンドは、演出制御コマンドの一つであり、図示のように、２バイトの制御データで構成される。具体的には、作動保留球数と特別図柄種別（特別図柄１および２）とに応じて作成される上位バイト（１バイト目（ＭＯＤＥ）：「ＢＸＨ（Ｂ６Ｈ〜Ｂ９Ｈは、特別図柄１の作動保留球数１〜４個にそれぞれ対応し、ＢＢＨ〜ＢＥＨは特別図柄２の作動保留球数１〜４個にそれぞれ対応する）」と、ステップＳ３２３の始動口入賞時乱数判定処理で作成される下位バイト（２バイト目（ＥＶＥＮＴ）：「ＸＸＨ（ＸＸはコマンドごとに対応する数値）」）とから構成される。したがって、保留加算コマンドには、先読み判定に関する一連の処理（ステップＳ３１７〜Ｓ３２３）において得られた先読み判定結果情報が含まれている。
【０２９３】
具体的には、保留加算コマンドには、少なくとも特別図柄に関する先読み変動パターン情報が含まれ、その他の情報として、当否種別（特定の大当りの当選情報も含むことができる）および／または先読み判定時の遊技状態情報も含むことができる（図示の「内容」の欄を参照）。上記保留加算コマンドが主制御部２０から送信されると、これを受けた演出制御部２４は、その保留加算コマンドに含まれる情報に基づく先読み予告抽選を行い、その抽選結果が当選である場合、図柄変動表示ゲームの開始と同時に、またはそのゲーム中の所定のタイミングで、今回の作動保留球を対象とする先読み予告演出を現出させる。また演出制御部２４は、保留加算コマンドを受けた場合には、始動口に入賞があった旨を報知せる入賞演出（たとえば、遊技機の適所に設けられたＬＥＤを点滅させて、始動口に入賞があった旨を報知する演出態様）を現出させるようになっている。
【０２９４】
なお、作動保留球数が４以上の場合に新たな入賞があった場合（ステップＳ３１２：ＹＥＳ）にも保留加算コマンド（オーバーフロー入賞時の保留加算コマンド（以下、「ＯＦ保留加算コマンド」と略す）が作成され、演出制御部２４に送信されるようになっている。このＯＦ保留加算コマンドも、２バイトから構成され、上位バイト目（ＭＯＤＥ）は「Ｂ５Ｈ（特別図柄１に対応）」または「ＢＡＨ（特別図柄２に対応）」、下位バイト（ＥＶＥＮＴ）はオーバーフロー入賞を指定する「００Ｈ」となっている。下位バイトの作成は、ステップＳ３２３の始動口入賞時乱数判定処理中で作成しても良い。またステップＳ３１１とＳ３１２の処理の間、またはステップＳ３３１とＳ３３２の処理の間で、一旦、オーバーフロー入賞用のデータ（下位バイト「００Ｈ」）を取得し、オーバーフロー入賞であれば（作動保留球数≧４の場合）、そのままステップＳ３２５またはＳ３４５に進んで該当するＯＦ保留加算コマンドを作成し、オーバーフロー入賞でなければ（作動保留球数＜４の場合）、ステップＳ３１３またはＳ３３３以下の処理ルートにより該当する保留加算コマンドを作成するように構成しても良い。
【０２９５】
上記ＯＦ保留加算コマンドは、先読み判定に利用されずに、専ら上述した入賞演出に利用されるものであるが、次のような演出を現出可能に構成しても良い。たとえば、演出制御部２４が上記ＯＦ保留加算コマンドを受信した場合において、現在の作動保留球（時系列的に古い作動保留球）の中に「大当り（小当りを含んでも良い）」となる作動保留球がある場合、当該現在の作動保留球の中に「大当り」となるものが存在する旨を報知する予告演出を現出させるように構成しても良い。また、今回の図柄変動表示ゲーム結果が「大当り（小当りを含んでいても良い）」となる場合、当該ゲーム結果が「大当り」となる旨を報知する予告演出を現出させるように構成しても良い。斯様な予告演出は、オーバーフロー入賞時に現出されるものではあるが、先読み判定結果に関連する情報を報知するという点で、先読み予告演出と同じ役割を果たす。
【０２９６】
（１０−２．特図２始動口チェック処理：図２８）
次に図２８を参照して、図１４の特別図柄管理処理中の特図２始動口チェック処理（ステップＳ３０２）について説明する。図２８は、特図２始動口チェック処理の詳細を示すフローチャートである。この特図２始動口チェック処理は、特図１始動口チェック処理と同じく、所定の始動条件の成立に基づいて実行される入賞時処理としての役割を果たし、ここでは、特別図柄変動表示ゲーム２に係る下始動口３５についての入賞チェック処理が行われる。特図２始動口チェック処理では、先に述べた特図１始動口チェック処理の流れと同じように、作動保留球数の加算処理、各種乱数の記憶処理、保留加算コマンドの作成処理などの処理が行われる。以下、上記特図１始動口チェック処理（ステップＳ３０１）と同じ処理内容については、重複記載を避けるため適宜省略して説明する。
【０２９７】
図２８において、ＣＰＵ２０１は、まず下始動口３５において入賞（入賞球）を検出したか否かを判定する（ステップＳ３３１）。
【０２９８】
下始動口３５の入賞を検出した場合（ステップＳ３３１：ＹＥＳ）、特別図柄２の作動保留球数が４以上となる場合であるか否か判定する（ステップＳ３３２）。特別図柄２の作動保留球数（以下、「特図２作動保留球」と称する）は、特別図柄１の最大保留記憶数と同じく上限４個まで記憶されるようになっている。なお、ステップＳ３３１の判定で下始動口３５の入賞を検出がなかった場合（ステップＳ３３１：ＮＯ）、何もしないでこの特図２始動口チェック処理を抜ける。
【０２９９】
特図２作動保留球数が４以上である場合（ステップＳ３３２：ＹＥＳ）、ステップＳ３４５に進む。一方、作動保留球数が４以上とはならない場合、つまり４未満の場合は（ステップＳ３１２：ＮＯ）、作動保留球数を１加算（＋１）する（ステップＳ３３３）
【０３００】
ステップＳ３３３の処理に次いで、特図２作動保留球に基づく、特別図柄変動表示ゲーム２に利用される各種乱数（大当り判定用乱数、特別図柄判定用乱数、変動パターン用乱数１、および変動パターン用乱数２）の乱数カウンタの現在値を取得して、それぞれＲＡＭ２０３の保留記憶エリアに格納する（ステップＳ３３４）。この処理は、図１５のステップＳ３１４の処理の仕方と同じである。この保留記憶に関する所定の遊技情報（保留データ）は、特別図柄２の変動表示動作に供されるまで、最大保留記憶数を上限として始動条件の成立順に保留記憶される。
【０３０１】
次いで、入賞コマンドデータとして、先読み判定を禁止する先読み禁止データ（下位バイト「０１Ｈ」）を取得し（ステップＳ３３５）、特別図柄２側の先読み判定を禁止する「特図２先読み禁止条件」が成立しているか否かを判定する（ステップＳ３３６）。なお、上記特図２先読み禁止条件とは、特別図柄２に関する先読み予告、つまり特図２作動保留球を対象とした先読み予告を禁止する条件である。本実施形態では、通常遊技状態または潜確状態であることをその条件とし、これらいずれかの遊技状態である場合、特別図柄２に関する先読み予告を禁止（先読み予告抽選自体）する。このようにする理由は、次の通りである。遊技状態が通常遊技状態または潜確状態のいずれかであるならば電サポ無し状態下に置かれ、下始動口３５への入賞率が著しく低下する。特に、本実施形態では、電サポ無し状態中において「右打ち」をした場合、遊技くぎの配列や装飾部材などの落下方向変換部材に起因して、上始動口３４の入賞率が相対的に著しく低下するといった遊技者の利益を損なう遊技性となっている。このため、遊技者が電サポ無し状態下で右打ちすることはなく、特図２作動保留球は発生することは皆無であり、特図２作動保留球を対象とした先読み予告演出を発生させる必要性に乏しいからである。
【０３０２】
特図２先読み禁止条件が成立している場合には（ステップＳ３３６：ＹＥＳ）、ステップＳ３４５の処理に進む。しかし特図２先読み禁止条件が成立していない場合には（ステップＳ３３６：ＮＯ）、ステップＳ３３７の処理に進み、特図２用当り乱数判定テーブル（図２９参照）を取得し（ステップＳ３３７）、ＲＡＭ２０３（特別電動役物作動判定用乱数ラッチバッファ）に格納された大当り判定用乱数値を取得して（ステップＳ３３８）、乱数判定処理を行う（ステップＳ３３９）。この乱数判定処理では、特別図柄変動表示ゲーム２に係る「当落抽選」が行われる。
【０３０３】
（Ｔ−８．特図２用当り乱数判定テーブル：図２９）
図２９に、上述の特図２用当り乱数判定テーブルを示す。本実施形態の特図２用当り乱数判定テーブルは、上記した図１７の特図１用当り乱数判定テーブルと以下の点が異なる。特図１用当り乱数判定テーブルでは、大当り判定用乱数値が判定値２０００１〜２０１１２の範囲に属する場合、低確率状態と高確率状態ともに小当り判定フラグが「５ＡＨ」となり小当りに当選となる（図１７参照）。しかし、この特図２用当り乱数判定テーブルでは、小当り当選となる判定値自体が存在していない。すなわち、特別図柄変動表示ゲーム１では、大当り、小当り、およびハズレが当落抽選対象とされるが、特別図柄変動表示ゲーム２では、大当りとハズレだけが当落抽選対象とされる。勿論、特図２用当り乱数判定テーブルについても、小当りを当落抽選対象として定めても良い。
【０３０４】
次いで、特図２用図柄テーブル選択テーブル（図３０参照）を取得し（ステップＳ３４０）、ＲＡＭ２０３に格納された特別図柄判定用乱数値を取得して（ステップＳ３４１）、特別停止図柄データ作成処理を行う（ステップＳ３４２）。この特別停止図柄データ作成処理では、特別図柄変動表示ゲーム２に係る「図柄抽選」が行われる。
【０３０５】
（Ｔ−９．特図２用図柄テーブル選択テーブル：図３０）
図３０に、上述の特図２用当り乱数判定テーブルを示す。本実施形態の特図２用図柄テーブル選択テーブルには、図示のように、当落抽選結果と特図２用の図柄テーブル種別とが対応付けて定められている。この図柄テーブル種別には、大当りの場合に選択される「大当り図柄テーブル２」と、ハズレの場合に選択される「ハズレ図柄テーブル」とが含まれる。なお、特別図柄変動表示ゲーム２（特別図柄２側）では、小当りが当落抽選対象から除かれているため、小当りの場合に選択される「小当り図柄テーブル」は、含まれていない。
【０３０６】
（Ｔ−１０．図柄テーブル（特図２用）：図３１）
図３１に大当り図柄テーブル２（特図２用大当り図柄テーブル）を示す。ハズレ図柄テーブルについては、既に説明した図２２と同様の図柄テーブルなので、重複記載を避けるため詳細な説明を省略する。本実施形態の大当り図柄テーブル２は、上記した図２０の大当り図柄テーブル１と以下の点が異なる。大当り図柄テーブル２では、特定の大当りの図柄選択率（図柄抽選確率）が異なる。具体的には、１５Ｒ低ベース非確変大当り当選は同一の図柄選択率（６０／２００）となっているが、大当り図柄テーブル１と比較して、１５Ｒ低ベース確変α大当り（図柄選択率：１０／２００）と１５Ｒ低ベース確変β大当り（図柄選択率：２０／２００）と２Ｒ低ベース確変大当り当選（図柄選択率：５／２００）とについては相対的に低い図柄選択率を有し、１５Ｒ高ベース確変大当りについては、相対的に高い図柄選択率（１０５／２００）を有している。特に、電サポ有り状態下では、下始動口３５側の入賞確率が飛躍的に向上して特別図柄変動表示ゲーム２の実行機会も増えるため、電サポ有り状態中は、高ベース遊技状態であるだけでなく、図柄抽選の観点からも遊技者にとって有利な遊技状態となる。
【０３０７】
次いで、特図１始動口チェック処理中と同様の始動口入賞時乱数判定処理を行い（ステップＳ３４３）、入賞コマンドデータと作動保留球数に基づき、保留加算コマンドを作成し（ステップＳ３４４〜Ｓ３４５）、作成した保留加算コマンドを演出制御部２４に送信して（ステップＳ３４６）、特図２始動口チェック処理を抜ける。
【０３０８】
以上に説明した、特図１始動口チェック処理（ステップＳ３０１）と特図２始動口チェック処理（ステップＳ３０２）とを行った後は、ステップＳ３０３〜Ｓ３０４の処理を行い、小当り中フラグの状態と条件装置作動フラグの状態を判定する。これら処理により「小当り遊技中」および「大当り遊技中」でないと判定された場合には（ステップＳ３０３：≠５ＡＨ、かつＳ３０４：≠５ＡＨ）、特別図柄動作ステータス分岐処理（ステップＳ３０５）に入り、特別図柄動作ステータスの値に応じて、特別図柄変動開始処理（ステップＳ３０６）、特別図柄変動中処理（ステップＳ３０７）、または特別図柄確認時間中処理（ステップＳ３０８）が行われることになる。
【０３０９】
（１０−３．特別図柄変動開始処理：図３２）
図３２は、特別図柄動作ステータスが「待機中（０１Ｈ）」の場合に行われる「特別図柄変動開始処理（ステップＳ３０５）」の詳細を示すフローチャートである。この特別図柄変動開始処理は、所定の開始条件の成立に基づいて実行される変動開始時処理としての役割を果たす。
【０３１０】
図３２において、ＣＰＵ２０１は、まず特図２作動保留球数がゼロか否かを判定し（ステップＳ４０１）、特図２作動保留球数がゼロの場合（ステップＳ４０１：ＹＥＳ）、続いて特図１作動保留球数がゼロか否かを判定する（ステップＳ４０２）。ステップＳ４０１とＳ４０２の処理により、どちらの特別図柄を優先的に変動表示に供するか（消化していくか）の「優先変動順位」が定まる。
【０３１１】
本実施形態では、特図１作動保留球と特図２作動保留球の双方に作動保留球が存在する場合、特図２作動保留球が優先的に消化される「優先変動機能」を備えている。つまり特別図柄変動表示ゲーム１よりも特別図柄変動表示ゲーム２の方が優先的に実行されるようになっている。より詳しくは、特別図柄１または特別図柄２が停止表示されたことを条件に、上記第１の保留記憶エリア（第１の保留記憶手段（特別図柄１側の作動保留球に係る保留記憶エリア））に特別図柄１に関する保留データ（第１の保留記憶（特別図柄１側の保留記憶））が記憶されており上記第２の保留記憶エリア（第２の保留記憶手段（特別図柄２側の作動保留球に係る保留記憶エリア））に特別図柄２に関する第２の保留データ（第２の保留記憶（特別図柄２側の保留記憶））が記憶されていない場合には、当該第１の保留データのうちの最も先に記憶された保留データに基づく第１の特別図柄の変動表示を開始させる一方、当該第２の保留記憶エリアに当該第２の保留データが記憶されている場合には、その第１の保留記憶エリアに前記第１の保留データが記憶されているか否かにかかわらず、当該第２の保留データのうち最も先に記憶された保留データに基づく当該第２の特別図柄の変動表示を開始させるようになっている。
【０３１２】
特図２作動保留球数と特図１作動保留球数の双方に作動保留球数がゼロである場合（ステップＳ４０１：ＹＥＳ、かつステップＳ４０２：ＹＥＳ）、この「作動保留球なし」の状態は、特別図柄が待機中でかつ保留記憶なしの状態となった場合であり、この状態に突入したことを演出制御部２４側に報せる必要がある。このため、演出制御コマンドとして、デモ画面を表示させるための「デモ表示コマンド」を演出制御部２４に送信する（ステップＳ４１８）。ただし、作動保留球数がゼロの場合に条件なしにデモ表示コマンドを送信すると、特図作動保留球数がゼロである間は４ｍｓの周期でデモ表示コマンドの送信を繰り返すことになり、不必要な送信が発生する。そこでデモ表示コマンドが未送信であるか否かを判定し、デモ表示コマンドが未送信の場合は、デモ表示コマンドを演出制御部２４に送信し、既にデモ表示コマンドが送信済みである場合は、デモ表示コマンドを演出制御部２４に送信することなく、この特別図柄管理処理を抜けるようになっている。なお演出制御部２４は、このデモ表示コマンドを受けてから所定時間経過しても図柄変動表示ゲームに係る演出制御コマンド（たとえば、保留加算コマンド）を受けない場合は、変動表示動作が一定時間行われない状態（客待ち待機状態）が発生したとみなし、遊技待機状態中を報知する「デモ画面表示」を行うこととしている。
【０３１３】
特図１作動保留球数または特図２作動保留球数がゼロでない場合は（ステップＳ４０１：ＮＯまたはＳ４０２：ＮＯ）、今回の変動表示に供する作動保留球を対象とした図柄変動開始時の処理（ステップＳ４０３〜Ｓ４１７）を行う。なお、以下に説明するステップＳ４０３〜Ｓ４１７の処理については、上記のステップＳ４０１の判定で‘ＮＯ’であった場合は特図２作動保留球を、上記のステップＳ４０２の判定で‘ＮＯ’であった場合は特図１作動保留球を対象とした処理となり、基本的には、双方の作動保留球に係る処理内容は同じであるため、重複記載を避けるため、特に必要の無い限り、特別図柄１、２という区別はせずに説明する。
【０３１４】
ステップＳ４０３に進むと、今回の変動表示に供される作動保留球数を１減算し（ステップＳ４０３）、「保留減算コマンド」を演出制御部２４に送信する（ステップＳ４０４）。この保留減算コマンドには、減算後の作動保留球数情報が含まれる。
【０３１５】
次いで、特別図柄作動確認データを格納する（ステップＳ４０５）。この特別図柄作動確認データは、変動開始を行うこととなる特別図柄種別を指定する情報であり、たとえば、特別図柄１が変動開始状態であれば「００Ｈ」を、特別図柄２が変動開始状態であれば「０１Ｈ」を特別図柄作動確認データに格納する。
【０３１６】
次いで、ＲＡＭ２０３の保留記憶エリアに格納されている保留データをシフトして（ステップＳ４０６）、保留４記憶エリアをゼロクリアする（ステップＳ４０７）。このステップＳ４０６〜Ｓ４０７の処理では、保留記憶数ｎ＝１に対応する保留記憶エリア（保留１記憶エリア）に格納されている保留データ（大当り判定用乱数、特別図柄判定用乱数、変動パターン用乱数１、および変動パターン用乱数２）を読み出し、ＲＡＭ２０３の判定用乱数記憶エリアに格納するとともに、保留ｎ記憶エリア（ｎ＝２、３、４）に対応する保留記憶エリア（保留２記憶エリア、保留３記憶エリア、保留４記憶エリア）に格納されている保留データを、それぞれ作動保留球数＝ｎ−１に対応する保留記憶エリアに格納する。つまり、保留１記憶エリアの保留データを判定用乱数記憶エリアにシフトするとともに、保留２記憶エリア以降の保留データを１つずつ下位側の番号（保留２記憶エリア→保留１記憶エリア、保留３記憶エリア→保留２記憶エリア、保留４記憶エリア→保留３記憶エリア）にそれぞれシフトして上書きし、保留４記憶エリアに空き領域を設ける。これにより、特別図柄変動表示ゲームの開始順番は、作動保留球数ｎ（ｎ＝１、２、３、４）の順番と一致し、作動保留球が生じたときに取得された保留データがいずれの作動保留球に対応するものであるのかが特定され、新たな作動保留球の保留記憶が可能になる。
【０３１７】
そして、時短状態下における特別図柄の変動規定回数（時短回数）として定められている７０回転について、残りの時短回数があるか否かを判定して、残り時短回数がある場合は、その残り時短回数情報を含む「残り時短回数コマンド」を演出制御部２４に送信する（ステップＳ４０８）。この「残り時短回数コマンド」は、演出制御部２４側において、残りの時短回数情報を報知する際に利用される。
【０３１８】
次いで、特別電役物作動判定用乱数判定処理を行う（ステップＳ４０９）。特別電役物作動判定用乱数判定処理では、大当り判定用乱数値を利用し、今回の特別図柄変動表示ゲームに係る「当落抽選」を行う。なお、特別電役物作動判定用乱数判定処理は、「当落抽選」を行うといった点において‘先読み判定’処理の一つである「乱数判定処理（図１５のステップＳ３１９、図２８のステップＳ３３９、その詳細を示す図１６参照）」と同じような働きをする処理であり、ここでは‘変動開始時の判定’処理の一環として行われる。この特別電役物作動判定用乱数判定処理の詳細は図３３にて後述する。
【０３１９】
上記の特別電役物作動判定用乱数判定処理を終えると、特別停止図柄作成処理を行う（ステップＳ４１０）。特別停止図柄作成処理では、特別電役物作動判定用乱数判定処理の当落抽選結果と特別図柄判定用乱数値を利用し、特別図柄変動表示ゲームに係る「図柄抽選」を行う。なお、特別停止図柄作成処理は、「図柄抽選」を行うといった点において‘先読み判定’処理の一つである「特別停止図柄データ作成処理（図１５のステップＳ３２２、図２８のステップＳ３３９、その詳細を示す図１８参照）」と同じような働きをする処理であり、ここでは‘変動開始時の判定’処理の一環として行われる。この特別図柄停止図柄作成処理の詳細は図３４にて後述する。
【０３２０】
上記の特別停止図柄作成処理を終えると、遊技状態移行準備処理を行う（ステップＳ４１１）。遊技状態移行準備処理では、遊技状態を移行させるための設定として、大当り遊技後に移行することとなる遊技状態を指定するために必要な設定を行う。ここで設定されたデータに基づき、大当り遊技後の遊技状態が確定される。この遊技状態移行準備処理の詳細は図３５にて後述する。
【０３２１】
上記遊技状態移行準備処理を終えると、特別図柄変動パターン作成処理を行う（ステップＳ４１２）。特別図柄変動パターン作成処理では、特別電役物作動判定用乱数判定処理の当落抽選結果、特別停止図柄作成処理の図柄抽選結果、変動パターン用乱数１、および変動パターン用乱数２を利用し、今回の変動表示動作に供されることとなる特別図柄の変動パターンを決定するとともに、その変動パターンに対応する変動パターン指定コマンドを作成する。なお、特別図柄変動パターン作成処理は、特別図柄の変動パターンを決定するといった点において‘先読み判定’処理の一つである始動口入賞時乱数判定処理および保留加算コマンドに関する作成処理（図１５のステップＳ３２３〜Ｓ３２５、図２８のステップＳ３４３〜Ｓ３４５、図２３参照）と同じような働きをする処理であり、ここでは‘変動開始時の判定’処理の一環として行われる。この特別図柄変動パターン作成処理の詳細は図３８にて後述する。
【０３２２】
次いで、変動表示中である旨を指定する特別図柄Ｎ変動中フラグ（Ｎ＝１、２）に５ＡＨ（ＯＮ状態）を格納する（ステップＳ４１３）。この特別図柄変動中フラグとは、特別図柄表示装置３８ａ、３８ｂの作動状態、具体的には、特別図柄の表示状態の判定に利用されるフラグで、当該フラグがＯＮ状態（＝５ＡＨ）である場合には特別図柄が変動中である旨を示し、当該フラグがＯＦＦ状態（＝００Ｈ）である場合には特別図柄が変動停止中である旨を示す。なお、特別図柄１変動中フラグ（Ｎ＝１）は特別図柄１側に対応し、特別図柄２変動中フラグ（Ｎ＝２）は特別図柄２側に対応する。
【０３２３】
次いで、上記ステップＳ４１０の特別停止図柄作成処理の図柄抽選結果に基づき、装飾図柄指定コマンドを作成し（ステップＳ４１４）、演出制御部２４に送信する（ステップＳ４１５）。この装飾図柄指定コマンドには、特別図柄種別（処理対象となった特別図柄の情報）と当選種別情報（大当りの種類、小当り、ハズレの別）とが含まれ、演出制御部２４側において、図柄変動表示ゲーム中に現出すべき演出や、装飾図柄の抽選（たとえば、リーチ状態を形成する際の装飾図柄の組合せや、最終的に停止表示させる装飾図柄（装飾停止図柄）の組合せ）などを決定する際に利用される。
【０３２４】
そしてステップＳ４１６の処理に進み、変動開始時設定処理として、特別図柄動作ステータス「変動中（０２Ｈ）」に切り替え（特別図柄動作ステータスに０２Ｈを格納）、判定用乱数記憶エリアに００Ｈを格納する（ゼロクリアする）。
【０３２５】
上述の特別図柄変動開始処理を抜けると、図１４の特別図柄表示データ更新処理（ステップＳ３０９）を行い、かくして特別図柄の変動表示が開始されることになる。これにより、特別図柄管理処理を抜けて、図９の特別電動役物管理処理（ステップＳ６０）に進む。
【０３２６】
（１０−３−１．特別電役物作動判定用乱数判定処理（変動開始時当落判定処理）：図３３）
次に、上記の特別電役物作動判定用乱数判定処理（ステップＳ４０９）について説明する。図３３は、図３２の特別電役物作動判定用乱数判定処理の詳細を示すフローチャートである。
【０３２７】
図３３において、ＣＰＵ２０１は、まず特別図柄作動確認データに基づき、特図１用当り乱数判定テーブル（図１７参照）か、または特図２用当り乱数判定テーブル（図２９参照）を取得し（ステップＳ４２１）、ＲＡＭ２０３の判定用乱数記憶エリアに格納されている大当り判定用乱数値を取得する（ステップＳ４２２）。
【０３２８】
次いで、変動開始時の乱数判定処理を行う（ステップＳ４２３）。この変動開始時の乱数判定処理は、入賞時の処理における特図１始動口チェック処理の乱数判定処理（図１５のステップＳ３１９、その詳細を示す図１６参照）、または特図２始動口チェック処理の乱数判定処理（図２８のステップＳ３３９、その詳細を示す図１６参照）と同じ処理内容となっている。すなわち、入賞時の乱数判定処理と変動開始時の乱数判定処理とは共通の処理モジュールとして構成されており、その結果、処理手順も同じ仕方となっている。同じプログラム構成を利用することができるようになっている。このように、入賞時の乱数判定処理と変動開始時の乱数判定処理とを共通の処理モジュールで構成し、共通のプログラムを利用することができるようにすることで、それぞれ別個独立した処理を設ける（別個独立したプログラムで記述する）よりも、プログラムに係るデータ量の削減に大きく寄与することができる。
【０３２９】
特に本実施形態のような、先読み予告演出を発生させて遊技性を高めるといった「先読み機能付き遊技機」においては、先読み判定に係る処理が増えることに起因して、プログラムを増加せざるを得ない状況が発生しうる。しかしながら、パチンコ店に設置するような風俗営業等の規制及び業務の適正化等に関する法律による７号営業を対象とした遊技機においては、同法律おける遊技機の認定及び型式の検定等に関する規則により、遊技動作全般の制御を司る主基板（本実施形態では、主制御部２０が該当する）に装着されるＲＯＭのプログラム容量が制限されているため（同規則別表第３  不正な改造その他の変更を防止するための遊技機の構造に係る技術上の規格（第６条関係））、プログラムの削減は重要な意義を有している。本実施形態では、このような課題を解決できる遊技機を提供することができる。
【０３３０】
上記の乱数判定処理（ステップＳ４２３）では、ステップＳ４２１で取得した当り乱数判定テーブルを参照して、ステップＳ４２２で取得した大当り判定用乱数値と判定値とを比較し、大当り判定用乱数値がいずれの判定値に属するかを判定し、大当り判定用乱数値が属する判定値が決定されると、その判定値と現在の大当り抽選確率状態とに基づき、大当り判定フラグと小当り判定フラグとを取得する。そして、取得した大当り判定フラグの状態（５ＡＨまたは００Ｈ）と小当り判定フラグの状態（５ＡＨまたは００Ｈ）をレジスタ（ＡレジスタとＤレジスタ）に取り込んだ状態で、この乱数判定処理を抜ける。このように、ステップＳ４２３における一連の処理手順は、入賞時処理の乱数判定処理（ステップＳ３１９またはステップＳ３３９：特に図１６参照）と同じである。
【０３３１】
ステップＳ４２３の乱数判定処理を抜けると、各レジスタに保持された大当り判定フラグと小当り判定フラグとを、ＲＡＭ２０３の当り判定フラグ領域に格納する（ステップＳ４２４）。ここで、特別電役物作動判定用乱数判定処理において共通の処理モジュールとして利用される乱数判定処理により得られたデータをＲＡＭ２０３に格納する理由は次の通りである。特別電役物作動判定用乱数判定処理において得られたデータ（大当り判定フラグ、小当り判定フラグ）は、後々、特別図柄の変動パターンの決定や大当り遊技を実行する際に必要となるデータだからである。したがって、特別電役物作動判定用乱数判定処理により得られたデータは、ＲＡＭ２０３に格納してから処理を終えるといった処理手順となっている。上記ステップＳ４２４の処理を終えると、特別電役物作動判定用乱数判定処理を抜けて、図３２の特別停止図柄作成処理（ステップＳ４１０）に進む。
【０３３２】
（１０−３−２．特別停止図柄作成処理（変動開始時特別停止図柄判定処理）：図３４）
次に、上記の特別停止図柄作成処理（ステップＳ４１０）について説明する。図３４は、図３２の特別停止図柄作成処理の詳細を示すフローチャートである
【０３３３】
図３４において、ＣＰＵ２０１は、まず特別図柄作動確認データに基づき、特図１用図柄テーブル選択テーブル（図１９参照）か、または特図２用図柄テーブル選択テーブル（図３０参照）を取得する（ステップＳ４２５）。
【０３３４】
次いで、ＲＡＭ２０３に格納された特別図柄判定用乱数値を取得し（ステップＳ４２６）、ステップＳ４０９の特別電役物作動判定用乱数判定処理で得られた当落抽選結果、つまり大当り判定フラグと小当り判定フラグとを取得する（ステップＳ４２７）。
【０３３５】
次いで、変動開始時の特別停止図柄データ作成処理を行う（ステップＳ４２８）。この変動開始時の特別停止図柄データ作成処理は、入賞時の処理における特図１始動口チェック処理の特別停止図柄データ作成処理（図１５のステップＳ３２２、その詳細を示す図１８参照）、または特図２始動口チェック処理の特別停止図柄データ作成処理（図２８のステップＳ３４２、その詳細を示す図１８参照）と同じ処理内容となっている。すなわち、入賞時の特別停止図柄データ作成処理と変動開始時の特別停止図柄データ作成処理とは共通の処理モジュールとして構成されており、その結果、これらの処理手順も同じ仕方となっている。このように、入賞時処理における特別停止図柄データ作成処理と変動開始時処理における特別停止図柄作成処理の特別停止図柄データ作成処理とを同じモジュール構成として共通のプログラムを利用することにより、双方を別個独立したプログラムで記述するよりもプログラムに係るデータ量の削減することができるようになっている。本実施形態では、乱数判定処理に加え、特別停止図柄データ作成処理をも入賞時と変動開始時とを同じモジュール構成とし、さらなるプログラム量の削減に寄与することができるようになっている。
【０３３６】
上記の特別停止図柄データ作成処理（ステップＳ４２８）では、ステップＳ４２５で取得した図柄テーブル選択テーブルを参照して、ステップＳ４０９の特別電役物作動判定用乱数判定処理で得られた当落抽選結果に応じた図柄テーブル（図２０〜図２２、図３１参照）を取得する。次いで、その取得した図柄テーブルを参照して、ステップＳ４２６で取得した特別図柄判定用乱数値と当該図柄テーブルの判定値とを比較し、特別図柄判定データ、特別停止図柄番号、および変動パターン選択用オフセットを取得する。そして取得した特別図柄判定データ、特別停止図柄番号、および変動パターン選択用オフセットをレジスタ（Ａレジスタ、Ｂレジスタ、およびＣレジスタ）に取り込んだ状態で、この特別停止図柄データ作成処理を抜ける。このように、ステップＳ４２８における一連の処理手順は、入賞時処理の特別停止図柄データ作成処理（ステップＳ３２２またはステップＳ３４２：特に図１８参照）と同じである。
【０３３７】
ステップＳ４２８の特別停止図柄データ作成処理を抜けると、各レジスタに保持された、特別図柄判定データ、特別停止図柄番号、および変動パターン選択用オフセットを、それぞれに対応して設けられたＲＡＭ２０３のワーク領域に格納する（ステップＳ４２９）。ＲＡＭ２０３には、特別図柄判定データを格納するための特別図柄判定データ記憶領域、特別停止図柄番号を格納するための特別図柄停止図柄番号記憶領域、変動パターン選択用オフセットを格納するための変動パターン選択用オフセット記憶領域が設けられている。ここで、特別停止図柄作成処理において共通の処理モジュールとして利用される特別停止図柄データ作成処理により得られたデータをＲＡＭ２０３に格納する理由は次の通りである。特別停止図柄作成処理において得られたデータ（特別図柄判定データ、特別停止図柄番号、および変動パターン選択用オフセット）は、上述したステップＳ４０９の特別電役物作動判定用乱数判定処理で得られたデータと同じく、後々、特別図柄の変動パターンの決定や大当り遊技を実行する際に必要となるデータだからである。したがって、特別停止図柄作成処理により得られたデータは、ＲＡＭ２０３に格納してから処理を終えるといった処理手順となっている。上記ステップＳ４２９の処理を終えると、特別停止図柄作成処理を抜けて、図３２の遊技状態移行準備処理（ステップＳ４１１）に進む。
【０３３８】
（７−１−３−３．遊技状態移行準備処理：図３５）
次に、上記の遊技状態移行準備処理（ステップＳ４１１）について説明する。図３５は、図３２の遊技状態移行準備処理の詳細を示すフローチャートである
【０３３９】
図３５において、ＣＰＵ２０１は、まず大当り判定フラグを取得し、大当り判定フラグの状態を判定する（ステップＳ４３１）。大当り判定フラグがＯＦＦ状態（＝００Ｈ）の場合、何もしないで遊技状態移行準備処理を抜ける（ステップＳ４３１：≠５ＡＨ）。
【０３４０】
大当り判定フラグがＯＮ状態（＝５ＡＨ）の場合（ステップＳ４３１：＝５ＡＨ）、遊技状態移行テーブル選択テーブルを取得する（ステップＳ４３２）。
【０３４１】
次いで、取得した遊技状態移行テーブル選択テーブルを参照して、遊技状態判定番号（ＹＪ）と大当り種別（特別図柄判定データ）とに応じた遊技状態移行テーブルを取得する（ステップＳ４３２）。
【０３４２】
（Ｔ−１１．遊技状態移行テーブル選択テーブル：図３６）
図３６に、上述の遊技状態移行テーブル選択テーブルを示す。本実施形態の遊技状態移行テーブル選択テーブルには、図示のように、遊技状態判定番号（ＹＪ）と特別図柄判定データとに関連付けられた遊技状態移行テーブル（テーブル種別：「ＪＴＴＢＬ−１」〜「ＪＴＴＢＬ−５」）が定められている。具体的には、遊技状態判定番号（ＹＪ）と特別図柄判定データとに基づき、複数種類の遊技状態移行テーブルのうちからいずれか一つの遊技状態移行テーブルが選択されるようになっている。
【０３４３】
ここで「遊技状態判定番号（ＹＪ）」とは、通常遊技状態、確変状態、時短状態、または潜確状態といった電サポ状態の有無と大当り抽選確率状態とで区別される内部遊技状態を識別するデータである。図７１の変動パターン振分指定番号表を参照して説明すれば、遊技状態判定番号（ＹＪ）が「００Ｈ」の場合は大当り抽選確率が低確（低確率状態）および電サポ無し状態である「通常遊技状態」を、「０１Ｈ」の場合は大当り抽選確率が高確（高確率状態）および電サポ無し状態である「潜確状態」を、「０２Ｈ」の場合は大当り抽選確率が低確および電サポ有り状態である「時短状態」を、「０３Ｈ」の場合は大当り抽選確率が高確および電サポ有り状態である「確変状態」をそれぞれ示す。したがって、遊技状態判定番号（ＹＪ）は上記のような内部遊技状態を識別する点で、変動パターン振分指定番号（Ｔｃｏｄｅ）のように遊技状態そのものを識別するデータとは異なる。
【０３４４】
（Ｔ−１２．遊技状態移行テーブル：図３７）
図３７に、上述の遊技状態移行テーブルを示す。本実施形態の遊技状態移行テーブルには、図示のように、大当り遊技後の遊技状態を指定するために必要となるデータ群が定められている。具体的には、ＲＡＭ２０３に設けられた、普電役物開放延長移行状態バッファ、普通図柄時短移行状態バッファ、普通図柄確変移行状態バッファ、特別図柄時短状態移行状態バッファ、特別図柄確変移行状態バッファ、特別図柄時短回数カウンタバッファ、特別図柄確変回数カウンタバッファ、変動パターン振分指定番号バッファ、および特別図柄変動回数カウンタバッファに格納するための各種データが定められている。これら各バッファに格納された値は、必要なタイミングで読み出され、ＲＡＭ２０３に設けられた所定のフラグ記憶領域や所定のカウンタ記憶領域に設定される。以下に各バッファの役割について説明する。
【０３４５】
（普電役物開放延長移行状態バッファ）
「普電役物開放延長移行状態バッファ」は、普電役物開放延長状態フラグの設定を行うために利用される。「普電役物開放延長状態フラグ」とは、開放延長機能の作動状態を指定するためのフラグで、当該フラグがＯＮ状態（＝５ＡＨ）である場合には開放延長機能作動中の「電サポ有り状態」である旨を示し、当該フラグがＯＦＦ状態（＝００Ｈ）である場合には開放延長機能非作動の「電サポ無し状態」である旨を示す。
【０３４６】
（普通図柄時短移行状態バッファ）
「普通図柄時短移行状態バッファ」は、普通図柄時短状態フラグの設定を行うために利用される。「普通図柄時短状態フラグ」とは、普通図柄時短機能の作動状態を指定するためのフラグで、当該フラグがＯＮ状態（＝５ＡＨ）である場合には普通図柄時短機能作動中の「普通図柄時短状態」である旨を示し、当該フラグがＯＦＦ状態（＝００Ｈ）である場合には普通図柄短機能非作動の「普通図柄非時短状態」である旨を示す。
【０３４７】
（普通図柄確変移行状態バッファ）
「普通図柄確変移行状態バッファ」は、普通図柄確変状態フラグの設定を行うために利用される。「普通図柄確変状態フラグ」とは、補助当り抽選確率状態、つまり普通図柄確変機能の作動状態を指定するためのフラグで、当該フラグがＯＮ状態（＝５ＡＨ）である場合には普通図柄確変機能作動中の「補助当り確変状態」である旨を示し、当該フラグがＯＦＦ状態（＝００Ｈ）である場合には普通図柄確変機能非作動の「補助当り低確率状態」である旨を示す。
【０３４８】
（特別図柄時短状態移行状態バッファ）
「特別図柄時短状態移行状態バッファ」は、特別図柄時短状態フラグの設定を行うために利用される。「特別図柄時短状態フラグ」とは、特別図柄時短機能の作動状態を指定するためのフラグで、当該フラグがＯＮ状態（＝５ＡＨ）である場合には特別図柄時短機能作動中の「特別図柄時短状態」である旨を示し、当該フラグがＯＦＦ状態（＝００Ｈ）である場合には特別図柄時短機能非作動の「特別図柄非時短状態」である旨を示す。
【０３４９】
（特別図柄確変移行状態バッファ）
「特別図柄確変移行状態バッファ」は、特別図柄確変状態フラグの設定を行うために利用される。「特別図柄確変状態フラグ」とは、大当り抽選確率状態、つまり特別図柄確変機能の作動状態を指定するためのフラグで、当該フラグがＯＮ状態（＝５ＡＨ）である場合には特別図柄確変機能作動中の「高確率状態」である旨を示し、当該フラグがＯＦＦ状態（＝００Ｈ）である場合には特別図柄確変機能非作動の「低確率状態」である旨を示す。
【０３５０】
（特別図柄時短回数カウンタバッファ）
「特別図柄時短回数カウンタバッファ」は、特別図柄時短回数カウンタに時短回数の設定を行うために利用される。本実施形態では、時短状態下における特別図柄の変動規定回数として、７０回が設定される。
【０３５１】
（特別図柄確変回数カウンタバッファ）
「特別図柄確変回数カウンタバッファ」は、特別図柄確変回数カウンタに確変回数の設定を行うために利用される。本実施形態では、確変状態下における特別図柄の変動規定回数として、１００００回が設定される。
【０３５２】
（変動パターン振分指定番号バッファ）
「変動パターン振分指定番号バッファ」は、変動パターン振分指定番号（Ｔｃｏｄｅ）の設定を行うために利用される。
【０３５３】
（特別図柄変動回数カウンタバッファ）
「特別図柄変動回数カウンタバッファ」は、特別図柄変動回数カウンタに、遊技状態移行契機となる特別図柄の変動回数（以下、「遊技状態移行規定回数」と称する）の設定を行うために利用される。本実施形態では、一の遊技状態から他の遊技状態への移行契機となる特別図柄の変動規定回数として、７０回が設定される。なお本実施形態では、既に説明したように、大当りに当選することなく確変状態Ｃまたは確変状態Ａが継続した場合、上記遊技状態移行規定回数の７０回に達したこと（正確には、遊技状態移行規定回数の７０回が終了したこと）を条件に、確変状態Ｂに移行されるようになっている。換言すれば、大当りに当選することなく確変状態Ｃまたは確変状態Ａが継続し、そのときの特別図柄変動表示ゲーム１および２の合計実行回数（特別図柄１および特別図柄２の変動回数）、間接的には装飾図柄変動表示ゲームの実行回数が所定回数（遊技状態移行規定回数）に達したことを条件に確変状態Ｂに移行される。しかし遊技状態の移行条件は、これに限られない。たとえば、大当りに当選することなく確変状態Ｃまたは確変状態Ａが継続し、優先変動側の特別図柄変動表示ゲーム２の実行回数（特別図柄２の変動回数）が所定回数（遊技状態移行規定回数）に達したことを条件に確変状態Ｂに移行させても良い。
【０３５４】
上記の各バッファに各遊技状態移行テーブルが指定する各種データが格納されると、大当り遊技終了後の遊技状態が指定されることになる。図示のように、「ＪＴＴＢＬ−１」は時短状態、「ＪＴＴＢＬ−２」は潜確状態、「ＪＴＴＢＬ−３」は確変状態Ｃ、「ＪＴＴＢＬ−４」は確変Ａ、「ＪＴＴＢＬ−５」は確変Ｂに移行させるための遊技状態移行テーブルとなっている（特に、図中の「移行先遊技状態種別」の欄参照）。
【０３５５】
再び図３５の説明に戻り、ステップＳ４３２の処理を終えると、状態バッファ設定処理を行う（ステップＳ４３３）。この状態バッファ設定処理では、取得した遊技状態移行テーブルを参照して、上述の普電役物開放延長移行状態バッファ、普通図柄時短移行状態バッファ、普通図柄確変移行状態バッファ、特別図柄時短状態移行状態バッファ、特別図柄確変移行状態バッファ、特別図柄時短回数カウンタバッファ、特別図柄確変回数カウンタバッファ、変動パターン振分指定番号バッファ、および特別図柄変動回数カウンタバッファの各バッファに、当該遊技状態移行テーブルから導出される該当値を格納する。これらバッファに格納された値は、後述する図６３の大当り終了処理中のステップＳ５９４でＲＡＭ２０３の所定領域（各々のバッファに対応したフラグ記憶領域やカウンタ記憶領域）に格納される。これにより、遊技状態移行準備処理を抜けて、図３２の特別図柄変動パターン作成処理（ステップＳ４１２）に進む。
【０３５６】
（１０−３−４．特別図柄変動パターン作成処理（変動開始時変動パターン判定処理）：図３８）
次に、上記の特別図柄変動パターン作成処理（ステップＳ４１２）について説明する。図３８は、図３２の特別図柄変動パターン作成処理の詳細を示すフローチャートである。
【０３５７】
この特別図柄変動パターン作成処理では、今回の変動表示動作に供されることとなる特別図柄の変動パターンの決定処理として、（Ａ）特別図柄の変動パターンのベースとなる基本的な内容（基本パターン）を決定する際に利用される変動パターン振分テーブル第１階層を選択するための「変動パターン振分テーブル第１階層決定処理（ステップＳ４４１〜Ｓ４４２）」と、（Ｂ）変動パターン振分テーブル第１階層に基づき、基本パターンを決定するとともに、特別図柄の変動パターンの具体的内容（詳細パターン）を決定する際に利用される変動パターン振分テーブル第２階層を選択するための「基本パターン決定処理（ステップＳ４４３〜Ｓ４４４）」と、（Ｃ）変動パターン振分テーブル第２階層に基づき、特別図柄の変動パターンの具体的内容（詳細パターン）と特別図柄の変動時間とを決定するための「詳細パターン決定処理（ステップＳ４４５〜Ｓ４４７）」と、（Ｄ）変動パターン指定コマンドを作成するための「変動パターン指定コマンド作成処理（ステップＳ４４８）」とが含まれる。斯様な特別図柄変動パターン作成処理は、図柄変動表示ゲームにおける遊技図柄の変動パターンを選択決定するための変動態様選択手段としての役割を果たす。なお「基本パターン」とは、複数種類の変動パターンをその変動態様の特徴に着目して、同じ系統の変動パターンを纏めて分類した「変動パターン種別」である。これに対し「詳細パターン」とは、その変動パターン種別に含まれる「個々の変動パターン」を指す。たとえば、弱ＳＰリーチを伴う変動パターン種別には、変動パターンが弱ＳＰリーチ１を伴う変動パターン、弱ＳＰリーチ２を伴う変動パターン、および弱ＳＰリーチ３を伴う変動パターンが含まれる場合、これら３種類の変動パターンが詳細パターンに相当する。以下、これらの処理について詳細に説明していく。
【０３５８】
（Ａ）変動パターン振分テーブル第１階層決定処理（ステップＳ４４１〜Ｓ４４２）
図３８において、ＣＰＵ２０１は、まず変動パターン振分テーブル選択テーブル（図３９参照）を取得し（ステップＳ４４１）、次いで、その変動パターン振分テーブル選択テーブルを参照して、特別図柄判定データと変動パターン選択用オフセットと変動パターン振分指定番号（Ｔｃｏｄｅ）と作動保留球数と、に応じた変動パターン振分テーブル第１階層（図４０参照）を取得する（ステップＳ４４２）。
【０３５９】
（Ｔ−１３．変動パターン振分テーブル選択テーブル：図３９）
図３９に、上述の変動パターン振分テーブル選択テーブルを示す。本実施形態の変動パターン振分テーブル選択テーブルには、図示のように、特別図柄判定データ（当選種別）と変動パターン選択用オフセットと変動パターン振分指定番号（Ｔｃｏｄｅ）と作動保留球数とに関連付けられた変動パターン振分テーブル第１階層（テーブル種別：テーブルＡ１〜Ａ１４（当り用）、Ｈ１〜Ｈ１３（ハズレ用））が定められている。具体的には、特別図柄判定データ（当選種別）と変動パターン選択用オフセットと変動パターン振分指定番号（Ｔｃｏｄｅ）と作動保留球数とに基づき、複数種類の変動パターン振分テーブル第１階層のうちからいずれか１つの変動パターン振分テーブル第１階層が選択されるようになっている。
【０３６０】
（Ｂ）基本パターン決定処理：ステップＳ４４３〜Ｓ４４４）
ステップＳ４４１で上記変動パターン振分テーブル第１階層を選択して取得した後、次いで、ＲＡＭ２０３の判定用乱数記憶エリアに格納されている変動パターン用乱数値１を取得する（ステップＳ４４３）。そして、取得した変動パターン振分テーブル第１階層を参照して、変動パターン用乱数値１を利用した抽選により、変動開始コマンドデータ１、変動加算時間（加算時間）データ、および変動パターン振分テーブル第２階層を取得する（ステップＳ４４４）。
【０３６１】
上記変動パターン振分テーブル第１階層について説明する。この変動パターン振分テーブル第１階層は、特別図柄の変動パターンのベースとなる基本パターンを決定するためのテーブルである。変動パターン振分テーブル第１階層には、当り（大当りまたは小当り）時に選択される当り変動パターン振分テーブル第１階層と、ハズレ時に選択されるハズレ変動パターン振分テーブル第１階層とが含まれる。
【０３６２】
（Ｔ−１４．当り変動パターン振分テーブル第１階層：図４０）
図４０に、当り変動パターン振分テーブル第１階層を示す。本実施形態の当り変動パターン振分テーブル第１階層には、図示のように、変動開始コマンドデータ１（図中「コマンド」と表記）と、加算時間データと、当り変動パターン振分テーブル第２階層（テーブル種別：ＡＡ１〜ＡＡ１５（後述の図４２参照））とを関連付けて定めた区分（行方向の区分）が複数種類定められており、変動パターン用乱数値１を利用した抽選により、当該複数種類の区分のうちからいずれか一つの区分が選択されるように、その選択率が定められている。具体的には、たとえば、当り変動パターン振分テーブル第１階層Ａ１においては、「変動開始コマンドデータ１＝Ａ５Ｈ、加算時間無し（０秒）、当り変動パターン振分テーブル第２階層ＡＡ１」が定まる区分が１／２３９、「変動開始コマンドデータ１＝Ａ６Ｈ、加算時間無し（０秒）、および当り変動パターン振分テーブル第２階層ＡＡ２」が定まる区分が５／２３９、・・・、「変動開始コマンドデータ１＝Ａ７Ｈ、加算時間２０秒、および当り変動パターン振分テーブル第２階層ＡＡ６」が定まる区分が７０／２３９、「変動開始コマンドデータ＝Ａ８Ｈ、加算時間無し３０秒、および当り変動パターン振分テーブル第２階層‘ＡＡ７’」が定まる区分が６３／２３９でそれぞれ選択されるようになっている。なお、図中の「第１階層判定内容」の欄には、当り変動パターン振分テーブル第１階層により指定される基本パターンの内容を示してある。
【０３６３】
ここで「変動開始コマンドデータ１」とは、変動パターン指定コマンドの上位バイト側（ＭＯＤＥ）を定めるために利用されるデータである。なお、変動開始コマンドデータ１には、基本パターンの内容を異にするが、データを共通にするものが含まれている。本実施形態では、最終的な特別図柄の変動パターンは、上述の変動開始コマンドデータ１と後述の変動パターン振分テーブル第２階層により定まる変動開始コマンドデータ２との組合せで指定されるようになっている。
【０３６４】
上記「加算時間」とは、疑似連が行われる区間を定めた時間幅であり、１または複数回の疑似変動はこの時間幅で行なわれる。たとえば、コマンド「Ａ６Ｈ」に対応する‘疑似２連＋弱ＳＰリーチ’では、疑似変動２回を伴う‘疑似２連演出’を１０秒間行った後、本変動として、リーチ状態が形成され、このときのリーチ演出種別が‘弱ＳＰリーチ’を伴う変動パターンであることを意味している。つまり、疑似連を伴う変動パターンにおいては、疑似変動に要する時間幅が上記変動パターン振分テーブル第１階層で定まり、本変動に要する時間幅（ここでは、弱ＳＰリーチを現出するために要する時間幅）が後述の変動パターン振分テーブル第２階層で定まるようになっている。
【０３６５】
ここで、図３９の変動パターン振分テーブル選択テーブルを参照すると、当り入賞コマンド振分テーブルＡ１〜Ａ１４においては、通常遊技状態または潜確状態の場合はＡ１〜Ａ６が選択され、時短状態または確変状態Ｃの場合はＡ７〜Ａ１１が選択され、確変状態Ａまたは確変状態Ｂの場合はＡ１２〜Ａ１４が選択されるようになっている。したがって、先読み判定が「当り」の場合、通常遊技状態と潜確状態とで、また時短状態と確変状態Ｃとで、また確変状態Ａと確変状態Ｂとで、共通する複数種類の変動パターン種別のうちからいずれか１つの変動パターン種別が指定されることになる。
【０３６６】
なお上記当り変動パターン振分テーブル第１階層と、既に説明した図２５の当り入賞コマンド振分テーブルとを比較参照すれば、当り変動パターン振分テーブル第１階層Ａ１〜Ａ１４における基本パターンの内容（図中「第１階層判定内容」欄参照）とその変動パターンが選択される選択率は、当り入賞コマンド振分テーブルＡ１〜Ａ１４のものと一致した形態となっている。つまり、一の作動保留球の先読み変動パターンの内容と当該作動保留球が変動表示動作の実行に供される際の特別図柄の基本パターンの内容とが一致するようになっている（図２４の入賞コマンド振分テーブル選択テーブル、図３９の変動パターン振分テーブル選択テーブル、図４０の「第１階層判定内容」欄、および図２５の「先読み変動パターン指定内容」欄を参照）。
【０３６７】
このようにする理由は、次の通りである。演出制御部２４側では、入賞時には、先読み変動パターン情報が含まれる「保留加算コマンド」に基づき先読み予告演出を決定し、変動開始時には、特別図柄の変動パターン情報が含まれる「変動パターン指定コマンド」に基づき、図柄変動表示ゲーム中の予告演出を決定している。したがって、先読み変動パターンと基本パターンとが一致しないようにしてしまうと、たとえば、一の作動保留球を対象とする何らかの先読み予告演出が現出された場合、当該先読み予告演出の内容と当該作動保留球を対象とした図柄変動表示ゲーム中に現出される演出の内容とで辻褄が合わなかったり、矛盾が生じたりするという不具合が生じうる。
【０３６８】
この問題点について具体例を挙げて説明すれば、たとえば、先読み予告演出の一つとして、大当り当選期待度が相対的に高い「高期待度先読み予告演出（たとえば、保留表示変化系の先読み予告演出において、大当り当選期待度が相対的に高まる「金色」の保留表示に変化させる保留系変化の先読み予告演出）」を現出可能に構成している場合、当該先読み予告演出では大当りの当選期待度が高い旨が報知されているにもかかわらず、その作動保留球を対象とした図柄変動表示ゲーム中に現出される演出が、何ら煽り演出（たとえば、リーチ演出）も現出されずに、何事も無く（通常変動のように）当該図柄変動表示ゲームが終了されてしまう可能性がある。また、先読み予告演出の一つとして、大当り当選を確定的に報知するプレミアム的な「当確先読み予告演出（たとえば、保留表示変化系の先読み予告演出において、大当り当選を条件に、艶やかな「虹色」の保留表示に変化させる「一発告知系（当確報知系）」の先読み予告演出）」を現出可能に構成している場合、当該先読み予告演出では「大当りの当選確定」が報知されているにもかかわらず、その作動保留球を対象とした図柄変動表示ゲームの結果が「ハズレ」となってしまう場合もありうる。これらのケースが頻発した場合、遊技機に対する不信感を招来し、遊技者の遊技意欲を低下させてしまう恐れがある。したがって本実施形態では、入賞時に定まる先読み変動パターンと変動開始時に定まる基本パターンとに有機的関連性を持たせ、演出制御部２４側がこれらの演出を決定する際に、双方の内容を極力背理させないようにしている。
【０３６９】
（Ｔ−１５．ハズレ変動パターン振分テーブル第１階層：図４１）
図４１に、ハズレ変動パターン振分テーブル第１階層を示す。本実施形態のハズレ変動パターン振分テーブル第１階層には、図示のように、変動開始コマンドデータ１（図中「コマンド」と表記）と、加算時間データと、ハズレ変動パターン振分テーブル第２階層（テーブル種別：ＨＨ１〜ＨＨ１９（後述の図４３参照））とを関連付けて定めた区分（行方向の区分）が複数種類定められており、変動パターン用乱数値１を利用した抽選により、当該複数種類の区分のうちからいずれか一つの区分が選択されるように、その選択率が定められている。なおテーブルの基本的構成は、図示のように、上述した当り変動パターン振分テーブル第１階層と同じである。
【０３７０】
ここで、図３９の変動パターン振分テーブル選択テーブルを参照すると、ハズレ変動パターン振分テーブル第１階層Ｈ１〜Ｈ１９においては、通常遊技状態の場合はＨ１〜Ｈ４（ハズレＡの場合）、Ｈ５（ハズレＢの場合）が選択され、潜確状態はＨ１〜Ｈ４（ハズレＡの場合）、Ｈ６（ハズレＢの場合）が選択され、時短状態または確変状態Ｃの場合はＨ７〜Ｈ９が選択され、確変状態Ａの場合はＨ１０〜Ｈ１２が選択され、確変状態Ｂの場合はＨ１３が選択されるようになっている。したがって、「ハズレ」の場合、通常遊技状態と潜確状態とで、また時短状態と確変状態Ｃとで、共通する複数種類の変動パターン種別のうちからいずれか１つの変動パターン種別が指定されることになる。なお、通常遊技状態中のハズレＢの場合と潜確状態中のハズレＢの場合とについては、異なるハズレ入賞コマンド振分テーブルＨ５、Ｈ６となっているが、これらのテーブルを参照すれば、図示のように、共通する複数種類の変動パターン種別のうちからいずれか１つの変動パターン種別が指定されることに変わりはなく、特定の変動パターン種別の選択率が異なるだけである。具体的には、先読み判定時と同じ選択の仕方となっており、通常遊技状態中のハズレＢの場合、大当り当選期待度が相対的に低いリーチ種別（Ｎリーチ、疑似２連＋Ｎリーチ、弱ＳＰリーチ、疑似２連＋弱ＳＰリーチ）の選択率が潜確状態中の場合よりも高く、大当り当選期待度が相対的に高いリーチ種別（疑似２連＋通常中弱ＳＰリーチ、疑似３連＋通常中弱ＳＰリーチ、通常中強ＳＰリーチ、疑似２連＋通常中強ＳＰリーチ）の選択率（抽選確率）が潜確状態中の場合よりも低くなっている（ハズレ変動パターン振分テーブル第１階層Ｈ５およびＨ６参照）。
【０３７１】
ここで、上記ハズレ変動パターン振分テーブル第１階層と、既に説明した図２６のハズレ入賞コマンド振分テーブルとを比較参照すれば、ハズレ変動パターン振分テーブル第１階層Ｈ１、Ｈ５〜Ｈ１０、Ｈ１２、およびＨ１３における基本パターン（図中「基本パターン」欄参照）とそのパターンが選択される選択率は、当り入賞コマンド振分テーブルＨ１、Ｈ５〜Ｈ１０、Ｈ１２、およびＨ１３のものと一致した形態となっている。つまり、一の作動保留球の先読み変動パターンと当該作動保留球が変動表示動作の実行に供される際の特別図柄の基本パターンとが一致するようになっている（図２４の入賞コマンド振分テーブル選択テーブル、図３９の変動パターン振分テーブル選択テーブル、図４１の「第１階層判定内容」欄、および図２６の「先読み変動パターン指定内容」欄を参照）。このように一致させる理由は、上述した通りであり、ハズレ時においても、入賞時に定まる先読み変動パターンと変動開始時に定まる基本パターンとに有機的関連性を持たせ、演出制御部２４側がこれらの演出を決定する際に、双方の内容を極力背理させないようにしている。なお、上記ハズレ変動パターン振分テーブル第１階層には、ハズレ入賞コマンド振分テーブルに対応しないハズレ変動パターン振分テーブル第１階層Ｈ２〜Ｈ４、およびＨ１１が含まれるが、これらはハズレ用入賞コマンド振分テーブル選択テーブルにおいて作動保留球数に応じて選択されるものであり、当該テーブルＨ２〜Ｈ４は同テーブルＨ１と、テーブルＨ１１は同テーブルＨ１０およびＨ１２と選択されうる基本パターンの内容は同一であり、その選択率が異なるだけである。
【０３７２】
（Ｃ）詳細パターン決定処理（ステップＳ４４５〜Ｓ４４８）
ステップＳ４４４で変動開始コマンドデータ１、加算時間、および変動パターン振分テーブル第２階層を取得した後、次いで、ＲＡＭ２０３の判定用乱数記憶エリアに格納されている変動パターン用乱数値２を取得する（ステップＳ４４５）。
【０３７３】
次いで、ステップＳ４４４で取得した変動パターン振分テーブル第２階層を参照して、変動パターン用乱数値２を利用した抽選により、変動開始コマンドデータ２と時間テーブルとを取得する（ステップＳ４４６）。ステップＳ４４１〜Ｓ４４６までの処理により、変動開始コマンドデータ１、加算時間、変動開始コマンドデータ２、および時間テーブル（図４４参照）が取得される。
【０３７４】
次いで、上記時間テーブルを参照し、特別図柄の変動時間（疑似連を伴う場合は、加算時間を含む）をＲＡＭ２０３のタイマ管理領域である「特別図柄役物動作タイマ」に格納する（ステップＳ４４７）。これにより、特別図柄の変動時間が決定される。この変動時間が今回の図柄変動表示ゲーム（図柄遊技）の遊技時間とされる。なお、上記特別図柄役物動作タイマには、特別図柄の変動時間の他、パチンコ遊技機１の遊技動作制御に係る複数種類の動作時間が処理状態に応じて設定される。つまり、１つのタイマにより複数種類の動作時間が管理可能となっており、各々の動作時間が当該タイマに重複設定されないように遊技動作処理手順が組まれている。これにより、ＲＡＭ２０３において、各々のタイマに対応した複数種類のタイマ管理領域を設けるよりも、プログラム領域やワーク領域を削減することができるようになっている。
【０３７５】
（Ｄ）変動パターン指定コマンド作成処理（ステップＳ４４８）
次いで、ステップＳ４４４で取得した変動開始コマンドデータ１と、ステップＳ４４７で取得した変動開始コマンドデータ２とに基づき、変動パターン指定コマンドを作成し（ステップＳ４４８）、これをＲＡＭ２０３に格納することなく、演出制御部２４に送信する（ステップＳ４４９）。これにより特別図柄変動パターン作成処理を抜けて、図３２のステップＳ４１３の処理に進む。
【０３７６】
上述した変動パターン振分テーブル第２階層について説明する。この変動パターン振分テーブル第２階層は、特別図柄の詳細パターンを決定するためのテーブルである。変動パターン振分テーブル第２階層には、当り（大当りまたは小当り）時に選択される当り変動パターン振分テーブル第２階層（図４２）と、ハズレ時に選択されるハズレ変動パターン振分テーブル第２階層とが含まれる（図４３）。
【０３７７】
（Ｔ−１６．当り変動パターン振分テーブル第２階層：図４２）
図４２に、上記の当り変動パターン振分テーブル第２階層を示す。本実施形態の当り変動パターン振分テーブル第２階層には、図示のように、変動開始コマンドデータ２（下位バイト）と特別図柄の変動時間を定めるための時間テーブル（テーブル種別：ＴＩＭＴＢＬ−Ａ１〜ＴＩＭＴＢＬ−Ａ２０）とを関連付けて定めた区分（行方向の区分）が複数種類定められており、変動パターン用乱数値２を利用した抽選により、当該複数種類の区分のうちからいずれか一つの区分が選択されるように、その選択率が定められている。具体的には、たとえば、当り変動パターン振分テーブル第１階層ＡＡ１においては、「変動開始コマンドデータ２‘０１Ｈ’と時間テーブル‘ＴＩＭＴＢＬ−Ａ１’」が定まる区分が１００／２５１で、「変動開始コマンドデータ２‘０２Ｈ’と時間テーブル‘ＴＩＭＴＢＬ−Ａ２’」が定まる区分が１００／２３９で、「変動開始コマンドデータ２‘０３Ｈ’と時間テーブル‘ＴＩＭＴＢＬ−Ａ３’」が定まる区分が５１／２３９で選択されるようになっている。なお、図中の「第２階層判定内容」の欄には、変動パターン振分テーブル第２階層により指定される詳細パターンの内容を示してある。
【０３７８】
ここで上記「変動開始コマンドデータ２」とは、変動パターン指定コマンドの下位バイト側（ＥＶＥＮＴ）を定めるために利用されるデータである。変動開始コマンドデータ２には、基本パターンの具体的内容である詳細パターンを指定する複数種類のコマンドデータが含まれる。
【０３７９】
また図４４を参照して上記「時間テーブル」には、当り変動パターン振分テーブル第２階層で決定される「ＴＩＭＴＢＬ−Ａ１〜ＴＩＭＴＢＬ−Ａ２０」と、後述のハズレ変動パターン振分テーブル第２階層で決定される時間テーブル「ＴＩＭＴＢＬ−Ｈ１〜ＴＩＭＴＢＬ−Ｈ２３」が含まれ、それぞれのテーブルには、特別図柄の変動時間（ｍｓ）が定められている。したがって、時間テーブルが決定されると、特別図柄の変動時間（本変動の変動時間）が定まることになる。
【０３８０】
（Ｔ−１７．ハズレ変動パターン振分テーブル第２階層：図４３）
図４３に、ハズレ変動パターン振分テーブル第２階層を示す。本実施形態のハズレ変動パターン振分テーブル第２階層には、図示のように、変動開始コマンドデータ２（下位バイト）と特別図柄の変動時間を定めるための時間テーブル（テーブル種別：ＴＩＭＴＢＬ−Ｈ１〜ＴＩＭＴＢＬ−Ｈ２３）とを関連付けて定めた区分（行方向の区分）が複数種類定められており、変動パターン用乱数値２を利用した抽選により、当該複数種類の区分のうちからいずれか一つの区分が選択されるように、その選択率が定められている。なお、テーブルの基本的構成は、上述した当り変動パターン振分テーブル第２階層と同じであるので、重複記載を避けるため詳細な説明は省略する。
【０３８１】
（特別図柄の変動パターンの決定手順）
この変動パターン振分テーブル第２階層を利用した特別図柄の最終的な変動パターンを決定する処理手順と、変動パターン指定コマンドとを決定する処理手順とに関し、具体例を挙げて説明すれば以下のようになる。
【０３８２】
たとえば、Ｓ４４２の処理で当り変動パターン振分テーブル第１階層Ａ１が選択され、ステップＳ４４４の処理において当り変動パターン振分テーブル第１階層Ａ１において選択された区分が「変動開始コマンドデータ１＝Ａ６Ｈ、加算時間１０秒、当り変動パターン振分テーブル第２階層ＡＡ２」（基本パターン：疑似２連＋弱ＳＰリーチ）の区分であったケースを考えてみる。
【０３８３】
この場合、ステップＳ４４６の処理においては当り変動パターン振分テーブル第２階層ＡＡ２が参照されて、変動パターン用乱数値２を利用した抽選により「変動開始コマンドデータ２＝０１Ｈ、時間テーブルＴＩＭＴＢＬ−Ａ１」（通常中弱ＳＰリーチ１を伴う変動パターン）〜「「変動開始コマンドデータ２＝０１Ｈ、時間テーブルＴＩＭＴＢＬ−Ａ３」（通常中弱ＳＰリーチ３を伴う変動パターン）のいずれかの区分が選択されうる。
【０３８４】
上述の変動パターン用乱数２を利用した抽選により、たとえば「変動開始コマンドデータ２＝０１Ｈ、ＴＩＭＴＢＬ−Ａ１」の区分が選択されたとすれば、詳細パターンとして「通常中弱ＳＰリーチ１」が決定されることになる。したがって、一連の処理で決定された変動パターンの内容は、基本パターンが「疑似２連＋弱ＳＰリーチ」、かつ詳細パターンが「通常中弱ＳＰリーチ１」とする特別図柄の変動パターン、すなわち、今回の変動表示動作に供される作動保留球の最終的な特別図柄の変動パターン（最終変動パターン）は、「疑似２連＋通常中弱ＳＰリーチ１」が指定されたことになる。
【０３８５】
また、時間テーブル「ＴＩＭＴＢＬ−Ａ１」が選択されているので、「疑似２連＋通常中弱ＳＰリーチ１」の変動時間は、この「ＴＩＭＴＢＬ−Ａ１」により指定される「５１．３秒（図４４の「ＴＩＭＴＢＬ−Ａ１」の欄参照）」である。しかし、疑似連を伴う変動パターンにおいては、疑似変動に要する時間幅が変動パターン振分テーブル第１階層で定まり、本変動に要する時間幅が変動パターン振分テーブル第２階層で定まるようになっている。したがって、「疑似２連＋通常中弱ＳＰリーチ１」とする変動パターンの実際の変動時間は、図４０の当り変動パターン振分テーブル第１階層Ａ１において定まる「１０秒（図４０の基本パターンの欄「疑似２連＋弱ＳＰリーチ」に対応する加算時間の欄参照）」と、上述の時間テーブル「ＴＩＭＴＢＬ−Ａ１」により定まる「５１．３秒」とを合算した「６１．３秒」となる。この変動時間が、特別図柄役物動作タイマに格納され（ステップＳ４４７）、今回の特別図柄の変動時間が決定されたことになる。
【０３８６】
また、このときの「変動開始コマンドデータ１」が「Ａ６Ｈ（上位バイト）」であり、かつ「変動開始コマンドデータ２」が「０１Ｈ（下位バイト）」であることから、ステップＳ４４８の処理では、「Ａ６Ｈ」と「０１Ｈ」とからなる変動パターン指定コマンドが作成され（ステップＳ４４８）、これが演出制御部２４に送信される（ステップＳ４４９）。なお、演出制御部２４には、変動パターン指定コマンドに続き、装飾図柄指定コマンドも送信される（図３２のステップＳ４１５）。これらのコマンドを受けた演出制御部２４側では、当該コマンドに含まれる特別図柄の変動パターン情報と当選種別（当り種別やハズレ種別）情報とに基づき、今回の図柄変動表示ゲーム中の現出する演出が決定され、その演出に基づく演出制御処理が行われる。このようにして、図柄変動表示ゲーム中の演出が現出されるようになっている。
【０３８７】
（Ｃ−２：変動パターン指定コマンド一覧：図４５、図４６）
上述のステップＳ４４４とＳ４４６の処理で得られる「変動開始コマンドデータ１」と「変動開始コマンドデータ２」とから作成される変動パターン指定コマンドについて、図４５に当り変動パターン指定コマンドの一覧を、図４６にハズレ変動パターン指定コマンドの一覧を示す。図４５および図４６には、各変動パターン指定コマンドに対応した変動パターンの名称とその内容を示してある。変動パターン指定コマンドは、演出制御コマンドの一つであり、図示のように、２バイトで構成される。
【０３８８】
本実施形態のリーチ演出を伴う変動パターンには、「通常遊技状態」中または「潜確状態」中において使用される変動パターンとして、ハズレ時のみに使用され、ノーマルリーチを伴う変動パターン種別に属する「ノーマルリーチ１〜３（疑似連を伴うものを含む）」（ハズレ変動パターンＨ０−ＮＰ１〜Ｈ０−ＮＰ６）と、弱ＳＰリーチを伴う変動パターン種別に属する「通常中弱ＳＰリーチ１〜３（疑似連を伴うものを含む）」（当り変動パターンＡ１−ＳＰ１〜Ａ１−ＳＰ９、ハズレ変動パターンＨＯ−ＳＰ１〜変動パターンＨ０−ＳＰ９）と、強ＳＰリーチを伴う変動パターン種別に属する「通常中強ＳＰリーチ１〜３（疑似連を伴うものを含む）」（当り変動パターンＡ１−ＳＰ１０〜Ａ１−ＳＰ２１、ハズレ変動パターンＨＯ−ＳＰ１０〜変動パターンＨ０−ＳＰ２１）とが含まれる。
【０３８９】
また、「確変状態Ｃ」中または「時短状態」中において使用される変動パターンとして、弱リーチを伴う変動パターン種別に属する「チャンス中弱リーチ１〜３」（当り変動パターンＡ１−ＣＲ１〜Ａ１−ＣＲ３、ハズレ変動パターンＨＯ−ＣＲ１〜変動パターンＨ０−ＣＲ３）と、強リーチを伴う変動パターン種別に属する「チャンス中強リーチ１〜３」（当り変動パターンＡ１−ＣＲ４〜Ａ１−ＣＲ６）とが含まれる。
【０３９０】
またさらに、「確変状態Ａ」中または「確変状態Ｂ」中に使用される変動パターンとして、確変中リーチを伴う変動パターン種別に属する「確変中リーチ１〜３」（当り変動パターンＡ２−ＤＲ１〜Ａ２−ＤＲ３）が含まれる。
【０３９１】
リーチ演出には、大当り当選期待度に関連付けられた複数種類のリーチ演出が含まれる。本実施形態のリーチ演出の種別には、通常遊技状態中であれば「ノーマルリーチ、弱ＳＰリーチ、強ＳＰリーチ」、時短状態または確変状態Ｃであれば「チャンス中リーチ、弱リーチ、強リーチ」、確変状態中Ａ中または確変状態Ｂ中であれば「確変中リーチ」などが含まれる。大当り当選期待度は、基本的には「ノーマルリーチ＜弱ＳＰリーチ＜強ＳＰリーチ」の関係で、あるいは「チャンス中リーチ＜弱リーチ＜強リーチ」の関係で大当り当選期待度が高まり（同種のリーチ演出間では、たとえば、たとえば、「弱ＳＰリーチ１＜弱ＳＰリーチ２＜弱ＳＰリーチ３」というように番号が大きいほど大当り当選期待度が高まるようになっている）、その他、疑似連の回数（疑似連回数が相対的に多いほど大当り当選期待度が高まる）や、他の予告演出（ボタン予告演出や背景変化演出や先読み予告演出）が伴うことに応じて、大当り当選期待度が変化するようになっている。なお、時短状態または確変状態Ｃの場合に選択されうる専用のリーチ演出の「高リーチ（高ベース当選期待度高）」とは、１５Ｒ高ベース確変大当りの当選期待度が「弱リーチ（高ベース当選期待度低）」よりも相対的に高まるリーチ演出態様として定められている（当り変動パターン振分テーブル第1階層Ａ７〜Ａ９の欄（特に選択率）を参照）。
【０３９２】
（確変状態Ｂ（高速変動遊技状態）について）
ここで、図４６にハズレ変動パターン指定コマンドの一覧を参照すれば、通常変動を伴う変動パターン（通常変動パターン）には、通常遊技状態中または潜確状態中において使用される変動パターンとして、通常変動１を伴う変動パターン種別に属する「通常変動１２ｓ（変動時間１２秒）」（変動パターンＨ０−ＮＮ１）、通常変動２を伴う変動パターン種別に属する「通常変動６ｓ（変動時間６秒）」（変動パターンＨ０−ＮＮ２）、および通常変動３を伴う変動パターン種別に属する「通常変動３ｓ（変動時間６秒）」（変動パターンＨ０−ＮＮ３）が含まれる。また、確変状態Ｃ中または時短状態中において使用される変動パターンとして、チャンス中通常変動１保留０を伴う変動パターン種別に属する「通常変動８ｓ（変動時間８秒）」（変動パターンＨ１−ＮＮ１）、およびチャンス中通常変動２を伴う変動パターン種別に属する「通常変動２．５ｓ（変動時間２．５秒）」（変動パターンＨ０−ＮＮ２）が含まれる。また、確変状態Ａ中に使用される変動パターンとして、確変中通常変動１保留０を伴う変動パターン種別に属する「通常変動６ｓ（変動時間６秒）」（変動パターンＨ２−ＮＮ１）および確変中通常変動２を伴う変動パターン種別に属する「通常変動２ｓ（変動時間２秒）」（変動パターンＨ１−ＮＮ２）が含まれる。さらにまた、確変状態Ｂ中に使用される変動パターンとして、確変Ｂ中通常変動１伴う変動パターン種別に属する「通常変動１ｓ（変動時間１秒）」（変動パターンＨ３−ＮＮ１）が含まれる。
【０３９３】
これら通常変動を伴う変動パターンのうち、「通常変動１ｓ（ハズレ変動パターンＨ３−ＮＮ１）」に着目する。この「通常変動１ｓ」は、通常変動を伴う変動パターンのうちで最も短い変動時間であり、特別図柄の変動時間幅を「１秒」とする高速変動パターンである（図４４の時間テーブル「ＴＩＭＴＢＬ−Ｈ２３」の欄参照）。そして、本実施形態の確変状態Ｂ中に使用されるハズレ変動パターンには、「通常変動１ｓ」が単一の変動パターンとして設定されている。ここでは、一の確変状態から他の確変状態に遷移する場合において、当該他の確変状態において選択されうる変動パターン（当該他の確変状態において選択対象となる変動パターン）のうち、当該一の確変状態において選択されうる変動パターン（当該一の確変状態において選択対象となる変動パターン）よりも変動時間が相対的に短く規定されたものを、高速変動パターンとして扱うことができる。なお本実施形態のように「通常変動１ｓ」が単一の変動パターンとして設定されているだけでなく、他の変動パターン（同じ変動時間を持つ変動パターン、または上述の高速変動パターンとは扱われないような、比較的長い変動時間を持つ変動パターン）が含まれている形態においては、上述の変動時間が相対的に短く規定された変動パターンを高速変動パターンとして扱うことができる。
【０３９４】
詳しくは、図４１のハズレ変動パターン振分テーブル第１階層と図４３のハズレ変動パターン振分テーブル第２階層とを参照すれば、確変状態Ｂに「ハズレ」となった場合、ハズレ種別（ハズレＡ、ハズレＢ）と作動保留球数とにかかわらず、通常変動を伴う変動パターンの「通常変動１ｓ」だけが選択されるようになっている（ハズレ時の通常変動を伴う変動パターンの選択率が１００％）。つまり、確変状態Ｂ中に「ハズレ」となった場合、リーチを伴う変動パターンは選択対象とはされず、通常変動を伴う変動パターンだけが選択対象となっている（図４１のハズレ変動パターン振分テーブル第１階層の変動パターン振分指定番号（Ｔｃｏｄｅ）「０５Ｈ」の欄、図４３のハズレ変動パターン振分テーブル第２階層「ＨＨ１９」の欄、および図４６のハズレ変動パターンコマンド一覧参照）。
【０３９５】
したがって確変状態Ｂに「ハズレ」となった場合、特別図柄の変動時間幅を「１秒」とする高速変動パターンの「通常変動１ｓ」だけが選択されることになるため、他の確変状態（確変状態Ａや確変状態Ｃ）と比べて図柄変動表示ゲームの平均的な消化時間（１ゲームあたりの図柄変動表示ゲームの平均時間、または単位時間あたりの図柄変動表示ゲームの時間）が相対的に短くなる「高速変動状態」下に置かれることになる。また確変状態Ｂ中において「ハズレ」となった場合は、リーチを伴う変動パターン（リーチ演出有り）が選択されないため、ハズレ時のリーチ演出が現出されない。リーチを伴う変動パターンは、通常変動を伴う変動パターンよりも相対的に長い変動時間を持つことから、本実施形態の確変状態Ｂ中においては、リーチを伴う変動パターンをも選択対象とするよりも、図柄変動表示ゲームの平均消化時間がより一層短くなるようになっている。なお、確変状態Ｂ中に「ハズレ」となった場合、リーチを伴う変動パターンは選択対象とはされず、通常変動を伴う変動パターンだけが選択対象とされる構成なっていると説明したがこれに限らず、選択対象となる変動パターンには、リーチを伴う変動パターンや他の通常変動を伴う変動パターンが１または複数種類含まれていても良い。また、確変状態Ａまたは確変状態Ｃにおける通常変動を伴う変動パターンの選択率と、確変状態Ｂにおける通常変動を伴う変動パターンの選択率とに着目すれば、当落抽選の結果が「ハズレ」となった場合（大当り遊技に移行制御しないと抽選された場合）において変動パターン（図柄変動表示ゲームにおける変動パターン）を選択する際、第１の条件下（たとえば、確変状態Ａ中）よりも第２の条件下（たとえば、確変状態Ｂ中）の方が通常変動を伴う変動パターンを相対的に高い割合で選択させるように構成しても良い。このようにしても、一の確変状態（確変状態Ａまたは確変状態Ｃ）よりも他の確変状態（確変状態Ｂ）の方が図柄変動表示ゲームの消化時間が相対的に短くなる「高速変動状態」とすることができる。
【０３９６】
また、上述したように、確変状態Ｂ中において「ハズレ」となった場合は、ハズレ時のリーチ演出が現出されないため、特徴的な遊技性を創出することができる。具体的には、リーチ演出が発生した時点で「大当り確定」となることが報知される、といった遊技性をもたせることができる。なお本実施形態では、当落抽選の結果が「当り」となった場合（大当り遊技に移行制御すると抽選された場合）において変動パターンを選択する際、第１の条件下（たとえば、確変状態Ａ中）と第２の条件下（確変状態Ｂ中）とで共通の複数種類の当り変動パターンのうちからいずれか１つの変動パターンを選択させるように構成されている（図４０の当り変動パターン振分テーブル第１階層の変動パターン振分指定番号（Ｔｃｏｄｅ）「０４Ｈ／０５Ｈ」の欄、図４２の当り変動パターン振分テーブル第２階層「ＡＡ１３〜ＡＡ１５」の欄、および図４５の当り変動パターンコマンド一覧参照）。
【０３９７】
本実施形態では、確変状態Ａまたは確変状態Ｃに滞在していた場合、大当りすることなく特別図柄変動表示ゲームが所定回数（７０回）終了すると確変状態Ｂに移行される。ここで確変状態Ａまたは確変状態Ｃ中にあっては、ハズレ種別（ハズレＡ、ハズレＢ）と作動保留球数とに応じて、リーチを伴う変動パターンや、「通常変動１ｓ」よりも相対的に変動時間が長い複数種類の通常変動を伴う変動パターンが選択される可能性がある、といった「非高速変動状態（低速変動遊技状態）」下に置かれる。しかし「確変状態Ｂ」に移行した場合には、リーチを伴う変動パターンが選択されず、ハズレ続ける限り高速変動パターンである「通常変動１ｓ」が選択される、といった「高速変動状態（高速変動遊技状態）」下に置かれるようになっている。このように、特別図柄変動表示ゲームの実行回数に応じて、非高速変動状態とする一の確変状態から高速変動状態とする他の確変状態に移行させることにより次のような特有の効果を奏する遊技機を提供することができる。
【０３９８】
確変状態では、大当り抽選確率を通常よりも高確率状態とする特別図柄確変機能が作動するだけでなく、特別図柄および普通図柄の変動時間を短くする時短機能や可動翼片４７の作動率を向上させる開放延長機能を作動させることで、大当たり遊技への移行が通常遊技状態よりも容易となるように工夫された魅力的な遊技状態となる。しかし、確変状態に移行されても、その確変状態が次回の大当りに当選するまで継続されるといった固定的である場合、当該確変状態下に応じた特別図柄の変動パターンやこれに伴う演出も固定的となり、確変状態における遊技性の自由度が制限され遊技の面白みに欠ける。このような事情に鑑み、本実施形態では、特別図柄変動表示ゲームの実行回数に応じて、非高速変動状態である一の確変状態（確変状態Ａまたは確変状態Ｃ）から高速変動状態である他の確変状態（確変状態Ｂ）へと遊技状態が遷移する構成となっている。この非高速変動状態では、ゲームの平均消化速度を高速変動状態下よりも長くなるが、その替わりに演出時間を長めにとることによって「演出を楽しむ」といった遊技性に重きを置いた遊技状態となっている。一方、高速変動状態では、ゲームが高速消化されていくことにより「ゲームの平均消化速度を上昇させて大当り当選の到来時期を早める」といった遊技性に重きを置いた遊技状態となっている。このように、特別図柄変動表示ゲームの実行回数に応じて、遊技状態が変化することにより、演出面とゲーム消化速度（ゲーム消化時間：図柄変動表示ゲームの実行時間）の面の双方を効果的に高めることができ、確変状態中の遊技性により一層の面白みを与えることができる。
【０３９９】
なお本実施形態では、確変状態Ｂ中において選択対象となるハズレ変動パターンとして、単一の高速変動パターン「通常変動１ｓ」を設けた形態を説明したがこれに限らず、次のように構成しても良い。
【０４００】
（変形例１）
確変状態Ｂ中において選択対象となる高速変動パターンが複数種類あっても良い。この場合、複数種類の高速変動パターンのうち、変動時間が最短の高速変動パターンの選択率が最も高くなるように構成しても良いし、複数種類の高速変動パターンのうち、変動時間が相対的に短い変動パターンの選択率が高くなるように構成しても良い。たとえば、高速変動パターンとして「通常変動１ｓ」、「通常変動１．２ｓ」、および「通常変動１．５ｓ」の３種類の高速変動パターンを設けた場合、これらの変動パターンが選択される選択率を下記の関係を満たすようにすることができる。ここでの最短の高速変動パターンは「通常変動１ｓ」である。
（ａ）「通常変動１．５ｓ」≦「通常変動１．２ｓ」＜「通常変動１ｓ」
（ｂ）「通常変動１．２ｓ」≦「通常変動１．５ｓ」＜「通常変動１ｓ」
（ｃ）「通常変動１．５ｓ」＜「通常変動１．２ｓ」＜「通常変動１ｓ」
しかし上記関係式に限られない。たとえば、変動時間幅の長短にかかわらずそれぞれの選択率をランダムに設定しても良いし、それぞれの選択率を同一としても良い。なお同一の選択率で選択させる場合、抽選領域の大きさを変動パターンの種類に応じて等分可能（ｎ種類であれば、ｎ等分可能）に定めることができる（たとえば、「通常変動１．５ｓ」「通常変動１．２ｓ」「通常変動１ｓ」の選択率をそれぞれ８４／２５２と定める）。
【０４０１】
以上のように構成しても、一の確変状態（確変状態Ａまたは確変状態Ｃ）よりも他の確変状態（確変状態Ｂ）の方が図柄変動表示ゲームの消化時間が相対的に短くなる「高速変動状態」を実現することができる。
【０４０２】
（変形例２）
上記（１）では複数種類の高速変動パターンを設けた例について説明した。ここでは、他の遊技状態と同じような変動時間を持つ通常変動を伴う変動パターンを含ませた形態について説明する。
【０４０３】
この形態では、確変状態Ｂ中に選択されうる変動パターンとして、高速変動パターンの他、それよりも比較的長い変動時間を持つ通常変動を伴う変動パターン（たとえば、通常遊技状態や確変状態Ａや確変状態Ｃにおいて選択されうる通常変動を伴う変動パターンと同一あるいは同程度の変動時間を持つ変動パターンなど）を含ませることができる。本例のように、高速変動パターンに加えて、それよりも長い変動時間を持つ通常変動を伴う変動パターンを含ませる場合、他の確変状態と比べて図柄変動表示ゲームの消化時間が相対的に短くする、という点に着目すれば、高速変動パターンの選択率が０でない限り「高速変動状態」が可能となる。しかしながら、「高速変動状態」を明確にするためには、変動時間が最短の高速変動パターンの選択率が最も高くなるように構成するか、または変動時間が相対的に短い変動パターンの選択率が高くなるように構成することが好ましい。たとえば、高速変動パターンとして「通常変動１ｓ」、その他の変動パターンとして「通常変動２ｓ（変動時間２秒）」「通常変動６ｓ（変動時間６秒）」の３種類の変動パターンを設けた場合、これらの変動パターンが選択される選択率を下記の関係を満たすようにすることができる。ここでの最短の変動パターンは「通常変動１ｓ」である。
（ａ）「通常変動２ｓ」≦「通常変動６ｓ」＜「通常変動１ｓ」
（ｂ）「通常変動６ｓ」≦「通常変動２ｓ」＜「通常変動１ｓ」
（ｃ）「通常変動６ｓ」＜「通常変動２ｓ」＜「通常変動１ｓ」
このようにしても、一の確変状態（確変状態Ａまたは確変状態Ｃ）よりも他の確変状態（確変状態Ｂ）の方が図柄変動表示ゲームの消化時間が相対的に短くなる「高速変動状態」を実現することができる。
【０４０４】
（変形例３）
上述した変形例１と変形例２では、少なくとも１種類の高速変動パターンを含ませた例について説明した。ここでは、一の確変状態と他の確変状態とで、同じ複数種類の変動パターンのうちからいずれか１つの変動パターンが選択されるように構成した例について説明する。
【０４０５】
たとえば、確変状態Ａまたは確変状態Ｃにおいて選択対象となる変動パターン群と確変状態Ｂにおいて選択対象となる変動パターン群とが同じものであるケースを例にとって説明する。上記変動パターン群には、変動時間が異なる複数種類の通常変動を伴う変動パターンが含まれるとする。この場合、変動時間が相対的に短い変動パターンの選択率を、確変状態Ａよりも確変状態Ｂの方が高くなるように構成することにより、確変状態Ａよりも確変状態Ｂの方が図柄変動表示ゲームの消化時間が相対的に短くなるようにすることができる。つまり、当落抽選の結果が「ハズレ」となった場合において変動パターンを選択する際、確変状態Ａ中または確変状態Ｃ中よりも確変状態Ｂ中の方が変動時間が相対的に短い通常変動を伴う変動パターンを、高い割合で選択させるように構成する。たとえば、複数種類の通常変動を伴う変動パターンとして「通常変動２ｓ」と「通常変動６ｓ」の２種類の通常変動を伴う変動パターンを設けた場合、下記の関係を満たすように構成することができる。
たとえば、確変状態Ａにおいては、「通常変動２ｓ」≦「通常変動６ｓ」、
確変状態Ｂにおいては、「通常変動６ｓ」＜「通常変動２ｓ」
このようにすれば、確変状態Ａでは変動時間が相対的に短い変動パターンの選択率が低くなり、他方の確変状態Ｂでは変動時間が相対的に短い変動パターンの選択率が高くなるので、結果的に確変状態Ａよりも確変状態Ｂの方が図柄変動表示ゲームの消化時間が相対的に短くなり、確変状態Ｂにおいて「高速変動状態」を実現することができる。なお、「高速変動状態」を明確にするためには、変動時間が最短の通常変動を伴う変動パターンの選択率（ここでは、「通常変動２ｓ」）を他の通常変動を伴う変動パターンよりの選択率よりも２倍以上にすることが好ましい。これは、遊技者に「高速変動状態」を体感させるために効果的な選択率であることに起因する。
【０４０６】
（１０−４．特別図柄変動中処理：図４７）
図４８は、特別図柄動作ステータスが「変動中（０２Ｈ）」の場合に行われる特別図柄変動中処理（ステップＳ３０７）の詳細を示すフローチャートである。
【０４０７】
図４８において、ＣＰＵ２０１は、まず図３８のステップＳ４４７で設定した特別図柄役物動作タイマがゼロであるか否か、つまり特別図柄の変動時間が経過したか否かを判定する（ステップＳ４５１）。特別図柄役物動作タイマがゼロでない場合は（ステップＳ４５１：ＮＯ）、未だ特別図柄の変動時間が経過していない、つまり特別図柄が変動中であるので、何もしないでこの特別図柄変動中処理を抜ける。
【０４０８】
特別図柄役物動作タイマがゼロになったならば（ステップＳ４５１：ＹＥＳ）、演出制御コマンドとして、特別図柄の変動が終了したことを示す「変動停止コマンド」を演出制御部２４に送信する（ステップＳ４５２）。この変動停止コマンドにより、演出制御部２４側では特別図柄の変動時間が終了したことが把握され、装飾図柄変動表示ゲームが終了される。
【０４０９】
そして特別図柄の変動停止時の設定処理として、特別図柄確定タイマに特別図柄確定信号出力時間（たとえば、１００ｍｓ）を格納し、特別図柄役物動作タイマに確定表示時間（たとえば、５００ｍｓ）を格納し、特別図柄動作ステータスを「確認中（０３Ｈ）」に切り替え（特別図柄動作ステータスに０３Ｈを格納）、特別図柄変動中フラグに００Ｈ（ＯＦＦ状態）を格納し（ステップＳ４５３）、この特別図柄変動中処理を抜ける。ここで「特別図柄確定信号出力時間」とは、枠用外部端子基板２１に特別図柄が確定表示した旨を示す特別図柄確定信号を出力する時間である。また「確定表示時間」とは、特別図柄の停止表示を保持する時間であり、この確定表示時間が経過すると、次の動作に移行可能となる（図４８Ａの特別図柄確認時間中処理のステップＳ４６１：ＹＥＳの処理ルート参照）。
【０４１０】
以上により、この特別図柄変動中処理を抜けると、図１４のステップＳ３０９の特別図柄表示データ更新処理を行った後、特別図柄管理処理を抜けて、図９のステップＳ６０の特別電動役物管理処理に進む。
【０４１１】
（１０−５．特別図柄確認時間中処理（変動停止時処理）：図４８Ａおよび図４８Ｂ）
図４８Ａおよび図４８Ｂは、図１４の特別図柄管理処理において、特別図柄動作ステータスが「確認中（０３Ｈ）」であると判定された場合に行われる特別図柄確認時間中処理（ステップＳ３０８）の詳細を示すフローチャートである。
【０４１２】
図４８Ａおよび図４８Ｂにおいて、ＣＰＵ２０１は、まず特別図柄役物動作タイマがゼロであるか否か、つまり特別図柄の確定表示時間が経過したか否かを判定する（ステップＳ４６１）。上記特別図柄役物動作タイマがゼロになるまでの間は（ステップＳ４６１：ＮＯ）、何もしないでこの特別図柄確認時間中処理を抜ける。
【０４１３】
一方、特別図柄役物動作タイマがゼロになったならば（ステップＳ４６１：ＹＥＳ）、今回の特別図柄変動表示ゲームが終了したとして、特別図柄動作ステータスを「待機中（０１Ｈ）」に切り替え（特別図柄動作ステータスに０１Ｈを格納）（ステップＳ４６２）、現在の遊技状態に応じた遊技状態判定番号（ＹＪ）をＲＡＭ２０３の遊技状態判定領域に格納する（ステップＳ４６３）。
【０４１４】
次いで、大当り判定フラグを取得し、大当り判定フラグの状態を判定する（ステップＳ４６４）。
【０４１５】
（大当り判定フラグがＯＮ状態の場合）
上記ステップＳ４６４の判定で、大当り判定フラグがＯＮ状態（＝５ＡＨ）の場合（ステップＳ４６４：＝５ＡＨ）、大当り図柄停止時の各種設定処理を行う（ステップＳ４６５）。ここでは、大当りを示す特別図柄が停止した場合の大当り遊技の開始前処理として、大当り判定フラグに００Ｈ（ＯＦＦ状態）を格納し、条件装置作動フラグに５ＡＨ（ＯＮ状態）を格納し、さらに、普電役物開放延長状態フラグ、普通図柄時短状態フラグ、普通図柄確変状態フラグ、特別図柄時短状態フラグ、特別図柄確変状態フラグ、特別図柄時短回数カウンタ、特別図柄確変回数カウンタ、および特別図柄変動回数カウンタの各々に００Ｈ（ＯＦＦ状態）を格納し、変動パターン振分指定番号（Ｔｃｏｄｅ）に００Ｈ（通常指定）を格納し、「遊技状態報知ＬＥＤ（図示せず）」の点灯・消灯を指定する遊技状態報知ＬＥＤ出力番号に００Ｈを格納して、この特別図柄確認時間中処理を抜ける。ここで上記の「遊技状態報知ＬＥＤ」とは、遊技機の適所に設けられ、現在の遊技状態がどのような遊技状態であるかを報知する状態報知手段である。本実施形態の遊技状態報知ＬＥＤは、現在の遊技状態が時短状態であるか否かを報知するために利用される。ＣＰＵ２０１は、遊技状態報知ＬＥＤ出力番号に応じて、状態報知手段の報知態様を変化させる。ここでは、上記遊技状態報知ＬＥＤ出力番号が「００Ｈ」の場合には現在の遊技状態が時短状態ではない旨が（遊技状態報知ＬＥＤ：消灯状態（非時短状態報知））、「０１Ｈ」の場合には現在の遊技状態が時短状態である旨が指定される（遊技状態報知ＬＥＤ：点灯状態（時短状態報知）。なお本実施形態の遊技状態報知ＬＥＤは、時短状態であるか否かを報知するための手段として用いているがこれに限らず、通常遊技状態、確変状態、および時短状態のうちの少なくともいずれか一つを識別可能に報知させる構成であっても良い。
【０４１６】
（大当り判定フラグがＯＦＦ状態の場合）
上記ステップＳ４６４の判定で、大当り判定フラグがＯＦＦ状態（＝００Ｈ）の場合（ステップＳ４６４：≠５ＡＨ）、次いで、小当り判定フラグを取得し、小当り判定フラグの状態を判定する（ステップＳ４６６）。小当り判定フラグがＯＦＦ状態（＝００Ｈ）の場合（ステップＳ４６６：≠５ＡＨ）、ステップＳ４６８の処理に進む。小当り判定フラグがＯＮ状態（＝５ＡＨ）の場合（ステップＳ４６６：＝５ＡＨ）、小当り図柄停止時の各種設定処理を行う（ステップＳ４６７）。ここでは、小当りを示す特別図柄が停止した場合の小当り遊技の開始前処理として、小当り判定フラグに００Ｈ（ＯＦＦ状態）を格納し、小当り中フラグに５ＡＨ（ＯＮ状態）を格納する。上記小当り図柄停止時の各種設定処理を終えると、ステップＳ４６８の処理に進む。
【０４１７】
ステップＳ４６８の処理に進むと、特別図柄時短回数カウンタがゼロであるか否か、つまり残り時短回数がゼロであるか否かを判定する（ステップＳ４６８）。特別図柄時短回数カウンタがゼロ（時短状態ではない）である場合（ステップＳ４６８：ＹＥＳ）、ステップＳ４７３の処理に進む。
【０４１８】
特別図柄時短回数カウンタがゼロでない場合（ステップＳ４６８：ＮＯ）、今回の変動回数の消化分として、特別図柄時短回数カウンタを１減算し（ステップＳ４６９）、減算後の特別図柄時短回数カウンタがゼロであるか否かを判定する（ステップＳ４７０）。
【０４１９】
減算後の特別図柄時短回数カウンタがゼロでない場合には（ステップＳ４７０：ＮＯ）、時短状態に突入してからの特別図柄の変動回数が未だ規定回数の７０回に達しておらず、未だ継続中であるとして、何もしないでステップＳ４７３の処理に進む。
【０４２０】
減算後の特別図柄時短回数カウンタがゼロの場合には（ステップＳ４７０：ＹＥＳ）、時短状態に突入してからの特別図柄の変動回数が規定回数の７０回に達したとして、時短状態終了時の設定処理を行う（ステップＳ４７１）。ここでは、時短状態を終了させ、通常遊技状態への移行設定処理として、普電役物開放延長状態フラグ、普通図柄時短状態フラグ、普通図柄確変状態フラグ、および特別図柄時短状態フラグの各々に００Ｈ（ＯＦＦ状態）を格納し、変動パターン振分指定番号（Ｔｃｏｄｅ）に００Ｈ（通常指定）を格納し、遊技状態報知ＬＥＤに００Ｈ（非時短状態指定）を格納する。
【０４２１】
上記時短状態終了時の設定処理を終えると、演出制御コマンドとして、時短状態が終了して通常遊技状態に移行される旨を示す「通常指定状態コマンド」を演出制御部２４に送信する（ステップＳ４７２）。この通常指定状態コマンドは遊技状態指定コマンドの一種であり、このコマンドにより演出制御部２４側は、次回から遊技状態が通常遊技状態に移行される旨を把握し、演出モードをチャンス演出モードから通常演出モードに移行させる。
【０４２２】
次いでステップＳ４７３の処理に進むと、特別図柄確変回数カウンタがゼロであるか否か、つまり残り確変回数がゼロであるか否かを判定する（ステップＳ４７３）。特別図柄確変回数カウンタがゼロ（確変状態ではない）である場合（ステップＳ４７３：ＹＥＳ）、ステップＳ４７８の処理に進む。
【０４２３】
特別図柄確変回数カウンタがゼロでない場合（ステップＳ４７３：ＮＯ）、今回の変動回数の消化分として、特別図柄確変回数カウンタを１減算し（ステップＳ４７４）、減算後の特別図柄確変回数カウンタがゼロであるか否かを判定する（ステップＳ４７５）。
【０４２４】
減算後の特別図柄確変回数カウンタがゼロでない場合には（ステップＳ４７５：ＮＯ）、確変状態に突入してからの特別図柄の変動回数が未だ規定回数の１００００回に達しておらず、未だ継続中であるとして、何もしないでステップＳ４７８の処理に進む。
【０４２５】
減算後の特別図柄確変回数カウンタがゼロの場合には（ステップＳ４７５：ＹＥＳ）、確変状態に突入してからの特別図柄の変動回数が規定回数の１００００回に達したとして、確変終了時の設定処理を行う（ステップＳ４７６）。ここでは、確変状態を終了させ、通常遊技状態への移行設定処理として、普電役物開放延長状態フラグ、普通図柄時短状態フラグ、普通図柄確変状態フラグ、特別図柄時短状態フラグ、および特別図柄確変状態フラグの各々に００Ｈ（ＯＦＦ状態）を格納し、変動パターン振分指定番号（Ｔｃｏｄｅ）に００Ｈ（通常指定）を格納し、遊技状態報知ＬＥＤ（非時短状態指定）に００Ｈを格納する。
【０４２６】
上記確変終了時の設定処理を終えると、演出制御コマンドとして、確変状態が終了して通常遊技状態に移行される旨を示す（この確変終了時の設定処理が行われる場合、必ず確変状態Ｂとなっている）「通常指定状態コマンド」を演出制御部２４に送信する（ステップＳ４７７）。この通常指定状態コマンドにより、演出制御部２４側は、次回から遊技状態が通常遊技状態に移行される旨を把握し、演出モードを高速変動演出モードから通常演出モードに移行させる。
【０４２７】
次いでステップＳ４７８の処理に進むと、特別図柄変動回数カウンタがゼロであるか否か、つまり遊技状態移行規定回数がゼロであるか否かを判定する（ステップＳ４７８）。特別図柄変動回数カウンタがゼロである場合（ステップＳ４７８：ＹＥＳ）、何もしないでこの特別図柄確認時間中処理を抜ける。
【０４２８】
特別図柄変動回数カウンタがゼロでない場合（ステップＳ４７８：ＮＯ）、今回の変動回数の消化分として、特別図柄変動回数カウンタを１減算し（ステップＳ４７９）、減算後の特別図柄変動回数カウンタがゼロであるか否かを判定する（ステップＳ４８０）。
【０４２９】
減算後の特別図柄変動回数カウンタがゼロでない場合には（ステップＳ４８０：ＮＯ）、確変状態Ａまたは確変状態Ｃに突入してからの特別図柄の変動回数が遊技状態移行規定回数の７０回に達しておらず、未だ継続中であるとして、何もしないでこの特別図柄確認時間中処理を抜ける。
【０４３０】
減算後の特別図柄変動回数カウンタがゼロの場合には（ステップＳ４８０：ＹＥＳ）、確変状態Ａまたは確変状態Ｃに突入してからの特別図柄の変動回数が遊技状態移行規定回数の７０回に達したとして、確変状態Ｂへの移行設定処理を行う（ステップＳ４８１）。このステップＳ４８１処理は、選択条件を指定して、当該選択条件下で図柄変動表示ゲームにおける遊技図柄の変動パターンを選択させるための選択条件指定手段としての役割を果たす。ここでは、上記遊技状態移行規定回数に達した場合の（確変状態Ａまたは確変状態Ｃが終了した場合）の確変状態Ｂへの移行設定処理として、変動パターン振分指定番号（Ｔｃｏｄｅ）に０５Ｈ（確変Ｂ指定）を格納する。これにより、特別図柄の変動パターンの選択条件が変更されることになる（図３９〜図４３参照。なお、図３９〜図４３の変動パターンを選択決定するための各種テーブルも上述の選択条件指定手段としての役割を果たすものである）。具体的には、確変状態が継続中である場合において、上記遊技状態移行規定回数に達する前の場合には、確変状態Ａ中または確変状態Ｃ中に対応した特別図柄の変動パターンが選択されるように選択条件が指定されているが、当該遊技状態移行規定回数に達した場合には、確変状態Ｂ中に対応した特別図柄の変動パターンが選択されるようにその選択条件が変更されるようになっている。そして、演出制御コマンドとして、確変状態Ａまたは確変状態Ｃが終了して確変状態Ｂに移行される旨を示す「確変Ｂ指定状態コマンド」を演出制御部２４に送信する（ステップＳ４８２）。この確変Ｂ指定状態コマンドは遊技状態指定コマンドの一種であり、このコマンドにより演出制御部２４側は、次回から遊技状態が確変状態Ｂに移行される旨を把握し、演出モードを確変演出モードまたはチャンス演出モードから高速変動演出モードに移行させる。
【０４３１】
以上により、この特別図柄確認時間中処理を抜けると、図１４のステップＳ３０９の特別図柄表示データ更新処理を行った後、特別図柄管理処理を抜けて、図９のステップ６０の特別電動役物管理処理に進む。
【０４３２】
（１１．特別電動役物管理処理：図４９）
次に、図９中の特別電動役物管理処理（ステップＳ６０）について説明する。図４９は、ステップＳ６０の特別電動役物管理処理の詳細を示すフローチャートである。
【０４３３】
図４９において、ＣＰＵ２０１は、まず小当り中フラグの状態を判定する（ステップＳ５０１）。上記小当り中フラグがＯＮ状態（＝５ＡＨ）の場合（ステップＳ５０１：＝５ＡＨ）、小当り遊技に係る特別変動入賞装置４２の一連の動作を制御するための小当り処理を行い（ステップＳ５０４）、この特別電動役物管理処理を抜ける。
【０４３４】
上記小当り中フラグがＯＦＦ状態（＝００Ｈ）の場合（ステップＳ５０１：≠５ＡＨ）、次いで、条件装置作動フラグの状態を判定する（ステップＳ５０２）。条件装置作動フラグがＯＦＦ状態（＝００Ｈ）の場合（ステップＳ５０２：≠５ＡＨ）、つまり小当り遊技中でも大当り遊技中でもない場合には、何もしないでこの特別電動役物管理処理を抜ける。
【０４３５】
条件装置作動フラグがＯＮ状態（＝５ＡＨ）の場合（ステップＳ５０２：＝５ＡＨ）、特別変動入賞装置４２の挙動を示す処理状態（特別電動役物動作ステータス：００Ｈ〜０４Ｈ）に応じた処理を行う（ステップＳ５０３：特別電動役物ステータス分岐）。具体的には、大当り遊技に係る特別変動入賞装置４２の一連の動作を制御するために、特別電動役物動作ステータスが「開始処理中（００Ｈ）」の場合には「大当り開始処理」（ステップＳ５０５）を、「作動開始処理中（０１Ｈ）」の場合には「特別電動役物作動開始処理」（ステップＳ５０６）を、「作動中（０２Ｈ）」の場合には「特別電動役物作動中処理」（ステップＳ５０７）を、「継続判定中（０３Ｈ）」の場合には「特別電動役物作動継続判定処理」（ステップＳ５０８）を、「終了処理中（０４Ｈ）」の場合には「大当り終了処理」（ステップＳ５０９）をそれぞれ行われるようになっている。ここで、「開始処理中（００Ｈ）」とは、大当りして特別変動入賞装置４２の動作が大当り遊技開始前の待機状態である旨を示し、「作動開始処理中（０１Ｈ）」とは、特別変動入賞装置４２の動作がラウンド遊技開始前の待機状態である旨を示し、「作動中（０２Ｈ）」とは、特別変動入賞装置４２の動作がラウンド遊技を実行中である旨を示し、「継続判定中（０３Ｈ）」とは、ラウンド遊技を継続させるか否かの判定処理中である旨を示し、「大当り終了処理中（０４Ｈ）」とは、大当り遊技の終了処理中である旨を示している。
【０４３６】
以下に、大当り遊技制御処理（ステップＳ５０５〜Ｓ５０９）と、小当り遊技制御処理（ステップＳ５０４）とについて詳細に説明する。説明の便宜上、先ず、大当り遊技制御処理から説明する。
【０４３７】
＜大当り遊技制御処理＞
大当りとなった場合、大当り遊技制御処理として、最初にステップＳ５０５の「大当り開始処理」が行われる。
【０４３８】
（１１−１．大当り開始処理：図５０）
図５０は、図４９の特別電動役物管理処理において、特別電動役物動作ステータスが「開始処理中（００Ｈ）」の場合に行われる「大当り開始処理（ステップＳ５０５）」の詳細を示すフローチャートである。
【０４３９】
図５０において、ＣＰＵ２０１は、まず、大当り開始時の設定処理を行う（ステップＳ５１１）。ここでは、大当り開始時、つまり大当り遊技開始前の設定処理として、役物連続作動装置作動フラグに５ＡＨ（ＯＮ状態）を格納し、特別電動役物動作ステータスを「作動開始処理中（０１Ｈ）」に切り替え（特別電動役物動作ステータスに０１Ｈを格納）、連続回数カウンタに０１Ｈを格納する。ここで「役物連続作動装置作動フラグ」とは、役物連続作動装置の制御に利用するためのフラグで、当該フラグがＯＮ状態（＝５ＡＨ）である場合には役物連続作動装置作動中である旨を示し、当該フラグがＯＦＦ状態（＝００Ｈ）である場合には役物連続作動装置非作動である旨を示す。また「連続回数カウンタ」とは、ラウンド遊技の連続実行回数、つまり現在のラウンド数を記憶するためのカウンタである。ここでの連続回数カウンタは「０１Ｈ」であるので、現在のラウンド数は１Ｒ目を示す。
【０４４０】
ステップＳ５１１の大当り開始処時の設定処理を終えると、大当り開始設定テーブルを取得し（ステップＳ５１２）、特別図柄判定データ別設定処理を行う（ステップＳ５１３）。この特別図柄判定データ別設定処理では、役物連続作動装置作動開始時設定テーブルを参照して、特別図柄判定データ（大当り種別）に応じて、最大ラウンド数（規定ラウンド数）、ラウンド表示ＬＥＤ番号をそれぞれに対応するＲＡＭ２０３の記憶領域に格納し、また特別図柄役物動作タイマに開始インターバル時間を格納する。
【０４４１】
（Ｔ−１８．役物連続作動装置作動開始時設定テーブル：図５１）
図５１に、役物連続作動装置作動開始時設定テーブルを示す。本実施形態の役物連続作動装置作動開始時設定テーブルには、図示のように、当選種別として大当り種別、つまり特別図柄判定データと、最大ラウンド数、開始インターバル時間、およびラウンド表示ＬＥＤとが関連付けて定められている。具体的には、特別図柄判定データに対応した、「最大ラウンド数、開始インターバル時間、およびラウンド表示ＬＥＤ」が選択されるようになっている。ここで「開始インターバル時間」とは、図４７のステップＳ４５３の確定表示時間が経過して大当りが確定した後、特別変動入賞装置４２が作動するまでのインターバル区間であって、ＯＰ（オープニング）演出が行われる区間を定めた時間幅（１回目のラウンド遊技が行われる前の初回演出時間）を指す。本実施形態では、バトル演出を採用している関係上、ＯＰ演出の時間幅である開始インターバル時間の違いにより大当り種別を遊技者に悟られてしまうことを回避するため、最大ラウンドが１５Ｒの大当りの場合にはすべて同じ時間幅の開始インターバル時間（たとえば、１００００ｍｓ）が設定されるようになっている。また「ラウンド表示ＬＥＤ（図示せず）」とは、遊技機の適所に設けられ、大当りによる最大ラウンド数（規定ラウンド数）を報知する報知手段である。ＣＰＵ２０１は、ラウンド表示ＬＥＤ番号に応じて、当該報知手段の報知態様を変化させ、今回の大当りが最大１５ラウンド（１５Ｒ）を伴う大当りであるのか、最大２ラウンド（２Ｒ）をラウンド数であるのかを報知させる。ここでは、ラウンド表示ＬＥＤ番号が「０１Ｈ」の場合は、今回の大当り種別が‘１５Ｒ’を伴う大当りである旨が、「０２Ｈ」の場合は‘２Ｒ’を伴う大当りである旨が指定される。
【０４４２】
上記ステップＳ５１３の特別図柄判定データ別設定処理を終えると、当り中演出の開始を指示する「大当り開始コマンド」を演出制御部２４に送信する（ステップＳ５１４）。この大当り開始コマンドは、今回の大当り種別情報と大当り当選時の遊技状態情報とを含み、演出制御部２４側において、当り中演出テーブル（ＷＩＮＴＢＬ−Ｐ１〜ＷＩＮＴＢＬ−Ｐ７のうちいずれか）を決定する際に利用される（図５の当り中演出テーブル選択テーブルに基づき、いずれか１つの当り中演出テーブルが抽選により決定される）。これにより、大当り遊技中に展開される一連の演出態様が決定され、ＯＰ演出の開始とともに、大入賞口が開放される大当り状態が発生する。
【０４４３】
以上により、この大当り開始処理を抜けると、図９のステップＳ６１の右打ち報知情報管理処理に進む。
【０４４４】
（１１−２．特別電動役物作動開始処理：図５２）
図５２は、図４９の特別電動役物管理処理において、特別電動役物動作ステータスが「作動開始処理中（０１Ｈ）」の場合に行われる特別電動役物作動開始処理（ステップＳ５０６）の詳細を示すフローチャートである。
【０４４５】
図５２において、ＣＰＵ２０１は、まず特別図柄役物動作タイマがゼロであるか否かを判定する（ステップＳ５２１）。ここでの特別図柄役物動作タイマに設定されている時間は、ラウンド遊技開始前のインターバル時間となっている。なお、ここでのインターバル時間としては、初回のラウンド（１Ｒ目）では図５０のステップＳ５１３で設定された「開始インターバル時間」が監視されるが、２Ｒ目以降でこのステップＳ５２１を通過するときは、「開放前インターバル時間（後述の図６０のステップＳ５７５で設定されるインターバル時間）」が監視される。この特別図柄役物動作タイマがゼロになるまでの間は（ステップＳ５２１：ＮＯ）、何もしないでこの特別電動役物作動開始処理を抜ける。
【０４４６】
一方、特別図柄役物動作タイマがゼロ、つまり開放前インターバル時間（初回のラウンドの場合は、開始インターバル時間）が経過したならば（ステップＳ５２１：ＹＥＳ）、大入賞口開放開始動作に伴い、演出制御コマンドとして、「大入賞口開放コマンド」を演出制御部２４に送信する（ステップＳ５２２）。この大入賞口開放コマンドは、ラウンド遊技開始情報（ラウンド演出の開始指示情報）や現在のラウンド数情報を含み、演出制御部２４側において、ラウンド数に対応するラウンド演出を開始させる際に利用される。
【０４４７】
次いで、大入賞口開放動作時間設定テーブルを取得し（ステップＳ５２３）、大入賞口開放動作時間設定処理を行う（ステップＳ５２４）。この大入賞口開放動作時間設定処理では、大入賞口開放動作時間設定テーブルを参照して、特別図柄判定データと現在のラウンド数とに応じた大入賞口開放動作時間を特別図柄役物動作タイマに格納する。
【０４４８】
（Ｔ−１９．大入賞口開放動作時間設定テーブル：図５３）
図５３に、大入賞口開放動作時間設定テーブルを示す。本実施形態の大入賞口開放動作時間設定テーブルには、図示のように、特別図柄判定データと現在のラウンド数とに関連付けられた大入賞口開放動作時間が定められている。具体的には、特別図柄判定データと現在のラウンド数とに対応した大入賞口開放動作時間が選択されるようになっている。ここで「大入賞口開放動作時間」とは、大入賞口の最大開放時間である。本実施形態では、バトル演出を採用している関係上、大入賞口の最大開放時間の違いにより大当り種別を遊技者に悟られてしまうことを回避するため、最大ラウンドが１５Ｒの大当りの場合には、前半部の６Ｒ目までは、すべて同じ時間幅の長開放時間の‘２９．８秒’が設定され、後半部の７Ｒ目以降は、１５Ｒ高ベース確変大当りを除き、短開放時間の‘０．１秒’が設定されるようになっている。
【０４４９】
なお本実施形態では、１５Ｒ低ベース非確変大当り、１５Ｒ低ベース確変α大当り、および１５Ｒ低ベース確変β大当りにおいて、後半部の７Ｒ目以降が同じ時間幅に設定されるとしたがこれに限られない。バトル演出の結果により大当り種別が秘匿状態とされるのは、「敗北演出（バトル演出結果「敗北」）」が現出される場合であり、このときの大当り種別は、１５Ｒ低ベース非確変大当りか、または１５Ｒ低ベース確変α大当りのいずれかとなっている（図４および図５参照）。したがって、これらの大当りにおいては、最大開放時間の違いにより大当り種別を遊技者に悟られてしまうことを回避するため、後半部の７Ｒ目以降をそれぞれ同じ時間幅に設定することが必要である。しかし、１５Ｒ低ベース確変β大当りの場合においては「引き分け演出（バトル演出結果「引き分け」）」が現出されて大当り種別が判明することになるので、後半部の７Ｒ目以降は、１５Ｒ低ベース非確変大当りや１５Ｒ低ベース確変α大当りにおける最大開放時間とは異なる時間を設定しても問題は無い。
【０４５０】
ステップＳ５２４の大入賞口開放動作時間設定処理を終えると、次いで、大入賞口入賞数カウンタに００Ｈを格納する（ゼロクリアする）。「大入賞口入賞数カウンタ」とは、大入賞口（下大入賞口４０および右大入賞口５０）の入賞球数を確認するために利用される。
【０４５１】
次いで、特別電動役物動作ステータスを「作動中（０２Ｈ）」に切り替え（ステップＳ５２６）（特別電動役物動作ステータスに０２Ｈを格納）、大入賞口開閉動作設定処理を行う（ステップＳ５２７）。この大入賞口開閉動作設定処理では、特別変動入賞装置４２の開閉扉４２ｂの動作パターンを定めるソレノイド制御用の励磁信号の出力設定データの作成を行う。以下に、この大入賞口開閉動作設定処理について説明する。
【０４５２】
（１１−２−１．大入賞口開閉動作設定処理：図５４）
図５４は、上記ステップＳ５２７の大入賞口開閉動作設定処理の詳細を示すフローチャートである。なお、この大入賞口開閉動作設定処理は、後述の図５８の特別電動役物作動中処理（ステップＳ５５２）においても同じ処理が行われる。
【０４５３】
図５４において、ＣＰＵ２０１は、まず大入賞口開閉動作設定テーブル選択テーブルを取得し（ステップＳ５３１）、大入賞口開閉動作設定テーブル選択テーブルを参照して、特別図柄判定データと現在のラウンド数とに応じた大入賞口開閉動作設定テーブルを取得する（ステップＳ５３２）。
【０４５４】
（Ｔ−２０．大入賞口開閉動作設定テーブル選択テーブル：図５５）
図５５に、大入賞口開放動作設定テーブル選択テーブルを示す。本実施形態の大入賞口開放動作設定テーブル選択テーブルには、図示のように、特別図柄判定データと現在のラウンド数とに関連付けられた大入賞口開閉動作設定テーブルが定められている。具体的には、特別図柄判定データと現在のラウンド数とに対応した大入賞口開閉動作設定テーブル（ＯＰＥＮＴＢＬ−Ｄ１〜ＯＰＥＮＴＢＬ−Ｄ４のうちいずれか１つ）が選択されるようになっている。なお上述の大入賞口開閉動作設定テーブルについては、説明の便宜上、後述の図５６のソレノイド設定処理にて説明する。
【０４５５】
次いで、特別図柄役物動作タイマを取得する（ステップＳ５３３）。なお、この特別電動役物作動開始処理においてステップＳ５３３を通過する場合、特別図柄役物動作タイマには、上記ステップＳ５２４で決定された大入賞口開放動作時間の初期値が設定されている。つまり、ここでの特別図柄役物動作タイマには、「２９８００ｍｓ」か「１００ｍｓ」のいずれかが設定されていることになる（ステップＳ５２１：ＹＥＳ〜ステップＳ５２４の処理ルート、図５５参照）。
【０４５６】
次いで、ソレノイド設定処理を行う（ステップＳ５３４）、このソレノイド設定処理では、大入賞口開閉動作設定テーブルに基づき、大入賞口の開閉動作を指定する。以下に、このソレノイド設定処理について説明する。
【０４５７】
（１１−２−２．ソレノイド設定処理：図５６）
図５６は、上記のステップＳ５３４のソレノイド設定処理の詳細を示すフローチャートである。ここで、ソレノイド設定処理の理解を容易なものとするために、上記大入賞口開閉動作設定テーブルについて説明しておく。
【０４５８】
（Ｔ−２１．大入賞口開閉動作設定テーブル：図５７）
図５７に、大入賞口開閉動作設定テーブルを示す。本実施形態の大入賞口開閉動作設定テーブルには、図示のように、大当り遊技に係る大入賞口の開放パターンを指定するために必要なデータ群が定められている。具体的には、特別電動役物Ｎ作動フラグ（Ｎ＝１、２）をＯＮ状態（＝５ＡＨ）に指定する指示データと、大入賞口開放用フラグＮ（Ｎ＝１、２）とに格納するためのデータが定められている。
【０４５９】
上記「大入賞口開放用フラグＮ」とは、大入賞口の開閉動作を指定するために利用されるフラグで、当該フラグがＯＮ状態（＝５ＡＨ）である場合にはソレノイド制御用の励磁信号出力（大入賞口開放）を指定し、当該フラグがＯＦＦ状態（＝００Ｈ）である場合には当該励磁信号出力停止（大入賞口閉鎖）を指定する。なお、大入賞口開放用フラグ１（Ｎ＝１）は下大入賞口ソレノイド４２ｃ（下大入賞口４０）側に対応し、大入賞口開放用フラグ２（Ｎ＝２）は右大入賞口ソレノイド５２ｃ（右大入賞口５０）側に対応する。また、図示の「タイマ値」とは、後述のステップＳ５３３で取得される特別図柄役物動作タイマのタイマ値を示し、図示のタイマ値に対応する「設定値」とは、大入賞口開放用フラグＮの設定値を示している。たとえば、「ＯＰＥＮＴＢＬ−Ｄ２」を代表例にとって説明すれば、特別図柄役物動作タイマが「２９８００ｍｓ」の場合、このときの設定値は「５ＡＨ」であるので、大入賞口開放用フラグ１に「５ＡＨ」が格納される。そして、特別図柄役物動作タイマが「０ｍｓ」となるまでは大入賞口開放用フラグ１に「５ＡＨ」が格納され、特別図柄役物動作タイマが「０ｍｓ」となった場合には、大入賞口開放用フラグ１に「００Ｈ」が格納されるように指定されている。なお、他のＯＰＥＮＴＢＬが参照される場合も設定の仕方は同じである。
【０４６０】
ここで設定された値は、ソレノイド制御データとして、図９のソレノイド管理処理（ステップＳ６４）で利用される。ソレノイド管理処理では、上記のソレノイド制御データとして、たとえば、大入賞口開放用フラグ１に「５ＡＨ」が格納されている場合には、下大入賞口ソレノイド４２ｃに励磁信号を出力し、これにより開放扉４２ｂを作動させて下大入賞口４０を開放させる。他方、大入賞口開放用フラグ１に「００Ｈ」が格納されている場合には、上記励磁信号の出力を停止し、これにより開放扉４２ｂを元の位置に戻して下大入賞口４０を閉鎖させる。このようにして、大入賞口４０、５０の開閉動作を制御している。
【０４６１】
なお、図５５の大入賞口開閉動作設定テーブル選択テーブルを参照すれば、ＯＰＥＮＴＢＬ−Ｄ１が選択される場合は、タイマ値が「１００ｍｓ」のときに「５ＡＨ」が、「０ｍｓ」のときには「００Ｈ」が大入賞口開放用フラグ１に格納されるよう指定されていることから、下大入賞口４０が短開放時間で開放（０．１秒間開放）されるようになっている。またＯＰＥＮＴＢＬ−Ｄ２が選択される場合は、タイマ値が「２９８００ｍｓ」のときに「５ＡＨ」が、「０ｍｓ」のときには「００Ｈ」が大入賞口開放用フラグ１に格納されるように指定されていることから、下大入賞口４０が長開放時間で開放（２９．８秒間開放）させるようになっている。またＯＰＥＮＴＢＬ−Ｄ３が選択される場合は、タイマ値が「１００ｍｓ」のときに「５ＡＨ」が、「０ｍｓ」のときには「００Ｈ」が大入賞口開放用フラグ２に格納されるように指定されていることから、右大入賞口５０が短開放時間で開放させるようになっている。またＯＰＥＮＴＢＬ−Ｄ４が選択される場合は、タイマ値が「２９８００ｍｓ」のときに「５ＡＨ」が、「０ｍｓ」のときには「００Ｈ」が大入賞口開放用フラグ２に格納されるように指定されていることから、右大入賞口５０が長開放時間で開放させるようになっている。
【０４６２】
図５６の説明に戻り、ＣＰＵ２０１は、まずステップＳ５３２で取得した大入賞口開閉動作設定テーブルを参照して、上記指示データにより指定される特別電動役物Ｎ作動フラグに５ＡＨを格納する（ステップＳ５４１）。
【０４６３】
次いで、大入賞口開閉動作設定テーブルを参照して、当該テーブルが示すタイマ値とステップＳ５３３で取得した特別図柄役物動作タイマとを比較し（ステップＳ５４２）、特別図柄役物動作タイマと当該テーブルが示すタイマ値とが一致した場合、大入賞口開放用フラグＮ（Ｎ＝１、２）に当該テーブルが示す設定値を格納する（ステップＳ５４３）。これによりソレノイド処理を抜けると、特別電動役物作動開始処理を抜け、図９のステップＳ６１の右打ち報知情報管理処理に進む。
【０４６４】
（１１−３．特別電動役物作動中処理：図５８）
図５８は、図４９の特別電動役物管理処理において、特別電動役物動作ステータスが「作動中（０２Ｈ）」の場合に行われる特別電動役物作動中処理（ステップＳ５０７）の詳細を示すフローチャートである。
【０４６５】
図５８において、ＣＰＵ２０１は、まず大入賞口最大入賞数確認処理を行う（ステップＳ５５１）。この大入賞口最大入賞数確認処理では、主に、大入賞口への入賞球が最大入賞数に達したか否かを確認するための処理である。この大入賞口最大入賞数確認処理の詳細は図５９にて後述する。
【０４６６】
上記の大入賞口最大入賞数確認処理を終えると、大入賞口開閉動作設定処理を行う（ステップＳ５５２）。この大入賞口開閉動作設定処理は、上記ステップＳ５２７の大入賞口開閉動作設定処理と処理の仕方は同じであるので、重複記載を避けるため詳細な説明は省略する。
【０４６７】
上記の大入賞口開閉動作設定処理を終えると、特別図柄役物動作タイマがゼロであるか否か、つまり大入賞口開放時間が経過したか否かを判定する（ステップＳ５５３）。上記特別図柄役物動作タイマがゼロになるまでの間は（ステップＳ５５３：ＮＯ）、何もしないでこの特別電動役物作動中処理を抜ける。
【０４６８】
一方、特別図柄役物動作タイマがゼロ（大入賞口開放時間終了）になったならば（ステップＳ５５３：ＹＥＳ）、今回のラウンド遊技における大入賞口が閉鎖されたとして、「ラウンド終了コマンド」を演出制御部２４に送信する（ステップＳ５５４）。このラウンド終了コマンドは、演出制御部２４側において、ラウンド数に応じたラウンド終了演出を現出する際に利用される。
【０４６９】
次いで、ラウンド遊技が終了した際の開放動作終了時の各種設定処理を行う（ステップＳ５５５）。この開放動作終了時の各種設定処理では、特別電動役物動作ステータスを「継続判定中（０３Ｈ）」に切り替え（特別電動役物動作ステータスに０３Ｈを格納）、特別図柄役物動作タイマに残存球排出時間（たとえば、１９８０ｍｓ）を格納する。
【０４７０】
なお本実施形態では、各ラウンド遊技後に設定される残存球排出時間がすべて同じ時間幅（１９８０ｍｓ）となっているがこれに限られない。上記残存球排出時間は、大入賞口の閉鎖後の大入賞口内の残存球を排出するための余裕時間として定めたものであることから、大入賞口の内部構造を考慮して、大入賞口内から遊技球が外部に排出されるまでに要する最大時間を見込んで設定されている。このため、複数種類の特別変動入賞装置を備える場合には、各々の特別変動入賞装置が備える大入賞口の開閉機構構造や、各々の大入賞口の内部構造（たとえば、遊技球が外部に排出されるまでの排出経路の長さ）など考慮し、一の大入賞口（たとえば、下大入賞口４０）の開閉動作を伴うラウンド遊技後に設定される残存球排出時間と、他の大入賞口（たとえば、右大入賞口５０）の開閉動作を伴うラウンド遊技後に設定される残存球排出時間とを異なる時間幅としても良い。また、ラウンド遊技が複数種類の動作態様に制御される場合にあっては、それぞれの動作態様に着目した残存球排出時間が設定されるように構成しても良い。たとえば、最大開放時間が短開放時間とするラウンド遊技後に設定される残存球排出時間と最大開放時間が長開放時間に設定されるラウンド遊技後に設定される残存球排出時間とを異なる時間幅としても良い。この場合、短開放時間とするラウンド遊技中は大入賞口への入賞の発生率が相対的に低い点に着目し、短開放時間とするラウンド遊技後に設定される残存球排出時間を相対的に短い時間幅としても良い。
【０４７１】
以上により、この特別電動役物作動中処理を抜けると、図９のステップＳ６１の右打ち報知情報管理処理に進む。
【０４７２】
（１１−３−１．大入賞口最大入賞数確認処理：図５９）
図５９は、上記ステップＳ５５１の大入賞口最大入賞数確認処理の詳細を示すフローチャートである。
【０４７３】
図５９において、ＣＰＵ２０１は、まず特別電動役物１作動フラグの状態と特別電動役物２作動フラグの状態とを順次判定する（ステップＳ５６１、Ｓ５６２）。上記特別電動役物１作動フラグと特別電動役物２作動フラグのいずれもがＯＦＦ状態（＝００Ｈ）の場合（ステップＳ５６１：≠５ＡＨ、かつステップＳ５６２：≠５ＡＨ）、つまり、特別変動入賞装置４２が作動中でもなく、特別変動入賞装置５２が作動中でもない場合、何もしないでこの大入賞口最大入賞数確認処理を抜ける。なお、ここでの「特別変動入賞装置４２が作動中でもなく、特別変動入賞装置５２が作動中でもない場合」とは、開放前インターバル時間中の場合である。
【０４７４】
上記特別電動役物１作動フラグおよび特別電動役物２作動フラグのいずれかがＯＮ状態（＝５ＡＨ）の場合（ステップＳ５６１：＝５ＡＨ、またはステップＳ５６１：≠５ＡＨ、かつステップＳ５６２：＝５ＡＨ）、大入賞口において入賞（入賞球）を検出したか否かを判定する（ステップＳ５６３）。
【０４７５】
大入賞口において入賞を検出した場合（ステップＳ５６３：ＹＥＳ）、入賞を検出した大入賞口に対応する大入賞口入賞カウンタを１加算する（ステップＳ５６４）。ここでは、下大入賞口４０において入賞を検出した場合には下大入賞口入賞カウンタに１加算し、右大入賞口５０において入賞を検出した場合には右大入賞口入賞カウンタに１加算する。
【０４７６】
上記加算後の大入賞口入賞カウンタが最大入賞数（たとえば、９個）に達したか否かを判定する（ステップＳ５６５）。最大入賞数に達した場合には（ステップＳ５６５：ＹＥＳ）、特別図柄役物動作タイマをクリアし（ステップＳ５６６）、大入賞口最大入賞数確認処理を抜け、最大入賞数に達していない場合には（ステップＳ５６５：ＮＯ）、何もしないで大入賞口最大入賞数確認処理を抜ける。
【０４７７】
以上により、この大入賞口最大入賞数確認処理を抜けると、図５８のステップＳ５５２の大入賞口開閉動作設定処理に進む。
【０４７８】
（１１−４．特別電動役物作動継続判定処理：図６０）
図６０は、図４９の特別電動役物管理処理において、特別電動役物動作ステータスが「継続判定中（０３Ｈ）」の場合に行われる特別電動役物作動継続判定処理（ステップＳ５０８）の詳細を示すフローチャートである。
【０４７９】
図６０において、ＣＰＵ２０１は、まず特別図柄役物動作タイマがゼロであるか否か、つまり大入賞口閉鎖後の残存球排出時間が経過したか否かを判定する（ステップＳ５７１）。
【０４８０】
上記特別図柄役物動作タイマがゼロになるまでの間は（ステップＳ５７１：ＮＯ）、何もしないでこの特別電動役物作動継続判定処理を抜ける
【０４８１】
一方、特別図柄役物動作タイマがゼロ（残存球排出時間経過）になったならば（ステップＳ５２１：ＹＥＳ）、連続回数カウンタを取得して現在のラウンド数が最大ラウンド数に達したか否かを判定する（ステップＳ５７２）。最大ラウンド数に達していない場合には（ステップＳ５７２：ＮＯ）、ラウンド遊技を継続させるための処理としてステップＳ５７３〜Ｓ５７６の処理（ラウンド継続処理）を行い、最大ラウンド数に達した場合には（ステップＳ５７２：ＹＥＳ）、ラウンド遊技継続を終了させるための処理としてステップＳ５７７〜Ｓ５８０の処理（ラウンド継続終了処理）を行う。
【０４８２】
（ラウンド継続処理ルート：ステップＳ５７３〜Ｓ５７６）
現在のラウンド数が最大ラウンド数に達していなければ（ステップＳ５７２：ＮＯ）、連続回数カウンタに１加算（０１Ｈを加算）する（ステップＳ５７３）。
【０４８３】
次いで、特別電動役物終了インターバル設定テーブルを取得し（ステップＳ５７４）、この特別電動役物終了インターバル設定テーブルを参照して、特別図柄判定データと加算後の連続回数カウンタとに応じた開放前インターバル時間を特別図柄役物動作タイマに格納する（ステップＳ５７５）。
【０４８４】
（Ｔ−２２．特別電動役物終了インターバル設定テーブル：図６１）
図６１に、特別電動役物終了インターバル設定テーブルを示す。本実施形態の特別電動役物終了インターバル設定テーブルには、図示のように、特別図柄判定データと連続回数カウンタとに関連付けられた開放前インターバル時間が定められている。具体的には、特別図柄判定データと現在の連続回数カウンタ（ステップＳ５７３の加算処理後の連続回数カウンタの値）とに対応した開放前インターバル時間が選択されるようになっている。
【０４８５】
なお、開放前インターバル時間に特に制限はないが、ラウンド遊技間のインターバル時間として設ける以上、その時間を極端に長い時間（たとえば、数秒程度）にしてしまうと、ラウンド遊技間の待ち時間が増加し、遊技者が煩わしく感じる可能性がある。また１５Ｒ分のラウンド遊技間では、合計数十秒〜１分近くも要することになり好ましくない。本実施形態の開放前インターバル時間は、２０ｍｓという短時間に設定されるが、これは、遊技球が実際に入賞口に入球して入賞検出スイッチのＯＮ信号が出力された場合、その出力時間（信号継続期間）は、入賞球の転動時間に長短があるものの最長で２０ｍｓ程度であることを考慮したものである。セルゴトによる過剰入賞の際の連続入賞や不正行為者が不正器具を用いてスイッチを誤作動させるような人為的な動作では、下大入賞口センサ４２ａまたは右大入賞口センサ５２ａからのＯＮ信号が頻繁に出力されることが予想される。したがって、開放前インターバル時間を適正なＯＮ信号の信号継続期間である２０ｍｓ程度に定めても、ラウンド遊技間の不正入賞を監視するに問題はないと考えられる。好ましくは、それよりも長時間である場合の方が不正行為を検出し易くなると考えられる。以上を踏まえ、開放前インターバル時間は、約２０ｍｓ〜数百ｍｓ程度の範囲で定めることが好ましい。ただし、大入賞口の形態（内部構造など）に応じて、残存球排出時間を比較的短時間としても良い場合がある。この場合は、「残存球排出時間≦開放前インターバル時間」としても良い。たとえば、ラウンド遊技間のインターバル時間が２０００ｍｓである場合、残存球排出時間を１０００ｍｓとし開放前インターバル時間を１０００ｍｓとしたり、残存球排出時間を５００ｍｓとし開放前インターバル時間を１５００ｍｓとしたりしても良い。
【０４８６】
なお本実施形態では、各ラウンド遊技後に設定される開放前インターバル時間がすべて同じ時間幅（２０ｍｓ）となっているがこれに限られない。ラウンド遊技の動作態様に着目し、最大開放時間（上記大入賞口開放動作時間）が長開放時間に設定されるラウンド遊技と、最大開放時間が短開放時間に設定されるラウンド遊技とで、異なる時間幅の開放前インターバル時間が設定されるように構成しても良い。また、大当り種別（特別図柄判定データ）に応じて、一の大当り遊技中のラウンド遊技と他の大当り遊技中のラウンド遊技とで異なる時間幅の開放前インターバル時間が設定されるように構成しても良い
【０４８７】
また複数種類の特別変動入賞装置を備える場合には、各々の特別変動入賞装置が備える大入賞口の開閉機構構造や各々の大入賞口の内部構造などに着目して次のように構成しても良い。なお、以下では説明の便宜上、一の大入賞口の開閉動作を伴うラウンド遊技後に設定される開放前インターバル時間幅を「Ｘｔ（ｍｓ）」、他の大入賞口の開閉動作を伴うラウンド遊技後に設定される開放前インターバル時間幅を「Ｙｔ（ｍｓ）」と称する。
【０４８８】
（１）「Ｘｔ≠Ｙｔ（Ｘｔ＞Ｙｔ、またはＸｔ＜Ｙｔ）の関係式を満たすようにしても良い。各々の特別変動入賞装置が備える大入賞口の開閉機構構造や各々の大入賞口の内部構造などを考慮した開放前インターバル時間としても良い。
【０４８９】
（２）一の大入賞口よりも他の大入賞口の方が不正行為を受け易いと想定される位置に設けられている場合、「Ｘｔ＜Ｙｔ」の関係式を満たすようにしても良い。不正行為を受け易い位置とは、たとえば、過去の事案からゴト行為がなされる可能性が高いと考えられる設置位置である。具体的には、遊技領域５ａ内にセル板やピアノ線を挿入し易い部分、たとえばガラス扉枠の６の左右側面中央部近傍（特に、下部側）からの距離が近い方の大入賞口が挙げられる。不正行為を受け易い位置側の大入賞口に関しては、開放前インターバル時間を相対的に長い時間幅とすることにより、不正入賞の監視をより強化なものとすることができる。なおここでは、不正行為を受け易いと想定される大入賞口側にだけ、開放前インターバル時間が設定されるように構成しても良い。具体的には、「Ｘｔ＝０、Ｙｔ≠０」としても良い。
【０４９０】
（３）一の大入賞口よりも他の大入賞口の方が不正行為を受け易いと想定される形態（形状または構造）を有する開閉部材により開閉される場合、「Ｘｔ＜Ｙｔ」の関係式を満たすようにしても良い。この場合も、不正行為を受け易い位置側の大入賞口に関しては、開放前インターバル時間を相対的に長い時間幅とすることにより、不正入賞の監視をより強化なものとすることができる。なおここでは、不正行為を受け易いと想定される大入賞口側にだけ、開放前インターバル時間が設定されるように構成しても良い。具体的には、「Ｘｔ＝０、Ｙｔ≠０」としても良い。
【０４９１】
（４）一の大入賞口に係る入賞球１個当りの賞球数よりも他の大入賞口に係る入賞球１個当りの賞球数が相対的に多い場合、「Ｘｔ＜Ｙｔ」の関係式を満たすようにしても良い。賞球数が相対的に多い大入賞口側に対して不正行為がなされた場合の損害が大きいことに鑑み、当該大入賞側の開放前インターバル時間を相対的に長い時間幅に設定する。これにより、不正入賞の監視をより強化なものとすることができる。なおここでは、入賞球１個当りの賞球数が相対的に多い上述の他の大入賞口側にだけ、開放前インターバル時間が設定されるように構成しても良い。具体的には、「Ｘｔ＝０、Ｙｔ≠０」としても良い。
【０４９２】
（５）一の大入賞口の開閉動作を伴うラウンド遊技の大入賞口の最大開放時間をＲ１ｔ、その後の残存球排出時間Ｚ１ｔとし、他の大入賞口の開閉動作を伴うラウンド遊技の大入賞口の最大開放時間をＲ２ｔ、その後の残存球排出時間Ｚ２ｔとし、「Ｘｔ≠Ｙｔ（Ｘｔ＞Ｙｔ、またはＸｔ＜Ｙｔ）」とする場合、次の関係式を満たすようにしても良い。
「Ｒ１ｔ＋Ｚ１ｔ＋Ｘｔ＝Ｒ２ｔ＋Ｚ２ｔ＋Ｙｔ」または「Ｚ１ｔ＋Ｘｔ＝Ｚ２ｔ＋Ｙｔ」
【０４９３】
再び図６０の説明に戻り、次いで、ラウンド継続時の各種設定処理を行う（ステップＳ５２６）。ここでは、今回のラウンド遊技が終了して、次のラウンド遊技を行うために要する各種設定処理として、特別電動役物１作動フラグに００Ｈ（ＯＦＦ状態）を格納し、特別電動役物２作動フラグに００Ｈ（ＯＦＦ状態）を格納し、特別電動役物動作ステータスを「作動開始処理中（０１Ｈ）」に切り替える（特別電動役物動作ステータスに０２Ｈを格納）。
【０４９４】
（ラウンド継続終了処理ルート：ステップＳ５７７〜Ｓ５８０）
現在のラウンド数が最大ラウンド数に達したならば（ステップＳ５７２：ＹＥＳ）、役物連続作動装置作動終了インターバル設定テーブルを取得し（ステップＳ５７７）、この役物連続作動装置作動終了インターバル設定テーブルを参照して、特別図柄判定データと加算後の連続回数カウンタとに応じた終了インターバル時間を特別図柄役物動作タイマに格納する（ステップＳ５７８）。
【０４９５】
（Ｔ−２３．役物連続作動装置作動終了インターバル設定テーブル：図６２）
図６２に、役物連続作動装置作動終了インターバル設定テーブルを示す。本実施形態の役物連続作動装置作動終了インターバル設定テーブルには、図示のように、特別図柄判定データに関連付けられた「終了インターバル時間」が定められている。ここで「終了インターバル時間」とは、最終ラウンドのラウンド遊技が終了して残存球排出時間が経過した後、大当り遊技が終了するまでのインターバル区間であって、ＥＤ（エンディング）演出が行われる区間を定めた時間幅を指す。なお、最終ラウンドのラウンド遊技が終了して残存球排出時間が経過した後は、開放前インターバル時間（２０ｍｓ）は設定されず、この終了インターバル時間が設定されるが、後述のステップＳ５２６により、当該終了インターバル時間の期間内は大入賞口入賞無効期間とされるようになっている。
【０４９６】
次いで、ラウンド終了時の各種設定処理を行う（ステップＳ５２６）。ここでは、大当り遊技を終了させるために要する各種設定処理として、特別電動役物１作動フラグに００Ｈ（ＯＦＦ状態）を格納し、特別電動役物２作動フラグに００Ｈ（ＯＦＦ状態）を格納し、特別電動役物動作ステータスを「終了処理中（０４Ｈ）」に切り替える（特別電動役物動作ステータスに０４Ｈを格納）。そして、演出制御コマンドとして、ＥＤ演出の開始を指示する「大当り終了コマンド」を演出制御部２４に送信する（ステップＳ５８０）。この大当り終了コマンドは、今回の大当り種別情報と大当り当選時の遊技状態情報とを含み、演出制御部２４側において大当り遊技後の演出モードを決定する際にも利用される。大当り遊技後の遊技状態は、今回の大当り種別と大当り当選時の遊技状態とに基づき決定されるため、遊技状態と演出モードとの整合性を取るために、大当り遊技後に移行される演出モードも今回の大当り種別と大当り当選時の遊技状態とに基づき決定されるようになっている。たとえば、今回の大当りが２Ｒ低ベース確変大当りであり、その大当り当選時の遊技状態が確変状態（確変状態Ａまたは確変状態Ｂもしくは確変状態Ｃ）であれば、演出モードは「高速変動演出モード」に移行される（遊技状態が確変状態Ｂに移行されることになるため）。
【０４９７】
以上により、この特別電動役物作動継続判定処理を抜けると、図９のステップＳ６１の右打ち報知情報管理処理に進む。
【０４９８】
（１１−５．大当り終了処理：図６３）
図６３は、図４９の特別電動役物管理処理において、特別電動役物動作ステータスが「大当り終了処理中（０４Ｈ）」の場合に行われる大当り終了処理（ステップＳ５０９）の詳細を示すフローチャートである。
【０４９９】
図６３において、ＣＰＵ２０１は、特別図柄役物動作タイマがゼロであるか否か、つまり上記のステップＳ５７８で設定された「終了インターバル時間」が経過したか否かを判定する（ステップＳ５９１）。特別図柄役物動作タイマがゼロになるまでは（ステップＳ５９１：ＮＯ）、何もしないでこの大当り終了処理を抜ける。
【０５００】
特別図柄役物動作タイマがゼロ（終了インターバル時間経過）になったならば（ステップＳ５９１：ＹＥＳ）、大当り終了時の各種設定の一環として、図３５の遊技状態移行準備処理のステップＳ４３３で設定した各移行状態バッファの値を各状態フラグに格納する（ステップＳ５９２）。具体的には、移行状態バッファの各々の値を、遊技状態を指定するための、普電役物開放延長状態フラグ、普通図柄時短状態フラグ、普通図柄確変状態フラグ、特別図柄時短状態フラグ、特別図柄確変状態フラグ、特別図柄時短回数カウンタ、特別図柄確変回数カウンタ、変動パターン振分指定番号、および特別図柄変動回数カウンタにそれぞれ格納する。これにより、大当り遊技後の遊技状態が所定の遊技状態（本実施形態では、確変状態Ａ、確変状態Ｂ、または確変状態Ｃ、もしくは時短状態）に移行されることになる。
【０５０１】
続いて、大当り終了時の各種設定処理を行う（ステップＳ５９３）。ここでは、大当り遊技制御処理中に利用した各種のデータとして、条件装置作動フラグ、役物連続作動装置作動フラグ、連続回数カウンタ、最大ラウンド数、普通電役物開放延長状態バッファ、普通図柄時短移行状態バッファ、普通図柄確変移行状態バッファ、特別図柄時短状態移行状態バッファ、特図確変移行状態バッファ、特図時短回数カウンタバッファ、特図確変回数カウンタバッファ、変動パターン振分指定番号バッファ、特図変動回数カウンタバッファ、ラウンド表示ＬＥＤ番号、および遊技状態判定番号（ＹＪ）をそれぞれクリア（００Ｈを格納）し、特別電動役物動作ステータスを「開始処理中（００Ｈ）」に切り替える（特別電動役物動作ステータスに００Ｈを格納）。なおステップＳ５９３の処理において、今回の大当り遊技の際に利用された特別図柄判定データはクリアされないようになっているが、この特別図柄判定データについては（図５２のステップＳ５２４参照）、今回の大当り遊技が終了した後に図３２の特別図柄変動開始処理において特別図柄作成処理が行われた際（ステップＳ４２８の特別停止図柄データ作成処理（図３４）が行われた際）、新たな特別図柄判定データがＲＡＭ２０３（特別図柄判定データ記憶領域）に上書きされるようになっているため問題はない。このようにすることで、大当り遊技終了時に特別図柄判定データをクリアするために要するプログラム量を削減することができる。勿論、処理の関係上、必要であるならば、ステップＳ５９３の処理において、特別図柄判定データをクリアし、新たな特別図柄判定データが作成されたときに、その作成された特別図柄判定データをＲＡＭ２０３（特別図柄判定データ記憶領域）に格納する処理構成とすることができる。また各移行状態バッファについては、ステップＳ５９３の処理において各移行状態バッファの値をクリアしない構成とすることができる。この場合、今回の大当り遊技が終了した後、図３２の特別図柄変動開始処理において遊技状態移行準備処理が行われた際（遊技状態移行準備処理のステップＳ４３３の処理（図３５参照）が行われた際）、新たな移行状態バッファの値を上書きする処理構成とすれば良い。各移行状態バッファは、ステップＳ５９２の処理で利用されるだけであるからである。このようにすることで、大当り遊技終了時に各移行状態バッファをクリアするために要するプログラム量を削減することができる。
【０５０２】
そして、遊技状態報知情報を更新する遊技状態報知情報更新処理を行い（ステップＳ５９４）、大当り終了処理を抜ける。ここでの処理は、特別図柄時短状態フラグがＯＮ状態（＝５ＡＨ）かＯＦＦ状態（≠５ＡＨ）かを確認し、ＯＮ状態の場合、遊技状態報知ＬＥＤを点灯させるデータ、具体的には、遊技状態報知ＬＥＤ出力番号に０１Ｈを格納するこれにより、大当り遊技に関する一連の制御処理が終了したことになる。
【０５０３】
以上により、この大当り終了処理を抜けると、図９のステップＳ６１の右打ち報知情報管理処理に進む。
【０５０４】
＜動作例１＞
ここで図６４〜図６６を参照しながら、大当り遊技制御処理の動作について、１５Ｒを伴う大当りと２Ｒ低ベース確変大当りとにおける大当り遊技制御処理の動作について説明する。
【０５０５】
まず図６４および図６５を参照して、１５Ｒ系の大当りに係る大当り遊技制御処理の動作について説明する。ここでは、１５Ｒ系の大当りとして、１５Ｒ高ベース確変大当りを代表例にとって説明する。なお、図６４では、大当り開始直前〜２Ｒ目の前半までの動作を代表例として、図６５では、１４Ｒ目の後半〜大当り遊技終了までの動作を代表例として示している。
【０５０６】
まず図６４を参照して、大当り（ここでは、１５Ｒ高ベース確変大当り）を示す特別図柄が時刻Ｔ１で停止して確定表示時間ｔ１を経過すると（時刻Ｔ２）大当り遊技開始となる。そこで、ＣＰＵ２０１は、大当り判定フラグをＯＦＦ状態（＝００Ｈ）にするとともに、条件装置作動フラグをＯＮ状態（＝５ＡＨ）にして、役物連続作動装置作動の作動条件を成立させる（ステップＳ４６５）。これにより役物連続作動装置作動フラグがＯＮ状態（＝５ＡＨ）となり、ラウンド遊技実行条件が整ったことになる。そして、最大ラウンド数（１５Ｒ）や開始インターバル時間ｔ２（１００００ｍｓ）などを設定する（図５０、図５３参照）。
【０５０７】
時刻Ｔ２から開始インターバル時間ｔ２を経過すると（時刻Ｔ３）、ＣＰＵ２０１は、大入賞口開放動作時間ｔＲ（２９８００ｍｓ）を設定するとともに、特別電動役物１作動フラグと大入賞口開放用フラグ１とをＯＮ状態（＝５ＡＨ）にし、これにより下大入賞口４０を開放させて、１Ｒ目のラウンド遊技を開始させる（図５２参照）。なお、特別電動役物２作動フラグおよび大入賞口開放用フラグ２は、後半部の７Ｒ目のラウンド遊技が開始されるまで、ＯＦＦ状態（＝００Ｈ）となっている（図５２〜図５７参照）。
【０５０８】
ここで、大入賞口開放動作時間ｔＲの期間内（時刻Ｔ３〜Ｔ４）に下大入賞口４０に係る入賞球数が最大入賞数に達していなかったとする（以下、後述の図６５〜図６６においても最大入賞数に達していなかった例を説明する）。この場合は、図示のように、大入賞口開放動作時間ｔＲが経過した後（時刻Ｔ４）、大入賞口開放用フラグ１をＯＦＦ状態（＝００Ｈ）にして下大入賞口４０を閉鎖させ１Ｒ目のラウンド遊技を終了させるとともに、残存球排出時間ｔ３を設定する（図５８参照）。ただし、大入賞口開放動作時間ｔＲの期間内に下大入賞口４０に係る入賞球数が最大入賞数に達した場合は、大入賞口開放動作時間ｔＲの経過を待たずに下大入賞口４０が閉鎖される。
【０５０９】
そして下大入賞口４０が閉鎖してから上記残存球排出時間ｔ３が経過すると（時刻Ｔ５）、ＣＰＵ２０１は、特別電動役物１作動フラグをＯＦＦ状態（＝００Ｈ）にし、ラウンド遊技間の開放前インターバル時間ｔ４（２０ｍｓ）を設定する（図６０参照）。
【０５１０】
上記開放前インターバル時間ｔ４が経過すると（時刻Ｔ６）、大入賞口開放動作時間ｔＲ（２９８００ｍｓ）を設定するとともに、特別電動役物１作動フラグと大入賞口開放用フラグ１とをＯＮ状態（＝５ＡＨ）にし、これにより下大入賞口４０を開放して、２Ｒ目のラウンド遊技を開始させる（図５２〜図５７、図６０参照）。以降、同様にして６Ｒ目までは下大入賞口４０に係るラウンド遊技が実行され、７Ｒ目から最終ラウンドの１５Ｒ目までは、右大入賞口５０に係るラウンド遊技が実行されることになる。
【０５１１】
次に図６５を参照して、１４Ｒ目の後半〜大当り遊技終了までの動作を説明する。
【０５１２】
１４Ｒ目における大入賞口開放動作時間ｔＲが経過して右大入賞口５０が閉鎖され(時刻Ｔ７)、残存球排出時間ｔ３と開放前インターバル時間ｔ４とが経過すると（時刻Ｔ９）、最終ラウンドの１５Ｒ目のラウンド遊技を開始させるために、ＣＰＵ２０１は、大入賞口開放動作時間ｔＲを設定するとともに、特別電動役物２作動フラグと大入賞口開放用フラグ２とをＯＮ状態（＝５ＡＨ）にし、右大入賞口５０を開放させて、１５Ｒ目のラウンド遊技を開始させる（図５２〜図５７、図６０参照）。なお、特別電動役物１作動フラグおよび大入賞口開放用フラグ１は、前半部の６Ｒ目のラウンド遊技が終了して残存球排出時間経過後から、ＯＦＦ状態（＝００Ｈ）となっている（図５２〜図５７参照）。
【０５１３】
そして上記の大入賞口開放動作時間ｔＲが経過すると（時刻Ｔ１０）、ＣＰＵ２０１は、大入賞口開放用フラグ２をＯＦＦ状態（＝００Ｈ）にして右大入賞口５０を閉鎖させ１５Ｒ目のラウンド遊技を終了させるとともに、残存球排出時間ｔ３を設定する（図５８参照）。
【０５１４】
上記右大入賞口５０が閉鎖してから残存球排出時間ｔ３が経過すると（時刻Ｔ１１）、ＣＰＵ２０１は、特別電動役物２作動フラグをＯＦＦ状態（＝００Ｈ）にし、終了インターバル時間ｔ６を設定する（図６０参照）。この終了インターバル時間ｔ６が経過すると（時刻Ｔ１２）、大当り遊技中に用いた条件装置作動フラグや役物連続作動装置作動フラグなどをＯＦＦ状態（００Ｈ）にする。これにより今回の大当り遊技に関する一連の制御処理が終了したことになる。その後、作動保留球が存在すれば、新たな特別図柄の変動が開始される（図１４のステップＳ３０４：≠５ＡＨの処理ルート）。
【０５１５】
（大入賞口入賞無効期間ｔＳについて）
上記特別電動役物Ｎ作動フラグ（Ｎ＝１、２）設定状態を参照すれば、大入賞口入賞無効期間は、大当り遊技開始前後の期間（特別図柄の変動表示が許容される期間）は勿論のこと、（１）大当り遊技が発生してから１Ｒ目のラウンド遊技が開始されるまで区間である開始インターバル時間ｔ２の期間（時刻Ｔ２〜時刻Ｔ３）と、（２）ラウンド遊技間開始待ちの区間である開放前インターバル時間ｔ４の期間（時刻Ｔ５〜時刻Ｔ６、時刻Ｔ８〜時刻Ｔ９）と、（３）最終ラウンドのラウンド遊技が終了して残存球排出時間が経過した後の終了インターバル時間ｔ６の期間（時刻Ｔ１１〜時刻Ｔ１２）となっている。これらの期間に、下大入賞口４０および右大入賞口５０に入賞しても、その入賞は不正入賞として扱われる（図１１、図１３参照）。
【０５１６】
（２Ｒ低ベース確変大当り）
次に、２Ｒ低ベース確変大当りに係る大当り遊技制御処理の動作について説明する。この２Ｒ低ベース確変大当りに係る大当り遊技制御処理が上述した１５Ｒ高ベース確変大当りに係る大当り遊技制御処理と大きく異なる点は、短開放時間とするラウンド遊技を２ラウンド行う点である。それ以外の点については実質的に同じ制御であるので、重複記載を避けるため適宜省略して説明する。また同じ機能を果たす要素については、同じ符号を付してある。
【０５１７】
図６６を参照して、大当り（２Ｒ低ベース確変大当り）を示す特別図柄が時刻Ｔ２１で停止して確定表示時間ｔ１を経過すると（時刻Ｔ２２）大当り遊技開始となる。
【０５１８】
時刻Ｔ２２から開始インターバル時間ｔ２（１０００ｍｓ）を経過すると（時刻Ｔ２３）、ＣＰＵ２０１は、大入賞口開放動作時間ｔＲ（１００ｍｓ）を設定するとともに、特別電動役物１作動フラグと大入賞口開放用フラグ１とをＯＮ状態（＝５ＡＨ）にし、これにより下大入賞口４０を開放させて、１Ｒ目のラウンド遊技を開始させる。なお、特別電動役物２作動フラグおよび大入賞口開放用フラグ２は、今回の大当り遊技が終了されるまでＯＦＦ状態（＝００Ｈ）となっている。
【０５１９】
本例では、大入賞口開放動作時間ｔＲの期間内（時刻Ｔ２３〜Ｔ２４）に下大入賞口４０に係る入賞球数が最大入賞数に達していなかったケースを考えているので、大入賞口開放動作時間ｔＲが経過した後（時刻Ｔ２４）、大入賞口開放用フラグ１をＯＦＦ状態（＝００Ｈ）にして下大入賞口４０を閉鎖させ１Ｒ目のラウンド遊技を終了させるとともに、残存球排出時間ｔ３を設定する。
【０５２０】
そして下大入賞口４０が閉鎖してから上記残存球排出時間ｔ３が経過すると（時刻Ｔ２５）、ＣＰＵ２０１は、特別電動役物１作動フラグをＯＦＦ状態（＝００Ｈ）にし、ラウンド遊技間の開放前インターバル時間ｔ４（２０ｍｓ）を設定する。
【０５２１】
上記開放前インターバル時間ｔ４が経過すると（時刻Ｔ２６）、１Ｒ目と同様の大入賞口の開放パターンで２Ｒ目のラウンド遊技を開始させる。その後、２Ｒ目における大入賞口開放動作時間ｔＲが経過して下大入賞口４０が閉鎖され(時刻Ｔ２７)、残存球排出時間ｔ３が経過すると（時刻Ｔ２８）、ＣＰＵ２０１は、大入賞口開放用フラグ１をＯＦＦ状態（＝００Ｈ）にして下大入賞口４０を閉鎖させ２Ｒ目のラウンド遊技を終了させるとともに、残存球排出時間ｔ３を設定する。
【０５２２】
上記の残存球排出時間ｔ３が経過すると（時刻Ｔ２８）、ＣＰＵ２０１は、特別電動役物１作動フラグをＯＦＦ状態（＝００Ｈ）にし、終了インターバル時間ｔ６を設定する。この終了インターバル時間ｔ６が経過すると（時刻Ｔ２９）、大当り遊技中に用いた条件装置作動フラグや役物連続作動装置作動フラグなどをＯＦＦ状態（００Ｈ）にする。これにより今回の大当り遊技に関する一連の制御処理が終了したことになる。その後、作動保留球が存在すれば、新たな特別図柄の変動が開始される。
【０５２３】
（大入賞口入賞無効期間ｔＳについて）
上記特別電動役物Ｎ作動フラグ（Ｎ＝１、２）設定状態を参照すれば、２Ｒ低ベース確変大当りの場合も、上述した１５Ｒ高ベース確変大当りと場合と同様に、大入賞口入賞無効期間は、大当り遊技開始前後の期間（特別図柄の変動表示が許容される期間）は勿論のこと、（１）開始インターバル時間ｔ２の期間（時刻Ｔ２２〜時刻Ｔ２３）と、（２）開放前インターバル時間ｔ４の期間（時刻Ｔ２５〜時刻Ｔ２６）と、（３）終了インターバル時間ｔ６の期間（時刻Ｔ２８〜時刻Ｔ２９）となっている。
【０５２４】
＜小当り遊技制御処理＞
（１１−６．小当り処理：図６７）
次に、図６７を参照して、小当り遊技制御処理について説明する。図６７は、図４９の特別電動役物管理処理において、小当り中フラグがＯＮ状態（＝５ＡＨ）の場合に行われる小当り処理（ステップＳ５０４）の詳細を示すフローチャートである。
【０５２５】
図６７において、ＣＰＵ２０１は、まず特別電動役物動作ステータスが「作動中（０２Ｈ）」であるか否かを判定する（ステップＳ６０１）。
【０５２６】
特別電動役物動作ステータスが「作動中（０２Ｈ）」でない場合には（ステップＳ６０１：≠０２Ｈ）、ステップＳ６０３の判定処理に進み、特別電動役物動作ステータスが「作動中（０２Ｈ）」である場合には（ステップＳ６０１：＝０２Ｈ）、大入賞口最大入賞数確認処理を行った後（ステップＳ６０２）、ステップＳ６０３の判定処理に進む。このステップＳ６０２の大入賞口最大入賞数確認処理は、図５８の特別電動役物作動中処理におけるステップＳ５５１の大入賞口最大入賞数確認処理と同じ処理の仕方であるので、重複記載を避けるため詳細な説明は省略する。
【０５２７】
ステップＳ６０３の処理に進むと、特別図柄役物動作タイマがゼロか否かを判定する（ステップＳ６０３）。特別図柄役物動作タイマがゼロになるまでの間は（ステップＳ６０３：ＮＯ）、ステップＳ６０６の判定処理に進む。特別図柄役物動作タイマがゼロになったならば（ステップＳ６０３：ＹＥＳ）、小当り中コマンド送信処理を行う（ステップＳ６０４）。この小当り中コマンド送信処理では、特別電動役物動作ステータスに応じた演出制御コマンドを演出制御部２４に送信する。具体的には、特別電動役物動作ステータスが開始処理中（００Ｈ）の場合には、小当り遊技中のＯＰ演出開始を指示する「小当り開始コマンド」を、継続判定中（０３Ｈ）の場合には、小当り中のＥＤ演出開始を指示する「小当り終了コマンド」を、これら以外であれば、何も送信せずに処理を抜ける。
【０５２８】
ステップＳ６０４の小当り中コマンド送信処理を終えると、特別電動役物動作ステータス別処理に入る（ステップＳ６０５）。ここでは、特別電動役物動作ステータスに応じた処理が行われる。この特別電動役物動作ステータス別処理についての詳細は、図６９にて後述する。
【０５２９】
ステップＳ６０５の特別電動役物動作ステータス別処理を終えると、特別電動役物動作ステータスが「作動中（０２Ｈ）」であるか否かを判定する（ステップＳ６０６）。
【０５３０】
特別電動役物動作ステータスが「作動中（０２Ｈ）」でない場合には（ステップＳ６０６：≠０２Ｈ）、何もしないでこの小当り処理を抜ける。
【０５３１】
特別電動役物動作ステータスが「作動中（０２Ｈ）」である場合には（ステップＳ６０６：＝０２Ｈ）、小当り開閉動作設定テーブルを取得するとともに（ステップＳ６０７）、特別図柄役物動作タイマを取得し（ステップＳ６０９）、続いて、ソレノイド設定処理を行う（ステップＳ６０９）。このソレノイド設定処理は、図５２の特別電動役物作動開始処理における大入賞口開閉動作設定処理中のステップＳ５３４のソレノイド設定処理と同じ処理の仕方が、後述の小当り開閉動作設定テーブルに基づき大入賞口（下大入賞口４０）の開閉動作が制御される点が異なる。なお、他の処理の仕方は同じであるため、ソレノイド設定処理内容についての説明は、重複記載を避けるために省略する。
【０５３２】
（Ｔ−２４．小当り開閉動作設定テーブル：図６８）
図６９に、小当り開閉動作設定テーブルを示す。本実施形態の小当り開閉動作設定テーブルは、図示のように、小当り遊技に係る大入賞口の開放パターンを指定するために必要なデータ群が定められており、テーブルの基本的構成は、図５７の大入賞口開閉動作設定テーブルと同じである。
【０５３３】
小当り遊技時に利用されるＯＰＥＮＴＢＬ−Ｄ５では、特別電動役物１作動フラグをＯＮ状態（＝５ＡＨ）に指定する指示データと、大入賞口開放用フラグ１とに格納するためのデータが定められており、またタイマ値が「２２００ｍｓ」のときに「５ＡＨ」が、「２１００ｍｓ」のときには「００Ｈ」が、「１００ｍｓ」のときに「５ＡＨ」が、「０ｍｓ」のときには「００Ｈ」が、大入賞口開放用フラグ１に格納されるよう指定されていることから、下大入賞口４０の開閉動作は、０．１間開放した後、２秒間閉鎖し、再び０．１秒間開放した後、閉鎖する、といった内容となる。また後述するが、小当り中のＯＰ演出時間には１秒間が、ＥＤ演出時間には５秒間が設けられている。これにより、小当り遊技中の下大入賞口４０の開放パターンは、２Ｒ低ベース確変大当り遊技中の下大入賞口４０の開放パターンと実質的に同一の動作態様で開閉制御されるようになっている（図６６、後述の図７０参照）。
【０５３４】
上記ステップＳ６０９のソレノイド処理を終えると、小当り処理を抜けて、図９のステップＳ６１の右打ち報知情報管理処理に進む。
【０５３５】
（１１−６−１．特別電動役物動作ステータス別処理：図６９）
図６９は、特別電動役物動作ステータス別処理（ステップＳ６０５）の詳細を示すフローチャートである。
【０５３６】
図６９において、ＣＰＵ２０１は、まず特別電動役物動作ステータス分岐処理（ステップＳ６１１）において、特別電動役物動作ステータスが開始処理中（００Ｈ）〜終了処理中（０６Ｈ）のいずれであるかに応じて処理を分岐させる。特別電動役物動作ステータスが開始処理中（００Ｈ）の場合は小当り開始処理（ステップＳ６１２）を、作動開始処理中（０１Ｈ）の場合は小当り特別電動役物作動開始処理（ステップＳ６１３）を、作動中（０３Ｈ）の場合は小当り特別電動役物作動中処理（ステップＳ６１４）を、継続判定中（０４Ｈ）の場合は小当り継続判定処理（ステップＳ６１５）を、終了処理中（０４Ｈ）の場合は小当り終了処理（Ｓ６１６）を行う。
【０５３７】
（１１−６−２．小当り開始処理：ステップＳ６１２）
小当り遊技開始時には、特別電動役物動作ステータスが「開始処理中（００Ｈ）」となっている。したがって、特別電動役物動作ステータス別処理において、ＣＰＵ２０１は、まず、ステップＳ６１２の小当り処理を開始する。この小当り開始処理では、特別図柄役物動作タイマに「作動前インターバル時間」を格納し、特別電動役物動作ステータスを「作動開始処理中（０１Ｈ）」に切り替える（特別電動役物動作ステータスに０１Ｈを格納）。上記「作動前インターバル時間」とは、図４７のステップＳ４５３の確定表示時間が経過して大当りが確定した後、実際に特別変動入賞装置４２の動作が開始するまでのインターバル区間であって、ＯＰ（オープニング）演出が行われる区間を定めた時間幅を指す。ここでは、２Ｒ低ベース確変大当りの開始インターバル時間の同じ時間幅である「１０００ｍｓ」が特別図柄役物動作タイマに格納される（図５１の役物連続作動装置作動開始時設定テーブル「２Ｒ低ベース確変」の欄参照）。
【０５３８】
（１１−６−３．小当り特別電動役物作動開始処理：ステップＳ６１３）
上記作動前インターバル時間が経過して（ステップＳ６０３：ＹＥＳ）、特別電動役物動作ステータス別処理に入った場合、特別電動役物動作ステータスが「作動開始処理中（０１Ｈ）」であることから、ＣＰＵ２０１は、ステップＳ６１３の小当り特別電動役物作動開始処理を行う。この小当り特別電動役物作動開始処理では、大入賞口入賞数カウンタに００Ｈを格納し（ゼロクリアする）、特別図柄役物動作タイマに大入賞口作動時間（２２００ｍｓ）を格納し、特別電動役物動作ステータスを「作動中（０２Ｈ）」に切り替える（特別電動役物動作ステータスに０２Ｈを格納）。なお、特別図柄役物動作タイマがゼロ、つまり大入賞口作動時間（２２００ｍｓ）が経過、あるいは最大入賞数に達して特別図柄役物動作タイマがクリアされるまでは（ステップＳ６０２、ステップＳ６０３：ＮＯ）、ステップＳ６０６〜Ｓ６０９の処理が行われ、下大入賞口４０が図６８の小当り開閉動作設定テーブル（ＯＰＥＮＴＢＬ−Ｄ５）に基づき、所定のパターンで開放制御される。
【０５３９】
（１１−６−４．小当り特別電動役物作動中処理：ステップＳ６１４）
上記大入賞口作動時間が経過して（ステップＳ６０３：ＹＥＳ）、特別電動役物動作ステータス別処理に入った場合、特別電動役物動作ステータスが「作動開始処理中（０２Ｈ）」であることから、ＣＰＵ２０１は、ステップＳ６１４の小当り特別電動役物作動中処理を行う。この小当り特別電動役物作動中処理では、大入賞口開放用フラグ１に００Ｈ（ＯＦＦ状態）を格納し、特別図柄役物動作タイマに残存球排出時間（１９８０ｍｓ）を格納し、特別電動役物動作ステータスを「継続判定中（０３Ｈ）」に切り替える（特別電動役物動作ステータスに０３Ｈを格納）。
【０５４０】
（１１−６−５．小当り継続判定処理：ステップＳ６１５）
上記残存球排出時間が経過して（ステップＳ６０３：ＹＥＳ）、特別電動役物動作ステータス別処理に入った場合、特別電動役物動作ステータスが「継続判定中（０３Ｈ）」であることから、ＣＰＵ２０１は、ステップＳ６１５の小当り継続判定処理を行う。この小当り継続判定処理では、特別電動役物１作動フラグに００Ｈ（ＯＦＦ状態）を格納し、特別図柄役物動作タイマに「小当り終了インターバル時間（５０００ｍｓ）」を格納し、特別電動役物動作ステータスを「終了処理中（０４Ｈ）」に切り替える（特別電動役物動作ステータスに０４Ｈを格納）。ここで上記「小当り終了インターバル時間」とは、下大入賞口４０が閉鎖して残存球排出時間が経過した後、小当り遊技が終了するまでインターバル区間であって、ＥＤ演出が行われる区間を定めた時間幅を指す。ここでは、２Ｒ低ベース確変大当りの終了インターバル時間の同じ時間幅である「５０００ｍｓ」が特別図柄役物動作タイマに格納される（図６２の役物連続作動装置作動終了インターバル設定テーブル「２Ｒ低ベース確変」の欄参照）。
【０５４１】
（１１−６−６．小当り終了処理：ステップＳ６１５）
上記小当り終了インターバル時間が経過して（ステップＳ６０３：ＹＥＳ）、特別電動役物動作ステータス別処理に入った場合、特別電動役物動作ステータスが「終了処理中（０４Ｈ）」であることから、ＣＰＵ２０１は、ステップＳ６１６の小当り終了処理を行う。この小当り終了処理では、小当り終了時の各種設定処理として、小当り中フラグに００Ｈ（ＯＦＦ状態）を格納し、特別電動役物動作ステータスを「開始処理中（００Ｈ）」に切り替える（特別電動役物動作ステータスに００Ｈを格納）。これにより、小当り遊技に関する一連の制御処理が終了したことになる。
【０５４２】
＜動作例２＞
ここで図７０を参照しながら、小当り遊技制御処理の動作について説明する。
【０５４３】
小当当りを示す特別図柄が時刻Ｔ３１で停止して確定表示時間ｔ１を経過すると（時刻Ｔ３２）小当当り遊技開始となる。そこで、ＣＰＵ２０１は、小当り判定フラグをＯＦＦ状態（＝００Ｈ）にするとともに小当りフラグをＯＮ状態（＝５ＡＨ）にして、作動前インターバル時間ｔ８（１０００ｍｓ：２Ｒ低ベース確変大当り時の開始インターバル時間と同じ時間幅）を設定する（ステップＳ４６７、Ｓ６１２）。小当り遊技は、条件装置が作動する大当りではないので、条件装置作動フラグや役物連続作動装置作動はＯＦＦ状態（＝００Ｈ）のままである。かくして、小当り遊技実行条件が整ったことになる。
【０５４４】
上記作動前インターバル時間ｔ８を経過すると（時刻Ｔ３３）、ＣＰＵ２０１は、大入賞口開放動作時間ｔＲ（２２００ｍｓ：２Ｒ低ベース確変大当りの時刻Ｔ２３〜時刻Ｔ２７と同じ時間幅）を設定するとともに、特別電動役物１作動フラグと大入賞口開放用フラグ１とをＯＮ状態（＝５ＡＨ）にし、これにより下大入賞口４０を開放させさる（図６７のステップＳ６０５〜Ｓ６０９、図６９のＳ６１３参照）。なお、特別電動役物２作動フラグおよび大入賞口開放用フラグ２は、今回の小当り遊技が終了されるまでＯＦＦ状態（＝００Ｈ）となっている。小当り遊技中の下大入賞口４０は、図示のように、大入賞口開放用フラグ１の状態が同じ遷移状態となる。これにより、疑似的な２Ｒ低ベース確変大当り遊技を実現している。
【０５４５】
本例では、上記大入賞口開放動作時間ｔＲの期間内（時刻Ｔ３３〜Ｔ３６）に下大入賞口４０に係る入賞球数が最大入賞数に達していなかったケースを考えているので、大入賞口開放動作時間ｔＲが経過した後（時刻Ｔ３６）、大入賞口開放用フラグ１をＯＦＦ状態（＝００Ｈ）にして下大入賞口４０の開閉動作を終了させるとともに、残存球排出時間ｔ３（１９８０ｍｓ）を設定する（図６７のステップＳ６０５〜Ｓ６０９、図６９のＳ６１４参照）。
【０５４６】
そして下大入賞口４０が閉鎖してから上記残存球排出時間ｔ３が経過すると（時刻Ｔ３７）、ＣＰＵ２０１は、特別電動役物１作動フラグをＯＦＦ状態（＝００Ｈ）にし、小当り終了インターバル時間ｔ９（５０００ｍｓ：２Ｒ低ベース確変大当り時の終了インターバル時間と同じ時間幅）を設定する（図６９のステップＳ６１５）。
【０５４７】
この小当り終了インターバル時間ｔ９が経過すると（時刻Ｔ３８）、小当当り遊技中に用いた小当り中フラグをＯＦＦ状態（００Ｈ）にする（図６９のステップＳ６１６）。これにより今回の大当り遊技に関する一連の制御処理が終了したことになる。その後、作動保留球が存在すれば、新たな特別図柄の変動が開始される（ステップＳ３０４：≠５ＡＨの処理ルート）。
【０５４８】
（小当り遊技中の大入賞口入賞無効期間ｔＳについて）
上記特別電動役物１作動フラグの設定状態を参照すれば、小当りの場合は、ラウンド遊技が行われない関係上、大当りの場合とは異なり、開放前インターバル時間が存在しない形態となっている。このため、小当り遊技の大入賞口入賞無効期間は、（１）作動前インターバル時間ｔ８の期間（時刻Ｔ３２〜時刻Ｔ３３）と、（２）小当り終了インターバル時間ｔ９の期間（時刻Ｔ３７〜時刻Ｔ３８）となっている。しかしこれに限らず、２Ｒ低ベース確変大当りの場合と同じタイミングで特別電動役物１作動フラグをＯＦＦ状態（＝００Ｈ）に設定可能な構成としても良い。具体的には、時刻Ｔ３３〜時刻Ｔ３５の２０ｍｓ前の時刻（時刻Ｔ３４から残存球排出時間ｔ３に相当する時間（１９８０ｍｓ）が経過したとき）が到来したときに、特別電動役物１作動フラグを一旦ＯＦＦ状態（＝００Ｈ）にし、時刻Ｔ３５が到来したときに、特別電動役物１作動フラグを再びＯＮ状態（＝５ＡＨ）にする。
【０５４９】
＜１０．演出制御部側の処理：図７２〜図７８＞
次に、図７２〜図７８を参照して、演出制御部２４側における処理手順について説明する。
【０５５０】
（１２．演出制御側メイン処理：図７２）
図７２は、演出制御部側のメイン処理（演出制御側メイン処理）を示すフローチャートである。演出制御部２４（ＣＰＵ２４１）は、遊技機本体に対して外部から電源が投入されると、図７２に示す演出制御側のメイン処理を開始する。
【０５５１】
この演出制御側のメイン処理では、まず電源投入時の初めての処理としてステップＳ７１が行われ、これ以外の場合には正常動作時の処理としてステップＳ７２〜Ｓ７５の処理が行われる。
【０５５２】
図７２において、まずＣＰＵ２４１は、電源投入時の初めての処理として、遊技動作開始前における必要な初期設定処理を行う（ステップＳ７１）。
【０５５３】
続いて正常動作時の処理として、演出用乱数更新処理を行う（ステップＳ７２）。この演出用乱数更新処理では、主として、演出パターンを抽選するために利用される演出抽選用乱数値を定期的に更新している。
【０５５４】
次に、コマンド受信割り込み、タイマ割り込み、外部ＩＮＴ等を許可する割り込み許可状態に設定し（ステップＳ７３）、その後、割り込み禁止状態に設定する（ステップＳ７４）。続いてウォッチドッグタイマをクリアして（ステップＳ７５）、電断が発生しない限り、ステップＳ７２〜ステップＳ７５の処理を無限ループ状に繰り返す。
【０５５５】
（１３．コマンド受信割込処理：図７３）
次に図７３を参照して、主制御部２０からの演出制御コマンドを受信した場合に実行されるコマンド受信割込処理について説明する。図７３は、演出制御側のコマンド受信割込処理を示すフローチャートである。演出制御部２４側において主制御部２０側から送られてくる各種演出制御コマンドを受けた場合、ＩＮＴ割り込みが発生し、この受信割込処理にて、演出制御コマンドを受信したときに、これをコマンド受信バッファに格納する。このコマンド受信割り込み処理は、主制御部２０から演出制御コマンドを受信した場合、後述する演出制御側タイマ割込処理（図７４）よりも優先的に実行される。
【０５５６】
図７３において、まずＣＰＵ２４１は、主制御部２０からの演出制御コマンドを受信した場合、レジスタの内容を所定のスタック領域に退避させた後（ステップＳ８１）、受信した演出制御コマンドをＲＡＭ２４３のコマンド受信バッファに格納し（ステップＳ８２）、退避していたレジスタの内容を復帰させて（ステップＳ８３）、コマンド受信割り込み処理を抜ける。
【０５５７】
（１４．演出制御側タイマ割込処理：図７４）
次に、図７４を参照して、上記演出制御側メイン処理実行中に割り込んで２ｍｓ程度ごとに実行される演出制御側タイマ割込処理について説明する。図７４は、一定時間（２ｍｓ）ごとの割り込みで起動される演出制御側のタイマ割込処理を示すフローチャートである。
【０５５８】
図７４において、演出制御部２４（ＣＰＵ２４１）は、タイマ割込みが生じると、割り込み禁止状態に設定して、レジスタを所定のスタック領域に退避させる（ステップＳ９１）。次いでプログラム異常を監視しているウォッチドッグタイマをクリアして、タイマのカウントを再スタートさせる（ステップＳ９２）。プログラムが暴走状態となった場合は、ウォッチドッグタイマがタイムアップし、演出用ＣＰＵが自動的にリセットされて上記暴走状態から復帰する。
【０５５９】
次いで、定期更新処理を行う（ステップＳ９３）。この定期更新処理では、演出パターンを選択するために利用される演出抽選用乱数の初期値や、演出パターンの実行に必要なタイマの内容を割り込みごとに更新する。上記タイマの代表的なものは、演出の発生に関するタイムスケジュールを管理するタイマである。たとえば、特別図柄表示装置３８ａ，３８ｂに特別図柄が変動表示されている変動期間内（特別図柄の変動期間内）と実質的に同一期間内である液晶表示装置３６の画面に装飾図柄が変動表示されている変動期間内（装飾図柄変動期間内）において、その時間軸上で、どのような演出パターンの演出内容を、どれだけの時間幅をもって、演出手段である装飾ランプ４５やスピーカ４６や液晶表示装置３６などにより現出させるかについての時間的なスケジュールが、このタイマにより管理される。
【０５６０】
次いで、枠演出ボタン１３からの入力を監視するボタン入力管理処理を行う（ステップＳ９４）。このボタン入力管理処理では、枠演出ボタン１３からの操作（ＯＮ操作）検出信号の入力の有無を監視し、当該操作検出信号を受信したことを確認した場合、その情報（操作検出情報）をＲＡＭ２４３の所定領域に格納する。この情報は、ボタン予告演出に際に利用される。
【０５６１】
次いで、コマンド解析処理を行う（ステップＳ９５）。このコマンド解析処理では、コマンド受信バッファに演出制御コマンドが格納されているか否かを割り込みごとに監視し、演出制御コマンドが格納されていればこのコマンドを読み出し、読み出した演出制御コマンドに対応した演出制御処理を行う。上記演出制御コマンドの中には、保留加算コマンド、変動パターン指定コマンド、装飾図柄指定コマンド、演出停止コマンド、遊技状態指定コマンド、大当り開始コマンド、大入賞口開放コマンド、ラウンド終了コマンド、大当り終了コマンドなどが含まれる。たとえば変動パターンコマンドが受信され、それが受信バッファに格納されている場合、コマンド解析処理において、変動パターン指定コマンドに含まれる変動パターン情報に基づき、図示しない演出パターンテーブルを参照して、複数種類の演出パターンのその変動パターン情報に対応する演出内容（演出パターン）を抽選により決定する。なお、変動パターン指定コマンドや装飾図柄指定コマンドに基づいて決定される演出パターンには、停止装飾図柄の組合せや種々の遊技演出（「疑似連」、「リーチ演出」、「背景変化演出」、「ボタン予告演出」など）が含まれる。これにより、今回の図柄変動表示ゲーム中に種々の演出パターンが次々に、あるいは同時に展開されることにより、広義の意味での「演出シナリオ」が実現される。
【０５６２】
次いで、演出シナリオを更新させて演出を進行させる演出進行処理を行う（ステップＳ９６）。この演出進行処理では、ステップＳ９５のコマンド解析処理で設定された演出データに基づいて、演出の進行に係るタイムスケジュールを管理する。そして、そのタイムスケジュールに基づき、液晶表示装置３６の画像を表示制御する画像制御データの作成（液晶制御ＣＰＵに対する液晶制御コマンド）や装飾ランプ４５やＬＥＤやスピーカ４６を作動させる制御データ（発光制御信号や音声制御信号）を作成し、その作成した制御信号の出力設定を行う。
【０５６３】
次いで、演出出力管理処理（映像、音、および光に関する出力処理）を行う（ステップＳ９７）。この演出出力管理処理では、上記出力設定された制御信号あるいは制御コマンドがある場合には、必要なタイミングで液晶制御ＣＰＵに対して液晶制御コマンドを出力して画像表示制御を行い、その画像表示による演出に合わせて、音声制御信号を音響発生装置４６ａに出力したり、発光制御信号を光表示装置４５ａに出力したりして、液晶表示装置３６での画像による演出表示とスピーカ４６からの音演出と装飾ランプ４５やＬＥＤなどの点滅もしくは点灯による光演出が展開される。これにより、遊技進行の時間軸上で、種々の演出パターンが次々に、あるいは同時に展開されていくことにより、広義の意味での演出シナリオ（以下、特に必要のない限り、今回の装飾図柄変動表示ゲーム中で展開される各種の予告演出（たとえば、疑似連、リーチ演出、ボタン予告演出、背景変化演出など）を総称して演出シナリオを称する）が実現される。このように、演出制御部２４は、演出手段に対して演出を現出制御する演出制御手段としての役割を果たす。この演出制御手段には、各種演出を現出制御する演出制御手段として、リーチ演出を現出制御する手段、先読み予告演出を現出制御する手段、疑似連を現出制御する手段、ボタン予告演出を現出制御する手段など、演出制御処理に関連する種々の演出制御手段を含まれる。
【０５６４】
そして、退避したレジスタの内容を復帰させて（ステップＳ９８）、割り込み許可状態に設定して、演出制御側タイマ割込処理を抜ける。
【０５６５】
（１４−１．コマンド解析処理の内容：図７５〜図７８）
次に、図７４のコマンド解析処理（ステップＳ９５）の内容について具体的に説明する。ここでは、「保留加算コマンド」、「変動パターン指定コマンド」、「装飾図柄指定コマンド」、「大当り開始コマンド」を受信した場合について説明し、他の演出制御コマンドを受信した場合の説明は省略する。
【０５６６】
（１４−１−１．保留加算コマンドの受信処理：図７５）
図７５は、図１５の特図１始動口チェック処理のステップＳ３２６で、または図２８の特図２始動口チェック処理のステップＳ３４６で送信される保留加算コマンドを受信した場合の処理を示すフローチャートである。
【０５６７】
図７５において、演出制御部２４（ＣＰＵ２４１）は、保留加算コマンドを受信した場合、まずそのコマンドの内容を解析し（ステップＳ７１１）、先読み判定結果情報を取得する。たとえば、上位バイト（ＭＯＤＥ）がＢ８Ｈ（特図１保留３個入賞指定）で下位バイト（ＥＶＥＮＴ）が０２Ｈの場合、通常中通常変動１でハズレ、上位バイトがＢ８Ｈ（保留３個入賞指定）で下位バイトが１７Ｈの場合、強ＳＰリーチを伴う当り変動などが把握される。また下位バイトが０１Ｈの場合は「先読み禁止」であることが把握される（図１５のステップＳ３１５、図２８のステップＳ３３５参照）。
【０５６８】
次いで、先読み禁止か否か、つまり先読み禁止下にあることを示す下位バイト０１Ｈであったか否かを判定する（ステップ７１２）。先読み禁止である場合（ステップＳ７１２：ＹＥＳ）、何もしないでステップＳ７１７に進む。
【０５６９】
先読み禁止でない場合（ステップＳ７１２：ＮＯ）、ステップＳ７１３に進んで、「連続予告カウンタ」がゼロか否かを判定する（ステップＳ７１３）。
【０５７０】
ここで「連続予告カウンタ」は、重複した先読み予告演出が発生することを回避するためのカウンタであり、具体的には、次に述べるステップＳ７１４で１回目の先読み予告抽選が行われ、これに当選して、先読み予告の対象となった作動保留球が変動表示動作の実行に供されるまでに、新たに先読み予告抽選（２回目以降）を繰り返すことのないようにするためのカウンタである。したがって、この連続予告カウンタは、先読み予告抽選に当選した場合（ステップＳ７１５：ＹＥＳ）、その当選時点で存在する保留記憶個数と同数の図柄変動回数を管理すべく、その当選時点において現存する作動保留球数（保留記憶個数）の値、たとえば２個の作動保留球がある場合は「２」が格納され（ステップＳ７１６）、その後に図柄変動表示ゲームが行われる際に上記セット値が後述の図７７のステップＳ７６１で１減算されて行く。
【０５７１】
この連続予告カウンタがゼロでない場合（ステップＳ７１３：ＮＯ）、つまり連続予告演出中である場合は、何もしないでステップＳ７１７に進む。
【０５７２】
この連続予告カウンタの値がゼロである場合（ステップＳ７１３：ＹＥＳ）、つまり先読み予告（連続予告）演出中でない場合は、上述のステップＳ７１４に進み、入賞時変化系（保留表示変化系）の先読み予告演出（連続予告演出）を実施するか否かについての先読み予告抽選（以下単に「保留表示変化系の先読み予告抽選」という）と、変動開始時変化系（画像表示変化系）の先読み予告演出（連続予告演出）を実施するか否かについての先読み予告抽選（以下単に「画像表示変化系の先読み予告抽選」という）とに関する先読み予告抽選を行う（ステップＳ７１４）。そして、これらの先読み予告抽選に当選したか否かについて判定する（ステップＳ７１５）。なお上記ステップＳ７１４の処理は、保留加算コマンドにより送られてくる先読み判定結果を演出開始条件として、先読み予告演出（連続予告演出）の実行可否を判定する予告実行判定手段であって、その実行可否を抽選により判定する予告実行抽選手段として働く。
【０５７３】
いずれの先読み予告抽選にも当選しなかった場合（ステップＳ７１５：ＮＯ）、何もしないでステップＳ７１７の処理に進む。
【０５７４】
上記保留表示変化系の先読み予告抽選と画像表示変化系の先読み予告抽選のいずれか一方の先読み予告抽選に当選した場合（ステップＳ７１５：ＹＥＳ）、その時点における保留球数（保留記憶個数）と同数が連続予告カウンタに格納し（ステップＳ７１６）、これら保留表示変化系の先読み予告抽選結果と画像表示変化系の先読み予告抽選結果とに基づき、先読み抽選結果を指定する先読み予告当選フラグをＲＡＭ２４３の所定領域（先読み予告当選フラグ）に格納する（ステップＳ７１７）。先読み予告当選フラグは、保留表示変化系の先読み予告抽選結果（当否結果）や画像表示変化系の先読み予告抽選結果を判定するために利用される。また先読み予告当選フラグには、保留表示変化系の先読み予告抽選結果を格納するためのフラグと、画像表示変化系の先読み予告抽選結果を格納するためのフラグとが設けられている。「保留表示変化系の先読み予告抽選」に当選している場合には、後述のステップＳ７１７の保留加算表示処理の働きにより、保留表示変化系の先読み予告演出として、先読み予告の対象となった保留記憶に係る保留表示態様が、たとえば黄色、緑色、赤色または虹色のいずれかの色の保留表示色（通常は青色）に変化し、当該作動保留球が特別図柄変動表示動作に供されるまでの間、当該色の保留が連続的に出現することになる。たとえば、図７に示した第２番目の作動保留球（ハッチングを施した保留）が図柄変動表示動作に供されるまでの間、通常とは異なる色をした先読み予告用の専用保留表示が連続的に出現することになる。
【０５７５】
また、「画像表示変化系の先読み予告抽選」に当選している場合には、当該当選となった作動保留球よりも古い作動保留球に係る装飾図柄指定コマンドを受信することで、変動開始時の先読み予告演出処理がなされ、図７に示したような、先読み予告用の画像表示（稲妻画像）による先読み予告演出（稲妻演出）が液晶表示装置３６の画面内に出現し、これが保留１〜保留２が順次保留消化される度に、稲妻画像による予告演出（稲妻演出）が連続的に出現することになる。なお、保留表示変化系の先読み予告抽選と画像表示変化系の先読み予告抽選とに同時当選する場合は、これらのいずれか一方が当選する場合よりも大当りの当選期待度が高まるようにその抽選確率が定められている。
【０５７６】
ステップＳ７１７に進むと、保留加算表示処理を行う（ステップＳ７１８）。この保留加算表示処理では、先読み予告抽選結果に基づく保留表示変化系の先読み予告演出データを、保留情報管理エリア（ＲＡＭ２４３）に格納し、保留表示変化系の先読み予告抽選に当選している場合には、保留表示変化系の先読み予告演出データを格納後、保留表示変化系の先読み予告抽選結果に対応する当選フラグをクリアする。上記保留情報管理エリアは、特別図柄１、２の作動保留球数Ｎに対応する第１（Ｎ＝１）〜第４（Ｎ＝４）の保留情報管理エリアが設けられており、それぞれ保留表示に関する演出シナリオデータの記憶領域を含んで構成されている。演出制御ＣＰＵ２４１は、この保留情報管理エリア内にどのような予告演出シナリオが格納されている否かを参照して、何番目の保留球に対してどのような先読み予告演出を行うかを特定できるようになっている。ステップＳ７１４の保留変化表示系の先読み予告抽選に当選している場合、先読み変動パターン情報に応じて専用保留表示用の演出データ（たとえば、保留表示を「黄色」「緑色」「赤色」または「虹色」のいずれかの保留表示態様とするための演出データ）を今回入賞した作動保留球に対応する保留情報管理エリアに格納する（たとえば、今回入賞した保留球に基づく保留加算コマンドが持つ作動保留球数の情報が特別図柄１で作動保留球数２個を示すものであるならば、その演出データを特別図柄１の第２保留情報管理エリアに格納する）。他方、先読み予告抽選に当選していない場合は、通常保留表示用の演出データ（たとえば、通常の保留表示色である青色にするための保留表示用演出データ）を格納する。なお上記保留色は、先読み変動パターンに関連付けられており、大当り当選期待度の高い順に、保留表示を「黄色」「緑色」「赤色」「虹色（当確）」となっている。
【０５７７】
この保留加算表示処理および後述のステップＳ７５３〜Ｓ７５６の先読み予告演出処理は、上記予告実行判定手段により先読み予告演出を実行可と判定された場合、所定の演出手段に対して先読み予告演出を発生させる予告演出制御手段を構成する。
【０５７８】
（１４−１−２．変動パターン指定コマンドの受信処理：図７６）
図７６は、図３８の特別図柄変動パターン作成処理のステップＳ４１２で送信される変動パターン指定コマンドを受信した場合の処理を示すフローチャートである。
【０５７９】
図７６において、演出制御部２４（ＣＰＵ２４１）は、変動パターン指定コマンドを受信した場合、まずそのコマンドの内容を解析し（ステップＳ７３１）、その内容である特別図柄の変動パターン情報をＲＡＭ２４３の所定領域に格納する（ステップＳ７３２）。最終的な演出パターンは、ここで格納された変動パターン情報と装飾図柄指定コマンドに含まれる情報（今回の変動表示動作に供される特別図柄種別と当選種別（特別図柄判定データ）情報）とに基づき、後述の装飾図柄指定コマンド受信処理（図７７）で決定されるようになっている。
【０５８０】
（１４−１−３．装飾図柄指定コマンドの受信処理：図７７）
図７７は、図３２の特別図柄変動開始処理のステップＳ４１４で送信される装飾図柄指定コマンドを受信した場合の処理を示すフローチャートである。装飾図柄指定コマンドは、変動パターン指定コマンドに続いて送られてくる演出制御コマンドである。
【０５８１】
図７７において、演出制御部２４（ＣＰＵ２４１）は、装飾図柄指定コマンドを受信した場合、まずそのコマンドの内容を解析して、その内容を取得し（ステップＳ７５１）、次いで、装飾図柄停止図柄抽選処理を行う（ステップＳ７５２）。この停止装飾図柄抽選処理では、ステップＳ７３２で得られた変動パターン情報と、上述のステップＳ７５１で得られた今回の変動表示動作に供される特別図柄種別情報および当選種別情報とに基づき、最終的に停止させる左図柄・中図柄・右図柄（装飾図柄停止図柄の組合せ）をそれぞれ抽選により決定する。たとえば、リーチ状態を伴う当り変動パターンで、そのときの大当り種別が確変大当りである場合、まず左図柄を抽選して、その左図柄とリーチ状態が形成可能な装飾図柄を右図柄として決定し、決定された左図柄と右図柄とに基づき、確変大当りを示す装飾図柄列で最終的に停止されるように中図柄を決定する。これにより、今回の装飾図柄変動表示ゲームが完了したときの装飾図柄の組合せが定まる。そして、決定された装飾図柄データをＲＡＭ２４３の所定領域に格納する。
【０５８２】
次いで、連続予告カウンタがゼロであるか否かを判定する（ステップＳ７５３）。連続予告カウンタがゼロである場合（ステップＳ７５３：ＹＥＳ）、つまり先読み予告を行わない場合、何もしないでステップＳ７５８に進む。
【０５８３】
連続予告カウンタがゼロでない場合、つまり先読み予告を行う場合は（ステップＳ７５３：ＮＯ）、画像表示変化系の先読み予告抽選に当選したか否かを判定する（ステップＳ７５４）。
【０５８４】
画像表示変化系の先読み予告抽選に当選していない場合（ステップＳ７５４：ＮＯ）、連続予告カウンタを１減算し（ステップＳ、ステップＳ７５８に進む。ステップＳ７１４先読み予告抽選が行われた後、はじめてステップＳ７５４の判定処理が行われときの判定結果が‘ＮＯ’であった場合、このときは保留表示変化系の先読み予告抽選にのみ当選した場合であるので、画像表示変化系の予告演出は出現せずに（稲妻演出不発生）、保留色変化の先読み予告演出だけが出現することになる。
【０５８５】
一方、画像表示変化系の先読み予告抽選に当選している場合（ステップＳ７５４：ＹＥＳ）、先読み画像表示演出抽選処理を行う（ステップＳ７５５）。この先読み画像表示演出抽選処理では、特別図柄の変動パターン情報に基づき、複数の変動開始時変化系の先読み予告演出の中から抽選により一の先読み予告演出を選択して決定する。たとえば、落雷のレベル表現した、強落雷の稲妻演出、中落雷の稲妻演出、弱落雷の稲妻演出などの複数種類の稲妻演出の中からいずれかを抽選により決定する。これらの稲妻演出は、変動パターンに関連付けられた選択率を有しており、大当り当選期待度が高いほど「強落雷＞中落雷＞弱落雷」の関係で選択されるようになっている。なお、先読み変動パターンと変動開始時に定まる特別図柄の変動パターンの基本パターンとは、既に説明したように、実質的に同一のパターンが選択されるようになっている。すなわち、保留表示色による大当り当選期待度と稲妻演出による大当り当選期待度とは、密接な関連性がある。より詳しくは、保留表示変化系の先読み予告演出や画像表示変化系の先読み予告演出が単独で出現した場合よりも保留色変化系の先読み予告演出と画像表示変化系の先読み予告演出とが重複して出現した場合の方が、より明確に大当り当選期待度が示唆されるようになっている。たとえば、保留色が「赤色」で稲妻演出が「強稲妻」である場合には、大当り当選期待度が飛躍的に高まるが、保留色が「赤色」であっても稲妻演出が「弱稲妻」である場合には、それよりも低くなる。このように本実施形態では、いずれか一方の先読み予告演出が出現した場合よりも双方の先読み予告演出が出現した場合の方が、より明確な大当り当選期待度が示唆されるようになっている。
【０５８６】
次いで、画像表示変化系の先読み予告演出の実行回数として、連続カウンタの値を格納し（ステップＳ７５６）、画像表示変化系の先読み予告抽選結果に対応する当選フラグをクリアする（ステップＳ７５７）。これにより、一の保留加算コマンドが受信された後、画像表示変化系の先読み予告抽選に当選した場合にステップＳ７５５〜Ｓ７５７の処理が行われるが、次回以降の他の保留加算コマンドが受信されたときには連続予告カウンタがゼロになっていない限り、ステップＳ７５５〜Ｓ７５７の処理は行われないようになっている（図７５のステップＳ７１３：ＮＯの処理ルート、図７７のＳ７５４：ＮＯの処理ルートを辿る）。これにより画像表示変化系の先読み予告演出として稲妻演出の一つが選択されると、変動開始時に液晶表示装置３６の画面内に稲妻画像が出現することになる（図７参照）。
【０５８７】
次いで、ステップＳ７５８に進むと、予告演出シナリオ抽選処理を行う（ステップＳ７５８）。この予告演出シナリオ抽選では、通常の演出シナリオ（先読み予告以外の予告演出）に沿った予告演出の中から、変動パターンに応じた一の予告演出シナリオを抽選により決定し、その演出シナリオデータをＲＡＭ２４３の所定領域（演出データ設定領域）に格納する。具体的には、現在の演出モード、変動パターン情報、および当選種別などが関連付けられた複数種類の演出シナリオが定められた演出シナリオ選択テーブル（図示せず）を参照し、演出抽選用乱数値を利用して、複数種類の演出シナリオのうちから抽選により決定する。なお、ここでの演出シナリオには、先読み予告演出以外の各種の予告演出が含まれる。
【０５８８】
次いで、図柄遊技開始時保留表示シフト処理を行う（ステップＳ７５９）。この図柄遊技開始時保留表示シフト処理では、装飾図柄変動演出を開始するに伴い、保留情報管理エリア内に格納されている演出シナリオデータが参照され、他の保留球に対応する保留表示態様（保留表示演出）を古い記憶位置側に１つシフトさせる形態で保留表示を行わせると共に、今回消化される保留記憶に対応する保留表示を終了させるための演出処理を行う
なお、空き領域となっている保留情報管理エリアには保留表示に関する演出シナリオがセットされていないため、この場合は、当該保留情報管理エリアに該当する作動保留球を対象とした保留表示演出は行われずに該当表示箇所は消灯状態として表現される。これにより、記憶順の最も古い保留記憶に係る保留データが１個消化されると、これに続く保留記憶が現存している場合は、その現存する保留記憶の保留記憶位置および保留表示位置が全体として古い記憶位置側に１つシフトされて現在の保留表示が行われることになる。
【０５８９】
次いで、装飾図柄変動表示ゲーム開始に要する各種の設定処理を行い（ステップＳ７６０）、装飾図柄指定コマンド受信処理を抜ける。以後、装飾図柄変動表示ゲームが開始されることになる。このように演出制御部２４は、第１の制御コマンド（保留加算コマンド）を受信したことを条件に、変動開始条件が成立せずに未だ保留情報が消化されていない特別図柄遊技（特別図柄変動表示ゲーム）について、その保留情報に基づく特別図柄遊技の表示結果がどのような表示結果となるかについての情報を予告する予告演出（先読み予告演出）を現出制御する予告演出制御手段と、第２の制御コマンド（変動パターン指定コマンドを受信したことを条件に（本実施形態では、変動パターン指定コマンドに続く装飾図柄指定コマンドを受信したことを条件に）、演出表示装置（たとえば、液晶表示装置３６）における装飾図柄遊技（装飾図柄変動表示ゲーム）の実行を開始させる装飾図柄遊技実行制御手段が含まれる。
【０５９０】
（１４−１−４．大当り開始コマンドの受信処理：図７８）
図７８は、図５０の大当り開始処理のステップＳ５１４で送信される大当り開始コマンドを受信した場合の処理を示すフローチャートである。この大当り開始コマンドは、大当り遊技開始時に送られてくる演出制御コマンドである。
【０５９１】
図７８において、演出制御部２４（ＣＰＵ２４１）は、大当り開始コマンドを受信した場合、まずそのコマンドの内容を解析して、その内容である今回の大当り種別情報を取得し（ステップＳ７８１）、次いで、図５の当り中演出テーブル選択テーブルを参照し、演出用乱数を利用した抽選を行い、大当り種別に応じた当り中演出テーブルを選択する（ステップＳ７８２）。
【０５９２】
次いで、当り中演出テーブルを参照して、当り中演出の演出シナリオデータを格納し（ステップＳ７８３）、大当り開始コマンド受信処理を抜ける。これにより、大当り遊技開始に伴い、ＯＰ演出が発生し、以後、大入賞口開放コマンドを受信した場合には、ラウンド数に対応するラウンド演出を、大当り終了コマンドを受信した場合には、ＥＤ演出を順次行っていく。なお、小当りに当選した場合に送信される「小当り開始コマンド（図６７のステップＳ６０４参照）」を受信した場合にも、この大当り開始コマンド受信処理と同じ処理が行われ、図５の当り中演出テーブル選択テーブルから当り中演出７テーブル（ＷＩＮＴＢＬ−Ｐ７）が選択され、これに基づく当り中演出シナリオデータが格納される。
【０５９３】
以上、図面を参照しながら本発明の好ましい実施形態に係る遊技機について説明したが、本発明は例示した実施形態に限定されず、本発明を逸脱しない範囲において各種構成要素の改変が可能である。
【産業上の利用可能性】
【０５９４】
本発明は、遊技球あるいはこれに相当する遊技媒体を利用した遊技機に有用である。
【符号の説明】
【０５９５】
１      パチンコ遊技機、
２      前面枠、
３      遊技盤、
３ａ    遊技領域、
４      外枠、
５      球誘導レール、
６      ガラス扉枠、
７      前面操作パネル、
８      上受け皿ユニット、
９      上受け皿、
１１      球貸しボタン、
１２      カード返却ボタン、
１３      枠演出ボタン、
１４      球抜きボタン、
１５      発射操作ハンドル、
１９      遊技球払出装置、
２０      主制御部、
２１      枠用外部端子基板、
２４      演出制御部、
２８      発射制御基板、
２９      払出制御基板、
３１      電源基板、
３２      発射装置、
３４      上始動口、
３４ａ    上始動口センサ、
３５      下始動口、
３５ａ    下始動口センサ、
３６      液晶表示装置、
３７      普通図柄始動口、
３７ａ    普通図柄始動口センサ、
３８ａ，３８ｂ      特別図柄表示装置、
３９      普通図柄表示装置、
４０、５０      大入賞口、
４１      普通変動入賞装置、
４１ｃ    普通電動役物ソレノイド、
４２、５２      特別変動入賞装置、
４２ａ、５２ａ    大入賞口センサ、
４２ｂ、５２ｂ    開放扉、
４２ｃ、５２ｃ    大入賞口ソレノイド、
４３      一般入賞口、
４３ａ    一般入賞口センサ、
４４      風車、
４５      装飾ランプ、
４５ａ    光表示装置、
４６      スピーカ、
４６ａ    音響発生装置、
４７      可動翼片、
４８      センター飾り、
４９      アウト口、
２０１      主制御ＣＰＵ、
２０２      主制御ＲＯＭ、
２０３      主制御ＲＡＭ、
２４１      演出制御ＣＰＵ、
２４２      演出制御ＲＯＭ、
２４３      演出制御ＲＡＭ。
【図１】
0005847136.tif 000002
【図２】
0005847136.tif 000003
【図３】
0005847136.tif 000004
【図４】
0005847136.tif 000005
【図５】
0005847136.tif 000006
【図６】
0005847136.tif 000007
【図７】
0005847136.tif 000008
【図８】
0005847136.tif 000009
【図９】
0005847136.tif 000010
【図１０】
0005847136.tif 000011
【図１１】
0005847136.tif 000012
【図１２】
0005847136.tif 000013
【図１３】
0005847136.tif 000014
【図１４】
0005847136.tif 000015
【図１５】
0005847136.tif 000016
【図１６】
0005847136.tif 000017
【図１７】
0005847136.tif 000018
【図１８】
0005847136.tif 000019
【図１９】
0005847136.tif 000020
【図２０】
0005847136.tif 000021
【図２１】
0005847136.tif 000022
【図２２】
0005847136.tif 000023
【図２３】
0005847136.tif 000024
【図２４】
0005847136.tif 000025
【図２５】
0005847136.tif 000026
【図２６】
0005847136.tif 000027
【図２７】
0005847136.tif 000028
【図２８】
0005847136.tif 000029
【図２９】
0005847136.tif 000030
【図３０】
0005847136.tif 000031
【図３１】
0005847136.tif 000032
【図３２】
0005847136.tif 000033
【図３３】
0005847136.tif 000034
【図３４】
0005847136.tif 000035
【図３５】
0005847136.tif 000036
【図３６】
0005847136.tif 000037
【図３７】
0005847136.tif 000038
【図３８】
0005847136.tif 000039
【図３９】
0005847136.tif 000040
【図４０】
0005847136.tif 000041
【図４１】
0005847136.tif 000042
【図４２】
0005847136.tif 000043
【図４３】
0005847136.tif 000044
【図４４】
0005847136.tif 000045
【図４５】
0005847136.tif 000046
【図４６】
0005847136.tif 000047
【図４７】
0005847136.tif 000048
【図４８Ａ】
0005847136.tif 000049
【図４８Ｂ】
0005847136.tif 000050
【図４９】
0005847136.tif 000051
【図５０】
0005847136.tif 000052
【図５１】
0005847136.tif 000053
【図５２】
0005847136.tif 000054
【図５３】
0005847136.tif 000055
【図５４】
0005847136.tif 000056
【図５５】
0005847136.tif 000057
【図５６】
0005847136.tif 000058
【図５７】
0005847136.tif 000059
【図５８】
0005847136.tif 000060
【図５９】
0005847136.tif 000061
【図６０】
0005847136.tif 000062
【図６１】
0005847136.tif 000063
【図６２】
0005847136.tif 000064
【図６３】
0005847136.tif 000065
【図６４】
0005847136.tif 000066
【図６５】
0005847136.tif 000067
【図６６】
0005847136.tif 000068
【図６７】
0005847136.tif 000069
【図６８】
0005847136.tif 000070
【図６９】
0005847136.tif 000071
【図７０】
0005847136.tif 000072
【図７１】
0005847136.tif 000073
【図７２】
0005847136.tif 000074
【図７３】
0005847136.tif 000075
【図７４】
0005847136.tif 000076
【図７５】
0005847136.tif 000077
【図７６】
0005847136.tif 000078
【図７７】
0005847136.tif 000079
【図７８】
0005847136.tif 000080